(57)【要約】      （修正有）【課題】音の進行方向が表示パネルの前面になるように音響を発生させる音響発生装置を含む表示装置を提供する。【解決手段】表示装置１０は、表示パネル１００と音響発生装置を含む。表示パネル１００は、映像を表示し、左側領域に配置される第１領域および第４領域、右側領域に配置される第２領域および第５領域、中央領域に配置される第３領域を含む。表示パネル１００の背面の前記各領域に音響発生装置が配置され、表示パネル１００を振動させて表示パネルの前方（ＦＤ）に音響（ＳＷ）を発生させる。【選択図】図１Ａ
2020171013.tif 000002
【特許請求の範囲】
【請求項１】
映像を表示し、第１領域、第２領域、第３領域、第４領域、および第５領域を含む表示パネル、
前記表示パネルの背面の左側領域に配置され、前記第１領域および前記第４領域に配置される少なくとも一つの第１音響発生装置および少なくとも一つの第４音響発生装置、
前記表示パネルの背面の右側領域に配置され、前記第２領域および前記第５領域に配置される少なくとも一つの第２音響発生装置および少なくとも一つの第５音響発生装置、および
前記表示パネルの背面の中央領域に配置され、前記第３領域に配置される少なくとも一つの第３音響発生装置を含み、
前記少なくとも一つの第１音響発生装置、前記少なくとも一つの第２音響発生装置、および前記少なくとも一つの第３音響発生装置が、前記表示パネルを振動させて音響を発生させ、
前記少なくとも一つの第４音響発生装置および前記少なくとも一つの第５音響発生装置は、前記表示パネルを振動させて前記表示パネルの上側にまたは前記表示パネルから上向きに音響を発生させる、表示装置。
【請求項２】
前記少なくとも一つの第１音響発生装置および前記少なくとも一つの第４音響発生装置が、前記表示パネルの中央領域を基準に、前記少なくとも一つの第２音響発生装置および前記少なくとも一つの第５音響発生装置と対称に配置される、請求項１に記載の表示装置。
【請求項３】
前記少なくとも一つの第１音響発生装置および前記少なくとも一つの第２音響発生装置が、前記少なくとも一つの第３音響発生装置と非対称に配置される、請求項１に記載の表示装置。
【請求項４】
前記少なくとも一つの第１音響発生装置および前記少なくとも一つの第２音響発生装置の一つ以上の下側に配置された少なくとも一つのウーファーをさらに含む、請求項１に記載の表示装置。
【請求項５】
前記少なくとも一つの第１音響発生装置および前記少なくとも一つの第２音響発生装置の一つ以上が、ウーファーを含む音響発生装置である、請求項１に記載の表示装置。
【請求項６】
前記少なくとも一つの第１音響発生装置および前記少なくとも一つの第２音響発生装置が、前記少なくとも一つの第３音響発生装置と非対称に配置される、請求項５に記載の表示装置。
【請求項７】
前記表示パネルの背面に配置される封止基板、および
前記封止基板の背面に配置される放熱部材をさらに含む、請求項１に記載の表示装置。
【請求項８】
前記第４領域と前記第５領域との間にある第６領域に配置される少なくとも一つの第６音響発生装置、
前記第１領域の下側にある第７領域に配置される少なくとも一つの第７音響発生装置、
前記第２領域の下側にある第８領域に配置される少なくとも一つの第８音響発生装置、
前記第７領域と前記第８領域の間にある第９領域に配置される少なくとも一つの第９音響発生装置、
前記第１領域と前記第３領域の間にある第１０領域に配置される少なくとも一つの第１０音響発生装置、および
前記第２領域と前記第３領域の間にある第１１領域に配置される少なくとも一つの第１１音響発生装置をさらに含む、請求項１に記載の表示装置。
【請求項９】
前記少なくとも一つの第６音響発生装置は、前記表示パネルを振動させて前記表示パネルの上側にまたは前記表示パネルから上向きに音響を発生させ、
前記少なくとも一つの第７音響発生装置、前記少なくとも一つの第８音響発生装置、および前記少なくとも一つの第９音響発生装置は、前記表示パネルを振動させて前記表示パネルの下側にまたは前記表示パネルから下向きに音響を発生させる、請求項８に記載の表示装置。
【請求項１０】
前記少なくとも一つの第７音響発生装置および前記少なくとも一つの第８音響発生装置の一つ以上の下側に配置された少なくとも一つのウーファーをさらに含む、請求項８に記載の表示装置。
【請求項１１】
前記少なくとも一つの第７音響発生装置および前記少なくとも一つの第８音響発生装置中の一つ以上が、ウーファーを含む音響発生装置である、請求項８に記載の表示装置。
【請求項１２】
前記少なくとも一つの第１音響発生装置および前記少なくとも一つの第２音響発生装置中の一つ以上が、ウーファーを含む音響発生装置である、請求項８に記載の表示装置。
【請求項１３】
前記少なくとも一つの第１０音響発生装置および前記少なくとも一つの第１１音響発生装置中の一つ以上が、ウーファーを含む音響発生装置である、請求項８に記載の表示装置。
【請求項１４】
前記第４領域と前記第６領域の間にある第１２領域に配置される少なくとも一つの第１２音響発生装置、
前記第５領域と前記第６領域の間にある第１３領域に配置される少なくとも一つの第１３音響発生装置、
前記第７領域と前記第９領域の間にある第１４領域に配置される少なくとも一つの第１４音響発生装置、および
前記第８領域と前記第９領域の間にある第１５領域に配置される少なくとも一つの第１５音響発生装置をさらに含む、請求項８に記載の表示装置。
【請求項１５】
前記少なくとも一つの第１２音響発生装置および前記少なくとも一つの第１３音響発生装置は、前記表示パネルを振動させて前記表示パネルの上側にまたは前記表示パネルから上向きに音響を発生させ、
前記少なくとも一つの第１４音響発生装置および前記少なくとも一つの第１５音響発生装置は、前記表示パネルを振動させて前記表示パネルの下側にまたは前記表示パネルから下向きに音響を発生させる、請求項１４に記載の表示装置。
【請求項１６】
前記少なくとも一つの第７音響発生装置および前記少なくとも一つの第８音響発生装置の一つ以上の下側に配置された少なくとも一つのウーファーをさらに含む、請求項１４に記載の表示装置。
【請求項１７】
前記少なくとも一つの第７音響発生装置および前記少なくとも一つの第８音響発生装置中の一つ以上が、ウーファーを含む音響発生装置である、請求項１４に記載の表示装置。
【請求項１８】
前記少なくとも一つの第１４音響発生装置および前記少なくとも一つの第１５音響発生装置中の一つ以上が、ウーファーを含む音響発生装置である、請求項１４に記載の表示装置。
【請求項１９】
前記少なくとも一つの第１音響発生装置および前記少なくとも一つの第２音響発生装置中の一つ以上が、ウーファーを含む音響発生装置である、請求項１４に記載の表示装置。
【請求項２０】
前記少なくとも一つの第１０音響発生装置および前記少なくとも一つの第１１音響発生装置中の一つ以上が、ウーファーを含む音響発生装置である、請求項１４に記載の表示装置。
【請求項２１】
前記少なくとも一つの第１音響発生装置〜少なくとも一つの第１５音響発生装置中の一つ以上が、
ヨーク上に配置されるマグネット、
前記マグネットの周囲にあるボビン、
前記ボビンの周囲にあるコイル、
前記ヨークの外側にあるフレーム、および
前記フレームと前記ボビンの間にあるダンパーを含む、請求項１４に記載の表示装置。
【請求項２２】
前記ダンパーが、前記少なくとも一つの第１音響発生装置〜少なくとも一つの第１５音響発生装置の一つ以上に音響信号を印加する配線である、請求項２１に記載の表示装置。
【請求項２３】
前記少なくとも一つの第１音響発生装置〜少なくとも一つの第１５音響発生装置中の一つ以上が前記ヨークの延長部に配置される結合部材をさらに含み、
前記少なくとも一つの第１音響発生装置〜少なくとも一つの第１５音響発生装置中の一つ以上が、前記結合部材によって表示パネル内に配置される、請求項２１に記載の表示装置。
【請求項２４】
前記少なくとも一つの第１音響発生装置〜少なくとも一つの第１５音響発生装置中の一つ以上が前記フレームの延長部に配置される結合部材をさらに含み、
前記少なくとも一つの第１音響発生装置〜少なくとも一つの第１５音響発生装置中の一つ以上が、前記結合部材によって表示パネル内に配置される、請求項２１に記載の表示装置。
【請求項２５】
前記少なくとも一つの第１音響発生装置〜少なくとも一つの第１５音響発生装置中の一つ以上が前記フレームまたはヨークに連結している連結部をさらに含む、請求項２１に記載の表示装置。
【請求項２６】
前記少なくとも一つの第１音響発生装置〜少なくとも一つの第１５音響発生装置中の一つ以上が、
ヨーク上に配置されるマグネット、
前記マグネットの周囲にあるボビン、および
前記ボビンの周囲にあるコイルおよびダンパーを含む、請求項１４に記載の表示装置。
【請求項２７】
前記少なくとも一つの第１音響発生装置〜少なくとも一つの第１５音響発生装置中の一つ以上が、一対の音響発生装置、楕円形の音響発生装置、円形の音響発生装置、シングルタイプの音響発生装置、および２アレイ以上の音響発生装置中の一つ以上を含む、請求項１４に記載の表示装置。
【請求項２８】
前記少なくとも一つの第１音響発生装置〜少なくとも一つの第１５音響発生装置中の一つ以上が、フィルム型音響発生装置を含み、前記フィルム型音響発生装置は、圧電特性を有する第１部分および前記第１部分との間に配置され、フレキシビリティを有する第２部分を含む、請求項１４に記載の表示装置。
【請求項２９】
映像を表示し、第１領域、第２領域、第３領域、第４領域、および第５領域を含む表示パネル、
前記表示パネルの背面の左側領域に配置され、前記第１領域および前記第４領域に配置される少なくとも一つの第１音響発生装置および少なくとも一つの第４音響発生装置、
前記表示パネルの背面の右側領域に配置され、前記第２領域および前記第５領域に配置される少なくとも一つの第２音響発生装置および少なくとも一つの第５音響発生装置、
前記表示パネルの背面の中央領域に配置され、前記第３領域に配置される少なくとも一つの第３音響発生装置、および
前記少なくとも一つの第１音響発生装置、前記少なくとも一つの第２音響発生装置、および前記少なくとも一つの第３音響発生装置と、前記少なくとも一つの第４音響発生装置および前記少なくとも一つの第５音響発生装置の音響を分離する第１パーティションを含む、表示装置。
【請求項３０】
前記第１パーティションの少なくとも一つの辺に配置され、前記少なくとも一つの第１音響発生装置、前記少なくとも一つの第２音響発生装置、前記少なくとも一つの第３音響発生装置、前記少なくとも一つの第４音響発生装置、および前記少なくとも一つの第５音響発生装置の一つ以上に向かう少なくとも一つのパッドおよび、少なくとも一つのベント部中の一つ以上をさらに含む、請求項２９に記載の表示装置。
【請求項３１】
前記少なくとも一つの第１音響発生装置、前記少なくとも一つの第２音響発生装置、および前記少なくとも一つの第３音響発生装置の下側に配置される第２パーティション、および
前記第２パーティションの少なくとも一つの辺に配置され、前記少なくとも一つの第１音響発生装置、前記少なくとも一つの第２音響発生装置、前記少なくとも一つの第３音響発生装置の一つ以上に向かう少なくとも一つのパッドおよび、少なくとも一つのベント部中の一つをさらに含む、請求項２９に記載の表示装置。
【請求項３２】
前記表示パネルの背面に配置される支持部材、
前記支持部材および前記表示パネルとの間に配置されるパーティション、および
前記のパーティションの少なくとも一つの辺に配置され、前記少なくとも一つの第１音響発生装置、前記少なくとも一つの第２音響発生装置、前記少なくとも一つの第３音響発生装置、前記少なくとも一つの第４音響発生装置、および前記少なくとも一つの第５音響発生装置の一つ以上に向かう少なくとも一つのパッドおよび、少なくとも一つのベント部中の一つ以上をさらに含む、請求項２９に記載の表示装置。
【請求項３３】
前記第１領域および前記第４領域と、前記第３領域の間にある第４パーティション、
前記第２領域および前記第５領域と、前記第３領域の間にある第５パーティション、および
前記第４パーティションおよび前記第５パーティション中の一つの少なくとも一つの辺に配置され、前記少なくとも一つの第１音響発生装置、前記少なくとも一つの第２音響発生装置、前記少なくとも一つの第３音響発生装置、前記少なくとも一つの第４音響発生装置、および前記少なくとも一つの第５音響発生装置の一つ以上に向かう少なくとも一つのパッドをさらに含む、請求項２９に記載の表示装置。
【請求項３４】
前記第４領域と前記第５領域との間にある第６領域に配置される少なくとも一つの第６音響発生装置、
前記第１領域の下側にある第７領域に配置される少なくとも一つの第７音響発生装置、
前記第２領域の下側にある第８領域に配置される少なくとも一つの第８音響発生装置、
前記第７領域と第８領域の間にある第９領域に配置される少なくとも一つの第９音響発生装置、
前記第１領域と前記第３領域の間にある第１０領域に配置される少なくとも一つの第１０音響発生装置、
前記第２領域と前記第３領域の間にある第１１領域に配置される少なくとも一つの第１１音響発生装置、および
前記少なくとも一つの第１音響発生装置、前記少なくとも一つの第２音響発生装置、前記少なくとも一つの第３音響発生装置、前記少なくとも一つの第１０音響発生装置、および前記少なくとも一つの第１１音響発生装置と、前記少なくとも一つの第７音響発生装置、前記少なくとも一つの第８音響発生装置、および前記少なくとも一つの第９音響発生装置の音響を分離する第２パーティションをさらに含む、請求項２９に記載の表示装置
【請求項３５】
前記第２パーティションの少なくとも一つの辺に配置され、前記少なくとも一つの第１音響発生装置、前記少なくとも一つの第２音響発生装置、前記少なくとも一つの第３音響発生装置、前記少なくとも一つの第７音響発生装置、前記少なくとも一つの第８音響発生装置、前記少なくとも一つの第９音響発生装置、前記少なくとも一つの第１０音響発生装置、および前記少なくとも一つの第１１音響発生装置の一つ以上に向かう少なくとも一つのパッド、および少なくとも一つのベント部中の一つ以上をさらに含む、請求項３４に記載の表示装置。
【請求項３６】
前記少なくとも一つの第７音響発生装置、前記少なくとも一つの第８音響発生装置、および前記少なくとも一つの第９音響発生装置の下側に配置される第３パーティション、および
前記第３パーティションの少なくとも一つの辺に配置され、前記少なくとも一つの第７音響発生装置、前記少なくとも一つの第８音響発生装置、前記少なくとも一つの第９音響発生装置の一つ以上に向かう少なくとも一つのパッド、および少なくとも一つのベント部中の一つ以上をさらに含む、請求項３４に記載の表示装置。
【請求項３７】
前記表示パネルの背面に配置される支持部材、
前記支持部材および前記表示パネルとの間に配置されるパーティション、および
前記のパーティションの少なくとも一つの辺に配置され、前記少なくとも一つの第４音響発生装置、前記少なくとも一つの第５音響発生装置、前記少なくとも一つの第６音響発生装置、前記少なくとも一つの第７音響発生装置、前記少なくとも一つの第８音響発生装置、および前記少なくとも一つの第９音響発生装置の一つ以上に向かう少なくとも一つのパッドおよび、少なくとも一つのベント部中の一つ以上をさらに含む、請求項３４に記載の表示装置。
【請求項３８】
前記第３領域、第６領域、および前記第９領域と、前記第１０領域との間にある第４パーティション、
前記第３領域、第６領域、および前記第９領域と、前記第１１領域との間にある第５パーティション、
前記第１領域、第４領域、および前記第７領域と、前記第１０領域との間にある第６パーティション、
前記第２領域、第５領域、および前記第８領域と、前記第１１領域との間にある第７パーティション、および
前記第４パーティション〜第７パーティション中の一つの少なくとも一つの辺に配置され、前記少なくとも一つの第１音響発生装置〜前記少なくとも一つの第１１音響発生装置に向かう少なくとも一つのパッドをさらに含む、請求項３４に記載の表示装置。
【請求項３９】
前記第４領域と前記第６領域の間にある第１２領域に配置される少なくとも一つの第１２音響発生装置、
前記第５領域と前記第６領域の間にある第１３領域に配置される少なくとも一つの第１３音響発生装置、
前記第７領域および第９領域の間にある第１４領域に配置される少なくとも一つの第１４音響発生装置、および
前記第８領域と前記第９領域の間にある第１５領域に配置される少なくとも一つの第１５音響発生装置をさらに含む、前記第２パーティションは前記少なくとも一つの第１音響発生装置、前記少なくとも一つの第２音響発生装置、前記少なくとも一つの第３音響発生装置、前記少なくとも一つの第１０音響発生装置、および前記少なくとも一つの第１１音響発生装置と、前記少なくとも一つの第７音響発生装置、前記少なくとも一つの第８音響発生装置、前記少なくとも一つの第９音響発生装置、前記少なくとも一つの第１４音響発生装置、および前記少なくとも一つの第１５音響発生装置の音響を分離する、請求項３４に記載の表示装置。
【請求項４０】
前記第２パーティションの少なくとも一つの辺に配置され、前記少なくとも一つの第１音響発生装置、前記少なくとも一つの第２音響発生装置、前記少なくとも一つの第３音響発生装置、前記少なくとも一つの第７音響発生装置、前記少なくとも一つの第８音響発生装置、前記少なくとも一つの第９音響発生装置、前記少なくとも一つの第１０音響発生装置、前記少なくとも一つの第１１音響発生装置、前記少なくとも一つの第１４音響発生装置、および前記少なくとも一つの第１５音響発生装置の一つ以上に向かう少なくとも一つのパッドおよび、少なくとも一つのベント部中の一つ以上をさらに含む、請求項３９に記載の表示装置。
【請求項４１】
前記少なくとも一つの第７音響発生装置、前記少なくとも一つの第８音響発生装置、前記少なくとも一つの第９音響発生装置、前記少なくとも一つの第１４音響発生装置、および前記少なくとも一つの第１５音響発生装置の下側に配置される第３パーティション、および
前記第３パーティションの少なくとも一つの辺に配置され、前記少なくとも一つの第７音響発生装置、前記少なくとも一つの第８音響発生装置、前記少なくとも一つの第９音響発生装置、前記少なくとも一つの第１４音響発生装置、および前記少なくとも一つの第１５音響発生装置の一つ以上に向かう少なくとも一つのパッドおよび、少なくとも一つのベント部中の一つ以上をさらに含む、請求項３９に記載の表示装置。
【請求項４２】
前記表示パネルの背面に配置される支持部材、
前記支持部材および前記表示パネルとの間に配置されるパーティション、および
前記のパーティションの少なくとも一つの辺に配置され、前記少なくとも一つの第４音響発生装置、前記少なくとも一つの第５音響発生装置、前記少なくとも一つの第６音響発生装置、前記少なくとも一つの第７音響発生装置、前記少なくとも一つの第８音響発生装置、前記少なくとも一つの第９音響発生装置、前記少なくとも一つの第１２音響発生装置、前記少なくとも一つの第１３音響発生装置、前記少なくとも一つの第１４音響発生装置、および前記少なくとも一つの第１５音響発生装置の一つ以上に向かう少なくとも一つのパッドおよび、少なくとも一つのベント部中の一つ以上をさらに含む、請求項３９に記載の表示装置。
【請求項４３】
前記第３領域、第６領域、および前記第９領域と、前記第１０領域、前記第１２領域、および前記第１４領域との間にある第４パーティション、
前記第３領域、第６領域、および前記第９領域と、前記第１１領域、前記第１３領域、および前記第１５領域との間にある第５パーティション、
前記第１領域、第４領域、および前記第７領域と、前記第１０領域、前記第１２領域、および前記第１４領域との間にある第６パーティション、
前記第２領域、第５領域、および前記第８領域と、前記第１１領域、前記第１３領域、および前記第１５領域との間にある第７パーティション、および
前記第４パーティション〜第７パーティション中の一つの少なくとも一つ以上の辺に配置され、前記少なくとも一つの第１音響発生装置〜前記少なくとも一つの第１５音響発生装置の一つ以上に向かう少なくとも一つのパッドをさらに含む、請求項３９に記載の表示装置。
【請求項４４】
前記少なくとも一つの第１音響発生装置〜前記少なくとも一つの第１５音響発生装置は、８０Ｈｚ〜４０ｋＨｚの音響を出力する、請求項３９に記載の表示装置。
【請求項４５】
前記少なくとも一つの第１音響発生装置〜前記少なくとも一つの第１５音響発生装置中の少なくとも一つ以上は、ウーファーを含む音響発生装置である、請求項３９に記載の表示装置。
【請求項４６】
前記ウーファーを含む一つ以上の音響発生装置は、６０Ｈｚ〜４０ｋＨｚの音を出力する、請求項４５に記載の表示装置。
【請求項４７】
前記少なくとも一つの第７音響発生装置、前記少なくとも一つの第８音響発生装置、前記少なくとも一つの第９音響発生装置、前記少なくとも一つの第１４音響発生装置、および前記少なくとも一つの第１５音響発生装置中の少なくとも一つ以上の下側に配置されるウーファーをさらに含む、請求項３９に記載の表示装置。
【請求項４８】
前記ウーファーは、８０Ｈｚ以下の音響を出力する、請求項４７に記載の表示装置。
【発明の詳細な説明】
【技術分野】
【０００１】
本明細書は、表示装置に関するものである。
【背景技術】
【０００２】
最近、情報化時代になるにつれて電気的情報信号を視覚的に表現するディスプレイ（ｄｉｓｐｌａｙ）分野が急速に発展してきた。そのため薄型化、軽量化、低消費電力化に優れた性能を有したさまざまな表示装置（Ｄｉｓｐｌａｙ  Ａｐｐａｒａｔｕｓ）が開発されている。
【０００３】
例えば、表示装置は、液晶表示装置、電界放出表示装置、および有機発光表示装置などに分類することができる。
【０００４】
これらの表示装置の中で、液晶表示装置は、薄膜トランジスタを含むアレイ基板と、カラーフィルタおよび／またはブラックマトリックスなどを備えた上部基板と、アレイ基板と上部基板との間に液晶層を含んで構成される。画素領域にある二つの電極間に印加される電界によって液晶層の配列状態が調節され、配列状態によって光の透過度が調節されて画像が表示される装置である。
【０００５】
また、有機発光表示装置は、自発光素子であって、低消費電力で応答速度が速く、発光効率、輝度および視野角が大きいという長所がある。
【発明の概要】
【発明が解決しようとする課題】
【０００６】
表示装置は、表示パネル上に画像を表示し、音を提供するために、一般的に別個のスピーカーを設置しなければならない。表示装置にスピーカーを設置する場合、スピーカーから発生した音は、画像が表示される表示パネルの前面ではなく、表示パネルの背面または、表示パネルの下部に、例えば表示パネルに表示される画像を視聴する視聴者の方向に進行しないので、これは視聴者の没入を妨げることになる。
【０００７】
また、スピーカーから発生した音は、表示パネルの背面または、表示パネルの下部に進行するので、壁や床からの反射音との干渉によって音質が落ちるようになる。
【０００８】
また、ＴＶ、ラップトップコンピュータ、またはコンピュータのモニターなどのセット機器にスピーカーを含む場合、スピーカーが、空間を占めるようになるのでセット装置の設計および空間配置に制約が伴うという問題が発生する。
【０００９】
そこで、本明細書の発明者らは、前記した問題点を認識し、表示パネルの前面から映像を視聴時の音の進行方向が表示パネルの前面になり得、音の音質が向上し得る複数の実験をすることになった。複数の実験を通じて、音の進行方向が表示パネルの前面になるように音響を発生させることができ、音の音質を向上させることができる新しい構造の表示装置を発明した。
【００１０】
本明細書の実施例に係る課題は、音の進行方向が表示パネルの前面になるように音響を発生させることができる音響発生装置を含む表示装置を提供することである。
【００１１】
本明細書の実施例に係る課題は、立体音響を実現できる新しい構造の音響発生装置を含む表示装置を提供することである。
【００１２】
本明細書の実施例に係る課題は、以上で言及した課題に限定されず、言及していないまた他の課題は、下の記載から当業者に明確に理解されるだろう。
【課題を解決するための手段】
【００１３】
本明細書の実施例に係る表示装置は、映像を表示し、第１領域、第２領域、第３領域、第４領域、および第５領域を含む表示パネルを含む。表示パネルの背面の左側領域に配置され、第１領域および第４領域に配置される少なくとも一つの第１音響発生装置および少なくとも一つの第４音響発生装置を含む。表示パネルの背面の右側領域に配置され、第２領域および第５領域に配置される少なくとも一つの第２音響発生装置および少なくとも一つの第５音響発生装置を含む。表示パネルの背面の中央領域に配置され、第３領域に配置される少なくとも一つの第３音響発生装置を含む。少なくとも一つの第１音響発生装置、少なくとも一つの第２音響発生装置、および少なくとも一つの第３音響発生装置は、表示パネルを振動させて音響を発生させ、少なくとも一つの第４音響発生装置および少なくとも一つの第５音響発生装置は、表示パネルを振動させて表示パネルの上側にまたは前記表示パネルから上向きに音響を発生させる。
【００１４】
本明細書の実施例に係る表示装置は、映像を表示し、第１領域、第２領域、第３領域、第４領域、および第５領域を含む表示パネルを含む。表示パネルの背面の左側領域に配置され、第１領域および第４領域に配置される少なくとも一つの第１音響発生装置および少なくとも一つの第４音響発生装置を含む。表示パネルの背面の右側領域に配置され、第２領域および第５領域に配置される少なくとも一つの第２音響発生装置および少なくとも一つの第５音響発生装置を含む。表示パネルの背面の中央領域に配置され、第３領域に配置される少なくとも一つの第３音響発生装置を含む。少なくとも一つの第１音響発生装置、少なくとも一つの第２音響発生装置、および少なくとも一つの第３音響発生装置と、少なくとも一つの第４音響発生装置および少なくとも一つの第５音響発生装置の音響を分離する第１パーティションを含む。
【００１５】
その他の実施例の具体的な事項は、詳細な説明および図に含まれている。
【発明の効果】
【００１６】
本明細書の実施例に係る表示装置は、表示パネルを振動させて音響を発生させる音響発生装置を構成することにより、表示装置の音の進行方向が表示パネルの前面になるように音響を発生させることができる。したがって、表示装置の映像を視聴する視聴者の没入感を向上させることができる。
【００１７】
本明細書の実施例に係る表示装置は、表示パネル内に音響発生装置を構成することにより、スリム化が可能であり、音響が向上し得る音響発生装置を実現することができる。
【００１８】
本明細書の実施例に係る表示装置は、複数の音響発生装置を構成することにより、左右および上下への立体音響を有する表示装置を実現することができる。
【００１９】
本明細書の効果は、以上で言及した効果に制限されず、言及されていない他の効果は下記の記載から当業者に明確に理解されるであろう。
【００２０】
以上で解決しようとする課題、課題解決手段、効果に記載した発明の内容が、請求項の本質的な特徴を特定するものではなく、請求項の権利範囲は、発明の内容に記載された事項によって制限されない。
【図面の簡単な説明】
【００２１】
【図１Ａ】図１Ａは、本明細書の実施例に係る音響発生装置を含む表示装置を示す図である。
【図１Ｂ】図１Ｂは、図１Ａの切断線Ｉ−Ｉ’に沿って切断した断面図である。
【図２Ａ】図２Ａは、本明細書の実施例に係る音響発生装置の断面図である。
【図２Ｂ】図２Ｂは、本明細書の実施例に係る音響発生装置の断面図である。
【図３Ａ】図３Ａは、本明細書の実施例の第１構造による音響発生装置の音響を発生させる内容を説明する図である。
【図３Ｂ】図３Ｂは、本明細書の実施例の第１構造による音響発生装置の音響を発生させる内容を説明する図である。
【図４Ａ】図４Ａは、本明細書の実施例の第２構造による音響発生装置の音響を発生させる内容を説明する図である。
【図４Ｂ】図４Ｂは、本明細書の実施例の第２構造による音響発生装置の音響を発生させる内容を説明する図である。
【図５】図５は、本明細書の実施例に係る音響発生装置を含む表示装置を示す図である。
【図６】図６は、本明細書の他の実施例に係る音響発生装置を含む表示装置を示す図である。
【図７】図７は、本明細書の他の実施例に係る音響発生装置を含む表示装置を示す図である。
【図８】図８は、本明細書の他の実施例に係る音響発生装置を含む表示装置を示す図である。
【図９】図９は、本明細書の他の実施例に係る音響発生装置を含む表示装置を示す図である。
【図１０Ａ】図１０Ａは、本明細書の他の実施例に係る音響発生装置を示す図である。
【図１０Ｂ】図１０Ｂは、本明細書の他の実施例に係る音響発生装置を示す図である。
【図１０Ｃ】図１０Ｃは、本明細書の他の実施例に係る音響発生装置を示す図である。
【図１０Ｄ】図１０Ｄは、本明細書の他の実施例に係る音響発生装置を示す図である。
【図１１Ａ】図１１Ａは、本明細書の他の実施例に係る音響発生装置を示す図である。
【図１１Ｂ】図１１Ｂは、本明細書の他の実施例に係る音響発生装置を示す図である。
【図１２Ａ】図１２Ａは、本明細書の他の実施例に係る音響発生装置を含む表示装置を示す図である。
【図１２Ｂ】図１２Ｂは、本明細書の他の実施例に係る音響発生装置を含む表示装置を示す図である。
【図１３】図１３は、本明細書の他の実施例に係る音響発生装置を含む表示装置を示す図である。
【図１４Ａ】図１４Ａは、本明細書の他の実施例に係る音響発生装置を示す図である。
【図１４Ｂ】図１４Ｂは、本明細書の他の実施例に係る音響発生装置を示す図である。
【図１５Ａ】図１５Ａは、本明細書の実施例に係る音響発生装置と、パーティションの例を示す図である。
【図１５Ｂ】図１５Ｂは、本明細書の実施例に係る音響発生装置と、パーティションの例を示す図である。
【図１５Ｃ】図１５Ｃは、本明細書の実施例に係る音響発生装置と、パーティションの例を示す図である。
【図１５Ｄ】図１５Ｄは、本明細書の実施例に係る音響発生装置と、パーティションの例を示す図である。
【図１５Ｅ】図１５Ｅは、本明細書の実施例に係る音響発生装置と、パーティションの例を示す図である。
【図１５Ｆ】図１５Ｆは、本明細書の実施例に係る音響発生装置と、パーティションの例を示す図である。
【図１５Ｇ】図１５Ｇは、本明細書の実施例に係る音響発生装置と、パーティションの例を示す図である。
【図１５Ｈ】図１５Ｈは、本明細書の実施例に係る音響発生装置と、パーティションの例を示す図である。
【図１５Ｉ】図１５Ｉは、本明細書の実施例に係る音響発生装置と、パーティションの例を示す図である。
【図１６Ａ】図１６Ａは、本明細書の実施例に係る音響発生装置と、パーティションの例を示す図である。
【図１６Ｂ】図１６Ｂは、本明細書の実施例に係る音響発生装置と、パーティションの例を示す図である。
【図１６Ｃ】図１６Ｃは、本明細書の実施例に係る音響発生装置と、パーティションの例を示す図である。
【図１６Ｄ】図１６Ｄは、本明細書の実施例に係る音響発生装置と、パーティションの例を示す図である。
【図１６Ｅ】図１６Ｅは、本明細書の実施例に係る音響発生装置と、パーティションの例を示す図である。
【図１６Ｆ】図１６Ｆは、本明細書の実施例に係る音響発生装置と、パーティションの例を示す図である。
【図１６Ｇ】図１６Ｇは、本明細書の実施例に係る音響発生装置と、パーティションの例を示す図である。
【図１６Ｈ】図１６Ｈは、本明細書の実施例に係る音響発生装置と、パーティションの例を示す図である。
【図１６Ｉ】図１６Ｉは、本明細書の実施例に係る音響発生装置と、パーティションの例を示す図である。
【図１７Ａ】図１７Ａは、本明細書の実施例に係る音響発生装置と、パーティションの例を示す図である。
【図１７Ｂ】図１７Ｂは、本明細書の実施例に係る音響発生装置と、パーティションの例を示す図である。
【図１７Ｃ】図１７Ｃは、本明細書の実施例に係る音響発生装置と、パーティションの例を示す図である。
【図１７Ｄ】図１７Ｄは、本明細書の実施例に係る音響発生装置と、パーティションの例を示す図である。
【図１７Ｅ】図１７Ｅは、本明細書の実施例に係る音響発生装置と、パーティションの例を示す図である。
【図１７Ｆ】図１７Ｆは、本明細書の実施例に係る音響発生装置と、パーティションの例を示す図である。
【図１７Ｇ】図１７Ｇは、本明細書の実施例に係る音響発生装置と、パーティションの例を示す図である。
【図１７Ｈ】図１７Ｈは、本明細書の実施例に係る音響発生装置と、パーティションの例を示す図である。
【図１７Ｉ】図１７Ｉは、本明細書の実施例に係る音響発生装置と、パーティションの例を示す図である。
【図１８Ａ】図１８Ａは、本明細書の実施例に係る音響発生装置と、パーティションの例を示す図である。
【図１８Ｂ】図１８Ｂは、本明細書の実施例に係る音響発生装置と、パーティションの例を示す図である。
【図１８Ｃ】図１８Ｃは、本明細書の実施例に係る音響発生装置と、パーティションの例を示す図である。
【図１８Ｄ】図１８Ｄは、本明細書の実施例に係る音響発生装置と、パーティションの例を示す図である。
【図１８Ｅ】図１８Ｅは、本明細書の実施例に係る音響発生装置と、パーティションの例を示す図である。
【図１８Ｆ】図１８Ｆは、本明細書の実施例に係る音響発生装置と、パーティションの例を示す図である。
【図１８Ｇ】図１８Ｇは、本明細書の実施例に係る音響発生装置と、パーティションの例を示す図である。
【図１８Ｈ】図１８Ｈは、本明細書の実施例に係る音響発生装置と、パーティションの例を示す図である。
【図１８Ｉ】図１８Ｉは、本明細書の実施例に係る音響発生装置と、パーティションの例を示す図である。
【図１９Ａ】図１９Ａは、本明細書の実施例に係る音響発生装置と、パーティションの例を示す図である。
【図１９Ｂ】図１９Ｂは、本明細書の実施例に係る音響発生装置と、パーティションの例を示す図である。
【図１９Ｃ】図１９Ｃは、本明細書の実施例に係る音響発生装置と、パーティションの例を示す図である。
【図１９Ｄ】図１９Ｄは、本明細書の実施例に係る音響発生装置と、パーティションの例を示す図である。
【図１９Ｅ】図１９Ｅは、本明細書の実施例に係る音響発生装置と、パーティションの例を示す図である。
【図１９Ｆ】図１９Ｆは、本明細書の実施例に係る音響発生装置と、パーティションの例を示す図である。
【図１９Ｇ】図１９Ｇは、本明細書の実施例に係る音響発生装置と、パーティションの例を示す図である。
【図１９Ｈ】図１９Ｈは、本明細書の実施例に係る音響発生装置と、パーティションの例を示す図である。
【図１９Ｉ】図１９Ｉは、本明細書の実施例に係る音響発生装置と、パーティションの例を示す図である。
【図２０Ａ】図２０Ａは、本明細書の実施例に係る音響発生装置と、パーティションの例を示す図である。
【図２０Ｂ】図２０Ｂは、本明細書の実施例に係る音響発生装置と、パーティションの例を示す図である。
【図２０Ｃ】図２０Ｃは、本明細書の実施例に係る音響発生装置と、パーティションの例を示す図である。
【図２０Ｄ】図２０Ｄは、本明細書の実施例に係る音響発生装置と、パーティションの例を示す図である。
【図２０Ｅ】図２０Ｅは、本明細書の実施例に係る音響発生装置と、パーティションの例を示す図である。
【図２０Ｆ】図２０Ｆは、本明細書の実施例に係る音響発生装置と、パーティションの例を示す図である。
【図２０Ｇ】図２０Ｇは、本明細書の実施例に係る音響発生装置と、パーティションの例を示す図である。
【図２０Ｈ】図２０Ｈは、本明細書の実施例に係る音響発生装置と、パーティションの例を示す図である。
【図２０Ｉ】図２０Ｉは、本明細書の実施例に係る音響発生装置と、パーティションの例を示す図である。
【図２１Ａ】図２１Ａは、本明細書の実施例に係る音響発生装置と、パーティションの例を示す図である。
【図２１Ｂ】図２１Ｂは、本明細書の実施例に係る音響発生装置と、パーティションの例を示す図である。
【図２１Ｃ】図２１Ｃは、本明細書の実施例に係る音響発生装置と、パーティションの例を示す図である。
【図２１Ｄ】図２１Ｄは、本明細書の実施例に係る音響発生装置と、パーティションの例を示す図である。
【図２１Ｅ】図２１Ｅは、本明細書の実施例に係る音響発生装置と、パーティションの例を示す図である。
【図２１Ｆ】図２１Ｆは、本明細書の実施例に係る音響発生装置と、パーティションの例を示す図である。
【図２１Ｇ】図２１Ｇは、本明細書の実施例に係る音響発生装置と、パーティションの例を示す図である。
【図２１Ｈ】図２１Ｈは、本明細書の実施例に係る音響発生装置と、パーティションの例を示す図である。
【図２１Ｉ】図２１Ｉは、本明細書の実施例に係る音響発生装置と、パーティションの例を示す図である。
【図２２Ａ】図２２Ａは、本明細書の実施例に係る音響発生装置と、パーティションの例を示す図である。
【図２２Ｂ】図２２Ｂは、本明細書の実施例に係る音響発生装置と、パーティションの例を示す図である。
【図２２Ｃ】図２２Ｃは、本明細書の実施例に係る音響発生装置と、パーティションの例を示す図である。
【図２２Ｄ】図２２Ｄは、本明細書の実施例に係る音響発生装置と、パーティションの例を示す図である。
【図２２Ｅ】図２２Ｅは、本明細書の実施例に係る音響発生装置と、パーティションの例を示す図である。
【図２２Ｆ】図２２Ｆは、本明細書の実施例に係る音響発生装置と、パーティションの例を示す図である。
【図２２Ｇ】図２２Ｇは、本明細書の実施例に係る音響発生装置と、パーティションの例を示す図である。
【図２２Ｈ】図２２Ｈは、本明細書の実施例に係る音響発生装置と、パーティションの例を示す図である。
【図２２Ｉ】図２２Ｉは、本明細書の実施例に係る音響発生装置と、パーティションの例を示す図である。
【図２３Ａ】図２３Ａは、本明細書の実施例に係る音響発生装置と、パーティションの例を示す図である。
【図２３Ｂ】図２３Ｂは、本明細書の実施例に係る音響発生装置と、パーティションの例を示す図である。
【図２３Ｃ】図２３Ｃは、本明細書の実施例に係る音響発生装置と、パーティションの例を示す図である。
【図２３Ｄ】図２３Ｄは、本明細書の実施例に係る音響発生装置と、パーティションの例を示す図である。
【図２３Ｅ】図２３Ｅは、本明細書の実施例に係る音響発生装置と、パーティションの例を示す図である。
【図２３Ｆ】図２３Ｆは、本明細書の実施例に係る音響発生装置と、パーティションの例を示す図である。
【図２３Ｇ】図２３Ｇは、本明細書の実施例に係る音響発生装置と、パーティションの例を示す図である。
【図２３Ｈ】図２３Ｈは、本明細書の実施例に係る音響発生装置と、パーティションの例を示す図である。
【図２３Ｉ】図２３Ｉは、本明細書の実施例に係る音響発生装置と、パーティションの例を示す図である。
【図２４Ａ】図２４Ａは、本明細書の実施例に係る音響発生装置と、パーティションの例を示す図である。
【図２４Ｂ】図２４Ｂは、本明細書の実施例に係る音響発生装置と、パーティションの例を示す図である。
【図２４Ｃ】図２４Ｃは、本明細書の実施例に係る音響発生装置と、パーティションの例を示す図である。
【図２４Ｄ】図２４Ｄは、本明細書の実施例に係る音響発生装置と、パーティションの例を示す図である。
【図２４Ｅ】図２４Ｅは、本明細書の実施例に係る音響発生装置と、パーティションの例を示す図である。
【図２４Ｆ】図２４Ｆは、本明細書の実施例に係る音響発生装置と、パーティションの例を示す図である。
【図２４Ｇ】図２４Ｇは、本明細書の実施例に係る音響発生装置と、パーティションの例を示す図である。
【図２４Ｈ】図２４Ｈは、本明細書の実施例に係る音響発生装置と、パーティションの例を示す図である。
【図２４Ｉ】図２４Ｉは、本明細書の実施例に係る音響発生装置と、パーティションの例を示す図である。
【図２５Ａ】図２５Ａは、本明細書の実施例に係る音響発生装置と、パーティションの例を示す図である。
【図２５Ｂ】図２５Ｂは、本明細書の実施例に係る音響発生装置と、パーティションの例を示す図である。
【図２５Ｃ】図２５Ｃは、本明細書の実施例に係る音響発生装置と、パーティションの例を示す図である。
【図２５Ｄ】図２５Ｄは、本明細書の実施例に係る音響発生装置と、パーティションの例を示す図である。
【図２５Ｅ】図２５Ｅは、本明細書の実施例に係る音響発生装置と、パーティションの例を示す図である。
【図２５Ｆ】図２５Ｆは、本明細書の実施例に係る音響発生装置と、パーティションの例を示す図である。
【図２５Ｇ】図２５Ｇは、本明細書の実施例に係る音響発生装置と、パーティションの例を示す図である。
【図２５Ｈ】図２５Ｈは、本明細書の実施例に係る音響発生装置と、パーティションの例を示す図である。
【図２５Ｉ】図２５Ｉは、本明細書の実施例に係る音響発生装置と、パーティションの例を示す図である。
【図２６Ａ】図２６Ａは、本明細書の実施例に係る音響発生装置と、パーティションの例を示す図である。
【図２６Ｂ】図２６Ｂは、本明細書の実施例に係る音響発生装置と、パーティションの例を示す図である。
【図２６Ｃ】図２６Ｃは、本明細書の実施例に係る音響発生装置と、パーティションの例を示す図である。
【図２６Ｄ】図２６Ｄは、本明細書の実施例に係る音響発生装置と、パーティションの例を示す図である。
【図２６Ｅ】図２６Ｅは、本明細書の実施例に係る音響発生装置と、パーティションの例を示す図である。
【図２６Ｆ】図２６Ｆは、本明細書の実施例に係る音響発生装置と、パーティションの例を示す図である。
【図２６Ｇ】図２６Ｇは、本明細書の実施例に係る音響発生装置と、パーティションの例を示す図である。
【図２６Ｈ】図２６Ｈは、本明細書の実施例に係る音響発生装置と、パーティションの例を示す図である。
【図２６Ｉ】図２６Ｉは、本明細書の実施例に係る音響発生装置と、パーティションの例を示す図である。
【図２７Ａ】図２７Ａは、本明細書の実施例に係る音響発生装置と、パーティションの例を示す図である。
【図２７Ｂ】図２７Ｂは、本明細書の実施例に係る音響発生装置と、パーティションの例を示す図である。
【図２７Ｃ】図２７Ｃは、本明細書の実施例に係る音響発生装置と、パーティションの例を示す図である。
【図２７Ｄ】図２７Ｄは、本明細書の実施例に係る音響発生装置と、パーティションの例を示す図である。
【図２７Ｅ】図２７Ｅは、本明細書の実施例に係る音響発生装置と、パーティションの例を示す図である。
【図２７Ｆ】図２７Ｆは、本明細書の実施例に係る音響発生装置と、パーティションの例を示す図である。
【図２７Ｇ】図２７Ｇは、本明細書の実施例に係る音響発生装置と、パーティションの例を示す図である。
【図２７Ｈ】図２７Ｈは、本明細書の実施例に係る音響発生装置と、パーティションの例を示す図である。
【図２７Ｉ】図２７Ｉは、本明細書の実施例に係る音響発生装置と、パーティションの例を示す図である。
【図２８】図２８は、本明細書の実施例に係る音響発生装置の音響出力システムを示す図である。
【発明を実施するための形態】
【００２２】
本明細書の利点と特徴、そしてそれらを達成する方法は、添付の図と共に詳細に後述されている実施例を参照すると明確になるだろう。しかし、本明細書は、以下で開示される実施例に限定されるものではなく、異なる多様な形態で実現されるものであり、単に本実施例は、本明細書の開示を完全にし、本明細書が属する技術分野で通常の知識を有する者に発明の範疇を完全に知らせるために提供されるものであり、本明細書は、請求項の範疇によってのみ定義される。
【００２３】
本明細書の実施例を説明するために図に開示した形状、大きさ、比率、角度、数などは例示的なものなので、本明細書は、図に示した事項に限定されるものではない。明細書全体にわたって同一参照符号は同一の構成要素を指す。また、本明細書を説明するにおいて、関連する公知技術に対する詳細な説明が本明細書の要旨を不必要に曖昧にすると判断された場合、その詳細な説明は省略する。本明細書で言及した「含む」、「有する」、「からなる」などが使用されている場合は、「〜だけ」が使用されていない限り、他の部分を追加し得る。構成要素を単数で表現した場合に特に明示的な記載事項がない限り、複数が含まれる場合を含む。
【００２４】
構成要素を解釈するに当たり、別途の明示的な記載がなくても誤差の範囲を含むものと解釈する。
【００２５】
位置関係の説明である場合、例えば、「上に」、「上部に」、「下部に」、「横に」など二つの部分の位置関係が説明されている場合、「すぐに」または「直接」が使用されていない限り、二つの部分の間に一つ以上の他の部分が位置することもできる。
【００２６】
時間の関係についての説明である場合、例えば、「後に」、「に続いて」、「次に」、「前に」などで時間的前後関係が説明されている場合、「すぐに」または「直接」が使用されていない以上、連続していない場合も含むことができる。
【００２７】
第１、第２などが多様な構成要素を記述するために使用されるが、これらの構成要素はこれらの用語によって制限されない。これらの用語は、ただ一つの構成要素を他の構成要素と区別するために使用されるものである。したがって、以下に記載されている第１構成要素は、本明細書の技術的思想内で第２構成要素であることもあり、同様に、第２構成要素も第１構成要素であり得る。
【００２８】
本明細書の構成要素を説明するにあたって、第１、第２、Ａ、Ｂ、（ａ）、（ｂ）などの用語を用いることができる。このような用語は、その構成要素を他の構成要素と区別するためのものであるだけで、その用語によって、その構成要素の本質、順序、順番または個数などが限定されない。ある構成要素が他の構成要素に「連結」、「結合」または「接続」と記載された場合、その構成要素は、その他の構成要素に直接連結するか、または接続することができるが、特に明示的な記載事項がない間接的に連結し、又は接続することができる各構成要素間に他の構成要素が「介在」することもあると理解されなければならない。
【００２９】
「少なくとも一つ」は、関連した構成要素の一つ以上のすべての組み合わせを含むものと理解されなければならない。例えば、「第１、第２、および第３構成要素の少なくとも一つ」の意味は、第１、第２、または第３構成要素だけではなく、第１、第２、および第３構成要素の二つ以上のすべての構成要素の組み合わせを含むとすることができる。
【００３０】
本明細書で「表示装置」は、表示パネルと表示パネルを駆動するための駆動部を含む液晶モジュール（Ｌｉｑｕｉｄ  Ｃｒｙｓｔａｌ  Ｍｏｄｕｌｅ；ＬＣＭ）、有機発光表示モジュール（ＯＬＥＤ  Ｍｏｄｕｌｅ）などの表示装置を含むことができる。そして、ＬＣＭ、ＯＬＥＤモジュールなどを含む完成品（ｃｏｍｐｌｅｔｅ  ｐｒｏｄｕｃｔまたはｆｉｎａｌ  ｐｒｏｄｕｃｔ）であるラップトップコンピュータ、テレビ、コンピュータモニタ、車両用または自動車用装置（ａｕｔｏｍｏｔｉｖｅ  ａｐｐａｒａｔｕｓ）または車両（ｖｅｈｉｃｌｅ）の他の形態などを含む電装装置（ｅｑｕｉｐｍｅｎｔ  ａｐｐａｒａｔｕｓ）、スマートフォンまたは電子パッドなどのモバイル電子機器（ｍｏｂｉｌｅ  ｅｌｅｃｔｒｏｎｉｃ  ａｐｐａｒａｔｕｓ）などのセットの電子装置（ｓｅｔ  ｅｌｅｃｔｒｏｎｉｃ  ａｐｐａｒａｔｕｓ）またはセット装置（ｓｅｔ  ｄｅｖｉｃｅまたはｓｅｔ  ａｐｐａｒａｔｕｓ）も含むことができる。
【００３１】
したがって、本明細書での表示装置は、ＬＣＭ、ＯＬＥＤモジュールなどのディスプレイ装置自体、およびＬＣＭ、ＯＬＥＤモジュールなどを含む応用製品またはエンドユーザーのための装置であるセット装置まで含むことができる。
【００３２】
また、いくつかの例では、表示パネルと駆動部などで構成されるＬＣＭ、ＯＬＥＤモジュールを「表示装置」と表現し、ＬＣＭ、ＯＬＥＤモジュールを含む完成品としての電子機器を「セット装置」として区別して表現することもできる。例えば、表示装置は、液晶（ＬＣＤ）または有機発光（ＯＬＥＤ）の表示パネルと、表示パネルを駆動するための制御部であるソースＰＣＢを含むことができる。セット装置は、ソースＰＣＢに電気的に接続してセット装置全体を駆動するセット制御部であるセットＰＣＢをさらに含むことができる。
【００３３】
本実施例に使用される表示パネルは、液晶表示パネル、有機電界発光（ＯＬＥＤ：Ｏｒｇａｎｉｃ  Ｌｉｇｈｔ  Ｅｍｉｔｔｉｎｇ  Ｄｉｏｄｅ）表示パネル、および電界発光表示パネル（ｅｌｅｃｔｒｏｌｕｍｉｎｅｓｃｅｎｔ  ｄｉｓｐｌａｙ  ｐａｎｅｌ）などのすべての形態の表示パネルを使用することができ、実施例に限定されるものではない。例えば、表示パネルは、本明細書の実施例に係る音響発生装置によって振動することにより音響を発生することのできる表示パネルであり得る。本明細書の実施例に係る表示装置に適用される表示パネルは、表示パネルの形態や大きさに限定されない。
【００３４】
例えば、表示パネルが液晶表示パネルである場合には、多数のゲートラインとデータライン、およびゲートラインとデータラインの交差領域に形成されるピクセル（Ｐｉｘｅｌ）を含むことができる。そして、各ピクセルでの光透過度を調節するためのスイッチング素子である薄膜トランジスタを含むアレイ基板と、カラーフィルタおよび／またはブラックマトリックスなどを備えた上部基板と、アレイ基板および上部基板との間に形成される液晶層を含んで構成することができる。
【００３５】
表示パネルが有機電界発光（ＯＬＥＤ）表示パネルである場合には、多数のゲートラインとデータライン、およびゲートラインとデータラインの交差領域に形成されるピクセル（Ｐｉｘｅｌ）を含むことができる。そして、各ピクセルに選択的に電圧を印加するための素子である薄膜トランジスタを含むアレイ基板と、アレイ基板上の有機発光素子（ＯＬＥＤ）の層、および有機発光素子層を覆うように、アレイ基板上に配置される封止基板またはカプセル化（Ｅｎｃａｐｓｕｌａｔｉｏｎ）基板などを含んで構成することができる。封止基板は、外部の衝撃から薄膜トランジスタおよび有機発光素子層などを保護し、有機発光素子層に水分や酸素が侵入することを防止することができる。そして、アレイ基板上に形成される層は、無機発光層（ｉｎｏｒｇａｎｉｃ  ｌｉｇｈｔ  ｅｍｉｔｔｉｎｇ  ｌａｙｅｒ）、例えば、ナノサイズの物質層（ｎａｎｏ−ｓｉｚｅｄ  ｍａｔｅｒｉａｌ  ｌａｙｅｒ）、および量子ドット（ｑｕａｎｔｕｍ  ｄｏｔ）発光層などを含むことができる。他の例としては、マイクロ発光ダイオードを含むことができる。
【００３６】
表示パネルは、表示パネルに付着する金属板（ｍｅｔａｌ  ｐｌａｔｅ）のような背面（ｂａｃｋｉｎｇ）をさらに含むことができる。他の構造、例えば、他の物質からなる異なる構造を含むこともできる。
【００３７】
本明細書のいくつかの実施例のそれぞれの特徴が部分的または全体的に互いに結合または組み合わせ可能で、技術的に多様な連動および駆動が可能であり、各実施例が互いに独立して実施可能であり得、連関の関係で一緒に実施することもできる。
【００３８】
以下、添付した図および実施例を介して本明細書の実施例を詳しく見ると、次の通りである。図に示した構成要素のスケールは、説明の便宜上のために、実際とは異なるスケールを有するので、図に示されたスケールに限定されない。
【００３９】
図１Ａは、本明細書の実施例に係る音響発生装置を含む表示装置を示す図である。図１Ａは、表示装置の正面を示したものである。
【００４０】
図１Ａを参照すると、表示装置１０は、映像を表示する表示パネル１００と音響発生装置２００を含むことができる。音響発生装置２００は、表示パネル１００を振動させて表示パネル１００の前方（ＦＤ）に音響（ＳＷ）を発生させることができる。音響発生装置２００は、表示パネル１００の背面に配置することができる。表示パネル１００の背面は、一面、第１面、背面、または下面などで表現することができ、用語に限定されるものではない。
【００４１】
表示パネル１００は、映像、例えば、電子映像（ｅｌｅｃｔｒｏｎｉｃ  ｉｍａｇｅ）またはデジタル映像（ｄｉｇｉｔａｌ  ｉｍａｇｅ）を表示するもので、液晶ディスプレイパネル（Ｌｉｑｕｉｄ  ｃｒｙｓｔａｌ  Ｄｉｓｐｌａｙ  Ｐａｎｅｌ）、有機電界発光（ＯＬＥＤ：Ｏｒｇａｎｉｃ  Ｌｉｇｈｔ  Ｅｍｉｔｔｉｎｇ  Ｄｉｏｄｅ）ディスプレイパネル（Ｄｉｓｐｌａｙ  Ｐａｎｅｌ）、および電界発光ディスプレイパネル（Ｅｌｅｃｔｒｏｌｕｍｉｎｅｓｃｅｎｔ  Ｄｉｓｐｌａｙ  Ｐａｎｅｌ）などのすべての形態のディスプレイパネルで実現することができる。表示パネル１００は、音響発生装置２００の振動によって振動して音響（ＳＷ）を表示パネル１００の前方（ＦＤ）に出力することができる。例えば、表示パネル１００は、映像を表示しながら音響発生装置２００の振動によって振動して音響（ＳＷ）を表示パネル１００の前方（ＦＤ）に出力することができる。また、表示パネル１００は、映像を表示することなく、音響発生装置２００の振動によって振動して音響（ＳＷ）を表示パネル１００の前方（ＦＤ）に出力することができる。したがって、表示パネル１００は、映像を表示し、音響（ＳＷ）を出力することができる。
【００４２】
例えば、表示パネル１００は、アノード電極、カソード電極および有機化合物層を含むピクセルアレイ層の構造によって、トップエミッション（Ｔｏｐ  Ｅｍｉｓｓｉｏｎ）方式、ボトムエミッション（Ｂｏｔｔｏｍ  Ｅｍｉｓｓｉｏｎ）方式、またはデュアルエミッション（Ｄｕａｌ  Ｅｍｉｓｓｉｏｎ）方式などの形態で画像を表示することができる。トップエミッション方式は、ピクセルアレイ層で発生した可視光をベース基板の前方に放出させて映像を表示することができ、ボトムエミッション方式は、ピクセルアレイ層で発生した可視光をベース基板の後方に放出させて映像を表示することができる。
【００４３】
音響発生装置２００は、表示パネル１００を振動板として使用することにより、音響を発生させることができる。音響発生装置は、アクチュエータ（ａｃｔｕａｔｏｒ）、エキサイター（ｅｘｃｉｔｅｒ）、またはトランスデューサ（ｔｒａｎｓｄｕｃｅｒ）で表現することもでき、用語に限定されない。例えば、音響発生装置２００は、電気的信号によって音響を出力する音響機器であり得る。
【００４４】
図１Ｂは、図１Ａの切断線Ｉ−Ｉ’に沿って切断した断面図である。
【００４５】
図１Ｂを参照すると、表示装置１０は、音響発生装置２００および支持部材３００を含むことができる。
【００４６】
支持部材（ｓｕｐｐｏｒｔｉｎｇ  ｍｅｍｂｅｒ）３００は、表示パネル１００の背面（ｒｅａｒ  ｓｕｒｆａｃｅ）または側面（ｓｉｄｅ  ｓｕｒｆａｃｅ）中の一つ以上を支持することができる。そして、音響発生装置２００は、支持部材３００に固定することができる。
【００４７】
支持部材３００は、例えば、カバーボトム（ｃｏｖｅｒ  ｂｏｔｔｏｍ）であり得る。例えば、表示パネル１００の側面（ｌａｔｅｒａｌ  ｓｕｒｆａｃｅまたはｓｉｄｅ  ｓｕｒｆａｃｅ）を囲み、カバーボトムと結合し、表示パネル１００を支持するように表示パネル１００の一側端を収容して表示パネル１００を支持するミドルキャビネット（ｍｉｄｄｌｅ  ｃａｂｉｎｅｔ）を含むことができる。例えば、ミドルキャビネットは、「┤」字型の断面を有することができる。支持部材３００は、カバーボトム、またはカバーボトムおよびミドルキャビネットを含むことができるが、この例の構造に限定されない。支持部材３００は、表示パネル１００の背面または側面を支持することができるどのような構造をも含むことができる。
【００４８】
支持部材３００は、表示パネル１００の背面または全体にわたって形成される板状の部材であり得る。例えば、支持部材３００は、表示パネル１００の背面全体を離隔するように覆うことができる。支持部材３００は、ガラス材質、金属材質、またはプラスチック材質からなる平板形態を有することができる。例えば、支持部材３００の端または鋭い角部分は、面取り工程または角丸め工程によって斜面形態または曲面形態を有することができる。例えば、ガラス材質の支持部材３００は、サファイアガラス（Ｓａｐｐｈｉｒｅ  Ｇｌａｓｓ）であり得る。例えば、金属材料の支持部材３００は、一つ以上のアルミニウム、アルミニウム合金、マグネシウム合金、および鉄とニッケルの合金中のいずれか一つの材質からなることができる。他の例としては、支持部材３００は、金属板およびガラス板より相対的に薄い厚さを有しながら表示パネル１００の背面と向き合うグラスプレートの積層構造を有することができ、この場合、表示装置１０の背面は、金属板によって鏡面として使用することもできる。しかし、この例の物質や形状等に限定されるものではない。
【００４９】
また、支持部材３００は、音響発生装置２００を挿入または収容するホールを含むことができる。例えば、ホールは音響発生装置２００を挿入または収容するために、支持部材３００の厚さ方向に沿って支持部材３００の設定された一部領域に円形または多角形態を有するように穿孔することができる。
【００５０】
本明細書では、支持部材３００は、カバーボトム（Ｃｏｖｅｒ  Ｂｏｔｔｏｍ）、プレートボトム（Ｐｌａｔｅ  Ｂｏｔｔｏｍ）、バックカバー（Ｂａｃｋ  Ｃｏｖｅｒ）、ベースフレーム（Ｂａｓｅ  Ｆｒａｍｅ）、メタルフレーム（Ｍｅｔａｌ  Ｆｒａｍｅ）、メタルシャーシ（Ｍｅｔａｌ  Ｃｈａｓｓｉｓ）、シャーシベース（Ｃｈａｓｓｉｓ  Ｂａｓｅ）、ｍ−シャーシなどの他の表現で使用することができる。したがって、表示パネル１００を支持する支持体として表示装置の背面に配置されるすべての形態のフレームまたは板状構造物などを含むことができる。
【００５１】
また、接着部材４００は、表示パネル１００と支持部材３００の端または周辺に配置することができる。例えば、接着部材４００は、表示パネル１００の背面と支持部材３００の前面との間に配置することができる。接着部材４００は、表示パネル１００と支持部材３００を接着させることができる。接着部材４００は、両面テープ（Ｄｏｕｂｌｅ−ｓｉｄｅｄ  Ｔａｐｅ）、片面テープ（Ｓｉｎｇｌｅ−ｓｉｄｅｄ  ｔａｐｅ）、接着剤、およびボンドなどであり得るが、実施例に限定されるものではない。
【００５２】
図２Ａおよび図２Ｂは、本明細書の実施例に係る音響発生装置の断面図である。
【００５３】
音響発生装置は、マグネットがコイルの外側に配置される第１構造と、マグネットがコイルの内側に配置される第２構造に分類することができる。第１構造は、ダイナミック型（ｄｙｎａｍｉｃ  ｔｙｐｅ）または外磁型（ｅｘｔｅｒｎａｌ  ｍａｇｎｅｔｉｃ  ｔｙｐｅ）で表現することができる。そして、第２構造は、マイクロタイプ（ｍｉｃｒｏ  ｔｙｐｅ）、または内磁型（ｉｎｔｅｒｎａｌ  ｍａｇｎｅｔｉｃ  ｔｙｐｅ）で表現することができる。
【００５４】
図２Ａは、第１構造を示したものであり、図２Ｂは、第２構造を示したものである。
【００５５】
図２Ａを参照すると、音響発生装置２００は、プレート２１０、２１０’、プレート２１０上にあるマグネット２２０、プレート２１０上にあるセンターポール２３０、センターポール２３０の周囲にあるボビン２５０、およびボビン２５０外郭に巻かれているコイル２６０などを含むことができる。
【００５６】
例えば、第１プレート２１０上にマグネット２２０があり、マグネット２２０上に第２プレート２１０’を具備することができる。第１プレート２１０と第２プレート２１０’は、マグネット２２０を支持しながら音響発生装置２００を支持部材３００に固定することができる。したがって、第１プレート２１０は、支持部材３００の支持ホールに固定することができ、マグネット２２０は、第１プレート２１０と第２プレート２１０’の間で固定支持することができる。
【００５７】
第１プレート２１０および第２プレート２１０’のうちの少なくとも一つは、鉄（Ｆｅ）のような物質からなり得る。第１プレート２１０および第２プレート２１０’は、プレートの用語に限定されるものではない。例えば、第１プレート２１０および第２プレート２１０’は、ヨークなど、他の用語で表現することもできる。
【００５８】
マグネット２２０は、バリウムフェライトなどの焼結磁石を用いることができ、材質は酸化第二鉄（Ｆｅ２Ｏ３）、炭酸バリウム（ｗｉｔｈｅｒｉｔｅ）（ＢａＣＯ３）、ネオジム（Ｎｄ）、磁力成分が改善されたストロンチウムフェライト（Ｆｅ１２Ｏ１９Ｓｒ）、アルミニウム（Ａｌ）、ニッケル（Ｎｉ）、コバルト（Ｃｏ）の合金鋳造磁石などの一つ以上を含むことができる。他の例としては、ネオジム磁石はネオジム−鉄−ホウ素（Ｎｄ−Ｆｅ−Ｂ）であり得る。しかし、実施例は、この例に限定されない。
【００５９】
フレーム２４０は、第１プレート２１０の縁に沿って第２プレート２１０’上に配置することができる。センターポール２３０は、第１プレート２１０の中央領域にセンターポール２３０を配置することができる。センターポール２３０と、第１プレート２１０は、一体に形成することもできる。センターポール２３０は、ポールピース（ｐｏｌｅ  ｐｉｅｃｅｓ）とすることもできる。一例では、ポールピース（ｐｏｌｅ  ｐｉｅｃｅｓ）をセンターポール２３０上にさらに配置することもできる。
【００６０】
ボビン２５０は、センターポール２３０の周囲を包むことができる。コイル２６０は、ボビン２５０の下の一定領域の周囲、例えば、ボビン２５０の下の領域に巻き取ることができる。例えば、コイル２６０は、ボビン２５０の下の外郭面に巻き付けられていて、このコイル２６０に音響発生のための電流またはボイス信号を印加することができる。
【００６１】
ボビン２５０は、パルプまたは紙を加工した材質、アルミニウムやマグネシウムまたはその合金、ポリプロピレン（ｐｏｌｙｐｒｏｐｙｌｅｎｅ）などの合成樹脂、またはポリアミド（ｐｏｌｙａｍｉｄｅ）系繊維などで形成された環状（または円筒）構造で実現することができるが、これに限定されるものではない。ボビン２５０とコイル２６０を合わせてボイスコイル（ｖｏｉｃｅ  ｃｏｉｌ）と表現することもできる。
【００６２】
また、ダンパー２７０は、ボビン２５０の上側の一部とフレーム２４０との間に配置することができる。ダンパー（ｄａｍｐｅｒ）は、エッジ（ｅｄｇｅ）、スパイダー（ｓｐｉｄｅｒ）、およびサスペンション（ｓｕｓｐｅｎｓｉｏｎ）などの他の用語で表現することもでき、用語に限定されるものではない。
【００６３】
図２Ｂは、マグネットがコイルの内側に配置される第２構造を示した図である。
【００６４】
図２Ｂを参照すると、第２構造の音響発生表示装置２００’は、第１プレート２１０上にあるマグネット２２０、マグネット２２０上にあるセンターポール２３０、マグネット２２０とセンターポール２３０の周囲にあるボビン２５０、およびボビン２５０外郭に巻かれているコイル２６０などを含むことができる。
【００６５】
例えば、第１プレート２１０は、支持部材３００の支持ホールに固定することができる。マグネット２２０は、第１プレート２１０上に配置され、センターポール２３０は、マグネット２２０上に配置することができる。センターポール２３０は、ポールピース（ｐｏｌｅ  ｐｉｅｃｅｓ）とすることもできる。一例では、ポールピース（ｐｏｌｅ  ｐｉｅｃｅｓ）をセンターポール２３０上にさらに配置することもできる。
【００６６】
ボビン２５０は、マグネット２２０とセンターポール２３０を囲み、コイル２６０は、ボビン２５０の外郭面に巻き取られ得る。
【００６７】
第２プレート２１０’は、第１プレート２１０の周辺に配置され、フレーム２４０は、第２プレート２１０’の周辺に配置することができる。例えば、ダンパー２７０は、フレーム２４０とボビン２５０との間に配置することができる。
【００６８】
マグネットが外側に配置される第１構造に比べて、内部に磁石を有する第２構造は、漏洩磁束が小さく音響発生装置の全体的なサイズを小さくすることができる利点がある。
【００６９】
本明細書の実施例による表示装置に使用される音響発生装置は、図２Ａおよび図２Ｂに示す構造に限定されるものではない。表示パネルを振動させる、例えば、表示パネルを直接振動させて音響を発生することができる異なる種類の音響発生装置を使用することもできる。
【００７０】
図３Ａおよび図３Ｂは、本明細書の実施例の第１構造による音響発生装置の音響を発生させる内容を説明する図である。
【００７１】
図３Ａには、電流が流れた状態を示す。マグネット２２０の下面と接続したセンターポール２３０がＮ極となり、マグネット２２０の上面と接続した第２プレート２１０’がＳ極となり、コイル２６０の周りに外部磁界が発生し得る。この状態で、音響発生用の電流がコイル２６０に印加されると、コイル２６０の周囲に印加磁場が形成され、印加磁場と外部磁場によってボビン２５０を上側に移動する力が発生する。例えば、電流がコイル２６０に印加されると、コイル２６０の周囲に印加磁場が形成され、マグネット２２０によって形成される外部磁界があるので、フレミングの左手法則に基づいてボビン２５０全体がセンターポール２３０によってガイドされながら上側に移動する。
【００７２】
したがって、ボビン２５０の一面は、表示パネル１００の背面に接触し、ボビンはコイル２６０の電流の有無によって表示パネル１００を上側（矢印で表示）に振動させることになり、表示パネル１００の振動によって音波（または音響）が発生することになる。この状態で、電流が停止し、または反対方向の電流が流れると、図３Ｂに示すように、図３Ａの説明と同様の原理に基づいてボビン２５０を下側に移動させる力が発生し、表示パネル１００が下側（矢印で表示）に振動する。
【００７３】
ダンパー２７０は、フレーム２４０と、ボビン２５０の上側の一部の間に配置することができる。ダンパー２７０は、しわが寄った構造、例えば弾性を有することができ、ダンパー２７０は、ボビン２５０の上下運動に応じて収縮および弛緩運動しながらボビン２５０の上下振動を調節することができる。例えば、ダンパー２７０は、ボビン２５０とフレーム２４０に接続していて、ボビン２５０の上下振動はダンパー２７０の復元力によって調節することができる。例えば、ボビン２５０が一定の高さ以上に振動し、または一定の高さ以下に振動する場合、ボビン２５０は、ダンパー２７０の復元力により元の位置に原状復帰することができる。
【００７４】
したがって、コイル２６０への電流印加方向と大きさによって、表示パネル１００が上下方向に振動することができ、この振動によって音波を発生することができる。
【００７５】
図４Ａおよび図４Ｂは、本明細書の実施例の第２構造による音響発生装置の音響を発生させる内容を説明する図である。
【００７６】
図４Ａは、電流が流れた状態を示す。第２プレート２１０がＳ極となり、マグネット２２０の上面と接続したセンターポール２３０がＮ極となり、コイル２６０の周りに外部磁場が形成される。Ｎ極とＳ極は互いに入れ替え可能であり、Ｎ極とＳ極が入れ替わる場合には、コイル２６０の巻線方向を変更して、同じように動作させることもできる。この状態で、音響発生用の電流がコイル２６０に印加されると、コイル２６０の周囲に印加磁場が形成され、印加磁場と外部磁場によってボビン２５０を上側に移動する力が発生する。例えば、コイル２６０に電流が流れると、コイル２６０の周囲に磁場が形成され、マグネット２２０によって形成される外部磁界があるので、フレミングの左手法則に基づいてボビン２５０全体がセンターポール２３０によってガイドされながら上側に移動する。
【００７７】
したがって、ボビン２５０の一面は、表示パネル１００の背面に接触していて、コイル２６０の電流の有無によって、表示パネル１００を上側（矢印で表示）に振動させることになり、この振動によって音波（または音響）が発生することになる。この状態で、電流を停止し、または反対方向の電流が流れると、図４Ｂに示すように、図４Ａの説明と同様の原理に基づいてボビン２５０を下側に移動させる力が発生し、表示パネル１００が下側（矢印で表示）に振動する。
【００７８】
ダンパー２７０は、フレーム２４０と、ボビン２５０の上側の一部との間に配置することができる。ダンパー２７０は、弾性を有する蛇腹構造を有することができ、ダンパー２７０は、ボビン２５０の上下運動に応じて収縮および弛緩運動しながらボビン２５０の上下振動を調節することができる。例えば、ダンパー２７０は、ボビン２５０とフレーム２４０に接続していて、ボビン２５０の上下振動はダンパー２７０の復元力によって調節することができる。例えば、ボビン２５０が一定の高さ以上に振動し、または一定の高さ以下に振動する場合、ボビン２５０は、ダンパー２７０の復元力により元の位置に原状復帰することができる。
【００７９】
したがって、コイル２６０への電流印加方向と大きさに応じて、表示パネル１００が上下方向に振動することができ、この振動によって音波が発生し得る。
【００８０】
図５は、本明細書の実施例に係る音響発生装置を含む表示装置を示す図である。
【００８１】
本明細書の実施例では、第１構造又は第２構造による音響発生装置の両方を適用することができ、以下では、第２構造の音響発生装置を例に挙げて説明する。
【００８２】
図５を参照すると、音響発生装置２００は、拡径部６１４を含むことができる。拡径部６１４は、第１プレート２１０と一体に形成することができる。音響発生装置２００の第１プレート２１０は、円筒形または円筒形ではないことがあり得る。第１プレート２１０の一側は、第１プレート２１０の残りの部分の直径よりも大きい突出部を有することができる。直径が大きくなった突起領域を拡径部６１４と表現することができる。拡径部６１４は、環状を有することができる。拡径部６１４の一部には、音響発生装置２００の固定のための延長部６１２を形成することができる。
【００８３】
延長部６１２には、ネジ（ｓｃｒｅｗ）３２０とナット（ｎｕｔ）３３０を構成することができる。支持部材３００に固定されたナット３３０を用いて、ネジ３２０によって音響発生装置２００を支持部材３００に結合することができる。ナット３３０は、例えば、セルフクリンチングナット（ｓｅｌｆ−ｃｌｉｎｃｈｉｎｇ  ｎｕｔ）であり得る。セルフクリンチングナットの一つの例は、ペムナット（ＰＥＭｎｕｔ）であり得るが、実施例に限定されるものではない。これにより、音響発生装置２００は、支持部材３００にある支持ホール３１０に収容することができる。
【００８４】
セルフクリンチングナット（ｓｅｌｆ−ｃｌｉｎｃｈｉｎｇ  ｎｕｔ）を用いる場合、音響発生装置２００で発生する振動がナット３３０のセルフクリンチングナットで一部吸収され得るので、支持部材３００に伝達する振動を減少させることができる。また、表示パネル１００は、音響発生装置２００のボビン２５０に付着または結合することができる。
【００８５】
図５で説明したように、音響発生装置は、支持部材の支持ホールを介して表示パネルに結合または連結することができる。したがって、支持部材の背面には、支持ホールが必要であり、支持ホールによって外部からの異物が流入する問題点があった。そして、音響発生装置が支持部材の背面に露出するので、支持部材の背面に露出している音響発生装置によって外観上の美感を阻害する問題点があった。そして、支持部材の背面に露出している音響発生装置の損傷を防止するために音響発生装置の保護用カバーが必要なので、保護用カバーを追加する工程を必要とし、または保護用カバーによって音響発生装置が厚くなる問題点があった。そこで、本明細書の発明者らは、音響発生装置が支持部材の支持ホールによって支持部材と結合または連結せずに、表示パネル内に音響発生装置を構成するためのいくつかの実験を行った。いくつかの実験を通じて、表示パネル内に音響発生装置を構成するためには、音響発生装置の厚さを減少させなければならないことを認識した。音響発生装置が厚い場合には、表示パネルの厚さが厚くなり、表示パネルの画質や画像に影響を与えることがあり、外観上の美感を阻害する問題があることを認識した。また、立体音響を実現するためには、複数の音響発生装置を構成しなければならないので、音響発生装置の厚さを減少させなければならないことを認識した。したがって、音響発生装置の厚さを減少させるためには、音響発生装置に含まれる構成要素の厚さを減少させなければならない。例えば、マグネットの厚さを薄くする場合には、磁束密度（ｍａｇｎｅｔｉｃ  ｆｌｕｘ  ｄｅｎｓｉｔｙ）が減るので、音圧が低くなる問題が生じ得る。そして、ボビンの高さ（または厚さ）を下げる場合には、ボビンに巻かれたコイルの巻き幅が減るので、音響発生装置の磁力の弱体化によって、音色の明瞭度（ａｒｔｉｃｕｌａｔｉｏｎ）または音圧が低くなるといった問題が生じ得る。そして、電気的な信号をコイルに伝達する配線は、ダンパーとの干渉によって音響発生装置から干渉音が発生する問題が生じ得る。それで、いくつかの実験を通じて、音響発生装置の面積を広くして、音響発生装置の厚さを薄くすることができ、音響に影響を与えない新しい構造の音響発生装置を発明した。これに対して図６〜図１２を参照して説明する。
【００８６】
図６は、本明細書の他の実施例に係る音響発生装置を含む表示装置を示す図である。
【００８７】
本明細書の実施例では、第１構造又は第２構造による音響発生装置の両方を適用することができ、以下では、第２構造を例に挙げて説明する。
【００８８】
図６を参照すると、本明細書の実施例に係る表示装置２０は、表示パネル１００と音響発生装置１６００を含むことができる。表示パネル１００の背面には、封止基板１０２を配置することができる。例えば、封止基板１０２は、外部の衝撃から表示パネル１００に配置されている薄膜トランジスタおよび発光素子層などを保護し、発光素子層に水分や酸素が侵入することを防止することができる。封止基板は、カプセル化（Ｅｎｃａｐｓｕｌａｔｉｏｎ）基板、シーリング基板、または保護基板とすることができる。
【００８９】
音響発生装置１６００は、ヨーク１６１０上にあるマグネット１６２０、マグネット１６２０上にあるセンターポール１６３０、マグネット１６２０とセンターポール１６３０の周囲にあるボビン１６５０、およびボビン１６５０の外郭に巻かれているコイル１６６０などを含むことができる。コイル１６６０がボビン１６５０の外周面を囲むよう巻かれている場合、コイル１６６０で発生する熱がボビン１６５０に伝達され、ボビン１６５０の熱によって表示パネル１００に影響を与える画質不良を減らすために、コイル１６６０は、相対的に放熱特性に優れた材料で構成することができる。ボビン１６５０は、上下に振動するため、上下振動による偏振動が発生することになり、ボビン１６５０の偏振動はボビン１６５０の重さに影響を受け得、ボビン１６５０の重さは、コイル１６６０の重さに影響を受ける。これにより、コイル１６６０の重さが減少する場合には、ボビン１６５０の偏振動を低減することができる。このように、ボビン１６５０に伝達される熱ボビン１６５０の偏振動を考慮した場合、コイル１６６０は、一般的なコイルの材質である銅よりも熱伝導率が優れていて、比較的優れた放熱特性を有し、銅よりも相対的に軽いアルミ材質からなり得る。ヨーク１６１０は、プレートであり得、用語に限定されるものではない。
【００９０】
アルミニウムは空気中で酸化膜が形成され、音響発生装置１６００の製造時にはんだ付けが容易でないため、本明細書の実施例に係るコイル１６６０は、放熱のためのアルミニウム層（又は第１金属層）、およびアルミニウム層を囲む金属外皮層（または第２金属層）を含むことができる。この場合、金属外皮層は銅（Ｃｕ）、銀（Ａｇ）、および金（Ａｕ）中の一つの材質を含むことができる。例えば、コイル１６６０は、銅で覆われた銅クラッドアルミニウムワイヤ（ｃｏｐｐｅｒ  ｃｌａｄ  ａｌｕｍｉｎｕｍ  ｗｉｒｅ）であり得る。金属外皮層は、第１金属層の外側に薄膜状に形成されるので、コイル１６６０の重さの増加に大きな影響を与えないことができる。したがって、本明細書の実施例に係るコイル１６６０は、銅材質または銅線のみからなるコイルより約６０％程度の重量を減少することができる。
【００９１】
ボビン１６５０は、パルプまたは紙を加工した材質、アルミニウムやマグネシウムまたはその合金、ポリイミド（ｐｏｌｙｉｍｉｄｅ）などの合成樹脂などで形成された構造物であり得る。例えば、ボビン１６５０は、コイル１６６０で発生する熱による表示パネル１００の局部的な画質不良を防止するために、相対的に放熱特性に優れ、相対的に軽いポリイミドフィルム（ｐｏｌｙｉｍｉｄｅ  ｆｉｌｍ）で実現することができる。ポリイミドフィルムは、氷点下２７３℃〜摂氏４００℃まで幅広い温度範囲で物性が変わらず、耐熱性、電気絶縁性、柔軟性、および不燃性などの特徴を有している。そして、ポリイミドフィルムは、熱的および機械的強度に優れ、ボビン１６５０の信頼性を向上させることができ、優れた放熱特性によりボビン１６５０の振動による熱の発生を減らすことができる効果がある。例えば、ポリイミドフィルムはＫＡＰＴＯＮであり得、パイロメリティックジアンハイドライド（ｐｙｒｏｍｅｌｌｉｔｅｃ  ｄｉａｎｈｙｄｒｉｄｅ）と４，４’−オキシアニリン（４，４’−ｏｘｙｄｉａｎｉｌｉｎｅ）の縮合であり得る。
【００９２】
ヨーク１６１０の外側には、フレーム１６４０を配置することができる。フレーム１６４０とボビン１６５０の間には、ダンパー１６７０を配置することができる。音響発生装置１６００の説明は、図２Ａおよび図２Ｂで説明した内容と同一であるので、ここでは詳細な説明を省略する。
【００９３】
表示パネル１００は、接着部材４０２を介して音響発生装置１６００のボビン１６５０に付着または連結することができる。例えば、ボビン１６５０上に、ボビンリング１６５２をさらに含むことができる。ボビンリング１６５２は、ボビン１６５０および表示パネル１００の間に介在して、ボビン１６５０の振動を表示パネル１００に伝達することができる。図６では、ボビンリング１６５２がボビン１６５０全体に配置されていることを例に挙げて説明する。これに限らず、ボビン１６５０がある位置に配置することもできる。ボビンリング１６５２は、接着部材４０２によって表示パネル１００に付着することができる。接着部材４０２は、両面テープ（ｄｏｕｂｌｅ−ｓｉｄｅｄ  ｔａｐｅ）、片面テープ（ｓｉｎｇｌｅ−ｓｉｄｅｄ  ｔａｐｅ）、接着剤、およびボンド（ｂｏｎｄ）であり得るが、これに限定されるものではない。図６に示すように、接着部材４０２は、音響発生装置１６００が表示パネル１００に付着または連結する部分に形成することができる。これに限らず、接着部材４０２は、表示パネル１００の背面全体に形成することもできる。例えば、接着部材４０２は、表示パネル１００の背面と音響発生装置１６００との間の全面に形成することができる。また、パーティション７００は、表示パネル１００と支持部材３００との間に配置することができる。例えば、パーティション７００は、表示パネル１００の封止基板１０２と支持部材３００との間に配置することができる。
【００９４】
音響発生装置１６００を表示パネル１００内に配置するために結合部材１７１０を音響発生装置１６００に配置することができる。ヨーク１６１０は、延長部１６１２を含むことができる。ヨーク１６１０の延長部１６１２には、結合部材１７１０を配置することができる。例えば、ヨーク１６１０の厚さを増やしてネジタップを形成した後、ネジ締結することができる。ネジタップは、手動タップ、機械タップ、ガスネジタップ、およびマスタータップなどで形成することができるが、これに限定されるものではない。例えば、結合部材１７１０は、支持部材３００内に配置することができる。結合部材１７１０は、ネジ１７２０とナット１７３０を含むことができる。ネジ１７２０とナット１７３０は、支持部材３００内に配置され、ネジ１７２０とナット１７３０によって音響発生装置１６００を支持部材３００内に固定することができる。例えば、ナット１７３０は、セルフクリンチングナット（ｓｅｌｆ−ｃｌｉｎｃｈｉｎｇ  ｎｕｔ）であり得る。セルフクリンチングナットの一つの例は、ペムナット（ＰＥＭｎｕｔ）であり得るが、実施例に限定されるものではない。
【００９５】
例えば、音響発生装置１６００は、支持部材３００の支持ホールなしに圧入方式を利用して、ナット１７３０によって支持部材３００に結合することができる。圧入方式は、鋸歯状の圧入方式を利用することができ、本明細書の実施例は、結合方式や形状に限定されるものではない。これにより、音響発生装置１６００を表示パネル１００内に配置することができる。例えば、音響発生装置１６００は、結合部材１７１０によって表示パネル１００と支持部材３００との間に配置するか、または結合することができる。したがって、音響発生装置を表示パネル１００内に配置するか、または結合することができるので、支持部材の支持ホールを構成しなくてもよく、支持部材の支持ホールによる外部からの異物の流入を防止することができる。そして、音響発生装置が支持部材の背面に露出しないので、外観上の美感を有する表示装置を提供することができ、音響発生装置の損傷を防止することができる。
【００９６】
図７は、本明細書の他の実施例に係る音響発生装置を含む表示装置を示す図である。
【００９７】
本明細書の実施例では、第１構造又は第２構造による音響発生装置の両方を適用することができ、以下では、第２構造を例に挙げて説明する。
【００９８】
図７を参照すると、本明細書の実施例に係る表示装置３０は、表示パネル１００と音響発生装置１６００を含むことができる。表示パネル１００の背面には、封止基板１０２を配置することができる。例えば、封止基板１０２は、外部の衝撃から表示パネル１００に配置されている薄膜トランジスタと発光素子層などを保護し、発光素子層に水分や酸素が侵入することを防止することができる。封止基板は、カプセル化（Ｅｎｃａｐｓｕｌａｔｉｏｎ）基板、シーリング基板、または保護基板とすることができる。
【００９９】
音響発生装置１６００は、ヨーク１６１０上にあるマグネット１６２０、マグネット１６２０上にあるセンターポール１６３０、マグネット１６２０とセンターポール１６３０の周囲にあるボビン１６５０、およびボビン１６５０外郭に巻かれているコイル１６６０などを含むことができる。ヨーク１６１０は、プレートであり得、用語に限定されるものではない。ヨーク１６１０の外側には、フレーム１６４０を配置することができる。フレーム１６４０とボビン１６５０の間には、ダンパー１６７０を配置することができる。音響発生装置の説明は、図２Ａおよび図２Ｂで説明した内容と同一であるので、ここでは詳細な説明を省略する。
【０１００】
表示パネル１００は、接着部材４０２を介して音響発生装置１６００のボビン１６５０に付着することができる。例えば、ボビン１６５０上に、ボビンリング１６５２をさらに含むことができる。ボビンリング１６５２は、ボビン１６５０と表示パネル１００の間に介在して、ボビン１６５０の振動を表示パネル１００に伝達することができる。図７では、ボビンリング１６５２がボビン１６５０全体に配置されていることを例に挙げて説明する。これに限らず、ボビン１６５０がある位置に配置または連結することもできる。ボビンリング１６５２は、接着部材４０２によって表示パネル１００に付着または連結することができる。接着部材４０２は、両面テープ（ｄｏｕｂｌｅ−ｓｉｄｅｄ  ｔａｐｅ）、片面テープ（ｓｉｎｇｌｅ−ｓｉｄｅｄ  ｔａｐｅ）、接着剤、およびボンド（ｂｏｎｄ）であり得るが、これに限定されるものではない。図７のように、接着部材４０２は、音響発生装置１６００が表示パネル１００に付着または連結される部分に形成することができる。これに限らず、接着部材４０２は、表示パネル１００の背面全体に形成することもできる。例えば、接着部材４０２は、表示パネル１００の背面と音響発生装置１６００との間の全面に形成することができる。また、パーティション７００は、表示パネル１００と支持部材３００との間に配置することができる。例えば、パーティション７００は、表示パネル１００の封止基板１０２と支持部材３００との間に配置することができる。
【０１０１】
音響発生装置１６００を表示パネル１００内に配置するために結合部材１７１０を音響発生装置１６００に配置することができる。フレーム１６４０は、延長部１６４２を含むことができる。フレーム１６４０の延長部１６４２には、結合部材１７１０を配置することができる。結合部材１７１０は、ネジ１７２０とナット１７３０を含むことができる。ネジ１７２０とナット１７３０は、支持部材３００内に配置され、ネジ１７２０とナット１７３０によって音響発生装置１６００を支持部材３００内に固定することができる。例えば、ナット１７３０は、セルフクリンチングナット（ｓｅｌｆ−ｃｌｉｎｃｈｉｎｇ  ｎｕｔ）であり得る。セルフクリンチングナットの一つの例は、ペムナット（ＰＥＭｎｕｔ）であり得るが、実施例に限定されるものではない。
【０１０２】
例えば、音響発生装置１６００は、支持部材３００の支持ホールなしに圧入方式を利用して、ナット１７３０によって支持部材３００と結合することができる。圧入方式は、鋸歯状の圧入方式を利用することができ、本明細書の実施例は、結合方式や形状に限定されるものではない。これにより、音響発生装置１６００を表示パネル１００内に配置することができる。例えば、音響発生装置１６００は、結合部材１７１０によって表示パネル１００と支持部材３００との間に配置することができる。したがって、音響発生装置を表示パネル内に配置することができるので、支持部材の支持ホールを構成しなくてもよく、支持部材の支持ホールによる外部からの異物の流入を防止することができる。そして、音響発生装置が支持部材の背面に露出しないので、外観上の美感を有する表示装置を提供することができ、音響発生装置の損傷を防止することができる。
【０１０３】
表示パネル１００の背面に配置される封止基板１０２は、強磁性体、例えば、鉄（Ｆｅ）とニッケル（Ｎｉ）の合金であるインバー（ｉｎｖａｒ）などの材質で構成されているので、表示パネルの内部の音響発生装置のマグネットの磁力が封止基板に吸収され、磁力が失われる問題があることを認識した。マグネットの磁力により、封止基板が引っ張られ、音響発生装置が押されるようになるので、音響発生装置が上下振動することができないという問題点があることを認識した。そして、マグネットの磁力により、封止基板が引っ張られ、音響発生装置が封止基板にくっついてしまうので、音響発生装置が振動することができる空間が消失する問題があることを認識した。そこで、本明細書の発明者らは、複数の実験を通じて音響発生装置の漏洩磁力を減らすことができ、音響発生装置が振動することができる空間が減少しない表示装置を発明した。これについては、図８〜図１２を参照して説明する。
【０１０４】
図８は、本明細書の他の実施例に係る音響発生装置を含む表示装置を示す図である。
【０１０５】
本明細書の実施例では、第１構造又は第２構造による音響発生装置の両方を適用することができ、以下では、第２構造を例に挙げて説明する。
【０１０６】
図８を参照すると、本明細書の実施例に係る表示装置４０は、表示パネル１００と音響発生装置１６００を含むことができる。音響発生装置１６００は、表示パネル１００と支持部材３００との間に配置することができる。音響発生装置１６００は、表示パネル１００内に配置することができる。音響発生装置の説明は、図２Ａおよび図２Ｂ、図６、および図７で説明した内容と同様なので、ここでは詳細な説明を省略する。
【０１０７】
音響発生装置１６００は、ヨーク１６１０上にあるマグネット１６２０、マグネット１６２０上にあるセンターポール１６３０、マグネット１６２０とセンターポール１６３０の周囲にあるボビン１６５０、およびボビン１６５０外郭に巻かれているコイル１６６０などを含むことができる。ヨーク１６１０は、プレートであり得、用語に限定されるものではない。ヨーク１６１０の外側の部分には、フレーム１６４０を配置することができる。フレーム１６４０とボビン１６５０の間には、ダンパー１６７０を配置することができる。ボビン１６５０上に、ボビンリング１６５２を、さらに配置することができる。図８は、ボビンリング１６５２がボビン１６５０全体に配置されていることを例に挙げて説明する。これに限らず、ボビン１６５０がある位置に配置することもできる。
【０１０８】
音響発生装置１６００を表示パネル１００内に配置するために結合部材１７１０を音響発生装置１６００に配置することができる。ヨーク１６１０は、延長部１６１２を含むことができる。ヨーク１６１０の延長部１６１２には、結合部材１７１０を配置することができる。例えば、ヨーク１６１０の厚さを増やしてネジタップを形成した後、ネジ締結することができる。ネジタップは、手動タップ、機械タップ、ガスネジタップ、およびマスタータップなどで形成することができるが、これに限定されるものではない。例えば、結合部材１７１０は、支持部材３００内に配置することができる。結合部材１７１０は、ネジ１７２０とナット１７３０を含むことができる。ネジ１７２０とナット１７３０は、支持部材３００内に配置され、ネジ１７２０とナット１７３０によって音響発生装置１６００を支持部材３００内に固定することができる。例えば、ナット１７３０は、セルフクリンチングナット（ｓｅｌｆ−ｃｌｉｎｃｈｉｎｇ  ｎｕｔ）であり得る。セルフクリンチングナットの一つの例は、ペムナット（ＰＥＭｎｕｔ）であり得るが、実施例に限定されるものではない。
【０１０９】
音響発生装置１６００が振動する時に発生する熱を減らすか、または減少させるために表示パネル１００の背面には、放熱部材６００をさらに配置することができる。例えば、放熱部材６００は、接着部材を介して封止基板１０２の背面に配置することができる。放熱部材６００は、音響発生装置１６００のサイズよりも大きいサイズを有し、音響発生装置１６００を覆うように構成することができ、一定の厚さを有する多角形の板状またはディスクの形態を有することができるが、これに限定されるものではない。例えば、放熱部材６００は、アルミニウム（Ａｌ）、銅（Ｃｕ）または銀（Ａｇ）、およびこれらの合金などのように熱伝導率の高い金属材料で構成されている放熱シートまたは放熱テープであり得、これに限定されるのではない。したがって、放熱部材６００を構成することで、音響発生装置の振動時に発生する熱による表示パネルの画質への影響を減少させることができる。
【０１１０】
そして、パーティション７００は、表示パネル１００と支持部材３００との間に配置することができる。たとえば、パーティション７００は、表示パネル１００の背面に配置された放熱部材６００と支持部材３００との間に配置することができる。
【０１１１】
図９は、本明細書の他の実施例に係る音響発生装置を含む表示装置を示す図である。
【０１１２】
本明細書の実施例では、第１構造又は第２構造による音響発生装置の両方を適用することができ、以下では、第２構造を例に挙げて説明する。
【０１１３】
図９を参照すると、本明細書の実施例に係る表示装置５０は、表示パネル１００と音響発生装置１６００を含むことができる。音響発生装置１６００は、表示パネル１００と支持部材３００との間に配置することができる。音響発生装置１６００は、表示パネル１００内に配置することができる。音響発生装置の説明は、図２Ａおよび図２Ｂ、図６、および図７で説明した内容と同様なので、ここでは詳細な説明を省略する。
【０１１４】
音響発生装置１６００は、ヨーク１６１０上にあるマグネット１６２０、マグネット１６２０上にあるセンターポール１６３０、マグネット１６２０とセンターポール１６３０の周囲にあるボビン１６５０、およびボビン１６５０外郭に巻かれているコイル１６６０などを含むことができる。ヨーク１６１０は、プレートであり得、用語に限定されるものではない。ヨーク１６１０の外側には、フレーム１６４０を配置することができる。フレーム１６４０とボビン１６５０の間には、ダンパー１６７０を配置することができる。ボビン１６５０上に、ボビンリング１６５２を、さらに配置することができる。図９は、ボビンリング１６５２がボビン１６５０全体に配置されていることを例に挙げて説明する。これに限らず、ボビン１６５０がある位置に配置することもできる。
【０１１５】
音響発生装置１６００を表示パネル１００内に配置するために結合部材１７１０を音響発生装置１６００に配置することができる。フレーム１６４０は、延長部１６４２を含むことができる。フレーム１６４０の延長部１６４２には、結合部材１７１０を配置することができる。結合部材１７１０は、ネジ１７２０とナット１７３０を含むことができる。ネジ１７２０とナット１７３０は、支持部材３００内に配置され、ネジ１７２０とナット１７３０によって音響発生装置１６００を支持部材３００内に固定することができる。例えば、ナット１７３０は、セルフクリンチングナット（ｓｅｌｆ−ｃｌｉｎｃｈｉｎｇ  ｎｕｔ）であり得る。セルフクリンチングナットの一つの例は、ペムナット（ＰＥＭｎｕｔ）であり得るが、実施例に限定されるものではない。
【０１１６】
音響発生装置１６００が振動する時に発生する熱を減らすか、または減少させるために表示パネル１００の背面には、放熱部材６００をさらに配置することができる。例えば、放熱部材６００は、接着部材を介して封止基板１０２の背面に配置することができる。放熱部材６００は、音響発生装置１６００のサイズよりも大きいサイズを有し、音響発生装置１６００を覆うように構成することができ、一定の厚さを有する多角形の板状またはディスクの形態を有することができるが、これに限定されるものではない。例えば、放熱部材６００は、アルミニウム（Ａｌ）、銅（Ｃｕ）または銀（Ａｇ）、およびこれらの合金などのように熱伝導率の高い金属材料で構成されている放熱シートまたは放熱テープであり得るが、これに限定されるものではない。したがって、放熱部材６００を構成することで、音響発生装置の振動時に発生する熱による表示パネルの画質への影響を減少させることができる。
【０１１７】
また、パーティション７００は、表示パネル１００と支持部材３００との間に配置することができる。たとえば、パーティション７００は、表示パネル１００の背面に配置された放熱部材６００と支持部材３００との間に配置することができる。
【０１１８】
図１０Ａ〜図１０Ｄは、本明細書の他の実施例に係る音響発生装置を示す図である。
【０１１９】
図１０Ａは、一つの音響発生装置または１アレイ（ｏｎｅ  ａｒｒａｙ）音響発生装置を示すものである。図１０Ｂは二つの音響発生装置が構成された２アレイ（ｔｗｏ  ａｒｒａｙ）を示すものであり、図１０Ｃは、４つの音響発生装置が構成された４アレイ（４  ａｒｒａｙ）を示すものである。図１０Ｄは、６つの音響発生装置が構成された６アレイ（６  ａｒｒａｙ）を示すものである。本明細書の実施例に係る音響発生装置は、一つの音響発生装置、または２アレイ構造以上の音響発生装置で構成することができるが、これに限定されるものではない。音響発生装置は、図２Ａおよび図２Ｂで説明した第１構造または第２構造による音響発生装置の両方を適用することができる。音響発生装置は、音響発生モジュールであり得、用語に限定されるものではない。
【０１２０】
図１０Ａ〜図１０Ｄを参照すると、音響発生装置の厚さを減少させてマグネットの性能を向上させるために、ダンパーの面積を広く設定することができる。また、ダンパーは、ステンレス鋼（ｓｔａｉｎｅｌｅｓｓ  ｓｔｅｅｌ）、銅（Ｃｕ）などで構成して音響発生装置への音響信号を印加することができる配線になり得る。
【０１２１】
図１０Ａを参照すると、一つの音響発生装置１６００には、フレーム１６４０上にダンパー１６７０を配置することができる。一つの音響発生装置１６００は、シングルタイプ（ｓｉｎｇｌｅ  ｔｙｐｅ）とすることができる。フレーム１６４０は、ヨークであり得、用語に限定されるものではない。
【０１２２】
ダンパー１６７０は、配線または電源供給部材の役割をするように構成することで、＋電源（または音響信号またはボイス信号）が印加される第１ダンパー１６７０ａと、−電源（または音響信号またはボイス信号）が印加される第２ダンパー１６７０ｂで構成することができる。ダンパー１６７０は、横方向を基準に分けられ、＋電源が印加される第１ダンパー１６７０ａは、図の正面を基準に上の部分であり得、−電源が印加される第２ダンパー１６７０ｂは、図の正面を基準に下の部分であり得る。例えば、第１ダンパー１６７０ａは、第１配線２４２ａに接続し、第２ダンパー１６７０ｂは、第２配線２４２ｂに接続することができる。第１配線２４２ａおよび第２配線２４２ｂは、配線パッドであり得、用語に限定されるものではない。ダンパー１６７０の形状（Ｓ）は、Ｓ字形状又はジグザグ形状で構成することができる。例えば、第１ダンパー１６７０ａおよび第２ダンパー１６７０ｂは、フレーム１６４０とボビン１６５０との間の距離よりも相対的に長い長さを有するので、音響発生装置１６００の厚さを減少させることができる。ダンパー１６７０を斜線で構成する場合、ダンパー１６７０の上下運動によって破損が発生し得、ダンパー１６７０の長さを長くした場合、共振周波数に影響を与え得る。例えば、ＣとＤで示される部分の厚さは一定に構成し、幅を異なって構成することで、重なる部分での破損を防止することができる。
【０１２３】
図１０Ｂを参照すると、二つの音響発生装置１９００には、フレーム１６４０上にダンパー１６７０ａ、１６７０ｂを配置することができる。二つの音響発生装置１９００は、ツインタイプ（ｔｗｉｎ  ｔｙｐｅ）とすることができる。
【０１２４】
ダンパー１６７０ａ、１６７０ｂは、並列に接続することができる。ダンパー１６７０ａ、１６７０ｂは、配線または電源供給部材の役割をするように構成することで、＋電源が印加される第１ダンパー１６７０ａと−電源が印加される第２ダンパー１６７０ｂで構成することができる。ダンパー１６７０ａ、１６７０ｂは、横方向を基準に分けられ、＋電源が印加される第１ダンパー１６７０ａは、図の正面を基準に上の部分であり得、−電源が印加される第２ダンパー１６７０ｂは、図の正面を基準に下の部分であり得る。例えば、第１ダンパー１６７０ａは、第１配線２４２ａに接続し、第２ダンパー１６７０ｂは、第２配線２４２ｂに接続することができる。例えば、二つの第１ダンパー１６７０ａのそれぞれは、一体的に接続して第１配線２４２ａに接続することができ、二つの第２ダンパー１６７０ｂのそれぞれは、一体的に接続して第２配線２４２ｂに接続することができる。また、ダンパー１６７０ａ、１６７０ｂの形状については、図１０Ａで説明した内容と同一又は類似に適用することができる。
【０１２５】
図１０Ｃを参照すると、４つの音響発生装置２０２０には、フレーム１６４０上にダンパー１６７０ａ、１６７０ｂを配置することができる。４つの音響発生装置２０２０は、クワッドタイプ（ｑｕａｄ  ｔｙｐｅ）とすることができる。
【０１２６】
ダンパー１６７０ａ、１６７０ｂは、並列および直列に接続することができる。ダンパー１６７０ａ、１６７０ｂは、配線または電源供給部材の役割をするように構成することで、＋電源が印加される第１ダンパー１６７０ａと−電源が印加される第２ダンパー１６７０ｂで構成することができる。ダンパー１６７０ａ、１６７０ｂは、横方向を基準に分けられ、＋電源が印加される第１ダンパー１６７０ａは、図の正面を基準に上の部分または下の部分であり得、−電源が印加される第２ダンパー１６７０ｂは、図の正面を基準に下の部分または上の部分であり得る。第１ダンパー１６７０ａのそれぞれは、第１配線２４２ａに接続し、第２ダンパー１６７０ｂのそれぞれは、第２配線２４２ｂに接続することができる。例えば、二つの第１ダンパー１６７０ａのそれぞれは、一体的に接続して、第１配線２４２ａに接続することができ、二つの第２ダンパー１６７０ｂのそれぞれは、一体的に接続して第２配線２４２ｂに接続することができる。また、ダンパー１６７０ａ、１６７０ｂの形状については、図１０Ａで説明した内容と同一又は類似に適用することができる。
【０１２７】
図１０Ｄを参照すると、６つの音響発生装置２０００は、フレーム１６４０上にダンパー１６７０を配置することができる。６つの音響発生装置２０００は、ヘキサタイプ（Ｈｅｘａ  ｔｙｐｅ）とすることができる。
【０１２８】
ダンパー１６７０ａ、１６７０ｂは、並列または直列に接続することができる。ダンパー１６７０ａ、１６７０ｂは、配線または電源供給部材の役割をするように構成することで、＋電源が印加される第１ダンパー１６７０ａと−電源が印加される第２ダンパー１６７０ｂで構成することができる。ダンパー１６７０ａ、１６７０ｂは、横方向または縱方向を基準に分けられ、図の左側および右側に位置したダンパーでは、＋電源が印加される第１ダンパー１６７０ａは、図の正面を基準に左側部分であり得、−電源が印加される第２ダンパー１６７０ｂは、図の正面を基準に右側部分であり得る。そして、図の中央に位置した第１ダンパー１６７０ａは、右側部分であり得、第２ダンパー１６７０ｂは、左側部分であり得る。例えば、第１ダンパー１６７０ａのそれぞれは、第１配線２４２ａに接続し、第２ダンパー１６７０ｂのそれぞれは、第２配線２４２ｂに接続することができる。例えば、二つの第１ダンパー１６７０ａのそれぞれは、一体的に接続して第１配線２４２ａに接続することができ、二つの第２ダンパー１６７０ｂのそれぞれは、一体的に接続して第２配線２４２ｂに接続することができる。また、ダンパー１６７０ａ、１６７０ｂの形状については、図１０Ａで説明した内容と同一又は類似に適用することができる。
【０１２９】
したがって、本明細書の実施例に係る表示装置は、支持部材の支持ホールなしに音響発生装置を配置することができるので、表示装置の音響発生装置の配置の自由度を向上することができる。
【０１３０】
図１１Ａおよび図１１Ｂは、本明細書の他の実施例に係る音響発生装置を示す図である。
【０１３１】
図１１Ａは、本明細書の他の実施例に係る音響発生装置を上から見た図であり、図１１Ｂは、本明細書の他の実施例に係る音響発生装置を後ろから見た図である。図１１Ａおよび図１１Ｂは、２アレイの音響発生装置を例に挙げて説明する。
【０１３２】
図１１Ａを参照すると、ダンパー１６７０の周囲および中央部中の一つには構造物をさらに配置することができる。例えば、ダンパー１６７０の周辺には、第１構造物１４００を配置することができる。第１構造物１４００は、ダンパー１６７０を囲むように配置することができる。第１構造物１４００は、ダンパー１６７０の剛性を補強することができる。第１構造物１４００は、アルミニウム（Ａｌ）とマグネシウム（Ｍｇ）などで構成することができるが、これらに限定されるものではない。図１１Ａは、２アレイで構成された音響発生装置を示し、一つの音響発生装置で構成する場合には、第１構造物は、ダンパーの周りに配置することができる。ダンパー１６７０の中央部には、少なくとも一つ以上の第２構造物１６７４を配置することができる。例えば、第２構造物は、第２−１構造物１６７４ａ、第２−２構造物１６７４ｂ、第２−３構造物１６７４ｃ、および第２−４構造物１６７４ｄを含むことができる。第２構造物は、ダンパー１６７０の中央部の剛性を補強することができる。図１１Ｂは、２アレイで構成された音響発生装置を示し、一つの音響発生装置で構成する場合には、少なくとも一つの第２構造物は、ダンパー１６７０の中央部に配置することができる。これに限らず、２アレイ以上で音響発生装置を構成する場合には、ダンパー１６７０の周囲および中央部のいずれかは、第１構造物および／または第２構造物を配置することができる。
【０１３３】
第１構造物１４００には、ネジ穴１７２０ａをさらに含むことができる。ネジ穴１７２０ａによって音響発生装置を表示パネル内に配置することができる。ダンパー１６７０上にスリット４０５ｓを配置することができる。スリット４０５ｓは、第２接着部材４０５を取り付けるためのものであり、第２接着部材４０５の気泡を除去することができる。例えば、スリット４０５ｓは、第２接着部材４０５の取付け時に気泡による高音の劣化を防止することができる。スリット４０５ｓの形状や数は、実施例に限定するものではない。他の例としては、スリット４０５ｓは接着部材４０２に構成することもできる。スリット４０５ｓは接着部材４０２の取付け時に気泡による高音の劣化を防止することができる。
【０１３４】
図１１Ｂを参照すると、ヨーク１６１０の周辺に第１構造物１４００を配置することができる。例えば、第１構造物１４００は、フレームまたはヨークの射出物の剛性をさらに強化することができる。例えば、第１構造物１４００は、図１１Ａの第１構造物１４００と一緒にフレームまたはヨークの剛性をより強化することができる。第１構造物１４００は、射出物はインサート射出で構成することができるが、これに限定されるものではない。他の例としては、射出物はネジやボンドなどで締結し、または接着剤で構成することができる。第１構造物１４００は、アルミニウム（Ａｌ）とマグネシウム（Ｍｇ）などで構成することができるが、これらに限定されるものではない。ヨーク１６１０は、プレートまたはフレームであり得、用語に限定されるものではない。
【０１３５】
図１２Ａおよび図１２Ｂは、本明細書の他の実施例に係る音響発生装置を含む表示装置を示す図である。
【０１３６】
図１２Ａを参照すると、本明細書の実施例に係る表示装置６０は、表示パネル１００と音響発生装置１６００を含むことができる。音響発生装置１６００は、プレート１２１０上にあるマグネット１２２０、マグネット１２２０上にあるセンターポール１２３０、マグネット１２２０とセンターポール１２３０の周囲に配置されるボビン１２５０、およびボビン１２５０外郭に巻かれているコイル１２６０などを含むことができる。
【０１３７】
例えば、マグネット１２２０は、プレート１２１０上に配置され、センターポール１２３０は、マグネット１２２０上に配置することができる。センターポール１２３０は、ポールピース（ｐｏｌｅ  ｐｉｅｃｅｓ）とすることもできる。または、センターポール１２３０上にポールピース（ｐｏｌｅ  ｐｉｅｃｅｓ）を配置することもできる。ボビン１２５０は、マグネット１２２０とセンターポール１２３０の周囲を囲むように配置され、コイル１２６０は、ボビン１２５０の外郭に巻取ることができる。フレーム２４０は、プレート１２１０の外側に配置することができる。ダンパー１２７０は、フレーム１２４０とボビン１２５０との間に配置することができる。ダンパー１２７０は、エッジ（ｅｄｇｅ）などの他の用語で表現することができ、用語に限定されるものではない。プレート１２１０は、ヨーク（ｙｏｋｅ）などの他の用語で表現することができ、用語に限定されるものではない。
【０１３８】
音響発生装置１６００のボビン１２５０は、接着部材を介して表示パネル１００に付着または接続することができる。例えば、接着部材は、図１、図６、および図７で説明した接着部材であり得る。例えば、接着部材は、両面テープ（ｄｏｕｂｌｅ−ｓｉｄｅｄ  ｔａｐｅ）、片面テープ（ｓｉｎｇｌｅ−ｓｉｄｅｄ  ｔａｐｅ）、接着剤、および／またはボンド（ｂｏｎｄ）であり得るが、これらに限定されるものではない。接着部材は、音響発生装置１６００のボビン１２５０が表示パネル１００に付着している部分に形成することができるが、これらに限定されるものではない。例えば、接着部材は、表示パネル１００の背面全体に形成するか、または表示パネル１００と音響発生装置１６００との間の全体面に形成することができる。
【０１３９】
音響発生装置１６００が振動する時に発生する熱を減らすか、または減少させるために表示パネル１００の背面には、放熱部材を配置することができる。例えば、放熱部材は、図８および図９で説明した内容と同一又は類似に適用することができる。
【０１４０】
音響発生装置１６００のプレート１２１０を支持部材３００に固定する構造であり、ボビン１２５０が上下に振動することができる。プレート１２１０と支持部材３００がネジ１３２０で固定されているので、音響発生装置１６００の剛性（ｓｔｉｆｆｎｅｓｓ）が高くなり得る。これにより、音響発生装置１６００の共振周波数を下げてもプレート１２１０と支持部材３００が固定されているので、音響発生装置１６００から出力される低音域帯がさらに低くなることがないことを認識した。それで発明者らは、複数の実験を経て、音響発生装置の共振周波数を下げることができ、低音帯域を向上させることができる新しい構造の音響発生装置を発明した。
【０１４１】
したがって、支持部材３００とプレート１２１０がネジ１３２０で連結されているので、音響発生装置の剛性が高くなる問題点を解決するためにプレート１２１０が支持部材３００に固定されていない構造でなければならないことを認識した。音響発生装置１６００を支持部材３００に固定するためには、プレート１２１０が支持部材３００に固定されないで、剛性を下げる方法についていくつかの実験を行った。複数の実験を通じて、プレート１２１０が支持部材３００とネジ１３２０によって固定されないようにし、音響発生装置１６００を支持部材３００に固定することができる構造でなければならないことを認識した。例えば、プレート１２１０は、支持部材３００と離隔するように配置し、音響発生装置１６００と支持部材３００との間に構造物を構成することができる。図１２Ａおよび図１２Ｂを参照すると、音響発生装置１６００のプレート１２１０と支持部材３００は、離隔して配置することができ、音響発生装置１６００と支持部材３００との間に配置する構造物は、例えば、連結部１２８０であり得る。連結部１２８０は、ブリッジ、サスペンション、ダンパーなどであり得、用語に限定されるものではない。連結部１２８０は、金属またはプラスチックであり得るが、これらに限定されるものではない。金属は、例えば、ステンレス鋼（ｓｔａｉｎｌｅｓｓ  ｓｔｅｅｌ）であり得るが、これに限定されるものではない。例えば、連結部１２８０は、プレート１２１０に弾力を与え、剛性を下げることができ、共振周波数を下げて音響発生装置１６００の低音域帯の音響を改善することができる。これに対して、以下の式（１）を参照して説明する。音響発生装置１６００で発生した振動の共振周波数（ｆ０）は、以下の式（１）によって決定することができる。
【０１４２】
【数１】
2020171013.tif 000003
…（１）
【０１４３】
式（１）において、ｋは、物体の剛性（Ｓｔｉｆｆｎｅｓｓ）、ｍは物体の質量（Ｍａｓｓ）であり得る。例えば、音響発生装置１６００は、式（１）に基づいて、物体の剛性（ｋ）を減少させ、または質量（ｍ）を増加させることで、共振周波数を下げることができるので、低音域帯の音響を改善することができる。連結部１２８０は、音響発生装置１６００の剛性を下げて共振周波数を下げることができるので、音響発生装置１６００の低音域帯の音響を改善することができる。他の例としては、音響発生装置１６００は、物体の質量（ｍ）を減少させると同時に、物体の剛性（ｓｔｉｆｆｎｅｓｓ、ｋ）を質量（ｍ）の減少率よりも減少させることで、共振周波数を下げることができる。
【０１４４】
例えば、連結部１２８０は、プレート１２１０と支持部材３００との間に配置することができる。例えば、連結部１２８０は、フレーム１２４０と支持部材３００との間に配置することができ、音響発生装置１６００は、支持部材３００に固定されないので、音響発生装置１６００の剛性を減少させることができる。例えば、連結部１２８０は、フレーム１２４０と支持部材３００との間に配置することができ、プレート１２１０を支持部材３００に固定させず、音響発生装置１６００の剛性を減少させることができる。例えば、連結部１２８０の一側は、支持部材３００に固定することができ、連結部１２８０の他側はフレーム１２４０に連結することができる。例えば、連結部１２８０の一側は、支持部材３００に固定することができ、連結部１２８０の他側はフレーム１２４０に固定されないことがあり得、音響発生装置１６００の振動によって振動することができる。例えば、プレート１２１０は、連結部１２８０によって固定されず、振動することができるので、音響発生装置１６００の振動によって振動することができる。例えば、連結部１２８０は、音響発生装置１６００が上下に振動するようにプレート１２１０または支持部材３００より相対的に薄い厚さを有することができる。例えば、連結部１２８０は、フレーム１２４０より相対的に薄い厚さを有することができる。例えば、連結部１２８０は、メタルワイヤ（ｍｅｔａｌ  ｗｉｒｅ）またはメタルストラップ（ｍｅｔａｌ  ｓｔｒａｐ）であり得る。
【０１４５】
支持部材３００の下部には、結合部材１３１０を配置することができる。結合部材１３１０は、ネジ１３２０とナット１３３０を含むことができる。ナット１３３０は、例えば、セルフクリンチングナット（ｓｅｌｆ−ｃｌｉｎｃｈｉｎｇ  ｎｕｔ）であり得る。セルフクリンチングナットの一例は、ペムナット（ＰＥＭｎｕｔ）であり得るが、実施例に限定されるものではない。ナット１３３０は、支持部材３００に圧入形態で締結することができるが、これに限定されるものではない。音響発生装置１６００と支持部材３００は、結合部材１３１０によって結合することができる。連結部１２８０は、ネジ１３２０に連結することができる。結合部材１３１０は、連結部材であり得、用語に限定されるものではない。
【０１４６】
図１２Ａを参照すると、連結部１２８０は、結合部材１３１０とフレーム１２４０の間に配置することができる。例えば、連結部１２８０は、結合部材１３１０とフレーム１２４０の下部との間に配置することができる。例えば、連結部１２８０は、フレーム１２４０の下部の外郭からネジ１３２０まで延長することができる。したがって、連結部１２８０は、フレーム１２４０によって囲まれるプレート１２１０を安定的に支持することができ、プレート１２１０に弾力を与え、音響発生装置１６００の剛性を下げることができる。例えば、連結部１２８０は、プレート１２１０に弾力を与え、音響発生装置１６００の剛性を下げることができ、音響発生装置１６００の全体を振動させることができる。例えば、連結部１２８０は、音響発生装置１６００の振動によって変形することができるので、音響発生装置１６００の全体を振動させることができる。例えば、連結部１２８０は、音響発生装置１６００の振動によって振動することができるので、音響発生装置１６００の全体を振動させることができる。これにより、低音域帯の音響が改善された表示装置を提供することができる。これに比べてプレートが支持部材に固定されている場合には、ボビンが上下に振動して表示パネルを振動させることができるので、低音域帯の音響の音圧レベルが低くなる。例えば、プレートが支持部材に固定されている場合と比較しても、図１２Ａの音響発生装置である場合には、１００Ｈｚで約１５ｄＢの音圧を向上することができる。
【０１４７】
図１２Ｂを参照すると、連結部１２８０は、複数個で構成することができる。複数の連結部１２８０は、支持部材３００とフレーム１２４０の間に配置することができる。例えば、複数の連結部１２８０は、支持部材３００とフレーム１２４０の間で同一平面上に配置することができ、互いに離隔して配置することができる。例えば、複数の連結部１２８０の間には、空間を形成することができる。例えば、複数の連結部１２８０の間には、同一平面上の空間を形成することができる。例えば、支持部材３００および、複数の連結部１２８０の間には、空間を形成することができる。例えば、音響発生装置１６００、支持部材３００、および複数の連結部１２８０の間には、空間を形成することができる。
【０１４８】
例えば、音響発生装置１６００は、プレート１２１０、マグネット１２２０、センターポール１２３０、フレーム１２４０、ボビン１２５０、コイル１２６０、ダンパー１２７０、およびフレーム１２４０と連結する連結部１２８０を含むことができる。連結部１２８０は、ネジ１３２０を収容することができるホームまたはホールを含むことができる。例えば、図１２Ｂに示すようにネジ１３２０を収容することができるホームまたはホールは連結部１２８０に配置することができる。例えば、連結部１２８０は、フレーム１２４０に連結する二つ以上の第１連結部１２８０ａおよびフレーム１２４０の外郭に沿って配置された第２連結部１２８０ｂを含むことができる。このように構成する場合、フレーム１２４０に対する支持力を相互に補完することができ、フレーム１２４０によって囲まれるプレート１２１０を安定的に支持して、プレート１２１０に弾力を与え、音響発生装置１６００の剛性を下げることができる。これに限らず、音響発生装置１６００は、フレーム１２４０に連結する連結部１２８０を含む音響発生装置で構成することができ、プレート１２１０に弾力を与え、音響発生装置１６００の剛性を下げることができるので、音響発生装置１６００の低音域帯の音響を向上させることができる。
【０１４９】
フレーム１２４０は、円形、四角形、および角が丸い四角形を有することができ、形状に限定されるものではない。フレーム１２４０が四角形または角が丸い四角形の場合、フレーム１２４０の下部には、４つの角を有する四角形または角が丸い四角形を有することができ、連結部１２８０は、ネジ１３２０とフレーム１２４０の角それぞれの間に配置することができる。例えば、連結部１２８０は、フレーム１２４０の四隅のそれぞれとネジ１３２０との間に配置することができる。連結部１２８０は、フレーム１２４０の形状に沿ってフレーム１２４０の周囲に配置することができ、フレーム１２４０の周辺に配置する連結部１２８０は、フレーム１２４０にあるネジ１３２０の間に配置することができる。例えば、フレーム１２４０が四角形または角が丸い四角形の場合、連結部１２８０は、フレーム１２４０の四角形または角が丸い四角形に沿ってフレーム１２４０の周囲に配置することができ、フレーム１２４０の周辺に配置する連結部１２８０は、フレーム１２４０の四つの角それぞれに対応するネジ１３２０の間に配置することができる。他の例としては、連結部１２８０は、フレーム１２４０の形状に沿ってフレーム１２４０の外郭に配置することができ、フレーム１２４０の外郭に配置される連結部１２８０は、フレーム１２４０のネジ１３２０の間に配置することができる。例えば、フレーム１２４０が四角形または角が丸い四角形の場合、連結部１２８０は、フレーム１２４０の四角形または角が丸い四角形に沿ってフレーム１２４０の外郭に配置することができ、フレーム１２４０の外郭に配置される連結部１２８０は、フレーム１２４０の四隅のそれぞれにあるネジ１３２０の間に配置することができる。これに限らず、連結部１２８０は、フレーム１２４０の角以外の部分にも配置することができる。例えば、フレーム１２４０が四角形または角が丸い四角形の場合は、連結部１２８０は、フレーム１２４０と結合部材１３１０との間に配置することができ、連結部１２８０は、フレーム１２４０と結合部材１３１０との間のどの位置でも可能である。例えば、フレーム１２４０が円形である場合には、連結部１２８０は、フレーム１２４０と結合部材１３１０との間に配置することができ、連結部１２８０は、フレーム１２４０と結合部材１３１０との間のどの位置でも可能である。フレーム１２４０の四つ角のそれぞれとネジ１３２０との間に配置される連結部１２８０とフレーム１２４０の外郭に配置される連結部１２８０は、一体に構成することができる。例えば、フレーム１２４０の四つの角それぞれとネジ１３２０との間に配置される連結部１２８０とフレーム１２４０の外郭に配置される連結部１２８０は、レーザー工程を通じて一体に構成することができる。これに限らず、連結部１２８０は、レーザー、エッチング、および金型を用いた打ち抜きの形態に構成することもできる。したがって、連結部１２８０は、複数個構成することにより、フレーム１２４０に対する支持力を相互に補完することができ、フレーム１２４０によって囲まれるプレート１２１０を安定的に支持して、プレート１２１０に弾力を与え、音響発生装置１６００の剛性を下げることができる。
【０１５０】
図１２Ａを参照すると、支持部材３００と表示パネル１００との間にパーティション７００を配置することができる。パーティション７００は、表示パネル１００が振動する時に音響が発生するエアギャップ（ａｉｒ  ｇａｐ）またはスペース（ｓｐａｃｅ）であり得る。図５と比較して音響発生装置１６００の振動は、音響発生装置１６００の全体（Ｖ２）を振動させることができるので、音響発生装置１６００の音響出力特性をさらに向上することができる。例えば、音響発生装置１６００は、プレート１２１０、マグネット１２２０、センターポール１２３０、フレーム１２４０、ボビン１２５０、コイル１２６０、およびダンパー１２７０によって表示パネル１００を振動させて音響を出力することができるので、音響出力特性をより向上させることができ、低音域帯の音響出力特性が改善された表示装置６０を提供することができる。
【０１５１】
図１３は、本明細書の他の実施例に係る音響発生装置を含む表示装置を示す図である。
【０１５２】
図１３を参照すると、本明細書の実施例に係る表示装置７０は、表示パネル１００と音響発生装置１６００を含むことができる。音響発生装置１６００は、第１部分２４ａ、第２部分２４ｂ、第１電極２１、および第２電極２３を含むことができる。図１３の音響発生装置は、フィルム型音響発生装置または圧電型音響発生装置であり得、用語に限定されるものではない。
【０１５３】
複数の第１部分２４ａ、および複数の第１部分２４ａとの間にそれぞれ配置された複数の第２部分２４ｂを含むことができる。複数の第１部分２４ａのそれぞれは、多角形態のパターンを含むことができる。例えば、複数の第１部分２４ａのそれぞれは、所定の広さ（または間隔）を有するラインパターン（ｌｉｎｅ  ｐａｔｔｅｒｎ）であり得、複数の第１部分２４ａのそれぞれは、所定の広さ（または間隔）を有するように、互いに離隔して配置することができる。例えば、複数の第１部分２４ａのそれぞれは、製造工程で発生する工程誤差（または許容誤差）の範囲内ですべて同じ大きさ、例えば、広さ、面積、または体積を有することができる。
【０１５４】
音響発生装置１６００は、圧電特性を有する第１部分２４ａおよび第１部分２４ａの間に配置され、フレキシビリティを有する第２部分２４ｂを含むことができる。例えば、複数の第１部分２４ａのそれぞれは、電界による圧電効果（ｐｉｅｚｏｅｌｅｃｔｒｉｃ  ｅｆｆｅｃｔ）（または圧電特性）によって振動する無機物質または圧電物質を含むことができる。例えば、複数の第１部分２４ａのそれぞれは、電気活性部、無機物質部、圧電材料部、または振動部などで表現することができるが、これらに限定されるものではない。
【０１５５】
複数の第１部分２４ａのそれぞれは、相対的に高い振動の実現が可能なセラミック系の材料で構成するか、またはペロブスカイト（ｐｅｒｏｖｓｋｉｔｅ）系の結晶構造を有する圧電セラミックスで構成することができる。ペロブスカイト結晶構造は、圧電および逆圧電効果を有し、配向性を有する板状の構造であり得る。ペロブスカイト結晶構造は、ＡＢＯ３の化学式で表され、Ａは２価の金属元素からなり、Ｂは４価の金属元素からなることができる。例えば、ＡおよびＢはカチオンであり得、Ｏはアニオンであり得る。例えば、ＰｂＴｉＯ３、ＰｂＺｒＯ３、ＢａＴｉＯ３、およびＳｒＴｉＯ３のうちの少なくとも一つを含むことができるが、これらに限定されるものではない。
【０１５６】
ペロブスカイト結晶構造は、外部応力または磁場によって中央に配置されたイオン、例えば、ＰｂＴｉＯ３の場合、Ｔｉイオンの位置が変動して分極（ｐｏｌａｒｉｚａｔｉｏｎ）が変化して圧電効果を発生することができる。例えば、ペロブスカイト結晶構造は、外部応力または磁界によって対称的な（ｓｙｍｍｅｔｒｉｃ）構造であるキュービック（ｃｕｂｉｃ）形状から対称ではない（ｕｎｓｙｍｍｅｔｒｉｃ）構造の四角形（ｔｅｔｒａｇｏｎａｌ）、直方形（ｏｒｔｈｏｒｈｏｍｂｉｃ）、および菱形（ｒｈｏｍｂｏｈｅｄｒａｌ）などの形状に変わることにより、圧電効果を発生することができる。対称ではない構造を有する四角形（ｔｅｔｒａｇｏｎａｌ）および菱形（ｒｈｏｍｂｏｈｅｄｒａｌ）の相転移境界領域（Ｍｏｒｐｈｏｔｒｏｐｉｃ  Ｐｈａｓｅ  Ｂｏｕｎｄａｒｙ）で分極が高く、分極の再配列が容易なので、高い圧電特性を有することができる。
【０１５７】
一例としては、複数の第１部分２４ａのそれぞれに構成される無機物質部は、鉛（Ｐｂ）、ジルコニウム（Ｚｒ）、チタン（Ｔｉ）、亜鉛（Ｚｎ）、ニッケル（Ｎｉ）、マンガン（Ｍｎ）、およびニオブ（Ｎｂ）のうち１種以上を含むことができるが、これらに限定されるものではない。
【０１５８】
他の例としては、複数の第１部分２４ａのそれぞれに構成される無機物質部は、鉛（Ｐｂ）、ジルコニウム（Ｚｒ）、およびチタン（Ｔｉ）を含むＰＺＴ（ｌｅａｄ  ｚｉｒｃｏｎａｔｅ  ｔｉｔａｎａｔｅ）系物質、または鉛（Ｐｂ）、亜鉛（Ｚｎ）、ニッケル（Ｎｉ）、マンガン（Ｍｎ）、およびニオブ（Ｎｂ）を含むＰＺＮＮ（ｌｅａｄ  ｚｉｒｃｏｎａｔｅ  ｎｉｃｋｅｌ  ｎｉｏｂａｔｅ）系物質を含むことができるが、これらに限定されるものではない。また、無機物質部は、鉛（Ｐｂ）を含まないＣａＴｉＯ３、ＢａＴｉＯ３、およびＳｒＴｉＯ３のうちの少なくとも一つを含むことができるが、これらに限定されるものではない。
【０１５９】
複数の第２部分２４ｂのそれぞれは、多角形態のパターンを含むことができる。複数の第２部分２４ｂのそれぞれは、複数の第１部分２４ａの間に配置することができる。複数の第１部分２４ａと、複数の第２部分２４ｂのそれぞれは、同一平面（または同一層）に互いに並んで配置（または配列）することができる。複数の第２部分２４ｂのそれぞれは、隣接する二つの第１部分２４ａの間のギャップを埋めるように構成することにより、隣接する第１部分２４ａと連結または接着することができる。例えば、複数の第２部分２４ｂのそれぞれは、所定の広さ（または間隔）を有するラインパターンであり得、第１部分２４ａを間に置いて互いに並んで配置することができる。複数の第２部分２４ｂのそれぞれは、製造工程で発生する工程誤差（または許容誤差）の範囲内ですべて同じ大きさ、例えば、広さ、面積、または体積を有することができる。
【０１６０】
第２部分２４ｂの大きさは、第１部分２４ａの大きさと、互いに同一または異なることができる。例えば、第１部分２４ａと第２部分２４ｂのそれぞれの大きさは、音響発生装置１６００の振動特性および／または柔軟性などの要求条件に応じて設定することができる。例えば、音響発生装置１６００の振動特性が、柔軟性よりも求められる場合には、第１部分２４ａの大きさを第２部分２４ｂの大きさよりも大きく設定することができる。他の例としては、音響発生装置１６００の柔軟性が振動特性よりも求められる場合には、第２部分２４ｂの大きさを第１部分２４ａの大きさよりも大きく設定することができる。したがって、音響発生装置に求められる特性に応じて、音響発生装置１６００の設計上の自由度が向上し得る。
【０１６１】
複数の第２部分２４ｂのそれぞれに構成される有機物質部は、第１部分２４ａである無機物質部と比較して柔軟な特性を有する有機物質または有機ポリマー（ｐｏｌｙｍｅｒ）で構成することができる。例えば、複数の第２部分２４ｂのそれぞれは、有機物質、有機ポリマー、有機圧電物質、または有機非圧電物質を含むことができる。例えば、複数の第２部分２４ｂのそれぞれは、フレキシビリティを有する接着部、伸縮部、曲げ部、ダンピング部、または軟性部などで表現することができるが、これらに限定されるものではない。
【０１６２】
有機物質部は、有機圧電材料および有機非圧電材料中の少なくとも一つを含むことができる。有機圧電材料を含む有機物質部は、無機物質部（または第１部分）への衝撃を吸収することにより、音響発生装置１６００の全体の耐久性を向上させることができ、一定のレベルの圧電特性を提供することができる。例えば、有機圧電材料は、電気活性特性を有する有機材料であり得る。例えば、有機物質部は、ＰＶＤＦ（Ｐｏｌｙｖｉｎｙｌｉｄｅｎｅ  ｆｌｕｏｒｉｄｅ）、ベータ−ＰＶＤＦ（β−Ｐｏｌｙｖｉｎｙｌｉｄｅｎｅ  ｆｌｕｏｒｉｄｅ）、ＰＶＤＦ−ＴｒＦＥ（Ｐｏｌｙｖｉｎｙｌｉｄｅｎｅ−ｔｒｉｆｌｕｏｒｏｅｔｈｙｌｅｎｅ）、およびＰＶＤＦ−ＴｒＦＥ−ＣＦＥ（Ｐｏｌｙｖｉｎｙｌｉｄｅｎｅ−ｔｒｉｆｌｕｏｒｏｅｔｈｙｌｅｎｅ−ｃｈｌｏｒｏ  ｆｌｕｏｒｏ  ｅｔｈｙｌｅｎｅ）中の少なくとも一つを含むことができるが、これらに限定されるものではない。
【０１６３】
有機非圧電物質を含む有機物質部は、硬化性樹脂組成物およびこれを含む接着剤で構成することにより無機物質部（または第１部分）への衝撃を吸収するので、音響発生装置１６００の全体の耐久性を向上させることができる。例えば、有機非圧電材料は、エポキシ系ポリマー、アクリル系ポリマー、およびシリコン系ポリマー中の少なくとも一つを含むことができるが、これらに限定されるものではない。したがって、無機物質からなり、圧電特性を有する第１部分２４ａと、有機物質からなるフレキシビリティを有する第２部分２４ｂを交互に繰り返して連結することにより、音響発生装置１６００は、薄いフィルム形態を有し、表示装置の表示パネル１００に対応する大きさを有するか、表示パネル１００に設定された振動特性または音響特性を実現可能な大きさを有することができる。
【０１６４】
第１電極２１は、第１部分２４ａと第２部分２４ｂの第１面（または前面）上に配置され、複数の第１部分２４ａのそれぞれの第１面と電気的に接続することができる。例えば、第１電極２１は、透明導電性物質、半透明導電性物質、または不透明導電性物質からなることができる。例えば、透明または半透明の導電性物質は、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）を含むことができるが、これらに限定されるものではない。不透明導電性物質は、アルミニウム（Ａｌ）、銅（Ｃｕ）、金（Ａｕ）、銀（Ａｇ）、モリブデン（Ｍｏ）、またはマグネシウム（Ｍｇ）などを含むか、またはこれらの合金からなり得るが、これらに限定されるものではない。
【０１６５】
第２電極２３は、第１部分２４ａと第２部分２４ｂの第１面とは反対の第２面（または背面）上に配置され、複数の第１部分２４ａのそれぞれの第２面と電気的に接続することができる。例えば、第２電極２３は、透明導電性物質、半透明導電性物質、または不透明導電性物質からなることができる。例えば、第２電極２３は、第１電極２１と同一の物質からなることができる。
【０１６６】
音響発生装置１６００は、第１保護膜２５および第２保護膜２７をさらに含むことができる。
【０１６７】
第１保護膜２５は、第１電極２１上に配置され、第１部分２４ａと第２部分２４ｂの第１面を保護することができる。例えば、第１保護膜２５は、ＰＩ（ｐｏｌｙｉｍｉｄｅ）フィルムまたはＰＥＴ（ｐｏｌｙｅｔｈｙｌｅｎｅｔｅｒｅｐｈｔｈａｌａｔｅ）フィルムであり得るが、これに限定されるものではない。
【０１６８】
第２保護膜２７は、第２電極２３上に配置され、第１部分２４ａと第２部分２４ｂの第２面を保護することができる。例えば、第２保護膜２７は、ＰＩ（ｐｏｌｙｉｍｉｄｅ）フィルムまたはＰＥＴ（ｐｏｌｙｅｔｈｙｌｅｎｅｔｅｒｅｐｈｔｈａｌａｔｅ）フィルムであり得るが、これに限定されるものではない。
【０１６９】
図１４Ａおよび図１４Ｂは、本明細書の他の実施例に係る音響発生装置を示す図である。
【０１７０】
本明細書の実施例に係る音響発生装置１８００は、ウーファー一体型音響発生装置、ハイブリッド音響発生装置、およびウーファーを含む音響発生装置であり得、用語に限定されるものではない。図１４Ａは、音響発生装置の正面図であり、図１４Ｂは、音響発生装置の断面図である。
【０１７１】
図１４Ａおよび図１４Ｂを参照すると、音響発生装置１８００は、第１音響発生モジュール１８０１および第２音響発生モジュール１８０２を含むことができる。例えば、第１音響発生モジュール１８０１は、表示パネルの背面に配置することができ、第２音響発生モジュール１８０２は、表示パネルの背面から離隔して配置することができる。
【０１７２】
音響発生装置１８００は、第１音響発生モジュール１８０１および第２音響発生モジュール１８０２を収容することができるフレームを含むことができる。フレームは、第１音響発生モジュール１８０１および第２音響発生モジュール１８０２の下側を支持する下部フレーム１６１０ａおよび下部フレーム１６１０ａと結合する側面フレーム１６１０ｂを含むことができる。フレームはヨークであり得、用語に限定されるものではない。
【０１７３】
下部フレーム１６１０ａは、マグネット１６２０を支持することができる。マグネット１６２０は、第１音響発生モジュール１８０１および第２音響発生モジュール１８０２が共有することができる。例えば、第１音響発生モジュール１８０１のボビン１６５０ａ、およびボビン１６５０ａの周囲にあるコイル１６６０ａは、マグネット１６２０の周囲に配置することができる。例えば、第２音響発生モジュール１８０２の第２ボビン１６５０ｂ、および第２ボビン１６５０ｂの周囲にある第２コイル１６６０ｂは、マグネット１６２０の周囲に配置することができる。例えば、下部フレーム１６１０ａおよびプレート１６１１のそれぞれは、マグネット１６２０の下側および上側のそれぞれに配置され、マグネット１６２０、コイル１６６０ａおよび第２コイル１６６０ｂを介して形成される磁束密度を増加させて振動特性を向上させることができる。下部フレーム１６１０ａは、ヨーク（ｙｏｋｅ）であり得、用語に限定されるものではない。
【０１７４】
側面フレーム１６１０ｂは、下部フレーム１６１０ａと結合され、音響発生のための少なくとも一つのホール２１７を含むことができる。例えば、ホール２１７は、通気口であり得る。例えば、ホール２１７は、音響発生装置１８００の内部にあるエアギャップで第２音響発生モジュール１８０２の振動板２１４ｂによって発生した低音域帯の音響を表示パネル１００の後方に出力することができる。
【０１７５】
側面フレーム１６１０ｂは、導電性物質で構成されてマグネット１６２０で生成される磁束を制御することができる。例えば、側面フレーム１６１０ｂは、マグネット１６２０を離隔するように囲むことにより、マグネット１６２０で発生する磁束を第２ボビン１６５０ｂ内に集中させ、漏れ磁束を抑制することができる。側面フレーム１６１０ｂは、ヨーク（ｙｏｋｅ）であり得、用語に限定されるものではない。ホール２１７は、側面フレーム１６１０ｂに形成するだけでなく、下部フレーム１６１０ａに形成することができ、側面フレーム１６１０ｂおよび下部フレーム１６１０ａが結合される領域に形成することができる。側面フレーム１６１０ｂは、ナットなどの結合部材１７１０を介して支持部材に連結し、または支持部材と表示パネルとの間に配置することができる。
【０１７６】
第１音響発生モジュール１８０１は、フレーム上に配置されるマグネット１６２０、マグネット１６２０の周囲にあるボビン１６５０ａ、およびボビン１６５０ａの周囲にあるコイル１６６０ａおよびダンパー１６７０ａなどを含むことができる。例えば、これに対する説明は、図２Ａおよび図２Ｂ、図６、および図７〜図１２で説明した内容と同様なので、ここでは詳細な説明を省略し、または簡略にすることができる。
【０１７７】
マグネット１６２０は、下部フレーム１６１０ａ上に配置することができる。例えば、マグネット１６２０は、プレート１６１１および下部フレーム１６１０ａの間に介在することができる。下部フレーム１６１０ａおよびプレート１６１１は、マグネット１６２０で生成される磁束を制御することができる。例えば、マグネット１６２０は、下部フレーム１６１０ａおよびプレート１６１１によって囲むことにより、マグネット１６２０で発生する磁束がボビン１６５０ａ内に集中して漏洩磁束を抑制することができる。
【０１７８】
ボビン１６５０ａは、ボビンリング１６５２ａの背面に付着することができる。例えば、ボビン１６５０ａの外周面に巻き取られたコイル１６６０ａに音響発生用の電流が流れ、第１音響発生モジュール１８０１内に磁場が形成されると、磁場によってボビンリング１６５２ａを媒介としてして表示パネルを振動させることができる。ボビンリング１６５２ａは、ボビン１６５０ａおよび表示パネルとの間に介在して、ボビン１６５０ａの振動を表示パネルに伝達することができる。第１音響発生モジュール１８０１は、中高音域帯の音響を出力することができる。
【０１７９】
第２音響発生モジュール１８０２は、フレーム上に配置されるマグネット１６２０、マグネット１６２０上にあるプレート１６１１、マグネット１６２０の周囲にある第２ボビン１６５０ｂ、および第２ボビン１６５０ｂの周囲にある第２コイル１６６０ｂおよび第２ダンパー１６７０ｂなどを含むことができる。
【０１８０】
第２ボビン１６５０ｂ上に振動板２１４ｂを配置することができる。例えば、振動板２１４ｂは、表示パネルの背面から離隔して配置することができ、第２ボビン１６５０ｂで発生する熱が表示パネルに伝達されないように遮断することができる。
【０１８１】
第２ボビン１６５０ｂの外周面に巻き取られたコイル１６６０ｂに音響発生用の電流が流れ、第２音響発生モジュール１８０２内に磁場が形成されると、磁場によって振動板２１４ｂを介して振動板周辺部の空気層またはエアギャップを振動させて音響を出力することができる。例えば、第２ボビン１６５０ｂの前面（Ｆｒｏｎｔ  Ｓｕｒｆａｃｅ）は、振動板２１４ｂに接触して電流の有無に応じて、振動板２１４ｂを振動させることができる。第２音響発生モジュール１８０２は、振動板２１４ｂの前方および後方に音響を出力することができる。例えば、第２音響発生モジュール１８０２は、低音域帯の音響を出力することができる。例えば、第２音響発生モジュール１８０２の振動板２１４ｂによって発生した音響は、振動板２１４ｂの上側に伝播される第１低音および振動板２１４ｂの下側に伝播される第２低音を含むことができる。例えば、第２音響発生モジュール１８０２は、ウーファー（Ｗｏｏｆｅｒ）であり得、用語に限定されない。
【０１８２】
マグネット１６２０は、下部フレーム１６１０ａ上に配置することができる。プレート１６１１は、振動板２１４ｂと離隔して配置することができる。第２ボビン１６５０ｂは、振動板２１４ｂの背面に配置することができる。例えば、第２ボビン１６５０ｂは、マグネット１６２０およびプレート１６１１を囲むことができる。
【０１８３】
第２ダンパー１６７０ｂは、第１音響発生モジュール１８０１と第２音響発生モジュール１８０２との間に配置することができる。例えば、第２ダンパー１６７０ｂは、第１音響発生モジュール１８０１の第１ダンパー１６７０ａおよび第２音響発生モジュール１８０２の第２ボビン１６５０ｂの間に配置することができる。例えば、第２ダンパー１６７０ｂは、第１音響発生モジュール１８０１と第２音響発生モジュール１８０２の振動板２１４ｂとの間に配置することができる。振動板２１４ｂは、第１音響発生モジュール１８０１と物理的に接触しないことがあり得る。例えば、第２ダンパー１６７０ｂは、第１音響発生モジュール１８０１と第２音響発生モジュール１８０２との音響干渉を防止することができる。振動板２１４ｂ上には、エッジ１６７０ｃを配置することができる。エッジ１６７０ｃは、振動板２１４ｂが上下運動する時、振動板２１４ｂのゆがみなどの変形を防止することができるので、クリアな音質を提供することができ、音響発生装置１８００の信頼性を向上させることができる。第２ダンパー１６７０ｂは、第１サスペンションであり得、エッジ１６７０ｃは、第２サスペンションであり得る。
【０１８４】
第１音響発生モジュール１８０１のマグネット１６２０ａおよび第２音響発生モジュール１８０２の第２マグネット１６２０ｂは、互いに反対方向の磁界を有することができる。第１音響発生モジュール１８０１は、表示パネルを直接振動させて高音域帯の音響を表示パネルの前方に出力することができ、第２音響発生モジュール１８０２は、低音域帯の音響を表示パネルの後方に出力することができる。したがって、第１音響発生モジュール１８０１および第２音響発生モジュール１８０２は、互いに反対方向の磁界を有することで、第１音響発生モジュール１８０１および第２音響発生モジュール１８０２の振動を独立して駆動または制御することができる。
【０１８５】
したがって、ウーファー一体型音響発生装置は、音響発生装置の周辺にウーファーを配置することができる。音響発生装置は、表示パネルの背面に配置して中高音域帯の音響を発生させることができ、ウーファーは表示パネルの背面に離隔して配置し、上下振動によって低音域帯の音響を発生させることができる。例えば、音響発生装置とウーファーは、異なる音響信号またはボイス信号を印加して駆動することができる。したがって、ウーファー一体型音響発生装置によって低音域帯の音響を向上することができる。
【０１８６】
図６〜図１３で説明した音響発生装置を表示装置に適用した場合、三つの領域のうちの少なくとも二つの領域に音響発生装置を構成することができる。例えば、音響発生装置は、表示装置の左側領域および右側領域に配置することができ、左右の音響を表示パネルの前方に出力することができる。この場合、表示パネルの左右方向の音響は出力され得るが、表示パネルの上下方向の音響は出力されない問題があることを認識した。表示パネルの上下方向の音響を向上させるために、いくつかの音響発生装置を配置することができるが、いくつかの音響発生装置を配置する場合、表示装置の厚さが厚くなる問題が生じる。また、立体音響を出力するために、既存のスピーカーを表示装置の周辺に追加で配置することができる。既存のスピーカーは、所望の周波数に応じた使用者との距離を調整しなければならないので、使用者の位置や映像の位置に応じて、スピーカーを配置しなければならない問題があった。そこで、本明細書の発明者らは表示装置の厚さが厚くならず、映像による左右音響および上下音響を実現できる音響発生装置を実現するためにいくつかの実験を行った。例えば、音響は表示装置または表示パネルの左、右、上、および下に出力することができ、サウンド（音響）を実現できる。複数の実験を通じて左右音響および上下音響を実現できる新しい構造の音響発生装置を含む表示装置を発明した。これに対して、図１５Ａ〜図２７Ｉを参照して説明する。
【０１８７】
以下の実施例では、図１５Ａ〜図１５Ｉで説明した内容を例に挙げて説明し、図１６Ａ〜図２７Ｉの実施例でも同一又は類似に適用することができる。
【０１８８】
図１５Ａ〜図１５Ｉは、本明細書の実施例に係る音響発生装置と、パーティションの例を示す図である。
【０１８９】
図１５Ａ〜図１５Ｉを参照すると、表示パネルは、映像を表示し、第１領域１、第２領域２、第３領域３、第４領域４、および第５領域５を含むことができる。例えば、表示パネルの背面は、第１領域１〜第６領域６を含むことができる。第１領域１〜第６領域６は、同じ面積を有することができるが、これに限定されるものではない。例えば、第１領域１〜第６領域６は、同じ間隔を有するように配置することができる。このように構成する場合、第１領域１〜第６領域６に配置される音響発生装置のすべてのチャンネルが同じ周波数領域を再生または出力することができるので、チャンネル間の音響の調和を均一に構成することができる。これにより、音響効果があるとき（例えば、音場が広くなる場合）と音響効果がない場合（例えば、音場が広くない場合）の音質の差を小さくすることができ、均一または、一定の音質を実現することができる。他の例としては、第１領域１、第２領域２、第３領域３が、第４領域４、第５領域５、および第６領域６よりも大きい面積を有することができる。このように構成する場合、左右のステレオの低音領域を強化することができるので、音響効果がない一般音響の音質を向上させることができる。他の例としては、第４領域４、第５領域５、および第６領域６が、第１領域１、第２領域２、および第３領域３よりも小さい面積を有することができる。このように構成する場合、音響効果を担当するチャンネルの低音領域を強化することができるので、音響効果のある音を再生する場合、音を表現する空間である音場が広くなり得、音の位置を表現する音響効果を向上させることができる。したがって、第１領域１〜第６領域６は、所望の音域に応じて大きさを調節することができる。例えば、第１領域１および第４領域４は、表示パネルの背面の左側領域であり得る。例えば、第２領域２および第５領域５は、表示パネルの背面の右側領域であり得る。例えば、第３領域３および第６領域６は、表示パネルの背面の中央領域であり得る。これに対する説明は、図１５Ａ〜図１８Ｉで、同一または類似に適用することができる。
【０１９０】
第１領域１、第２領域２、第３領域３、第４領域４、第５領域５、および第６領域６のうち少なくとも一つの領域には、少なくとも一つの音響発生装置を配置することができる。以下の実施例は、音響発生装置を表示パネルの背面に配置することを例に説明し、これに限らず、音響発生装置は、表示パネルと支持部材との間に配置することができる。例えば、音響発生装置は、表示パネルの背面と支持部材の前面との間に配置することができる。例えば、第１音響発生装置１６００Ｌは、表示パネルの背面の第１領域１に配置することができ、第４音響発生装置１６００ＨＬは表示パネルの背面の第４領域４に配置することができる。第２音響発生装置１６００Ｒは、表示パネルの背面の第２領域２に配置することができ、第５音響発生装置１６００ＨＲは、表示パネルの背面の第５領域５に配置することができる。第３音響発生装置１６００Ｃは、表示パネルの背面の第３領域３に配置することができる。第１音響発生装置１６００Ｌは、表示パネルの左側（Ｌｅｆｔ）チャンネルであり、第４音響発生装置１６００ＨＬは、表示パネルの上左側（Ｈｅｉｇｈｔ  ＬｅｆｔまたはＴｏｐ  Ｌｅｆｔ）チャンネルであり得る。第２音響発生装置１６００Ｒは、表示パネルの右側（Ｒｉｇｈｔ）チャンネルであり、第５音響発生装置１６００ＨＲは、表示パネルの上右側（Ｈｅｉｇｈｔ  ＲｉｇｈｔまたはＴｏｐ  Ｒｉｇｈｔ）チャンネルであり得る。第３音響発生装置１６００Ｃは、表示パネルの中央（ｃｅｎｔｅｒ）チャンネルであり得る。
【０１９１】
例えば、第１音響発生装置１６００Ｌは、第４音響発生装置１６００ＨＬと対称に配置することができるが、これに限定されるものではない。例えば、第１音響発生装置１６００Ｌは、第４音響発生装置１６００ＨＬと同一線上に整列することができるが、これに限定されるものではない。例えば、第２音響発生装置１６００Ｒは、第５音響発生装置１６００ＨＲと対称に配置することができるが、これに限定されるものではない。例えば、第２音響発生装置１６００Ｒは、第５音響発生装置１６００ＨＲと同一線上に整列することができるが、これに限定されるものではない。例えば、第１音響発生装置１６００Ｌおよび第４音響発生装置１６００ＨＬは、第２音響発生装置１６００Ｒおよび第５音響発生装置１６００ＨＲと対称に配置することができるが、これに限定されるものではない。例えば、第１音響発生装置１６００Ｌおよび第２音響発生装置１６００Ｒは、第３音響発生装置１６００Ｃと同一線上に整列することができるが、これに限定されるものではない。
【０１９２】
図１５Ａ〜図１５Ｉで第１音響発生装置１６００Ｌ、第２音響発生装置１６００Ｒ、第３音響発生装置１６００Ｃ、第４音響発生装置１６００ＨＬ、および第５音響発生装置１６００ＨＲは、図５〜図１３で説明した楕円形の音響発生装置、一対の音響発生装置、円形の音響発生装置、シングルタイプの音響発生装置、２アレイ以上の音響発生装置、およびフィルム型音響発生装置の少なくとも一つ以上を含むことができる。楕円形（ｏｖａｌ  ｓｈａｐｅ）は、楕円形（ｅｌｌｉｐｔｉｃａｌ  ｓｈａｐｅ）、先端が丸い四角形（ｒｅｃｔａｎｇｕｌａｒ  ｓｈａｐｅ  ｗｉｔｈ  ｒｏｕｎｄｅｄ  ｃｏｒｎｅｒｓ）、または幅が高さと異なる非円形の曲線型（ｎｏｎ−ｃｉｒｃｕｌａｒ  ｃｕｒｖｅｄ  ｓｈａｐｅ  ｈａｖｉｎｇ  ａ  ｗｉｄｔｈ  ｄｉｆｆｅｒｅｎｔ  ｆｒｏｍ  ｉｔｓ  ｈｅｉｇｈｔ）を含むことができ、実施例がこれに限定されない。例えば、楕円形のボビンでは、長軸の直径と短軸の直径の比は、１．３：１〜２：１で構成することができる。楕円形のボビンは、円形よりも高音域帯の音響を改善することができ、振動による熱の発生が少ないことがあるので、優れた放熱特性を有することができる。例えば、少なくとも一つの音響発生装置は、表示パネルを直接振動させて音響を発生させることができる。これに対する説明は、図１５Ａ〜図２７Ｉで、同一または類似に適用することができる。
【０１９３】
いくつかの音響発生装置を構成することによって表示装置の厚さが厚くなり得る。それで薄い厚さの表示装置を実現するために表示装置に含まれる基板の厚さを薄く構成することができる。基板の厚さが薄くなり、パーティションを表示パネルの背面または支持部材の前面に実現する場合に、表示パネルと支持部材をパーティションに付着する時に、パーティションにより表示パネル自体または支持部材が平坦ではないようになって、表示パネルまたは支持部材の段差が生じる問題点が発生した。
【０１９４】
音響発生装置によって表示パネルが振動して発生する音波は、音響発生装置の中央から放射状に広がり、進行することができる。この音波を進行波（ｐｒｏｇｒｅｓｓｉｖｅ  ｗａｖｅ）とすることができる。進行波は、パーティションの一辺で反射して反射波（ｒｅｆｌｅｃｔｅｄ  ｗａｖｅ）を形成するようになり、反射波は進行波と逆方向に進むことができる。反射波は、進行波と重畳または干渉して進行できないようにして、一定の位置に停滞している定在波（ｓｔａｎｄｉｎｇ  ｗａｖｅ）を形成することになる。この定在波によって音圧が減少して音響出力特性が悪くなり得る。
【０１９５】
パーティションで構成する場合、定在波によるピークやディップ現象を制御することができないので、定在波によるピークやディップ現象を制御するための構造をパーティション中のいずれか一つの辺に構成しなければならないことを認識した。ピークは、特定の周波数で音圧が跳ね上がる現象であり、ディップは特性周波数の発生が抑制され、低い音圧が発生する現象である。ピークまたはディップ現象によって音響発生装置の音響出力特性が低下し得る。ピークやディップ現象を制御するための構造は、ウェーブ現象を防止し、定在波によるピークやディップ現象の制御にも容易なように構成しなければならない。この構造を単純に実現するのではなく、いくつかの実験を介して実現した。したがって、音響発生装置の縦方向に発生する定在波によるピーク（ｐｅａｋ）とディップ（ｄｉｐ）現象を減らすために、パーティションにパッドを構成することができる。反射波と進行波の干渉によって発生する定在波による音圧の減少は、パッドによって減らすことができる。しかし、パッドの形状などにより表示パネルの画面に目立つ形状が発生し、表示パネルが平らでない、または支持部材が平らでなく、凸凹に視認される問題点が発生した。このような現象を表示パネルまたは支持部材の凸凹した現象またはウェーブ（ｗａｖｅ）現象（以下、「ウェーブ現象」とする）とすることができ、用語に限定されるものではない。したがって、パーティションの形状に対して、いくつかの実験を行った。いくつかの実験を通じて、パーティションは、表示パネル１００の形態に沿って配置しなければならないことを認識した。例えば、パーティションは、四角形の形態を有することができ、これに限定せず、表示パネルの形態に応じて変更することができる。表示パネルが曲線形態などを含むカーブド（ｃｕｒｖｅｄ）表示パネルまたは曲線型表示パネルの場合、パーティションは、カーブド形態または曲線形態を有することができる。したがって、パーティションを表示パネルの形態に沿って配置することにより、表示パネル１００と支持部材３００との付着時に表示パネル１００が引き込まれることを減少させられるので、ウェーブ現象を防止することができる。
【０１９６】
パッドの形状は、支持部材３００に配置されたパッドが、表示パネル１００に付着される時に表示パネル１００の引き込みによるウェーブ現象を防止するように構成することができる。または、表示パネル１００に配置されたパッドを支持部材３００に付着する時に表示パネル１００の引き込みによるウェーブ現象が防止されるように構成することができる。例えば、音響発生装置の定在波によるピークやディップ現象の制御が容易でなければならず、ウェーブ現象が防止するように実現しなければならない。いくつかの実験を通じてパッドは、四角形または先端が丸い四角形の形状で実現した。これについて図１５Ｂ〜図１５Ｉを参照して説明する。これに対する説明は、図１６Ａ〜図２７Ｉで、同一または類似に適用することができる。
【０１９７】
図１５Ｂを参照すると、音響発生装置の周辺にパーティションをさらに構成することができる。パーティションは、音響発生装置によって表示パネル１００が振動する時に音響が発生するエアギャップ（ａｉｒ  ｇａｐ）または空間（ｓｐａｃｅ）であり得る。音響を発生し、伝達するエアギャップまたは空間をパーティションとすることができる。パーティションは、音響を分離し、またはチャンネルを分離することができ、音響の干渉によるクリアでない音響の発生を遮断または軽減することができる。パーティションは、エンクロージャ（ｅｎｃｌｏｓｕｒｅ）またはバッフル（ｂａｆｆｌｅ）とすることができ、用語に限定されない。以下の実施例は、パーティションを支持部材に配置することを例に挙げて説明し、これに限らず、表示パネルの背面に配置することができる。音響発生装置およびパーティションを示すために支持部材に配置することを例に挙げて説明する。例えば、パーティションを支持部材に配置する場合には、表示パネルに配置するパーティションによって表示パネルに及ぼす画質の影響を軽減することができる。
【０１９８】
表示パネルの背面に配置する音響発生装置から出力される左側音響と右側音響を分離するために、パーティションを配置することができる。例えば、パーティションは、表示パネル１００の第１領域１〜第６領域６に対応する表示パネル１００と、支持部材３００との間に配置することができる。例えば、第４パーティション１７０１は、第１領域１および第４領域４と、第３領域３との間に配置することができる。例えば、第４パーティション１７０１は、第１領域１および第４領域４と、第３領域３および第６領域６との間に配置することができる。第５パーティション１７０２は、第２領域２および第５領域５と、第３領域３との間に配置することができる。例えば、第５パーティション１７０２は、第２領域２および第５領域５と、第３領域３および第６領域６との間に配置することができる。第４パーティション１７０１および第５パーティション１７０２は、第１音響発生装置１６００Ｌおよび第４音響発生装置１６００ＨＬと、第２音響発生装置１６００Ｒおよび第５音響発生装置１６００ＨＲで発生する左右の音響または左右のチャンネルを分離することができる。ステレオ音響または立体音響を実現するために、第４音響発生装置１６００ＨＬおよび第５音響発生装置１６００ＨＲをさらに構成したが、発明者らは、第４音響発生装置１６００ＨＬおよび第５音響発生装置１６００ＨＲで発生する音響またはチャンネルと第１音響発生装置１６００Ｌ、第２音響発生装置１６００Ｒ、および第３音響発生装置１６００Ｃで発生する音響またはチャンネルを分離するために、パーティションを実現しなければならないことを認識した。第４パーティション１７０１および第５パーティション１７０２を配置する場合に、発明者らは、左右の音響または左右のチャンネルを分離することができるが、上側音響または上側チャンネルを分離することができないことを認識した。表示パネルの背面の領域に配置する音響発生装置が各領域に独立した音響を実現するために、発明者らは、各音響発生装置の音響を発生させることができるパーティションを実現しなければならないことを認識した。そこで、本明細書の発明者らは、いくつかの実験を通じてパーティションを実現し、これに対して、以下に説明する。
【０１９９】
パーティションは、表示パネルの上側（ＴｏｐまたはＨｅｉｇｈｔ）のチャンネルと表示パネルの下側（Ｂｏｔｔｏｍ）のチャンネルを分離することができるように実現した。例えば、第１パーティション１７２１は、表示パネルの上側（ＴｏｐまたはＨｅｉｇｈｔ）のチャンネルと表示パネルの下側（Ｂｏｔｔｏｍ）のチャンネルを分離することができる。例えば、第１パーティション１７２１は、表示パネルの上側に配置される第４音響発生装置１６００ＨＬおよび第５音響発生装置１６００ＨＲと、表示パネルの下側に配置される第１音響発生装置１６００Ｌ、第２音響発生装置１６００Ｒ、および第３音響発生装置１６００Ｃで発生する音響またはチャンネルを分離することができる。第２パーティション１７２２は、表示パネルの下側（Ｂｏｔｔｏｍ）のチャンネルとウーファーを分離することができる。例えば、第２パーティション１７２２は、第１音響発生装置１６００Ｌ、第２音響発生装置１６００Ｒ、および第３音響発生装置１６００Ｃの下側に配置することができる。例えば、第２パーティション１７２２は、第１音響発生装置１６００Ｌ、第２音響発生装置１６００Ｒ、および第３音響発生装置１６００Ｃと、第１ウーファー（Ｗ１）および第２ウーファー（Ｗ２）で発生する音響またはチャンネルを分離することができる。
【０２００】
第１パーティション１７２１、第２パーティション１７２２、第４パーティション１７０１、および第５パーティション１７０２は、支持部材３００に配置することができる。例えば、第１パーティション１７２１、第２パーティション１７２２、第４パーティション１７０１、および第５パーティション１７０２は、支持部材３００の上面に配置することができる。例えば、第１パーティション１７２１、第２パーティション１７２２、第４パーティション１７０１、および第５パーティション１７０２は、表示パネル１００と支持部材３００との間に配置することができる。例えば、第１パーティション１７２１、第２パーティション１７２２、第４パーティション１７０１、および第５パーティション１７０２は、表示パネル１００の背面と支持部材３００の上面との間に配置することができる。
【０２０１】
第１パーティション１７２１、第２パーティション１７２２、第４パーティション１７０１、および第５パーティション１７０２は、両面テープ、両面フォームパッド、片面テープ、片面フォームパッド、接着剤、およびボンド中のいずれか一つで構成することができるが、これに限定されるものではない。パーティションが両面テープまたは両面フォームパッドで構成される場合、表示パネル１００の背面と支持部材３００の上面を付着する時の密着性を向上させることができる。例えば、第１パーティション１７２１、第２パーティション１７２２、第４パーティション１７０１、および第５パーティション１７０２は、一定程度圧縮することができる弾性を有する材質で実現することができる。例えば、第１パーティション１７２１、第２パーティション１７２２、第４パーティション１７０１、および第５パーティション１７０２は、ポリウレタン（ｐｏｌｙｕｒｅｔｈａｎｅ）、ポリオレフィン（ｐｏｌｙｏｌｅｆｉｎ）、およびポリエチレン（ｐｏｌｙｅｔｈｙｌｅｎｅ）材質で構成することができるが、これに限定されるものではない。
【０２０２】
第４領域４に、第４音響発生装置１６００ＨＬおよび第５領域５に第５音響発生装置１６００ＨＲを構成し、第６領域６に音響発生装置が構成しないことができる。これによって、第４音響発生装置１６００ＨＬおよび第５音響発生装置１６００ＨＲの振動が表示パネル１００の第６領域６で減衰または吸収されるので、第４領域４からの音響が第５領域５に伝達されることを遮断または軽減することができ、第５領域５からの音響が第４領域４に伝達されることを遮断または軽減することができる。したがって、第４音響発生装置１６００ＨＬおよび第５音響発生装置１６００ＨＲで発生する音響の干渉に起因する音質劣化を減少させることができ、中高音域帯の音響特性をより向上させることができる効果がある。
【０２０３】
図１５Ｂで支持部材３００の周辺には、パーティションを配置しないことができる。支持部材３００の周辺には、図１Ｂで説明した接着部材によって支持部材３００と表示パネル１００を接着することができ、接着部材が、パーティションの役割をすることができる。
【０２０４】
第１パーティション１７２１、第２パーティション１７２２、第４パーティション１７０１、および第５パーティション１７０２を配置する際に、第１パーティション１７２１および第２パーティション１７２２を最初に配置した後に、第４パーティション１７０１および第５パーティション１７０２を配置することができる。他の例としては、第４パーティション１７０１および第５パーティション１７０２を最初に配置した後に、第１パーティション１７２１および第２パーティション１７２２を配置することができ、配置する順序が明細書の内容を限定するものではない。以下の実施例では、第１パーティション１７２１および第２パーティション１７２２を最初に配置した後に、第４パーティション１７０１および第５パーティション１７０２を配置することを例に挙げて示すが、これに限定されるものでではない。これに対する内容は、以下の実施例でも同一又は類似に適用することができる。
【０２０５】
したがって、第１音響発生装置１６００Ｌおよび第４音響発生装置１６００ＨＬは、表示パネル１００背面の左側の領域である第１領域１および第４領域４に配置して表示パネル１００の左側領域を振動させることができる。第２音響発生装置１６００Ｒおよび第５音響発生装置１６００ＨＲは、表示パネル１００背面の右側の領域である第２領域２および第５領域５に配置して表示パネル１００の右側領域を振動させることができる。第３音響発生装置１６００Ｃは、表示パネル１００の背面の中央領域である第３領域３に配置して表示パネル１００の中央領域を振動させることができる。第１音響発生装置１６００Ｌ、第２音響発生装置１６００Ｒ、第３音響発生装置１６００Ｃ、第４音響発生装置１６００ＨＬ、および第５音響発生装置１６００ＨＲそれぞれは、互いに異なる振動信号を受信して独立して駆動することができる。例えば、第１音響発生装置１６００Ｌおよび第４音響発生装置１６００ＨＬは、表示パネル１００の背面の左側の領域を振動板として使用することにより、音響を発生させることができ、第２音響発生装置１６００Ｒおよび第５音響発生装置１６００ＨＲは、表示パネル１００の背面の右側の領域を振動板として使用することにより、音響を発生させることができる。そして、第３音響発生装置１６００Ｃは、表示パネル１００の中央領域を振動板として使用することにより、音響を発生させることができる。低音域帯の音響を向上させるためにウーファーを配置することができる。例えば、第１音響発生装置１６００Ｌおよび第２音響発生装置１６００Ｒの下側に少なくとも一つのウーファーを含むことができる。例えば、第１ウーファー（Ｗ１）は、表示パネル１００の第１領域１の下側に配置することができる。例えば、第１ウーファー（Ｗ１）は、第１音響発生装置１６００Ｌの下側に配置することができる。例えば、第２ウーファー（Ｗ２）は、表示パネル１００の第２領域２の下側に配置することができる。例えば、第２ウーファー（Ｗ２）は、第２音響発生装置１６００Ｒの下側に配置することができる。したがって、第１ウーファー（Ｗ１）および第２ウーファー（Ｗ２）は、低音域帯の音響を出力することができる。第１音響発生装置１６００Ｌ、第２音響発生装置１６００Ｒ、第３音響発生装置１６００Ｃ、第４音響発生装置１６００ＨＬ、および第５音響発生装置１６００ＨＲは、８０Ｈｚ〜４０ｋＨｚの音響を出力することができ、第１ウーファー（Ｗ１）および第２ウーファー（Ｗ２）は、８０Ｈｚ以下の音響を出力することができる。したがって、表示装置は、５．１チャンネルの音響を出力することができる。そして、左右に配置された音響発生装置と比較して表示パネルの横方向を基準に上下に音響発生装置がさらに構成されているので、左右の音響および上下の音響を向上させることができ、使用者に実際の音響と同じ音場感を与えることができる効果がある。例えば、第４音響発生装置１６００ＨＬおよび第５音響発生装置１６００ＨＲをさらに構成することで、表示パネルの上側からの音響を出力し、表示パネルの上側にまたは前記表示パネルから上向きに音響を出力することができるので、左右の音響および上下の音響を含む立体的な音響を実現できる表示装置を提供することができる。したがって、左右映像および上下映像に対する左右音響および上下音響を実現することができ、使用者に立体的な左右の音響および上下の音響を含む実際の音響（例えば、リアル（ｒｅａｌ）サウンド）のリアル立体音響を実現することができるので、仮想（ｖｉｒｔｕａｌ）音響ではなく、リアル（ｒｅａｌ）サウンドを提供することができる。これにより、使用者に立体的な左右の音響および上下の音響を含む実際の音響（例えば、リアル（ｒｅａｌ）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、リアルＡＶ（Ａｕｄｉｏ  Ｖｉｓｕａｌ）またはドルビー音響システムを感じることができようにすることができる。これに対する説明は、図１５Ｂ〜図２７Ｉにも、同一または類似に適用することができる。そして、厚い音響発生装置を、複数個で構成する場合、音響発生装置の厚さによって表示装置が厚くなる問題があった。図６〜図１１Ｂで説明したように、第１音響発生装置１６００Ｌ、第２音響発生装置１６００Ｒ、第３音響発生装置１６００Ｃ、第４音響発生装置１６００ＨＬ、および第５音響発生装置１６００ＨＲは、表示パネル１００内に配置することができる。したがって、音響発生装置の厚さを減少させることができるので、表示装置の厚さが減少して、使用者に美感を与えることができる表示装置を提供することができる。そして、図１２Ａおよび図１２Ｂで説明したように、第１音響発生装置１６００Ｌ、第２音響発生装置１６００Ｒ、第３音響発生装置１６００Ｃ、第４音響発生装置１６００ＨＬ、および第５音響発生装置１６００ＨＲは、低音域帯が向上した音響発生装置で構成することができるので、低音域帯が向上した左右音響および上下音響を実現することができる表示装置を提供することができる。そして、図１３で説明したように、第１音響発生装置１６００Ｌ、第２音響発生装置１６００Ｒ、第３音響発生装置１６００Ｃ、第４音響発生装置１６００ＨＬ、および第５音響発生装置１６００ＨＲは、フィルム型音響発生装置で構成することができるので、音響発生装置の厚さを減少させることができるので、表示装置の厚さが減少して、使用者に美感を与えることができる表示装置を提供することができる。例えば、中音域帯は２００Ｈｚ〜３ｋＨｚ、高音域帯は３ｋＨｚ以上であり得、低音域帯は２００Ｈｚ以下であり得、この範囲に限定されるものではない。
【０２０６】
図１５Ｃを参照すると、第１パーティション１７２１、第４パーティション１７０１、および第５パーティション１７０２を構成し、支持部材３００と表示パネル１００との間にパーティション１７５０を配置することができる。例えば、パーティション１７５０は、支持部材３００の端または縁に配置することができる。例えば、パーティション１７５０は、支持部材３００の前面の端または縁に配置することができる。パーティション１７５０は、支持部材３００の前面の外郭の四辺の全体領域であることもできる。他の例としては、パーティション１７５０は、表示パネルの背面の端または縁に配置することができる。パーティション１７５０は、表示パネルの背面の外郭の四辺の全体領域であることもできる。パーティション１７５０は、支持部材３００の前面の外郭の四辺または表示パネルの背面の外郭の四辺の全体領域であることもできる。パーティション１７５０は、表示パネルの背面または支持部材３００の前面の全体領域であることもできる。例えば、パーティション１７５０は、第１音響発生装置１６００Ｌ〜第５音響発生装置１６００ＨＲを囲むように配置することができる。パーティション１７５０は、表示パネルのウェーブ現象を防止するために、表示パネルの形状に沿って配置することができる。例えば、パーティション１７５０が、図１Ｂで説明した表示パネル１００と支持部材３００を付着するための接着部材である場合には、図１Ｂで説明した接着部材を省略することができ、パーティション１７５０は、接着部材の役割をすることができる。これに限らず、表示パネル１００と支持部材３００を付着するための接着部材は、表示パネル１００の背面または支持部材３００の前面に構成することもできる。
【０２０７】
第１パーティション１７２１、第４パーティション１７０１、第５パーティション１７０２、およびパーティション１７５０を配置する際に、第１パーティション１７２１を先に配置し、パーティション１７５０を配置した後に、第４パーティション１７０１および第５パーティション１７０２を配置することができる。他の例としては、第１パーティション１７２１を先に配置し、第４パーティション１７０１および第５パーティション１７０２を配置した後に、パーティション１７５０を配置することができ、配置する順序が明細書の内容を限定するものではない。パーティション１７５０は、支持部材３００の縦方向に最初に配置した後に、支持部材３００の横方向に配置することができる。他の例としては、パーティション１７５０は、支持部材３００の横方向に最初に配置した後に、支持部材３００の縦方向に配置することができ、配置する順序が明細書の内容を限定するものではない。以下の実施例では、第１パーティション１７２１を先に配置し、パーティション１７５０を配置した後に、第４パーティション１７０１および第５パーティション１７０２を配置することを例に挙げて示すが、これに限定されるものではない。これに対する内容は、以下の実施例でも同一又は類似に適用することができる。
【０２０８】
図１５Ｄおよび図１５Ｅを参照すると、第１パーティション１７２１および第２パーティション１７２２の形状を異なって構成することができる。第１パーティション１７２１および第２パーティション１７２２は、表示パネルの形状と異なる形状に構成することができる。例えば、第１パーティション１７２１および第２パーティション１７２２は、平らでない形状、または線形状ではないことができる。例えば、第１パーティション１７２１および第２パーティション１７２２は、鋸歯形状、三角形形状、および先端が丸い三角形形状を有することができる。例えば、第１パーティション１７２１および第２パーティション１７２２の鋸歯が位置する方向は、音響発生装置を向くように配置することができる。例えば、第１パーティション１７２１および第２パーティション１７２２が三角形形状である場合には、三角形の先端が位置する方向は、音響発生装置を向くように配置することができる。例えば、第１パーティション１７２１および第２パーティション１７２２が先端の丸い三角形形状である場合には、先端が丸い三角形の先端が位置する方向は、音響発生装置を向くように配置することができる。例えば、図１５Ｄを参照すると、第１パーティション１７２１が先端の丸い三角形形状である場合、先端が丸い三角形の先端は、第４音響発生装置１６００ＨＬおよび第５音響発生装置１６００ＨＲを向くように構成することができる。例えば、図１５Ｄを参照すると、第２パーティション１７２２が先端の丸い三角形形状である場合には、先端が丸い三角形の先端は、第１音響発生装置１６００Ｌ、第２音響発生装置１６００Ｒ、および第３音響発生装置１６００Ｃの一つ以上を向くように構成することができる。したがって、パーティションの形状が少なくとも一つ以上の音響発生装置を向くように構成することにより、音響発生装置の定在波によるピークやディップ現象を制御することができ、表示パネルのウェーブ現象を減らすことができる。そして、パーティションの形状を変更することにより、音響発生装置の乱反射などの音響干渉を解決することができる。
【０２０９】
パーティションが平らでない形状、または線形状でない場合、定在波を分散させることができる。例えば、鋸歯形状、三角形形状、および先端が丸い三角形形状に実現する場合、鋸歯形状、三角形形状、および先端が丸い三角形形状によって定在波が複数の方向に分散され得るので、音響出力特性がさらに向上することができる。
【０２１０】
図１５Ｅを参照すると、第１パーティション１７２１は、二つのパーティションで構成することができるが、これに限定されるものではない。例えば、第１パーティション１７２１は、第１−１パーティション１７２１ａおよび第１−２パーティション１７２１ｂを含むことができ、先端が丸い三角形形状で構成することができる。第１−１パーティション１７２１ａの三角形または先端が丸い三角形形状の先端は、第４音響発生装置１６００ＨＬおよび第５音響発生装置１６００ＨＲの一つ以上を向くように構成することができる。第１−２パーティション１７２１ｂの三角形または先端が丸い三角形形状の先端は、第１音響発生装置１６００Ｌ、第２音響発生装置１６００Ｒ、および第３音響発生装置１６００Ｃの一つ以上を向くように構成ことができる。第２パーティション１７２２の三角形または先端が丸い三角形形状の先端は、第１音響発生装置１６００Ｌ、第２音響発生装置１６００Ｒ、および第３音響発生装置１６００Ｃを向くように構成することができる。これにより、音響発生装置の定在波によるピークやディップ現象を制御することができ、表示パネルのウェーブ現象を減らすことができる。
【０２１１】
図１５Ｆ〜図１５Ｉを参照すると、パーティションの少なくとも一つの辺にパッドをさらに構成することができる。音圧の減少を引き起こす定在波は、進行波と反射波の大きさが大きな地点で多く発生することができる。したがって、パッドは、音響発生装置から到達する音波が最大の位置に配置することができる。例えば、パッドは、パーティションの四つの辺の中で最も強い音波が到着する一つ以上の辺に配置し、音響発生装置を向くように構成することができる。
【０２１２】
図１５Ｆを参照すると、第４パーティション１７０１の少なくとも一つの辺に、第１音響発生装置１６００Ｌおよび第４音響発生装置１６００ＨＬの一つ以上を向くようにパッドを配置することができる。例えば、第４パーティション１７０１の少なくとも一つの辺に、第１音響発生装置１６００Ｌを向くように、第１−３パッド７１３および第１−４パッド７１４を配置することができる。第１−３パッド７１３および第１−４パッド７１４と向かい合う辺に、第１−１パッド７１１および第１−２パッド７１２を配置することができる。第１−１パッド７１１〜第１−４パッド７１４は、二つで構成することができ、これに限らず、第１−１パッド７１１〜第１−４パッド７１４の一つ以上は一つ、二つ、または三つ以上で構成することもできる。例えば、第４パーティション１７０１の少なくとも一つの辺に、第４音響発生装置１６００ＨＬを向くように、第４−３パッド７２３および第４−４パッド７２４を配置することができる。第４−３パッド７２３および第４−４パッド７２４と向かい合う辺に、第４−１パッド７２１および第４−２パッド７２２を配置することができる。第４−１パッド７２１〜第４−４パッド７２４は、二つで構成することができ、これに限らず、第４−１パッド７２１〜第４−４パッド７２４の一つ以上は一つ、二つ、または三つ以上で構成することもできる。例えば、第４パーティション１７０１の少なくとも他の辺に、第３音響発生装置１６００Ｃを向くように、第３−１パッド９１１を配置することができる。第３−１パッド９１１は、一つ以上配置することができる。
【０２１３】
第５パーティション１７０２の少なくとも一つの辺に、第２音響発生装置１６００Ｒおよび第５音響発生装置１６００ＨＲの一つ以上を向くようにパッドを配置することができる。例えば、第５パーティション１７０２の少なくとも一つの辺に、第２音響発生装置１６００Ｒを向くように、第２−１パッド８１１および第２−２パッド８１２を配置することができる。第２−１パッド８１１および第２−２パッド８１２と向かい合う辺に、第２−３パッド８１３および第２−４パッド８１４を配置することができる。図１５Ｆでは、第２−１パッド８１１〜第２−４パッド８１４は、二つで構成されていることを示し、これに限らず、第２−１パッド８１１〜第２−４パッド８１４の一つ以上は一つ、二つ、または三つ以上で構成することもできる。例えば、第５パーティション１７０２の少なくとも一つの辺に、第５音響発生装置１６００ＨＲを向くように、第５−１パッド８２１および第５−２パッド８２２を配置することができる。第５−１パッド８２１および第５−２パッド８２２と向かい合う辺に、第５−３パッド８２３および第５−４パッド８２４を配置することができる。第５−１パッド８２１〜第５−４パッド８２４は、二つで構成することができ、これに限らず、第５−１パッド８２１〜第５−４パッド８２４の一つ以上は一つ、二つ、または三つ以上で構成することもできる。例えば、第５パーティション１７０２の少なくとも他の辺に、第３音響発生装置１６００Ｃを向くように、第３−３パッド９１３を配置することができる。第３−３パッド９１３は、一つ以上配置することができる。第３−１パッド９１１と向かい合う辺に、第３−３パッド９１３を配置することができる。
【０２１４】
第１パーティション１７２１の少なくとも一つの辺に、第１音響発生装置１６００Ｌ、第２音響発生装置１６００Ｒ、および第３音響発生装置１６００Ｃの一つ以上を向くようにパッドを配置することができる。例えば、第１パーティション１７２１の少なくとも一つの辺に、第１音響発生装置１６００Ｌを向くように、第１−５パッド７１５を配置することができる。例えば、第１パーティション１７２１の少なくとも一つの辺に、第２音響発生装置１６００Ｒを向くように、第２−５パッド８１５を配置することができる。例えば、第１パーティション１７２１の少なくとも一つの辺に、第３音響発生装置１６００Ｃを向くように、第３−５パッド９１５を配置することができる。例えば、第１パーティション１７２１の少なくとも一つの辺に、第４音響発生装置１６００ＨＬを向くように、第４−６パッド７２６を配置することができる。例えば、第１パーティション１７２１の少なくとも一つの辺に、第５音響発生装置１６００ＨＲを向くように、第５−６パッド８２６を配置することができる。第１−５パッド７１５、第２−５パッド８１５、第３−５パッド９１５、第４−６パッド７２６、および第５−６パッド８２６は、一つ以上で構成することもできる。例えば、第４−６パッド７２６と向かい合う辺に、第４−５パッド７２５を配置することができ、第４−５パッド７２５は、第４音響発生装置１６００ＨＬを向くするように配置することができる。第５−６パッド８２６と向かい合う辺に、第５−５パッド８２５を配置することができ、第５−５パッド８２５は、第５音響発生装置１６００ＨＲを向くように配置することができる。
【０２１５】
例えば、第２パーティション１７２２の少なくとも一つの辺に、第１音響発生装置１６００Ｌを向くように、第１−６パッド７１６を配置することができる。例えば、第２パーティション１７２２の少なくとも一つの辺に、第２音響発生装置１６００Ｒを向くように、第２−６パッド８１６を配置することができる。例えば、第２パーティション１７２２の少なくとも一つの辺に、第３音響発生装置１６００Ｃを向くように、第３−６パッド９１６を配置することができる。第１−６パッド７１６、第２−６パッド８１６、および第３−６パッド９１６は、一つ以上で構成することもできる。例えば、第１−６パッド７１６と向かい合う辺に、第１−５パッド７１５を配置することができ、第１−５パッド７１５は、第１音響発生装置１６００Ｌに向くように配置することができる。第２−６パッド８１６と向かい合う辺に、第２−５パッド８１５を配置することができ、第２−５パッド８１５は、第２音響発生装置１６００Ｒを向くように配置することができる。第３−６パッド９１６と向かい合う辺に、第３−５パッド９１５を配置することができ、第３−５パッド９１５は、第３音響発生装置１６００Ｃを向くように配置することができる。
【０２１６】
実施例では、第１−１パッド７１１〜第１−４パッド７１４の大きさが、第１−５パッド７１５および第１−６パッド７１６のそれぞれの大きさよりも大きく示されているが、パッドの大きさが、本明細書の内容を限定するものではない。例えば、第１−１パッド７１１〜第１−４パッド７１４の大きさが、第１−５パッド７１５および第１−６パッド７１６のそれぞれの大きさよりも小さいか同じことがあり得る。他のパッドの大きさも同じかまたは類似に適用することができる。図１５Ｆで支持部材３００の周辺には、パーティションを配置しないことがあり得る。支持部材３００の周辺には、図１Ｂで説明した接着部材によって表示パネル１００を接着することができ、接着部材は、パーティションであり得る。
【０２１７】
図１５Ｇを参照すると、第１パーティション１７２１、第４パーティション１７０１、第５パーティション１７０２、およびパーティション１７５０を含むことができる。例えば、パーティション１７５０は、第１音響発生装置１６００Ｌ〜第５音響発生装置１６００ＨＲを囲むように配置することができる。例えば、パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができる。パーティション１７５０のもう一つの辺には、第１音響発生装置１６００Ｌを向くように、第１−６パッド７１６を配置することができ、第３音響発生装置１６００Ｃを向くように、第３−６パッド９１６を配置することができ、第２音響発生装置１６００Ｒを向くように、第２−６パッド８１６を配置することができる。パーティション１７５０を構成することにより、表示パネルの背面に配置する音響発生装置の固定力を向上させることができ、表示パネルの端または縁からの音響の漏れを減少させることができるので、音響出力特性を向上することができる。残りの構成は、図１５Ｆと同一または類似なので、詳細な説明を省略する。
【０２１８】
例えば、パーティション１７５０が、図１Ｂで説明した表示パネル１００と支持部材３００を付着するための接着部材である場合には、図１Ｂで説明した接着部材を省略することができる。これに限らず、表示パネル１００と支持部材３００を付着するための接着部材は、表示パネル１００の背面または支持部材３００に構成することもできる。
【０２１９】
図１５Ｈおよび図１５Ｉを参照すると、第１パーティション１７２１および第２パーティション１７２２は、少なくとも一つのベント部を含むことができる。ベント部は、反射波と進行波の干渉によって発生する定在波による音圧の減少現象を減らすために配置することができる。ベント部は、パーティションの四つの辺の中で最も強い音波が到着する一つ以上の辺に形成し、音響発生装置を向くように構成することができる。残りの構成は、図１５Ｆと同一または類似なので、詳細な説明を省略する。
【０２２０】
図１５Ｈを参照すると、第１パーティション１７２１は、一つ以上のベント部を含むことができる。例えば、第１パーティション１７２１は、第１音響発生装置１６００Ｌに向かう第１ベント部７０１を含むことができ、第２音響発生装置１６００Ｒに向かう第２ベント部７０２を含むことができる。そして、第１パーティション１７２１は、第３音響発生装置１６００Ｃに向かう第３ベント部７０３を含むことができる。そして、第４音響発生装置１６００ＨＬおよび第５音響発生装置１６００ＨＲの定在波による音圧の減少は、第４−５パッド７２５および第５−５パッド８２５によって減らすことができる。
【０２２１】
第２パーティション１７２２は、一つ以上のベント部を含むことができる。例えば、第２パーティション１７２２は、第１音響発生装置１６００Ｌに向かう第４ベント部７０４を含むことができ、第２音響発生装置１６００Ｒに向かう第５ベント部７０５を含むことができる。そして、第２パーティション１７２２は、第３音響発生装置１６００Ｃに向かう第６ベント部７０６を含むことができる。ベント部は、音響発生装置の中心部で開いた構造を有することができる。これに限定されず、「Ｖ」字型の塞がった構造を有することができる。ベント部は、音響発生装置の中心部で開いた構造を有する場合、塞がった構造を有する場合よりも材料費を削減することができる利点がある。音響特性の実験によると、ベント部は、音響発生装置の中心部で開いた構造を有する場合と塞がった構造を有する場合に、発明者らは音響特性の違いが微々またはないことを確認した。したがって、第１パーティション１７２１および第２パーティション１７２２は、一つ以上のベント部を含むことにより、音響発生装置の定在波による音圧の減少現象を減らすことができる。
【０２２２】
図１５Ｉを参照すると、第１パーティション１７２１および第２パーティション１７２２は、一つ以上のベント部を含み、パーティション１７５０を配置することができる。例えば、パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。他の例としては、図１５Ｇに示すように、パーティション１７５０を配置し、第１パーティション１７２１は、一つ以上のベント部を含むことができる。残りの構成は、図１５Ｈと同一または類似するので、詳細な説明を省略する。
【０２２３】
図１５Ｈおよび図１５Ｉで説明したように、支持部材３００の端部には、ベント部を構成していないので、表示パネルと支持部材３００との付着時に表示パネルの引き込みが減少し得るので、ウェーブ現象を防止することができる。
【０２２４】
図１６Ａ〜図１６Ｉは、本明細書の実施例に係る音響発生装置と、パーティションの例を示す図である。
【０２２５】
図１６Ａ〜図１６Ｉを参照すると、第１領域１に第１ウーファー一体型音響発生装置（Ｗ３）および第２領域２に第２ウーファー一体型音響発生装置（Ｗ４）を配置することができる。第１ウーファー一体型音響発生装置（Ｗ３）および第２ウーファー一体型音響発生装置（Ｗ４）は、図１４Ａおよび図１４Ｂで説明した内容と同じなので、ここでは説明を省略する。図１６Ａ〜図１６Ｉで説明した内容と同一の内容については説明を省略し、または簡単にすることができる。
【０２２６】
第１ウーファー一体型音響発生装置（Ｗ３）および第２ウーファー一体型音響発生装置（Ｗ４）は、ウーファーと一体型に構成された音響発生装置なので、別個のウーファーを構成する必要がない利点がある。第１ウーファー一体型音響発生装置（Ｗ３）および第２ウーファー一体型音響発生装置（Ｗ４）は、６０Ｈｚ〜４０ｋＨｚの音響を出力することができ、第３音響発生装置１６００Ｃ、第４音響発生装置１６００ＨＬ、および第５音響発生装置１６００ＨＲは、８０Ｈｚ〜４０ｋＨｚの音響を出力することができる。したがって、表示装置は、５．１チャンネルの音響を出力することができる。そして、左右に配置された音響発生装置と比較して、上下に音響発生装置がさらに構成されているので、左右の音響および上下の音響を向上させることができ、使用者に実際の音響と同じ音場感を与えることができる効果がある。例えば、第４音響発生装置１６００ＨＬおよび第５音響発生装置１６００ＨＲをさらに構成するので、表示パネルの上側から音響を出力することができるので、左右の音響および上下の音響を含む立体的な音響を実現することができる表示装置を提供することができる。したがって、左右の映像および上下の映像に対する左右の音響および上下の音響を実現することができ、使用者に立体的な左右音響および上下音響を含む実際の音響（例えば、リアル（ｒｅａｌ）サウンド）のリアル立体音響を実現することができるので、仮想（ｖｉｒｔｕａｌ）音響ではなく、リアル（ｒｅａｌ）サウンドを提供することができる。これにより、使用者に立体的な左右音響および上下音響を含む実際の音響（例えば、リアル（ｒｅａｌ）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、リアルＡＶ（Ａｕｄｉｏ  Ｖｉｓｕａｌ）またはドルビー音響システムを感じることができようにすることができる。そして、図６〜図１１Ｂで説明したように、第１ウーファー一体型音響発生装置（Ｗ３）、第２ウーファー一体型音響発生装置（Ｗ４）、第３音響発生装置１６００Ｃ、第４音響発生装置１６００ＨＬ、および第５音響発生装置１６００ＨＲは、表示パネル１００内に配置することができる。したがって、音響発生装置の厚さを減少することができるので、表示装置の厚さが減少して、使用者に美感を与えることができる表示装置を提供することができる。そして、図１２Ａおよび図１２Ｂで説明したように、第１音響発生装置１６００Ｌ、第２音響発生装置１６００Ｒ、第３音響発生装置１６００Ｃ、第４音響発生装置１６００ＨＬ、および第５音響発生装置１６００ＨＲは、低音域帯が向上した音響発生装置で構成することができるので、低音域帯が向上した左右音響および上下音響を実現することができる表示装置を提供することができる。そして、図１３で説明したように、第１音響発生装置１６００Ｌ、第２音響発生装置１６００Ｒ、第３音響発生装置１６００Ｃ、第４音響発生装置１６００ＨＬ、および第５音響発生装置１６００ＨＲは、フィルム型音響発生装���で構成することができるので、音響発生装置の厚さが減少することができるので、表示装置の厚さが減少して、使用者に美感を与えることができる表示装置を提供することができる。
【０２２７】
図１６Ａ〜図１６Ｉを参照すると、第１ウーファー一体型音響発生装置（Ｗ３）は、第４音響発生装置１６００ＨＬと非対称に配置することができる。第２ウーファー一体型音響発生装置（Ｗ４）は、第５音響発生装置１６００ＨＲと非対称に配置することができる。このように構成する場合、第１ウーファー一体型音響発生装置（Ｗ３）が発生させる振動および定在波と、第４音響発生装置１６００ＨＬが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１ウーファー一体型音響発生装置（Ｗ３）および第４音響発生装置１６００ＨＬの非対称構造は、これを防止して、原音に近い自然な音響を再生することができる。第２ウーファー一体型音響発生装置（Ｗ４）が発生させる振動および定在波と、第５音響発生装置１６００ＨＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第２ウーファー一体型音響発生装置（Ｗ４）および第５音響発生装置１６００ＨＲの非対称構造は、これを防止して、原音に近い自然な音響を再生することができる。
【０２２８】
図１６Ｆおよび図１６Ｇを参照すると、第１−５パッド７１５および第４−６パッド７２６は、非対称に配置することができ、第２−５パッド８１５および第５−６パッド８２６は、非対称的に配置することができる。他の例としては、第１ウーファー一体型音響発生装置（Ｗ３）は、第４音響発生装置１６００ＨＬと対称的に配置することができる。第２ウーファー一体型音響発生装置（Ｗ４）は、第５音響発生装置１６００ＨＲと対称的に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図１６Ｆおよび図１６Ｇを参照すると、第１−５パッド７１５および第４−６パッド７２６は、対称的に配置することができ、第２−５パッド８１５および第５−６パッド８２６は、対称的に配置することができる。
【０２２９】
図１６Ｆを参照すると、第１パーティション１７２１の少なくとも一つの辺に、第１ウーファー一体型音響発生装置（Ｗ３）、第２ウーファー一体型音響発生装置（Ｗ４）、および第３音響発生装置１６００Ｃの一つ以上を向くようにパッドを配置することができる。例えば、第１パーティション１７２１の少なくとも一つの辺に、第１ウーファー一体型音響発生装置（Ｗ３）を向くように、第１−５パッド７１５を配置することができる。例えば、第１パーティション１７２１の少なくとも一つの辺に、第２ウーファー一体衡陽音響発生装置（Ｗ４）を向くように、第２−５パッド８１５を配置することができる。例えば、第１パーティション１７２１の少なくとも一つの辺に、第３音響発生装置１６００Ｃを向くように、第３−５パッド９１５を配置することができる。第１−５パッド７１５、第２−５パッド８１５、および第３−５パッド９１５は、一つ以上で構成することもできるが、これに限定されるものではない。
【０２３０】
例えば、第２パーティション１７２２の少なくとも一つの辺に、第１ウーファー一体型音響発生装置（Ｗ３）を向くように、第１−６パッド７１６を配置することができる。例えば、第２パーティション１７２２の少なくとも一つの辺に、第２ウーファー一体型音響発生装置（Ｗ４）を向くように、第２−６パッド８１６を配置することができる。例えば、第２パーティション１７２２の少なくとも一つの辺に、第３音響発生装置１６００Ｃを向くように、第３−６パッド９１６を配置することができる。第１−６パッド７１６、第２−６パッド８１６、および第３−６パッド９１６は、一つ以上で構成することもできるが、これに限定されるものではない。第１−６パッド７１６と向かい合う辺に、第１−５パッド（７１５）を配置することができ、第１−５パッド（７２５）は、第１ウーファー一体型音響発生装置（Ｗ３）を向くように配置ことするができる。第２−６パッド８１６と向かい合う辺に、第２−５パッド８１５を配置することができ、第２−５パッド８１５は、第２ウーファー一体型音響発生装置（Ｗ４）を向くように配置することができる。第３−６パッド９１６と向かい合う辺に、第３−５パッド９１５を配置することができ、第３−５パッド９１５は、第３音響発生装置１６００Ｃを向くように配置することができる。
【０２３１】
図１６Ｇを参照すると、パーティション１７５０の辺には、一つ以上のパッドを配置することができる。例えば、パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができる。パーティション１７５０のもう一つの辺には、第１ウーファー一体型音響発生装置（Ｗ３）を向くように、第１−６パッド７１６を配置することができ、第３音響発生装置１６００Ｃを向くように、第３−６パッド（９１６）を配置することができ、第２ウーファー一体型音響発生装置（Ｗ４）を向くように、第２−６パッド８１６を配置することができる。例えば、第１−６パッド７１６と向かい合う辺に、第１−５パッド７１５を配置することができ、第１−５パッド７１５は、第１ウーファー一体型音響発生装置（Ｗ３）を向くように配置することができる。第３−６パッド９１６と向かい合う辺に、第３−５パッド９１５を配置することができ、第３−５パッド９１５は、第５音響発生装置１６００ＨＲを向くように配置することができる。第２−６パッド８１６と向かい合う辺に、第２−５パッド８１５を配置することができ、第２−５パッド８１５は、第２ウーファー一体型音響発生装置（Ｗ４）を向くように配置することができる。
【０２３２】
図１６Ｈを参照すると、第１パーティション１７２１は、一つ以上のベント部を含むことができる。例えば、第１パーティション１７２１は、第１ウーファー一体型音響発生装置（Ｗ３）に向かう第１ベント部７０１を含むことができ、第２ウーファー一体型音響発生装置（Ｗ４）に向かう第２ベント部７０２を含むことができる。そして、第１パーティション１７２１は、第３音響発生装置１６００Ｃに向かう第３ベント部７０３を含むことができる。
【０２３３】
第２パーティション１７２２は、一つ以上のベント部を含むことができる。例えば、第２パーティション１７２２は、第１ウーファー一体型音響発生装置（Ｗ３）に向かう第４ベント部７０４を含むことができ、第２ウーファー一体型音響発生装置（Ｗ４）に向かう第５ベント部７０５を含むことができる。そして、第２パーティション１７２２は、第３音響発生装置１６００Ｃに向かう第６ベント部７０６を含むことができる。
【０２３４】
図１６Ｉを参照すると、第１パーティション１７２１および第２パーティション１７２２は、一つ以上のベント部を含み、パーティション１７５０を配置することができる。他の例としては、図１５Ｇに示すように、パーティション１７５０を配置し、第１パーティション１７２１は、一つ以上のベント部を含むことができる。パーティション１７５０を構成することにより、表示パネルの背面に配置する音響発生装置の固定力を向上させることができ、表示パネルの端または縁からの音響の漏れを減少させることができるので、音響出力特性を向上することができる。残りの構成は、図１５Ｉ、図１６Ｇおよび図１６Ｈと同一または類似するので、詳細な説明を省略する。
【０２３５】
ベント部は、音響発生装置の中心部で開いた構造を有することができる。これに限定されず、「Ｖ」字型の塞がった構造を有することができる。ベント部は、音響発生装置の中心部で開いた構造を有する場合には、塞がった構造を有する場合よりも材料費を削減することができる利点がある。音響特性の実験によると、ベント部は、音響発生装置の中心部で開いた構造を有する場合と塞がった構造を有する場合に、発明者らは音響特性の違いが微々またはないことを確認した。したがって、第１パーティション１７２１および第２パーティション１７２２の一つの辺に一つ以上のベント部を構成することにより、音響発生装置の定在波による音圧の減少現象を減らすことができる。
【０２３６】
図１６Ａ〜図１６Ｉを参照すると、第１ウーファー一体型音響発生装置（Ｗ３）は、第４音響発生装置１６００ＨＬと非対称に配置することができる。第２ウーファー一体型音響発生装置（Ｗ４）は、第５音響発生装置１６００ＨＲと非対称に配置することができる。図１６Ｈおよび図１６Ｉを参照すると、第１ベント部７０１および第４ベント部７０４は、非対称に配置することができ、第２ベント部７０２および第５ベント部７０５は、非対称的に配置することができる。他の例としては、第１ウーファー一体型音響発生装置（Ｗ３）は、第４音響発生装置１６００ＨＬと対称的に配置することができる。第２ウーファー一体型音響発生装置（Ｗ４）は、第５音響発生装置１６００ＨＲと対称的に配置することができる。図１６Ｈと図１６Ｉを参照すると、第１ベント部７０１と第４ベント部７０４は、対称的に配置することができ、第２ベント部７０２と第５ベント部７０５は、対称的に配置することができる。
【０２３７】
図１６Ｆ〜図１６Ｉを参照すると、第１−１パッド７１１、第１−３パッド７１３、第２−１パッド８１１、および第２−３パッド８１３のそれぞれは、一つで構成されていて、これに限らず、第１−１パッド７１１、第１−３パッド７１３、第２−１パッド８１１、および第２−３パッド８１３のそれぞれは、一つ以上で構成することができる。
【０２３８】
図１６Ｈと図１６Ｉで説明したように、表示パネルの端部には、ベント部を構成しないので、表示パネルと支持部材との付着時に表示パネルの引き込みを減少することができるので、ウェーブ現象を防止することができる。
【０２３９】
図１７Ａ〜図１７Ｉは、本明細書の実施例に係る音響発生装置と、パーティションの例を示す図である。
【０２４０】
図１７Ａ〜図１７Ｉを参照すると、第１音響発生装置１６００Ｌおよび第２音響発生装置１６００Ｒは、第３音響発生装置１６００Ｃとは異なって配置することができる。図１５Ａ〜図１５Ｉで説明した内容と同一の内容については説明を省略し、または簡単にすることができる。
【０２４１】
図１７Ａ〜図１７Ｉを参照すると、第１音響発生装置１６００Ｌおよび第２音響発生装置１６００Ｒは、第３音響発生装置１６００Ｃと非対称に配置することができる。例えば、第１音響発生装置１６００Ｌおよび第２音響発生装置１６００Ｒは、同じ線上に配置することができる。例えば、第３音響発生装置１６００Ｃは、第１音響発生装置１６００Ｌと、異なる線上に配置することができる。例えば、第３音響発生装置１６００Ｃは、第２音響発生装置１６００Ｒと、異なる線上に配置することができる。このように構成する場合、第１音響発生装置１６００Ｌは、第４領域４の第４音響発生装置１６００ＨＬと離れているので、表示パネルの下側からの音響は、第１音響発生装置１６００Ｌより鮮明に実現することができ、第１音響発生装置１６００Ｌと第４音響発生装置１６００ＨＬとの距離により、第１音響発生装置１６００Ｌの音響と第４音響発生装置１６００ＨＬの音響の違いを区別することができる音響を実現することができる。そして、第２音響発生装置１６００Ｒは、第５領域５の第５音響発生装置１６００ＨＲと離れているので、表示パネルの下側からの音響は、第２音響発生装置１６００Ｒより鮮明に実現することができ、第２音響発生装置１６００Ｒと第５音響発生装置１６００ＨＲとの距離により、第２音響発生装置１６００Ｒの音響と第５音響発生装置１６００ＨＲの音響の違いを区別することができる音響を実現することができる。第１音響発生装置１６００Ｌ、第２音響発生装置１６００Ｒ、第３音響発生装置１６００Ｃ、第４音響発生装置１６００ＨＬ、および第５音響発生装置１６００ＨＲは、８０Ｈｚ〜４０ｋＨｚの音響を出力することができ、第１ウーファー（Ｗ１）および第２ウーファー（Ｗ２）は、８０Ｈｚ以下の音響を出力することができる。したがって、表示装置は、５．１チャンネルの音響を出力することができる。
【０２４２】
図１７Ｆを参照すると、第４パーティション１７０１の少なくとも一つの辺に、第１音響発生装置１６００Ｌおよび第４音響発生装置１６００ＨＬの一つ以上を向くようにパッドを配置することができる。例えば、第４パーティション１７０１の少なくとも一つの辺に、第１音響発生装置１６００Ｌを向くように、第１−３パッド７１３および第１−４パッド７１４を配置することができる。第１−３パッド７１３および第１−４パッド７１４と向かい合う辺に、第１−１パッド７１１および第１−２パッド７１２を配置することができる。例えば、第４パーティション１７０１の少なくとも一つの辺に、第４音響発生装置１６００ＨＬを向くように、第４−３パッド７２３および第４−４パッド７２４を配置することができる。第４−３パッド７２３および第４−４パッド７２４と向かい合う辺に、第４−１パッド７２１および第４−２パッド７２２を配置することができる。例えば、第４パーティション１７０１の少なくとも他の辺に、第３音響発生装置１６００Ｃを向くように、第３−１パッド９１１および第３−２パッド９１２を配置することができる。第３−１パッド９１１および第３−２パッド９１２中の一つのみ配置することができる。
【０２４３】
第５パーティション１７０２の少なくとも一つの辺に、第２音響発生装置１６００Ｒおよび第５音響発生装置１６００ＨＲの一つ以上を向くようにパッドを配置することができる。例えば、第５パーティション１７０２の少なくとも一つの辺に、第２音響発生装置１６００Ｒを向くように、第２−１パッド８１１および第２−２パッド８１２を配置することができる。第２−１パッド８１１および第２−２パッド８１２と向かい合う辺に、第２−３パッド８１３および第２−４パッド８１４を配置することができる。第２−１パッド８１１〜第２−４パッド８１４のそれぞれは、二つで構成することができ、これに限らず、一つまたは三つ以上で構成することもできる。例えば、第５パーティション１７０２の少なくとも一つの辺に、第５音響発生装置１６００ＨＲを向くように、第５−１パッド８２１および第５−２パッド８２２を配置することができる。第５−１パッド８２１および第５−２パッド８２２と向かい合う辺に、第５−３パッド８２３および第５−４パッド８２４を配置することができる。第５−１パッド８２１〜第５−４パッド８２４のそれぞれは、二つで構成することができ、これに限らず、一つまたは三つ以上で構成することもできる。例えば、第５パーティション１７０２の少なくとも他の辺に、第３音響発生装置１６００Ｃを向くように、第３−３パッド９１３および第３−４パッド９１４を配置することができる。第３−３パッド９１３および第３−４パッド９１４中の一つのみ配置することができる。残りの説明は、図１５Ｆ〜図１５Ｉで説明した内容と同一または類似するので、ここでは説明を省略する。
【０２４４】
図１８Ａ〜図１８Ｉは、本明細書の実施例に係る音響発生装置と、パーティションの例を示す図である。
【０２４５】
図１８Ａ〜図１８Ｉを参照すると、第１領域１に第１ウーファー一体型音響発生装置（Ｗ３）および第２領域２に第２ウーファー一体型音響発生装置（Ｗ４）を配置することができる。第１ウーファー一体型音響発生装置（Ｗ３）および第２ウーファー型音響発生装置（Ｗ４）は、第３音響発生装置１６００Ｃとは異なって配置することができる。図１５Ａ〜図１７Ｉで説明した内容と同一の内容については説明を省略し、または簡単にすることができる。
【０２４６】
図１８Ａ〜図１８Ｉを参照すると、第１ウーファー一体型音響発生装置（Ｗ３）および第２ウーファー型音響発生装置（Ｗ４）は、第３音響発生装置１６００Ｃと非対称に配置することができる。例えば、第１ウーファー一体型音響発生装置（Ｗ３）および第２ウーファー型音響発生装置（Ｗ４）は、同一線上に配置することができる。例えば、第３音響発生装置１６００Ｃは、第１ウーファー一体型音響発生装置（Ｗ３）と、異なる線上に配置することができる。例えば、第３音響発生装置１６００Ｃは、第２ウーファー型音響発生装置（Ｗ４）と、異なる線上に配置することができる。このように構成する場合、第１ウーファー型音響発生装置（Ｗ３）は、第４領域４の第４音響発生装置１６００ＨＬと離れているので、表示パネルの下側からの音響が第１ウーファー型音響発生装置（Ｗ３）よりも鮮明に実現することができ、第１ウーファー型音響発生装置（Ｗ３）および第４音響発生装置１６００ＨＬとの距離により、第１ウーファー型音響発生装置（Ｗ３）の音響と第４音響発生装置１６００ＨＬの音響の違いを区別することができる音響を実現することができる。そして、第２ウーファー型音響発生装置（Ｗ４）は、第５領域５の第５音響発生装置１６００ＨＲと離れているので、表示パネルの下側からの音響が第２ウーファー型音響発生装置（Ｗ４）より鮮明に実現することができ、第２ウーファー型音響発生装置（Ｗ４）および第５音響発生装置１６００ＨＲとの距離により、第２ウーファー型音響発生装置（Ｗ４）の音響と第５音発生装置１６００ＨＲの音響の違いを区別することができる音響を実現することができる。第１ウーファー一体型音響発生装置（Ｗ３）および第２ウーファー一体型音響発生装置（Ｗ４）は、６０Ｈｚ〜４０ｋＨｚの音響を出力することができ、第３音響発生装置１６００Ｃ、第４音響発生装置１６００ＨＬ、および第５音響発生装置１６００ＨＲは、８０Ｈｚ〜４０ｋＨｚの音響を出力することができる。したがって、表示装置は、５．１チャンネルの音響を出力することができる。
【０２４７】
そして、第１ウーファー一体型音響発生装置（Ｗ３）および第２ウーファー一体型音響発生装置（Ｗ４）は、ウーファーと一体型に構成された音響発生装置なので、別個のウーファーを構成する必要がない利点がある。
【０２４８】
図１８Ａ〜図１８Ｉを参照すると、第１ウーファー一体型音響発生装置（Ｗ３）は、第４音響発生装置１６００ＨＬと非対称に配置することができる。第２ウーファー一体型音響発生装置（Ｗ４）は、第５音響発生装置１６００ＨＲと非対称に配置することができる。このように構成する場合、第１ウーファー一体型音響発生装置（Ｗ３）が発生させる振動および定在波と、第４音響発生装置１６００ＨＬが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１ウーファー一体型音響発生装置（Ｗ３）および第４音響発生装置１６００ＨＬの非対称構造は、これを防止して、原音に近い自然な音響を再生することができる。第２ウーファー一体型音響発生装置（Ｗ４）が発生させる振動および定在波と、第５音響発生装置１６００ＨＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第２ウーファー一体型音響発生装置（Ｗ４）および第５音響発生装置１６００ＨＲの非対称構造は、これを防止して、原音に近い自然な音響を再生することができる。
【０２４９】
図１８Ｆおよび図１８Ｇを参照すると、第１−５パッド７１５および第４−６パッド７２６は、非対称に配置することができ、第２−５パッド８１５および第５−６パッド８２６は、非対称的に配置することができる。他の例としては、第１ウーファー一体型音響発生装置（Ｗ３）は、第４音響発生装置１６００ＨＬと対称的に配置することができる。第２ウーファー一体型音響発生装置（Ｗ４）は、第５音響発生装置１６００ＨＲと対称的に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図１８Ｆおよび図１８Ｇを参照すると、第１−５パッド７１５と第４−６パッド７２６は、対称的に配置することができ、第２−５パッド８１５と第２−６パッド８１６は、対称的に配置することができる。図１８Ｈと図１８Ｉを参照すると、第１ベント部７０１と第４ベント部７０４は、非対称に配置することができ、第２ベント部７０２および第５ベント部７０５は、非対称的に配置することができる。他の例としては、第１ウーファー一体型音響発生装置（Ｗ３）は、第４音響発生装置１６００ＨＬと対称的に配置することができる。第２ウーファー一体型音響発生装置（Ｗ４）は、第５音響発生装置１６００ＨＲと対称的に配置することができる。図１８Ｈと図１８Ｉを参照すると、第１ベント部７０１と第４ベント部７０４は、対称的に配置することができ、第２ベント部７０２と第５ベント部７０５は、対称的に配置することができる。
【０２５０】
図１８Ｆ〜図１８Ｉを参照すると、第１−１パッド７１１、第１−３パッド７１３、第２−１パッド８１１、第２−３パッド８１３、第３−１パッド９１１、および第３−３パッド９１３のそれぞれは、一つで構成することができる。これに限らず、第１−１パッド７１１、第１−３パッド７１３、第２−１パッド８１１、第２−３パッド８１３、第３−１パッド９１１、および第３−３パッド９１３のそれぞれは、二つ以上で構成することができる。
【０２５１】
図１９Ａ〜図１９Ｉは、本明細書の実施例に係る音響発生装置と、パーティションの例を示す図である。
【０２５２】
以下の実施例では、図１９Ａ〜図１９Ｉを例に挙げて説明し、図２０Ａ〜図２７Ｉの実施例でも同一又は類似して適用することができる。
【０２５３】
図１９Ａ〜図１９Ｉを参照すると、表示パネルの背面は、第１領域１〜第１５領域１５を含むことができる。第１領域１〜第１５領域１５は、同じ面積を有することができるが、これに限定されるものではない。例えば、第１領域１〜第１５領域１５は、同じ間隔または距離を有するように配置することができるが、これに限定されるものではない。第１領域１〜第１５領域１５は、所望の音域に応じてサイズを調節することができる。例えば、第１領域１、第４領域４、および第７領域７は、表示パネルの背面の左側の領域であり得る。例えば、第２領域２、第５領域５、および第８領域８は、表示パネルの背面の右側の領域であり得る。例えば、第３領域３、第６領域６、および第９領域９は、表示パネルの背面の中央領域であり得る。例えば、第６領域６は、第４領域４と第５領域５との間の領域であり得る。例えば、第９領域９は、第７領域７と第８領域８との間の領域であり得る。例えば、第１０領域１０は、第１領域１と第３領域３との間の領域であり得る。例えば、第１１領域１１は、第２領域２と第３領域３との間の領域であり得る。例えば、第７領域７は、第１領域１の下側であり得、第８領域８は、第２領域２の下側であり得る。例えば、第１０領域１０、第１２領域１２、および第１４領域１４は、第１領域１、第４領域４、および第７領域７と第３領域３、第６領域６、および第９領域９の間であり得る。例えば、第１１領域１１は、第１３領域１３、および第１５領域１５は、第２領域２、第５領域５、および第８領域８と第３領域３、第６領域６、および第９領域９の間であり得る。第１領域〜第１５領域で領域を表示する数字１〜１５は、任意に表示したものであり、数字の１〜１５および第１領域〜第１５領域の区分が明細書の内容を限定するものではない。これに対する説明は、図２０Ａ〜図２７Ｉで、同一または類似に適用することができる。
【０２５４】
第１領域１〜第１５領域１５のうち少なくとも一つの領域には、少なくとも一つの音響発生装置を配置することができる。以下の実施例は、音響発生装置を表示パネルの背面に配置することを例に説明し、これに限らず、音響発生装置は、表示パネルと支持部材３００との間に配置することができる。例えば、音響発生装置は、表示パネルの背面と支持部材３００の前面との間に配置することができる。例えば、第１音響発生装置１６００Ｌは、表示パネルの背面の第１領域１に配置することができ、第４音響発生装置１６００ＨＬは、表示パネルの背面の第４領域４に配置することができ、第７音響発生装置１６００ＢＬは、表示パネルの背面の第７領域７に配置することができる。第２音響発生装置１６００Ｒは、表示パネルの背面の第２領域２に配置することができ、第５音響発生装置１６００ＨＲは、表示パネルの背面の第５領域５に配置することができ、第８音響発生装置１６００ＢＲは、表示パネルの背面の第８領域８に配置することができる。第３音響発生装置１６００Ｃは、表示パネルの背面の第３領域３に配置することができ、第６音響発生装置１６００ＨＣは、表示パネルの背面の第６領域６に配置することができ、第９音響発生装置１６００ＢＣは、表示パネルの背面の第９領域９に配置することができる。第１０音響発生装置１６００ＬＣは、表示パネルの背面の第１０領域１０に配置することができ、第１１音響発生装置１６００ＲＣは、表示パネルの背面の第１１領域１１に配置することができる。第１音響発生装置１６００Ｌは、表示パネルの左側（Ｌｅｆｔ）チャンネルであり、第４音響発生装置１６００ＨＬは、表示パネルの上左側（Ｈｅｉｇｈｔ  ＬｅｆｔまたはＴｏｐ  Ｌｅｆｔ）チャンネルであり、第７音響発生装置１６００ＢＬは、表示パネルの下左側（Ｂｏｔｔｏｍ  Ｌｅｆｔ）チャンネルであり得る。第１０音響発生装置１６００ＬＣは、表示パネルの左側中央（Ｌｅｆｔ  Ｃｅｎｔｅｒ）チャンネルであり得る。第２音響発生装置１６００Ｒは、表示パネルの右側（Ｒｉｇｈｔ）チャンネルであり、第５音響発生装置１６００ＨＲは、表示パネルの上右側（Ｈｅｉｇｈｔ  ＲｉｇｈｔまたはＴｏｐ  Ｒｉｇｈｔ）チャンネルであり、第８音響発生装置１６００ＢＲは、表示パネルの下右側（Ｂｏｔｔｏｍ  Ｒｉｇｈｔ）チャンネルであり得る。第１１音響発生装置１６００ＲＣは、表示パネルの右側中央（Ｒｉｇｈｔ  Ｃｅｎｔｅｒ）チャンネルであり得る。第３音響発生装置１６００Ｃは、表示パネルの中央（ｃｅｎｔｅｒ）チャンネルであり、第６音響発生装置１６００ＨＣは、表示パネルの上側中央（Ｈｅｉｇｈｔ  ＣｅｎｔｅｒまたはＴｏｐ  Ｃｅｎｔｅｒ）チャンネルであり、第９音響発生装置１６００ＢＣは、表示パネルの下側中央（Ｂｏｔｔｏｍ  Ｃｅｎｔｅｒ）チャンネルであり得る。
【０２５５】
例えば、第１音響発生装置１６００Ｌは、第４音響発生装置１６００ＨＬおよび／または第７音響発生装置１６００ＢＬと対称に配置することができるが、これに限定されるものではない。例えば、第１音響発生装置１６００Ｌは、第４音響発生装置１６００ＨＬおよび／または第７音響発生装置１６００ＢＬと同一線上に整列することができるが、これに限定されるものではない。例えば、第２音響発生装置１６００Ｒは、第５音響発生装置１６００ＨＲおよび／または第８音響発生装置１６００ＢＲと対称に配置することができるが、これに限定されるものではない。例えば、第２音響発生装置１６００Ｒは、第５音響発生装置１６００ＨＲおよび／または第８音響発生装置１６００ＢＲと同一線上に整列することができるが、これに限定されるものではない。例えば、第３音響発生装置１６００Ｃは、第６音響発生装置１６００ＨＣおよび／または第９音響発生装置１６００ＢＣと対称に配置することができるが、これに限定されるものではない。例えば、第３音響発生装置１６００Ｃは、第６音響発生装置１６００ＨＣおよび／または第９音響発生装置１６００ＢＣと同一線上に整列することができるが、これに限定されるものではない。例えば、第１０音響発生装置１６００ＬＣおよび第１１音響発生装置１６００ＲＣは、第１音響発生装置１６００Ｌ、第２音響発生装置１６００Ｒ、および第３音響発生装置１６００Ｃの少なくとも一つと対称に配置することができるが、これに限定されるものではない。例えば、第１０音響発生装置１６００ＬＣおよび第１１音響発生装置１６００ＲＣは、第１音響発生装置１６００Ｌ、第２音響発生装置１６００Ｒ、および第３音響発生装置１６００Ｃの少なくとも一つと同一線上に整列することができるが、これに限定されるものではない。これに対する説明は、図２０Ａ〜図２７Ｉで同一または類似に適用することができる。
【０２５６】
例えば、第４音響発生装置１６００ＨＬおよび第５音響発生装置１６００ＨＲ中の一つは、第６音響発生装置１６００ＨＣと対称に配置することができるが、これに限定されるものではない。例えば、第４音響発生装置１６００ＨＬおよび第５音響発生装置１６００ＨＲ中の一つは、第６音響発生装置１６００ＨＣと同一線上に整列することができるが、これに限定されるものではない。例えば、第１音響発生装置１６００Ｌ、第２音響発生装置１６００Ｒ、第１０音響発生装置１６００ＬＣ、および第１１音響発生装置１６００ＲＣ中の一つは、第３音響発生装置１６００Ｃと対称に配置することができるが、これに限定されるものではない。例えば、第１音響発生装置１６００Ｌ、第２音響発生装置１６００Ｒ、第１０音響発生装置１６００ＬＣ、および第１１音響発生装置１６００ＲＣ中の一つは、第３音響発生装置１６００Ｃと同一線上に整列することができるが、これに限定されるものではない。例えば、第７音響発生装置１６００ＢＬおよび第８音響発生装置１６００ＢＲ中の一つは、第９音響発生装置１６００ＢＣと対称に配置することができるが、これに限定されるものではない。例えば、第７音響発生装置１６００ＢＬおよび第８音響発生装置１６００ＢＲ中の一つは、第９音響発生装置１６００ＢＣと同一線上に整列することができるが、これに限定されるものではない。これに対する説明は、図２０Ａ〜図２７Ｉで同一または類似に適用することができる。
【０２５７】
図１９Ａ〜図１９Ｉで第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、図５〜図１３で説明した楕円形の音響発生装置、一対の音響発生装置、円形の音響発生装置、シングルタイプの音響発生装置、２アレイ以上の音響発生装置、およびフィルム型音響発生装置のうちの少なくとも一つ以上を含むことができる。楕円形（ｏｖａｌ  ｓｈａｐｅ）は、楕円形（ｅｌｌｉｐｔｉｃａｌ  ｓｈａｐｅ）、先端が丸い四角形（ｒｅｃｔａｎｇｕｌａｒ  ｓｈａｐｅ  ｗｉｔｈ  ｒｏｕｎｄｅｄ  ｃｏｒｎｅｒｓ）、または幅が高さと異なる非円形の曲線型（ｎｏｎ−ｃｉｒｃｕｌａｒ  ｃｕｒｖｅｄ  ｓｈａｐｅ  ｈａｖｉｎｇ  ａ  ｗｉｄｔｈ  ｄｉｆｆｅｒｅｎｔ  ｆｒｏｍ  ｉｔｓ  ｈｅｉｇｈｔ）を含むことができ、実施例がこれに限定されない。例えば、楕円形のボビンで、長軸の直径と短軸の直径の比は、１．３：１〜２：１で構成することができる。楕円形のボビンは、円形よりも高音域帯の音響を改善することができ、振動による熱の発生が少ないことができるので、優れた放熱特性を有することができる。例えば、少なくとも一つの音響発生装置は、表示パネルを直接振動させて音響を発生させることができる。これに対する説明は、図２０Ａ〜図２７Ｉで、同一または類似に適用することができる。
【０２５８】
図１９Ｂを参照すると、音響発生装置の周辺にパーティションをさらに構成することができる。パーティションは、音響発生装置によって表示パネル１００が振動する時に音響が発生するエアギャップ（ａｉｒ  ｇａｐ）または空間（ｓｐａｃｅ）であり得る。パーティションは、音響またはチャンネルを分離することができ、音響の干渉に起因するクリアでない音響の発生を防止または軽減することができる。音響を発生させ、伝達するエアギャップまたは空間をパーティションとすることができる。パーティションは、エンクロージャ（ｅｎｃｌｏｓｕｒｅ）またはバッフル（ｂａｆｆｌｅ）とすることができ、用語に限定されない。以下の実施例は、パーティションを支持部材に配置することを例に挙げて説明し、これに限らず、表示パネルの背面に配置することができる。音響発生装置とパーティションを示すために支持部材に配置することを例に挙げて説明する。例えば、パーティションが支持部材に配置される場合には、表示パネルに配置されるパーティションによって表示パネルに及ぼす画質の影響を軽減することができる。
【０２５９】
例えば、パーティションは、表示パネルの第１領域１〜第１１領域１１に対応する表示パネルと、支持部材３００との間に配置することができる。例えば、第４パーティション１７１３は、第１領域１、第４領域４、および第７領域７と、第３領域３、第６領域６、および第９領域９との間に配置することができる。第４パーティション１７１３は、第１音響発生装置１６００Ｌ、第４音響発生装置１６００ＨＬ、および第７音響発生装置１６００ＢＬと、第３音響発生装置１６００Ｃ、第６音響発生装置１６００ＨＣ、および第９音響発生装置１６００ＢＣで発生する音響またはチャンネルを分離することができる。例えば、第５パーティション１７１４は、第２領域２、第５領域５、および第８領域８と、第３領域３、第６領域６、および第９領域９との間に配置することができる。第５パーティション１７１４は、第２音響発生装置１６００Ｒ、第５音響発生装置１６００ＨＲ、および第８音響発生装置１６００ＢＲと、第３音響発生装置１６００Ｃ、第６音響発生装置１６００ＨＣ、および第９音響発生装置１６００ＢＣで発生する音響またはチャンネルを分離することができる。したがって、第４パーティション１７１３および第５パーティション１７１４は、左側音響と右側音響を分離することができる。
【０２６０】
第１パーティション１７２１は、表示パネルの上側（ＨｅｉｇｈｔまたはＴｏｐ）のチャンネルと表示パネルの下側（Ｂｏｔｔｏｍ）のチャンネルを分離することができる。例えば、第１パーティション１７２１は、表示パネルの上側に配置される第４音響発生装置１６００ＨＬ、第５音響発生装置１６００ＨＲ、および第６音響発生装置１６００ＨＣと、表示パネルの下側に配置される第７音響発生装置１６００ＢＬ、第８音響発生装置１６００ＢＣ、および第９音響発生装置１６００ＢＣで発生する音響またはチャンネルを分離することができる。ステレオ音響または立体音響を実現するために、第１０音響発生装置１６００ＬＣおよび第１１音響発生装置１６００ＲＣをさらに構成したが、第１０音響発生装置１６００ＬＣで発生する音響またはチャンネルと、第７音響発生装置１６００ＢＬ、第８音響発生装置１６００ＢＣ、および第９音響発生装置１６００ＢＣで発生する音響またはチャンネルを分離するために、パーティションを実現しなければならないことを認識した。また、第１１音響発生装置１６００ＲＣで発生する音響またはチャンネルと、第７音響発生装置１６００ＢＬ、第８音響発生装置１６００ＢＣ、および第９音響発生装置１６００ＢＣで発生する音響またはチャンネルを分離するために、パーティションを実現しなければならないことを認識した。第４パーティション１７１３および第５パーティション１７１４は、左右の音響または左右のチャンネルを分離することができる。ステレオ音響または立体音響を実現するために、第１０音響発生装置１６００ＬＣおよび第１１音響発生装置１６００ＲＣをさらに構成したが、第１０音響発生装置１６００ＬＣで発生する音響またはチャンネルと第１音響発生装置１６００Ｌ、第４音響発生装置１６００ＨＬ、および第７音響発生装置１６００ＢＬで発生する音響またはチャンネルを分離するために、パーティションを実現しなければならないことを認識した。また、第１１音響発生装置１６００ＲＣで発生する音響またはチャンネルと第２音響発生装置１６００Ｒ、第５音響発生装置１６００ＨＲ、および第８音響発生装置１６００ＢＲで発生する音響またはチャンネルを分離するために、パーティションを実現しなければならないことを認識した。第１パーティション１７２１を配置する場合には、上下音響または上下チャンネルを分離することができるが、上下音響または上下チャンネルと、中央音響または中央チャンネルを分離することができないことを認識した。第４パーティション１７１３および第５パーティション１７１４を配置する場合には、左右音響または左右チャンネルを分離することができるが、左右音響または左右チャンネルと、中央音響または中央チャンネルを分離することができないことを認識した。そこで、本明細書の発明者らは、いくつかの実験を通じて、パーティションを実現しており、これに対して、以下に説明する。
【０２６１】
例えば、第６パーティション１７１１は、第１領域１、第４領域４、および第７領域７と、第１０領域１０との間に配置することができる。例えば、第６パーティション１７１１は、第１音響発生装置１６００Ｌ、第４音響発生装置１６００ＨＬ、および第７音響発生装置１６００ＢＬと、第１０音響発生装置１６００ＬＣで発生する音響またはチャンネルを分離することができるので、音響出力特性を向上させることができる。例えば、第６パーティション１７１１は、第１音響発生装置１６００Ｌ、第４音響発生装置１６００ＨＬ、および第７音響発生装置１６００ＢＬと、第３音響発生装置１６００Ｃ、第６音響発生装置１６００ＨＣ、および第９音響発生装置１６００ＢＣで発生する音響またはチャンネルを分離することができるので、音響出力特性を向上させることができる。例えば、第６パーティション１７１１は、左側音響または左チャンネル、左側中央音響または左側中央チャンネル、および中央音響または中央チャンネルを分離することができるので、音響出力特性を向上させることができる。
【０２６２】
例えば、第７パーティション１７１２は、第２領域２、第５領域５、および第８領域８と、第１１領域１１との間に配置することができる。例えば、第７パーティション１７１２は、第２音響発生装置１６００Ｒ、第５音響発生装置１６００ＨＲ、および第８音響発生装置１６００ＢＲと、第１１音響発生装置１６００ＲＣで発生する音響またはチャンネルを分離することができるので、音響出力特性を向上させることができる。例えば、第７パーティション１７１２は、第２音響発生装置１６００Ｒ、第５音響発生装置１６００ＨＲ、および第８音響発生装置１６００ＢＲと、第３音響発生装置１６００Ｃ、第６音響発生装置１６００ＨＣ、および第９音響発生装置１６００ＢＣで発生する音響またはチャンネルを分離することができるので、音響出力特性を向上させることができる。例えば、第７パーティション１７１２は、右側音響または右チャンネル、右側中央音響または右側中央チャンネル、および中央音響または中央チャンネルを分離することができるので、音響出力特性を向上させることができる。
【０２６３】
例えば、第４パーティション１７１３は、第３領域３、第６領域６、および第９領域９と、第１０領域１０との間に配置することができる。第４パーティション１７１３は、第３音響発生装置１６００Ｃ、第６音響発生装置１６００ＨＣ、および第９音響発生装置１６００ＢＣと、第１０音響発生装置１６００ＬＣで発生する音響またはチャンネルを分離することができるので、音響出力特性を向上させることができる。例えば、第５パーティション１７１４は、第３領域３、第５領域（６）、および第９領域９と、第１１領域１１との間に配置することができる。第５パーティション１７１４は、第３音響発生装置１６００Ｃ、第６音響発生装置１６００ＨＣ、および第９音響発生装置１６００ＢＣと、第１１音響発生装置１６００ＲＣで発生する音響またはチャンネルを分離することができるので、音響出力特性を向上させることができる。例えば、第４パーティション１７１３は、中央領域の音響またはチャンネルと左側中央領域の音響またはチャンネルを分離することができる。例えば、第５パーティション１７１４は、中央領域の音響またはチャンネルと右側中央領域の音響またはチャンネルを分離することができる。
【０２６４】
第１パーティション１７２１は、表示パネルの上側（ＨｅｉｇｈｔまたはＴｏｐ）のチャンネルと表示パネルの下側（Ｂｏｔｔｏｍ）のチャンネルを分離することができる。例えば、第１パーティション１７２１は、第４音響発生装置１６００ＨＬ、第５音響発生装置１６００ＨＲ、および第６音響発生装置１６００ＨＣと、第７音響発生装置１６００ＢＬ、第８音響発生装置１６００ＢＲ、および第９音響発生装置１６００ＢＣで発生する音響またはチャンネルを分離することができる。第１パーティション１７２１は、表示パネルの上側（ＨｅｉｇｈｔまたはＴｏｐ）のチャンネルと表示パネルの中央のチャンネルを分離することができる。例えば、第１パーティション１７２１は、第４音響発生装置１６００ＨＬ、第５音響発生装置１６００ＨＲ、および第６音響発生装置１６００ＨＣと、第１音響発生装置１６００Ｌ、第２音響発生装置１６００Ｒ、第３音響発生装置１６００Ｃ、第１０音響発生装置１６００ＬＣ、および第１１音響発生装置１６００ＲＣで発生する音響またはチャンネルを分離することができる。
【０２６５】
第２パーティション１７２２は、表示パネルの中央のチャンネルと表示パネルの下側（Ｂｏｔｔｏｍ）のチャンネルを分離することができる。例えば、第２パーティション１７２２は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣと、第７音響発生装置１６００ＢＬ、第８音響発生装置１６００ＢＲ、および第９音響発生装置１６００ＢＣで発生する音響またはチャンネルを分離することができる。第３パーティション１７２３は、表示パネルの下側（Ｂｏｔｔｏｍ）のチャンネルとウーファーを分離することができる。例えば、第３パーティション１７２３は、第７音響発生装置１６００ＢＬ、第８音響発生装置１６００ＢＲ、および第９音響発生装置１６００ＢＣの下側に配置することができる。例えば、第３パーティション１７２３は、第７音響発生装置１６００ＢＬ、第８音響発生装置１６００ＢＲ、および第９音響発生装置１６００ＢＣと、第１ウーファー（Ｗ１）および第２ウーファー（Ｗ２）で発生する音響またはチャンネルを分離することができる。
【０２６６】
第１パーティション１７２１、第２パーティション１７２２、第３パーティション１７２３、第４パーティション１７１３、第５パーティション１７１４、第６パーティション１７１１、および第７パーティション１７１２は、支持部材３００に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、支持部材３００の前面に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、表示パネル１００と支持部材３００との間に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、表示パネル１００の背面と支持部材３００の前面との間に配置することができる。
【０２６７】
第１パーティション１７２１、第２パーティション１７２２、第３パーティション１７２３、第４パーティション１７１３、第５パーティション１７１４、第６パーティション１７１１、および第７パーティション１７１２は、両面テープ、両面フォームパッド、片面テープ、片面フォームパッド、接着剤、およびボンド中の一つで構成することができるが、これに限定されるものではない。パーティションが両面テープまたは両面フォームパッドで構成される場合、表示パネル１００の背面と支持部材３００の上面を付着する時の接着力を向上させることができる。例えば、第１パーティション１７２１、第２パーティション１７２２、第３パーティション１７２３、第４パーティション１７１３、第５パーティション１７１４、第６パーティション１７１１、および第７パーティション１７１２は、一定程度圧縮することができる弾性を有する材質で実現することができる。例えば、第１パーティション１７２１、第２パーティション１７２２、第３パーティション１７２３、第４パーティション１７１３、第５パーティション１７１４、第６パーティション１７１１、および第７パーティション１７１２は、ポリウレタン（ｐｏｌｙｕｒｅｔｈａｎｅ）、ポリオレフィン（ｐｏｌｙｏｌｅｆｉｎ）、およびポリエチレン（ｐｏｌｙｅｔｈｙｌｅｎｅ）材質で構成することができるが、これに限定されるものではない。
【０２６８】
第４領域４に、第４音響発生装置１６００ＨＬおよび第５領域５に第５音響発生装置１６００ＨＲを構成し、第１２領域１２には、音響発生装置を構成しないことができる。これによって、第４音響発生装置１６００ＨＬおよび第５音響発生装置１６００ＨＲの振動が表示パネルの第１２領域１２で減衰または吸収されるので、第４領域４からの音響が第５領域５に伝達されることを遮断または軽減することができ、第５領域５からの音響が第４領域４に伝達されることを遮断または軽減することができる。したがって、第４領域４および第５領域５で発生する音響の干渉に起因する音質劣化を減少させることができ、中高音域帯の音響特性をより向上させることができる効果がある。例えば、第５領域５に第５音響発生装置１６００ＨＲおよび第６領域６に第６音響発生装置１６００ＨＣを構成し、第１３領域１３には、音響発生装置を構成しないことができる。これによって、第５音響発生装置１６００ＨＲおよび第６音響発生装置１６００ＨＣの振動が表示パネルの第１３領域１３で減衰または吸収されるので、第５領域５からの音響が第６領域６に伝達されることを遮断または軽減することができ、第６領域６の音響が第５領域５に伝達されることを遮断または軽減することができる。したがって、第５領域５および第６領域６で発生する音響の干渉に起因する音質劣化を減少させることができ、中高音域帯の音響特性をより向上させることができる効果がある。
【０２６９】
第７領域７に第７音響発生装置１６００ＢＬおよび第９領域９に第９音響発生装置１６００ＢＣを構成し、第１４領域１４には、音響発生装置を構成しないことができる。これによって、第７音響発生装置１６００ＢＬおよび第９音響発生装置１６００ＢＣの振動が表示パネルの第１４領域１４で減衰または吸収されるので、第７領域７の音響が第９領域９に伝達されることを遮断または軽減することができ、第９領域９の音響が第７領域７に伝達されることを遮断または軽減することができる。したがって、第７領域７および第９領域９で発生する音響の干渉に起因する音質劣化を減少させることができ、中高音域帯の音響特性をより向上させることができる効果がある。例えば、第８領域８に第８音響発生装置１６００ＢＲおよび第９領域９に第９音響発生装置１６００ＢＣを構成し、第１５領域１５には、音響発生装置を構成しないことができる。これによって、第８音響発生装置１６００ＢＲおよび第９音響発生装置１６００ＢＣの振動が表示パネルの第１５領域１５で減衰または吸収されるので、第８領域８の音響が第９領域９に伝達されることを遮断または軽減することができ、第９領域９の音響が第８領域８に伝達されることを遮断または軽減することができる。したがって、第８領域８および第９領域９で発生する音響の干渉に起因する音質劣化を減少させることができ、中高音域帯の音響特性をより向上させることができる効果がある。
【０２７０】
図１９Ｂで支持部材３００の周辺には、パーティションが配置されないことがあり得る。支持部材３００の周辺には、図１Ｂで説明した接着部材によって表示パネル１００を接着することができる。接着部材は、パーティションであり得る。
【０２７１】
第１パーティション１７２１、第２パーティション１７２２、第３パーティション１７２３、第４パーティション１７１３、第５パーティション１７１４、第６パーティション１７１１、および第７パーティション１７１２を配置する際に、第１パーティション１７２１、第２パーティション１７２２、および第３パーティション１７２３を配置した後に、第４パーティション１７１３、第５パーティション１７１４、第６パーティション１７１１、および第７パーティション１７１２を配置することができる。他の例としては、第４パーティション１７１３、第５パーティション１７１４、第６パーティション１７１１、および第７パーティション１７１２を配置した後に、第１パーティション１７２１、第２パーティション１７２２、および第３パーティション１７２３を配置することができ、配置する順序が明細書の内容を限定するものではない。以下の実施例では、第１パーティション１７２１、第２パーティション１７２２、および第３パーティション１７２３を配置した後に、第４パーティション１７１３、第５パーティション１７１４、第６パーティション１７１１、および第７パーティション１７１２を配置することを例に挙げて示すが、これに限定されるものではない。これに対する内容は、以下の実施例でも同一又は類似に適用することができる。
【０２７２】
したがって、第１音響発生装置１６００Ｌ、第４音響発生装置１６００ＨＬ、および第７音響発生装置１６００ＢＬは、表示パネル１００背面の左側の領域である第１領域１、第４領域４、および第７領域７に配置して表示パネルの背面の左側の領域を振動させることができる。第２音響発生装置１６００Ｒ、第５音響発生装置１６００ＨＲ、および第８音響発生装置１６００ＢＲは、表示パネルの背面の右側の領域である第２領域２、第５領域５は、および第８領域８に配置して表示パネルの背面の右側の領域を振動させることができる。第３音響発生装置１６００Ｃ、第６音響発生装置１６００ＨＣ、および第９音響発生装置１６００ＢＣは、表示パネルの背面の中央領域である第３領域３、第６領域６は、および第９領域９に配置して表示パネルの背面の中央領域を振動させることができる。第１０音響発生装置１６００ＬＣおよび第１１音響発生装置１６００ＲＣは、表示パネルの第１０領域１０および第１１領域１１に配置して表示パネルの背面の左側領域、中央領域、および右領域を振動させることができる。第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣそれぞれは、互いに異なる振動信号を受信して独立して駆動することができる。例えば、第１音響発生装置１６００Ｌ、第４音響発生装置１６００ＨＬ、および第７音響発生装置１６００ＢＬは、表示パネル１００の背面の左側の領域を振動板として使用することにより、音響を発生させることができる。第２音響発生装置１６００Ｒ、第５音響発生装置１６００ＨＲ、および第８音響発生装置１６００ＢＲは、表示パネルの背面の右側の領域を振動板として使用することにより、音響を発生させることができる。第３音響発生装置１６００Ｃ、第６音響発生装置１６００ＨＣ、および第９音響発生装置１６００ＢＣは、表示パネルの中央領域を振動板として使用することにより、音響を発生させることができる。第１０音響発生装置１６００ＬＣおよび第１１音響発生装置１６００ＲＣは、表示パネルの背面の左側領域、中央領域、および右領域を振動板として使用することにより、音響を発生させることができる。例えば、第６音響発生装置１６００ＨＣは、表示パネルの上側にまたは前記表示パネルから上向きに音響を発生させることができる。例えば、第４音響発生装置１６００ＨＬ、第５音響発生装置１６００ＨＲ、および第６音響発生装置１６００ＨＣは、表示パネルの上側にまたは前記表示パネルから上向きに音響を発生させることができるので、表示パネルの上側からの音響を向上させることができる。例えば、第７音響発生装置１６００ＢＬ、第８音響発生装置１６００ＢＲ、および第９音響発生装置１６００ＢＣは、表示パネルの下側にまたは前記表示パネルから下向きに音響を発生させることができるので、表示パネルの下側からの音響を向上させることができる。そして、低音域帯の音響を向上させるためにウーファーを配置することができる。例えば、第７領域７および第８領域８の下側に少なくとも一つのウーファーをさらに含むことができる。例えば、第７音響発生装置１６００ＢＬと第８音響発生装置１６００ＢＲの下側に少なくとも一つのウーファーをさらに含むことができる。例えば、第１ウーファー（Ｗ１）は、表示パネルの第７領域７の下側に配置することができる。例えば、第１ウーファー（Ｗ１）は、第７音響発生装置１６００ＢＬの下側に配置することができる。例えば、第１ウーファー（Ｗ１）は、第７領域７および第１４領域１４との間に配置することができる。例えば、第２ウーファー（Ｗ２）は、表示パネルの第８領域８の下側に配置することができる。例えば、第２ウーファー（Ｗ２）は、第８音響発生装置１６００ＢＲの下側に配置することができる。例えば、第２ウーファー（Ｗ２）は、第８領域８と第１５領域１５との間に配置することができる。したがって、第１ウーファー（Ｗ１）および第２ウーファー（Ｗ２）は、低音域帯の音響を出力することができる。第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、８０Ｈｚ〜４０ｋＨｚの音響を出力することができる。第１ウーファー（Ｗ１）および第２ウーファー（Ｗ２）は、８０Ｈｚ以下の音を出力することができる。したがって、表示装置は、１１．１チャンネルの音響を出力することができる。そして、左右に配置された音響発生装置と比較して表示パネルの横方向を基準に上下に音響発生装置がさらに構成されているので、左右の音響および上下音響を向上させることができ、使用者に実際の音響と同じ音場感を与えることができる効果がある。例えば、第１０音響発生装置１６００ＬＣおよび第１１音響発生装置１６００ＲＣをさらに構成することで、表示パネルの左側、右側、および中央での音響をより向上させることができる。例えば、第４音響発生装置１６００ＨＬ、第５音響発生装置１６００ＨＲ、および第６音響発生装置１６００ＨＣをさらに構成することで、表示パネルの上側からの音響を出力することができ、第７音響発生装置１６００ＢＬ、第８音響発生装置１６００ＢＲ、および第９音響発生装置１６００ＢＣをさらに構成することで、表示パネルの下側からの音響を出力することができるので、左右の音響および上下音響を含む立体的な音響を実現できる表示装置を提供することができる。したがって、左右映像および上下映像に対する左右音響および上下音響を実現することができ、使用者に立体的な左右音響および上下音響を含む実際の音響（例えば、リアル（ｒｅａｌ）サウンド）のリアル立体音響を実現することができるので、仮想（ｖｉｒｔｕａｌ）音響ではなく、リアル（ｒｅａｌ）サウンドを提供することができる。これにより、使用者に立体的な左右音響および上下音響を含む実際の音響（例えば、リアル（ｒｅａｌ）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、リアルＡＶ（Ａｕｄｉｏ  Ｖｉｓｕａｌ）またはドルビー音響システムを感じることができようにすることができる。これに対する説明は、図１９Ｂ〜図２７Ｉにも、同一または類似に適用することができる。そして、図６〜図１１Ｂで説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、表示パネル１００内に配置することができる。したがって、音響発生装置の厚さを減少することができるので、表示装置の厚さが減少して、使用者に美感を与えることができる表示装置を提供することができる。そして、図１２Ａおよび図１２Ｂで説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、低音域帯が向上した音響発生装置で構成することができるので、低音域帯が向上した左右音響および上下音響を実現することができる表示装置を提供することができる。そして、図１３で説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、フィルム型音響発生装置で構成することができるので、音響発生装置の厚さを減少することができるので、表示装置の厚さが減少して、使用者に美感を与えることができる表示装置を提供することことができる。
【０２７３】
図１９Ｃを参照すると、第１パーティション１７２１、第２パーティション１７２２、第４パーティション１７１３、第５パーティション１７１４、第６パーティション１７１１、および第７パーティション１７１２が構成され、支持部材３００と表示パネルの間にパーティション１７５０を配置することができる。例えば、パーティション１７５０は、支持部材３００の端または縁に配置することができる。パーティション１７５０は、支持部材３００の前面の外郭の四辺全体領域であり得る。他の例としては、パーティション１７５０は、表示パネルの背面の端または縁に配置することができる。パーティション１７５０は、表示パネルの背面の外郭の四辺全体領域であることもできる。パーティション１７５０は、表示パネルの背面または支持部材の前面の外郭の四辺全体領域であることもできる。パーティション１７５０は、表示パネルのウェーブ現象を防止するために、表示パネルの形状に沿って配置することができる。例えば、パーティション１７５０が、図１Ｂで説明した表示パネル１００と支持部材３００を付着するための接着部材である場合には、図１Ｂで説明した接着部材を省略することができる。パーティションは、接着部材であり得る。これに限らず、表示パネル１００と支持部材３００を付着するための接着部材を表示パネル１００の背面または支持部材３００に構成することもできる。
【０２７４】
第１パーティション１７２１、第２パーティション１７２２、第４パーティション１７１３、第５パーティション１７１４、第６パーティション１７１１、第７パーティション１７１２、およびパーティション１７５０を配置する時、第１パーティション１７２１および第２パーティション１７２２を先に配置し、パーティション１７５０を配置した後に、第４パーティション１７１３、第５パーティション１７１４、第６パーティション１７１１、および第７パーティション１７１２を配置することができる。他の例としては、第４パーティション１７１３、第５パーティション１７１４、第６パーティション１７１１、および第７パーティション１７１２を先に配置し、第１パーティション１７２１および第２パーティション１７２２を配置した後に、パーティション１７５０を配置することができ、配置する順序が明細書の内容を限定するものではない。パーティション１７５０は、支持部材３００の縦方向に最初に配置した後に、横方向に配置することができる。他の例としては、パーティション１７５０は、支持部材３００の横方向に最初に配置した後に、縦方向に配置することができ、配置する順序が明細書の内容を限定するものではない。以下の実施例では、第１パーティション１７２１、第２パーティション１７２２、および／または第３パーティション１７２３を先に配置し、パーティション１７５０を配置した後に、第４パーティション１７１３、第５パーティション１７１４、第６パーティション１７１１、および第７パーティション１７１２を配置することを例に挙げて示すが、これに限定されるものではない。これに対する内容は、以下の実施例でも同一又は類似に適用することができる。
【０２７５】
図１９Ｄおよび図１９Ｅを参照すると、第１パーティション１７２１、第２パーティション１７２２、および第３パーティション１７２３の形状を異なって構成することができる。第１パーティション１７２１、第２パーティション１７２２、および第３パーティション１７２３は、表示パネルの形状と異なる形状に構成することができる。例えば、第１パーティション１７２１、第２パーティション１７２２、および第３パーティション１７２３は、平らでない形状、または線形状ではないことができる。例えば、第１パーティション１７２１、第２パーティション１７２２、および第３パーティション１７２３は、鋸歯形状、三角形形状、および先端が丸い三角形形状を有することができる。例えば、第１パーティション１７２１、第２パーティション１７２２、および第３パーティション１７２３の鋸歯が位置する方向は、音響発生装置を向くように配置することができる。例えば、第１パーティション１７２１、第２パーティション１７２２、および第３パーティション１７２３が三角形形状である場合には、三角形の先端が位置する方向は、音響発生装置を向くように配置することができる。例えば、第１パーティション１７２１、第２パーティション１７２２、および第３パーティション１７２３が先端の丸い三角形形状である場合には、先端が丸い三角形の先端が位置する方向は、音響発生装置を向くするように配置することができる。例えば、図１９Ｄを参照すると、第１パーティション１７２１が先端の丸い三角形形状である場合には、先端が丸い三角形の先端は、第４音響発生装置１６００ＨＬ、第５音響発生装置１６００ＨＲ、および第６音響発生装置１６００ＨＣを向くように構成することができる。例えば、第２パーティション１７２２が先端の丸い三角形形状である場合には、先端が丸い三角形の先端は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣを向くように構成することができる。例えば、第３パーティション１７２３が先端の丸い三角形形状である場合には、先端が丸い三角形の先端は、第７音響発生装置１６００ＢＬ、第８音響発生装置１６００ＢＲ、および第９音響発生装置１６００ＢＣの一つ以上を向くように構成することができる。したがって、パーティションの形状が少なくとも一つ以上の音響発生装置を向くように構成することにより、音響発生装置の定在波によるピークやディップ現象を制御することができ、表示パネルのウェーブ現象を減らすことができる。そして、パーティションの形状を変更することにより、音響発生装置の乱反射などの音響干渉を解決することができる。
【０２７６】
パーティションが平らでない形状、または線形状でない場合、定在波を分散させることができる。例えば、鋸歯形状、三角形形状、および先端が丸い三角形形状に実現する場合には、鋸歯形状、三角形形状、および先端が丸い三角形形状により定在波が複数の方向に分散され得るので、音響出力特性をより向上させることができる。
【０２７７】
図１９Ｅを参照すると、第１パーティション１７２１、第２パーティション１７２２、および第３パーティション１７２３中の一つは、二つのパーティションで構成することができる。これに限らず、第１パーティション１７２１および第２パーティション１７２２中の一つは、二つのパーティションで構成することができる。例えば、第１パーティション１７２１は、第１−１パーティション１７２１ａおよび第１−２パーティション１７２１ｂを含むことができ、三角形または先端が丸い三角形形状で構成することができる。第１−１パーティション１７２１ａの三角形または先端が丸い三角形形状の先端は、第４音響発生装置１６００ＨＬ、第５音響発生装置１６００ＨＲ、および第６音響発生装置１６００ＨＣの一つ以上を向くように構成ことができる。第１−２パーティション１７２１ｂの三角形または先端が丸い三角形形状の先端は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くように構成することができる。例えば、第２パーティション１７２２は、第２−１パーティション１７２２ａおよび第２−２パーティション１７２２ｂを含むことができ、三角形または先端が丸い三角形形状で構成することができる。第２−１パーティション１７２２ａの三角形または先端が丸い三角形形状の先端は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くように構成することができる。第２−２パーティション１７２２ｂの三角形または先端が丸い三角形形状の先端は、第７音響発生装置１６００ＢＬ、第８音響発生装置１６００ＢＲ、および第９音響発生装置１６００ＢＣの一つ以上を向くように構成ことができる。第３パーティション１７２３の三角形または先端が丸い三角形形状の先端は、第７音響発生装置１６００ＢＬ、第８音響発生装置１６００ＢＲ、および第９音響発生装置１６００ＢＣの一つ以上を向くように構成することができる。これにより、音響発生装置の定在波によるピークやディップ現象を制御することができ、表示パネルのウェーブ現象を減らすことができる。
【０２７８】
図１９Ｆ〜図１９Ｉを参照すると、第６パーティション１７１１の少なくとも一つの辺に、第１音響発生装置１６００Ｌ、第４音響発生装置１６００ＨＬ、および第７音響発生装置１６００ＢＬの一つ以上を向くようにパッドを配置することができる。例えば、第６パーティション１７１１の少なくとも一つの辺に、第１音響発生装置１６００Ｌを向くように、第１−３パッド７１３を配置することができる。第１−３パッド７１３と向かい合う辺に、第１−１パッド７１１を配置することができる。第１−１パッド７１１および第１−３パッド７１３は、一つで構成することができ、これに限らず、第１−１パッド７１１および第１−３パッド７１３中の一つ以上は、二つ以上で構成することもできる。例えば、第６パーティション１７１１の少なくとも一つの辺に、第４音響発生装置１６００ＨＬを向くように、第４−３パッド７２３を配置することができる。第４−３パッド７２３と向かい合う辺に、第４−１パッド７２１を配置することができる。第４−１パッド７２１および第４−３パッド７２３は、一つで構成することができ、これに限らず、第４−１パッド７２１および第４−３パッド７２３中の一つ以上は、二つ以上で構成することもできる。例えば、第６パーティション１７１１の少なくとも一つの辺に、第７音響発生装置１６００ＢＬを向くように、第７−３パッド７３３を配置することができる。第７−３パッド７３３と向かい合う辺に、第７−１パッド７３１を配置することができる。第７−１パッド７３１および第７−３パッド７３３は、一つで構成することができ、これに限らず、第７−１パッド７３１および第７−３パッド７３３中の一つ以上は、二つ以上で構成することができる。
【０２７９】
第６パーティション１７１１の少なくとも一つの他の辺に、第１０音響発生装置１６００ＬＣを向くようにパッドを配置することができる。例えば、第６パーティション１７１１の少なくとも一つの他の辺に、第１０音響発生装置１６００ＬＣを向くように、第１０−１パッド７４１を配置することができる。第１０−１パッド７４１は、一つで構成することができ、これに限らず、二つ以上で構成することができる。
【０２８０】
第７パーティション１７１２の少なくとも一つの辺に、第２音響発生装置１６００Ｒ、第５音響発生装置１６００ＨＲ、および第８音響発生装置１６００ＢＲの一つ以上を向くようにパッドを配置することができる。例えば、第７パーティション１７１２の少なくとも一つの辺に、第２音響発生装置１６００Ｒを向くように、第２−１パッド８１１を配置することができる。第２−１パッド８１１と向かい合う辺に、第２−３パッド８１３を配置することができる。第２−１パッド８１１および第２−３パッド８１３は、一つで構成することができ、これに限らず、第２−１パッド８１１および第２−３パッド８１３中の一つ以上は、二つ以上で構成することもできる。例えば、第７パーティション１７１２の少なくとも一つの辺に、第５音響発生装置１６００ＨＲを向くように、第５−１パッド８２１を配置することができる。第５−１パッド８２１と向かい合う辺に、第５−３パッド８２３を配置することができる。第５−１パッド８２１および第５−３パッド８２３は、一つで構成することができ、これに限らず、第５−１パッド８２１および第５−３パッド８２３中の一つ以上は、二つ以上で構成することもできる。例えば、第７パーティション１７１２の少なくとも一つの辺に、第８音響発生装置１６００ＢＲを向くように、第８−１パッド８３１を配置することができる。第８−１パッド８３１と向かい合う辺に、第８−３パッド８３３を配置することができる。第８−１パッド８３１および第８−３パッド８３３は、一つで構成することができ、これに限らず、第８−１パッド８３１および第８−３パッド８３３中の一つ以上は、二つ以上で構成することもできる。
【０２８１】
第７パーティション１７１２の少なくとも一つの他の辺に、第１１音響発生装置１６００ＲＣを向くようにパッドを配置することができる。例えば、第７パーティション１７１２の少なくとも一つの他の辺に、第１１音響発生装置１６００ＲＣの一つ以上を向くように、第１１−３パッド８４３を配置することができる。第１１−３パッド８４３は、一つで構成することができ、これに限らず、二つ以上で構成することもできる。
【０２８２】
第４パーティション１７１３の少なくとも一つの辺および第５パーティション１７１４の少なくとも一つの辺に、第３音響発生装置１６００Ｃ、第６音響発生装置１６００ＨＣ、および第９音響発生装置１６００ＢＣの一つ以上を向くようにパッドを配置することができる。例えば、第６パーティション１７１１の少なくとも一つの辺に、第３音響発生装置１６００Ｃを向くように、第３−１パッド９１１を配置することができる。例えば、第５パーティション１７１４の少なくとも一つの辺に、第３音響発生装置１６００Ｃを向くように、第３−３パッド９１３を配置することができる。第３−１パッド９１１は、第３−３パッド９１３と向き合って配置することができる。例えば、第３−１パッド９１１と向かい合う第５パーティション１７１４の辺に、第３−３パッド９１３を配置することができる。第３−１パッド９１１および第３−３パッド９１３のそれぞれは、一つで構成することができ、これに限らず、第３−１パッド９１１および第３−３パッド９１３中の一つは、二つ以上で構成することもできる。例えば、第４パーティション１７１３の少なくとも一つの辺に、第６音響発生装置１６００ＨＣを向くように、第６−１パッド９２１を配置することができる。例えば、第５パーティション１７１４の少なくとも一つの辺に、第６音響発生装置１６００ＨＣを向くように、第６−３パッド９２３を配置することができる。第６−１パッド９２１は、第６−３パッド９２３と向き合って配置することができる。例えば、第６−１パッド９２１と向かい合う第５パーティション１７１４の辺に、第６−３パッド９２３を配置することができる。第６−１パッド９２１および第６−３パッド９２３のそれぞれは、一つで構成することができ、これに限らず、第６−１パッド９２１および第６−３パッド９２３中の一つは、二つ以上で構成することもできる。例えば、第４パーティション１７１３の少なくとも一つの辺に、第９音響発生装置１６００ＢＣを向くように、第９−１パッド９３１を配置することができる。例えば、第５パーティション１７１４の少なくとも一つの辺に、第９音響発生装置１６００ＢＣを向くように、第９−３パッド９３３を配置することができる。第９−１パッド９３１は、第９−３パッド９３３と向き合って配置することができる。例えば、第９−１パッド９３１と向かい合う第５パーティション１７１４の辺に、第９−３パッド９３３を配置することができる。第９−１パッド９３１および第９−３パッド９３３は、一つで構成することができ、これに限らず、第９−１パッド９３１および第９−３パッド９３３中の一つ以上は、二つ以上で構成することもできる。
【０２８３】
例えば、第４パーティション１７１３の少なくとも一つの他の辺に、第１０音響発生装置１６００ＬＣを向くように、第１０−３パッド７４３を配置することができる。例えば、第７パーティション１７１２の少なくとも一つの他の辺に、第１１音響発生装置１６００ＲＣを向くように、第１１−１パッド８４１を配置することができる。第１０−３パッド７４３および第１１−１パッド８４１は、一つで構成することができ、これに限らず、第１０−３パッド７４３および第１１−１パッド８４１中の一つ以上は、二つ以上で構成することもできる。
【０２８４】
第１パーティション１７２１の少なくとも一つの辺に、第４音響発生装置１６００ＨＬ、第５音響発生装置１６００ＨＲ、および第６音響発生装置１６００ＨＣの一つ以上を向くようにパッドを配置することができる。例えば、第１パーティション１７２１の少なくとも一つの辺に、第４音響発生装置１６００ＨＬを向くように、第４−６パッド７２６を配置することができる。第４−６パッド７２６と向かい合う辺に、第４−５パッド７２５を配置することができ、第４−５パッド７２５は、第４音響発生装置１６００ＨＬを向くように配置することができる。第４−５パッド７２５および第４−６パッド７２６は、一つで構成することができ、これに限らず、第４−５パッド７２５および第４−６パッド７２６中の一つ以上は、二つ以上で構成することもできる。
【０２８５】
例えば、第１パーティション１７２１の少なくとも一つの辺に、第５音響発生装置１６００ＨＲを向くように、第５−６パッド８２６を配置することができる。第５−６パッド８２６と向かい合う辺に、第５−５パッド８２５を配置することができ、第５−５パッド８２５は、第５音響発生装置１６００ＨＲを向くように配置することができる。第５−５パッド８２５および第５−６パッド８２６は、一つで構成することができ、これに限らず、第５−５パッド８２５および第５−６パッド８２６中の一つ以上は、二つ以上で構成することもできる。
【０２８６】
例えば、第１パーティション１７２１の少なくとも一つの辺に、第６音響発生装置１６００ＨＣを向くように、第６−６パッド９２６を配置することができる。第６−６パッド９２６と向かい合う辺に、第６−５パッド９２５を配置することができ、第６−５パッド９２５は、第６音響発生装置１６００ＨＣを向くように配置することができる。第６−５パッド９２５および第６−６パッド９２６は、一つで構成することができ、これに限らず、第６−５パッド９２５および第６−６パッド９２６中の一つ以上は、二つ以上で構成することもできる。
【０２８７】
例えば、第１パーティション１７２１の少なくとも一つの他の辺に、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くようにパッドを配置することができる。例えば、第１パーティション１７２１の少なくとも一つの他の辺に、第１音響発生装置１６００Ｌを向くように、第１−５パッド７１５を配置することができる。例えば、第１パーティション１７２１の少なくとも一つの他の辺に、第２音響発生装置１６００Ｒを向くように、第２−５パッド８１５を配置することができる。例えば、第１パーティション１７２１の少なくとも一つの他の辺に、第３音響発生装置１６００Ｃを向くように、第３−５パッド９１５を配置することができる。例えば、第１パーティション１７２１の少なくとも一つの他の辺に、第１０音響発生装置１６００ＬＣを向くように、第１０−５パッド７４５を配置することができる。例えば、第１パーティション１７２１の少なくとも一つの辺に、第１１音響発生装置１６００ＲＣを向くように、第１１−５パッド８４５を配置することができる。第１−５パッド７１５、第２−５パッド８１５、第３−５パッド９１５、第１０−５パッド７４５、および第１１−５パッド８４５は、一つで構成することができ、これに限らず、第１−５パッド７１５、第２−５パッド８１５、第３−５パッド９１５、第１０−５パッド７４５、および第１１−５パッド８４５中の一つ以上は、二つ以上で構成することもできる。
【０２８８】
例えば、第２パーティション１７２２の少なくとも一つの辺に、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くようにパッドを配置することができる。例えば、第２パーティション１７２２の少なくとも一つの辺に、第１音響発生装置１６００Ｌを向くように、第１−６パッド７１６を配置することができる。例えば、第２パーティション１７２２の少なくとも一つの辺に、第２音響発生装置１６００Ｒを向くように、第２−６パッド８１６を配置することができる。例えば、第２パーティション１７２２の少なくとも一つの辺に、第３音響発生装置１６００Ｃを向くように、第３−６パッド９１６を配置することができる。例えば、第２パーティション１７２２の少なくとも一つの辺に、第１０音響発生装置１６００ＬＣを向くように、第１０−６パッド７４６を配置することができる。例えば、第２パーティション１７２２の少なくとも一つの辺に、第１１音響発生装置１６００ＲＣを向くように、第１１−６パッド８４６を配置することができる。第１−６パッド７１６、第２−６パッド８１６、第３−６パッド９１６、第１０−６パッド７４６、および第１１−６パッド８４６は、一つで構成することができ、これに限らず、第１−６パッド７１６、第２−６パッド８１６、第３−６パッド９１６、第１０−６パッド７４６、および第１１−６パッド８４６中の一つ以上は、二つ以上で構成することもできる。
【０２８９】
第１−５パッド７１５は、第１−６パッド７１６と向き合って配置することができる。例えば、第１−５パッド７１５と向かい合う第２パーティション１７２２の辺に、第１−６パッド７１６を配置することができる。第２−５パッド８１５は、第２−６パッド８１６と向き合って配置することができる。例えば、第２−５パッド８１５と向かい合う第２パーティション１７２２の辺に、第２−６パッド８１６を配置することができる。第３−５パッド９１５は、第３−６パッド９１６と向き合って配置することができる。例えば、第３−５パッド９１５と向かい合う第２パーティション１７２２の辺に、第３−６パッド９１６を配置することができる。第１０−５パッド７４５は、第１０−６パッド７４６と向き合って配置することができる。例えば、第１０−５パッド７４５と向かい合う第２パーティション１７２２の辺に、第１０−６パッド７４６を配置することができる。第１１−５パッド８４５は、第１１−６パッド８４６と向き合って配置することができる。例えば、第１１−５パッド８４５と向かい合う第２パーティション１７２２の辺に、第１１−６パッド８４６を配置することができる。
【０２９０】
例えば、第２パーティション１７２２の少なくとも一つの他の辺に、第７音響発生装置１６００ＢＬ、第８音響発生装置１６００ＢＲ、および第９音響発生装置１６００ＢＣの一つ以上を向くようにパッドを配置することができる。例えば、第２パーティション１７２２の少なくとも一つの他の辺に、第７音響発生装置１６００ＢＬを向くように、第７−５パッド７３５を配置することができる。例えば、第２パーティション１７２２の少なくとも一つの他の辺に、第８音響発生装置１６００ＢＲを向くように、第８−５パッド８３５を配置することができる。例えば、第２パーティション１７２２の少なくとも一つの他の辺に、第９音響発生装置１６００ＢＣを向くように、第９−５パッド９３５を配置することができる。第７−５パッド７３５、第８−５パッド８３５、および第９−５パッド９３５は、一つで構成することができ、これに限らず、第７−５パッド７３５、第８−５パッド８３５、および第９−５パッド９３５中の一つ以上は、二つ以上で構成することもできる。
【０２９１】
例えば、第３パーティション１７２３の少なくとも一つの辺に、第７音響発生装置１６００ＢＬ、第８音響発生装置１６００ＢＲ、および第９音響発生装置１６００ＢＣの一つ以上を向くようにパッドを配置することができる。例えば、第３パーティション１７２３の少なくとも一つの辺に、第７音響発生装置１６００ＢＬを向くように、第７−６パッド７３６を配置することができる。例えば、第３パーティション１７２３の少なくとも一つの辺に、第８音響発生装置１６００ＢＲを向くように、第８−６パッド８３６を配置することができる。例えば、第３パーティション１７２３の少なくとも一つの辺に、第９音響発生装置１６００ＢＣを向くように、第９−６パッド９３６を配置することができる。第７−６パッド７３６、第８−６パッド８３６、および第９−６パッド９３６は、一つで構成することができ、これに限らず、第７−６パッド７３６、第８−６パッド８３６、および第９−６パッド９３６中の一つ以上は、二つ以上で構成することもできる。実施例では、第１−１パッド７１１および第１−３パッド７１３の大きさが第１−５パッド７１５および第１−６パッド７１６のそれぞれの大きさよりも大きく示されているが、パッドの大きさが、本明細書の内容を限定するものではない。例えば、第１−１パッド７１１および第１−３パッド７１３の大きさが第１−５パッド７１５および第１−６パッド７１６のそれぞれの大きさよりも小さいか同じことができる。他のパッドの大きさも同一または類似に適用することができる。図１９Ｆで支持部材３００の周辺には、パーティションが配置されないことがあり得る。支持部材３００の周辺には、図１Ｂで説明した接着部材によって表示パネル１００を接着することができ、接着部材は、パーティションであり得る。
【０２９２】
図１９Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。例えば、パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図１９Ｆを参照して説明した内容と同一または類似するので、詳細な説明を省略する。
【０２９３】
例えば、パーティション１７５０が、図１Ｂで説明した表示パネル１００と支持部材３００を付着するための接着部材である場合には、図１Ｂで説明した接着部材を省略することができる。これに限らず、表示パネル１００と支持部材３００を付着するための接着部材を表示パネル１００の背面または支持部材３００に構成することができる。
【０２９４】
図１９Ｈと図１９Ｉを参照すると、第１パーティション１７２１および第２パーティション１７２２は、ベント部を含むことができる。残りの構成は、図１９Ｆと同一または類似するので、詳細な説明を省略する。
【０２９５】
図１９Ｈを参照すると、第１パーティション１７２１は、一つ以上のベント部を含むことができる。例えば、第１パーティション１７２１は、第１音響発生装置１６００Ｌに向かう第１ベント部７０１を含むことができ、第１０音響発生装置１６００ＬＣに向かう第７ベント部７０７を含むことができる。第１パーティション１７２１は、第２音響発生装置１６００Ｒに向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。そして、第４音響発生装置１６００ＨＬ、第５音響発生装置１６００ＨＲ、および第６音響発生装置１６００ＨＣの定在波による音圧の減少現象は、第４−５パッド７２５、第５−５パッド８２５、および第６−５パッド９２５によって減らすことができる。
【０２９６】
第２パーティション１７２２は、一つ以上のベント部を含むことができる。例えば、第２パーティション１７２２は、第１音響発生装置１６００Ｌに向かう第４ベント部７０４を含むことができ、第１０音響発生装置１６００ＬＣに向かう第９ベント部７０９を含むことができる。第２パーティション１７２２は、第２音響発生装置１６００Ｒに向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０２９７】
第３パーティション１７２３は、ベント部を構成しないことがあり得る。これに限らず、第３パーティション１７２３は、図２０Ｈに示すように、一つ以上のベント部を含むことができる。
【０２９８】
ベント部は、音響発生装置の中心部で開いた構造を有することができる。これに限定されず、「Ｖ」字型の塞がった構造を有することができる。ベント部は、音響発生装置の中心部で開いた構造を有する場合には、塞がった構造を有する場合よりも材料費を削減することができる利点がある。音響特性の実験によると、ベント部は、音響発生装置の中心部で開いた構造を有する場合と塞がった構造を有する場合に、発明者らは音響特性の違いが微々またはないことを確認した。したがって、第１パーティション１７２１および第２パーティション１７２２は、一つ以上のベント部を含むことにより、音響発生装置の定在波による音圧の減少現象を減らすことができる。
【０２９９】
図１９Ｉを参照すると、第１パーティション１７２１および第２パーティション１７２２は、一つ以上のベント部を含み、パーティション１７５０を配置することができる。第３パーティション１７２３は、ベント部を構成しないことがあり得る。これに限らず、第３パーティション１７２３は、図２０Ｉに示すように、一つ以上のベント部を含むことができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図１９Ｈと同一または類似するので、詳細な説明を省略する。
【０３００】
図１９Ｈと図１９Ｉで説明したように、支持部材３００の端部には、ベント部を構成していないので、表示パネルと支持部材３００との取付時に表示パネルの引き込みを減らすことができるので、ウェーブ現象が防止することができる。
【０３０１】
図２０Ａ〜図２０Ｉは、本明細書の実施例に係る音響発生装置と、パーティションの例を示す図である。
【０３０２】
図２０Ａ〜図２０Ｉを参照すると、第７領域７に第１ウーファー一体型音響発生装置（Ｗ３）および第８領域８に第２ウーファー一体型音響発生装置（Ｗ４）を配置することができる。図１５Ａ〜図１５Ｉおよび／または図１８Ａ〜図１９Ｉで説明した内容と同一の内容については説明を省略し、または簡単にすることができる。
【０３０３】
第１ウーファー一体型音響発生装置（Ｗ３）および第２ウーファー一体型音響発生装置（Ｗ４）は、ウーファーと一体型に構成された音響発生装置なので、別個のウーファーを構成する必要がない利点がある。
【０３０４】
図２０Ａ〜図２０Ｉを参照すると、第１ウーファー一体型音響発生装置（Ｗ３）は、第１音響発生装置１６００Ｌおよび第４音響発生装置１６００ＨＬ中の一つと対称的に配置することができる。例えば、第１ウーファー一体型音響発生装置（Ｗ３）は、第１音響発生装置１６００Ｌおよび第４音響発生装置１６００ＨＬ中の一つと同一線上に配置することができる。第２ウーファー一体型音響発生装置（Ｗ４）は、第２音響発生装置１６００Ｒおよび第５音響発生装置１６００ＨＲ中の一つと対称的に配置することができる。例えば、第２ウーファー一体型音響発生装置（Ｗ４）は、第２音響発生装置１６００Ｒおよび第５音響発生装置１６００ＨＲ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２０Ｆおよび図２０Ｇを参照すると、第７−５パッド７３５および第７−６パッド７３６は、第１−５パッド７１５、第１−６パッド７１６、第４−５パッド７２５、および第４−６パッド７２６中の一つと対称的に配置することができる。第８−５パッド８３５および第８−６パッド８３６は、第２−５パッド８１５、第２−６パッド８１６、第５−５パッド８２５、および第５−６パッド８２６中の一つと対称的に配置することができる。図２０Ｈと図２０Ｉを参照すると、第１１ベント部８０１は、第１ベント部７０１および第４ベント部７０４中の一つと対称的に配置することができ、第１２ベント部８０２は、第２ベント部７０２および第５ベント部７０５中の一つと対称的に配置することができる。
【０３０５】
他の例としては、第１ウーファー一体型音響発生装置（Ｗ３）は、第１音響発生装置１６００Ｌまたは第４音響発生装置１６００ＨＬ中の一つと非対称に配置することができる。第２ウーファー一体型音響発生装置（Ｗ４）は、第２音響発生装置１６００Ｒまたは第５音響発生装置１６００ＨＲ中の一つと非対称に配置することができる。このように構成する場合、第１ウーファー一体型音響発生装置（Ｗ３）が発生させる振動および定在波と、第１音響発生装置１６００Ｌまたは第４音響発生装置１６００ＨＬが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌおよび第４音響発生装置１６００ＨＬ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と、第２音響発生装置１６００Ｒまたは第５音響発生装置１６００ＨＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第２音響発生装置１６００Ｒおよび第５音響発生装置１６００ＨＲ中の一つと第２ウーファー一体型音響発生装置（Ｗ４）の非対称構造は、これを防止して、原音に近い自然な音響を再生することができる。図２０Ｆおよび図２０Ｇを参照すると、第７−５パッド７３５および第７−６パッド７３６は、第１−５パッド７１５、第１−６パッド７１６、第４−５パッド７２５、および第４−６パッド７２６中の一つと非対称に配置することができる。第８−５パッド８３５および第８−６パッド８３６は、第２−５パッド８１５、第２−６パッド８１６、第５−５パッド８２５、および第５−６パッド８２６中の一つと非対称に配置することができる。図２０Ｈおよび図２０Ｉを参照すると、第１１ベント部８０１は、第１ベント部７０１および第４ベント部７０４中の一つと非対称に配置することができ、第１２ベント部８０２は、第２ベント部７０２および第５ベント部７０５中の一つと非対称に配置することができる。図２０Ｆ〜図２０Ｉを参照すると、パッドは一つで構成することができ、これに限らず、パッド中の一つは、二つ以上で構成することができる。
【０３０６】
図２０Ａ〜図２０Ｉを参照すると、第１ウーファー一体型音響発生装置（Ｗ３）は、第９音響発生装置１６００ＢＣと対称的に配置することができる。例えば、第１ウーファー一体型音響発生装置（Ｗ３）は、第９音響発生装置１６００ＢＣと同一線上に配置することができる。第２ウーファー一体型音響発生装置（Ｗ４）は、第９音響発生装置１６００ＢＣと対称的に配置することができる。例えば、第２ウーファー一体型音響発生装置（Ｗ４）は、第９音響発生装置１６００ＢＣと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２０Ｆおよび図２０Ｇを参照すると、第７−１パッド７３１および第７−３パッド７３３は、第９−１パッド９３１および第９−３パッド９３３中の一つと対称的に配置することができる。第８−１パッド８３１および第８−３パッド８３３は、第９−１パッド９３１および第９−３パッド９３３中の一つと対称的に配置することができる。
【０３０７】
他の例としては、第１ウーファー一体型音響発生装置（Ｗ３）は、第９音響発生装置１６００ＢＣと非対称に配置することができる。第２ウーファー一体型音響発生装置（Ｗ４）は、第９音響発生装置１６００ＢＣと非対称に配置することができる。このように構成する場合、第１ウーファー一体型音響発生装置（Ｗ３）が発生させる振動および定在波と、第９音響発生装置１６００ＢＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１ウーファー一体型音響発生装置（Ｗ３）および第９音響発生装置１６００ＢＣの非対称構造は、これを防止して、原音に近い自然な音響を再生することができる。第２ウーファー一体型音響発生装置（Ｗ４）が発生させる振動および定在波と、第９音響発生装置１６００ＢＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１ウーファー一体型音響発生装置（Ｗ３）および第９音響発生装置１６００ＢＣの非対称構造は、これを防止して、原音に近い自然な音響を再生することができる。図２０Ｆおよび図２０Ｇを参照すると、第７−１パッド７３１および第７−３パッド７３３は、第９−１パッド９３１および第９−３パッド９３３中の一つと非対称に配置することができる。第８−１パッド８３１および第８−３パッド８３３は、第９−１パッド９３１および第９−３パッド９３３中の一つと非対称に配置することができる。
【０３０８】
第１ウーファー一体型音響発生装置（Ｗ３）および第２ウーファー一体型音響発生装置（Ｗ４）は、６０Ｈｚ〜４０ｋＨｚの音響を出力することができ、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第９音響発生装置１６００ＢＣ、第１０音響発生装置１６００ＬＣ、および第１１音響発生装置１６００ＲＣは、８０Ｈｚ〜４０ｋＨｚの音響を出力することができる。したがって、表示装置は、１１．１チャンネルの音響を出力することができる。
【０３０９】
図２０Ｆを参照すると、第１パーティション１７２１、第２パーティション１７２２、第３パーティション１７２３、第４パーティション１７１３、第５パーティション１７１４、第６パーティション１７１１、および第７パーティション１７１２中の一つは、少なくとも一つの辺に、音響発生装置を向くようにパッドを配置することができる。例えば、第６パーティション１７１１の少なくとも一つの辺に、第１ウーファー一体型音響発生装置（Ｗ３）を向くように、第７−３パッド７３３を配置することができる。第７−３パッド７３３と向かい合う辺に、第７−１パッド７３１を配置することができる。例えば、第２パーティション１７２２の少なくとも一つの辺に、第１ウーファー一体型音響発生装置（Ｗ３）を向くように、第７−５パッド７３５を配置することができる。例えば、第３パーティション１７２３の少なくとも一つの辺に、第１ウーファー一体型音響発生装置（Ｗ３）を向くように、第７−６パッド７３６を配置することができる。第７−５パッド７３５は、第７−６パッド７３６と向き合って配置することができる。例えば、第７−５パッド７３５と向かい合う第３パーティション１７２３の辺に、第７−６パッド７３６を配置することができる。
【０３１０】
例えば、第７パーティション１７１２の少なくとも一つの辺に、第２ウーファー一体型音響発生装置（Ｗ４）を向くように、第８−１パッド８３１を配置することができる。第８−１パッド８３１と向かい合う辺に、第８−３パッド８３３を配置することができ、第８−３パッド８３３は、第２ウーファー一体型音響発生装置（Ｗ４）を向くように配置することができる。例えば、第２パーティション１７２２の少なくとも一つの辺に、第２ウーファー一体型音響発生装置（Ｗ４）を向くように、第８−５パッド８３５を配置することができる。例えば、第３パーティション１７２３の少なくとも一つの辺に、第２ウーファー一体型音響発生装置（Ｗ４）を向くように、第８−６パッド８３６を配置することができる。第８−５パッド８３５は、第８−６パッド８３６と向き合って配置することができる。例えば、第８−５パッド８３５と向かい合う第３パーティション１７２３の辺に、第８−６パッド８３６を配置することができる。
【０３１１】
図２０Ｇを参照すると、パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０のもう一つの辺には、第１ウーファー一体型音響発生装置（Ｗ３）を向くように、第７−６パッド７３６を配置することができ、第２ウーファー一体型音響発生装置（Ｗ４）を向くように第８−６パッド８３６を配置することができ、第９音響発生装置１６００ＢＣを向くように、第９−６パッド９３６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２０Ｆと同一または類似するので、詳細な説明を省略する。
【０３１２】
図２０Ｈを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１音響発生装置１６００Ｌに向かう第１ベント部７０１を含むことができ、第１０音響発生装置１６００ＬＣに向かう第７ベント部７０７を含むことができる。第１パーティション１７２１は、第２音響発生装置１６００Ｒに向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０３１３】
第２パーティション１７２２は、一つ以上のベント部を含むことができる。例えば、第２パーティション１７２２は、第１音響発生装置１６００Ｌに向かう第４ベント部７０４を含むことができ、第１０音響発生装置１６００ＬＣに向かう第９ベント部７０９を含むことができる。第２パーティション１７２２は、第２音響発生装置１６００Ｒに向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０３１４】
第３パーティション１７２３は、一つ以上のベント部を含むことができる。例えば、第３パーティション１７２３は、第１ウーファー一体型音響発生装置（Ｗ３）に向かう第１１ベント部８０１を含むことができ、第２ウーファー一体型音響発生装置（Ｗ４）に向かう第１２ベント部８０２を含むことができる。第３パーティション１７２３は、第９音響発生装置１６００ＢＣに向かう第１３ベント部８０３を含むことができる。第３パーティション１７２３は、第１４ベント部８０４および第１５ベント部８０５を含むことができ、第１４ベント部８０４および第１５ベント部８０５は、ベント形状またはベントしていない形状で構成することができるが、これに限定されるものではない。他の例としては、図１９Ｈに示すように、第３パーティション１７２３は、一つ以上のベント部を含まないことがあり得る。
【０３１５】
図２０Ｉを参照すると、第１パーティション１７２１、第２パーティション１７２２、および第３パーティション１７２３中の一つは、一つ以上のベント部を含み、パーティション１７５０を配置することができる。例えば、パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。他の例としては、図１９Ｉに示すように、第３パーティション１７２３は、一つ以上のベント部を含まないことがあり得る。残りの構成は、図２０Ｈと同一または類似するので、詳細な説明を省略する。
【０３１６】
図２１Ａ〜図２１Ｉは、本明細書の実施例に係る音響発生装置と、パーティションの例を示す図である。
【０３１７】
図２１Ａ〜図２１Ｉを参照すると、第１領域１に第１ウーファー一体型音響発生装置（Ｗ３）および第２領域２に第２ウーファー一体型音響発生装置（Ｗ４）を配置することができる。図１５Ａ〜図１５Ｉおよび／または図２０Ａ〜図２０Ｉで説明した内容と同一の内容については説明を省略し、または簡単にすることができる。
【０３１８】
図２１Ａ〜図２１Ｉを参照すると、第１ウーファー一体型音響発生装置（Ｗ３）は、第４音響発生装置１６００ＨＬおよび第７音響発生装置１６００ＢＬ中の一つと対称的に配置することができる。第１ウーファー一体型音響発生装置（Ｗ３）は、第４音響発生装置１６００ＨＬおよび第７音響発生装置１６００ＢＬ中の一つと同一線上に配置することができる。第２ウーファー一体型音響発生装置（Ｗ４）は、第５音響発生装置１６００ＨＲおよび第８音響発生装置１６００ＢＲ中の一つと対称的に配置することができる。第２ウーファー一体型音響発生装置（Ｗ４）は、第５音響発生装置１６００ＨＲおよび第８音響発生装置１６００ＢＲ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２１Ｆおよび図２１Ｇを参照すると、第１−５パッド７１５および第１−６パッド７１６は、第４−５パッド７２５、第４−６パッド７２６、第７−５パッド７３５、および第７−６パッド７３６中の一つと対称的に配置することができ、第２−５パッド８１５および第２−６パッド８１６は、第５−５パッド８２５、第５−６パッド８２６、第８−５パッド８３５、および第８−６パッド８３６中の一つと対称的に配置することができる。図２１Ｈと図２１Ｉを参照すると、第１ベント部７０１および第４ベント部７０４中の一つは、第１１ベント部８０１と対称的に配置することができ、第２ベント部７０２および第５ベント部７０５中の一つは、第１２ベント部８０２と対称的に配置することができる。
【０３１９】
他の例としては、第１ウーファー一体型音響発生装置（Ｗ３）は、第４音響発生装置１６００ＨＬおよび第７音響発生装置１６００ＢＬ中の一つと非対称に配置することができる。第２ウーファー一体型音響発生装置（Ｗ４）は、第５音響発生装置１６００ＨＲおよび第８音響発生装置１６００ＢＲ中の一つと非対称に配置することができる。このように構成する場合、第１ウーファー一体型音響発生装置（Ｗ３）が発生させる振動および定在波と第４音響発生装置１６００ＨＬまたは第７音響発生装置１６００ＢＬが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第４音響発生装置１６００ＨＬおよび第７音響発生装置１６００ＢＬ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第５音響発生装置１６００ＨＲまたは第８音響発生装置１６００ＢＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第５音響発生装置１６００ＨＲおよび第８音響発生装置１６００ＢＲ中の一つと第２ウーファー一体型音響発生装置（Ｗ４）の非対称構造は、これを防止して、原音に近い自然な音響を再生することができる。図２１Ｆおよび図２１Ｇを参照すると、第１−５パッド７１５および第１−６パッド７１６は、第４−５パッド７２５、第４−６パッド７２６、第７−５パッド７３５、および第７−６パッド７３６中の一つと非対称に配置することができ、第２−５パッド８１５および第２−６パッド８１６は、第５−５パッド８２５、第５−６パッド８２６、第８−５パッド８３５、および第８−６パッド８３６中の一つと非対称に配置することができる。図２１Ｈと図２１Ｉを参照すると、第１ベント部７０１および第４ベント部７０４中の一つは、第１１ベント部８０１と非対称に配置することができ、第２ベント部７０２および第５ベント部７０５中の一つは、第１２ベント部８０２と非対称に配置することができる。図２１Ｆ〜図２１Ｉを参照すると、パッドは一つで構成することができ、これに限らず、パッド中の一つは、二つ以上で構成することもできる。
【０３２０】
図２１Ａ〜図２１Ｉを参照すると、第１ウーファー一体型音響発生装置（Ｗ３）は、第３音響発生装置１６００Ｃ、第１０音響発生装置１６００ＬＣ、および第１１音響発生装置１６００ＲＣ中の一つと対称的に配置することができる。例えば、第１ウーファー一体型音響発生装置（Ｗ３）は、第３音響発生装置１６００Ｃ、第１０音響発生装置１６００ＬＣ、および第１１音響発生装置１６００ＲＣ中の一つと同一線上に配置することができる。第２ウーファー一体型音響発生装置（Ｗ４）は、第３音響発生装置１６００Ｃ、第１０音響発生装置１６００ＬＣ、および第１１音響発生装置１６００ＲＣ中の一つと対称的に配置することができる。例えば、第２ウーファー一体型音響発生装置（Ｗ４）は、第３音響発生装置１６００Ｃ、第１０音響発生装置１６００ＬＣ、および第１１音響発生装置１６００ＲＣ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２１Ｆおよび図２１Ｇを参照すると、第１−１パッド７１１、第１−３パッド７１３、第２−１パッド８１１、および第２−３パッド８１３中の一つは、第３−１パッド９１１、第３−３パッド９１３、第１０−１パッド７４１、第１０−３パッド７４３、第１１−１パッド８４１、および第１１−３パッド８４３中の一つと対称的に配置することができる。
【０３２１】
他の例としては、第１ウーファー一体型音響発生装置（Ｗ３）は、第３音響発生装置１６００Ｃ、第１０音響発生装置１６００ＬＣ、および第１１音響発生装置１６００ＲＣ中の一つと非対称に配置することができる。第２ウーファー一体型音響発生装置（Ｗ４）は、第３音響発生装置１６００Ｃ、第１０音響発生装置１６００ＬＣ、および第１１音響発生装置１６００ＲＣ中の一つと非対称に配置することができる。このように構成する場合、第１ウーファー一体型音響発生装置（Ｗ３）が発生させる振動および定在波と第３音響発生装置１６００Ｃ、または第１０音響発生装置１６００ＬＣ、または第１１音響発生装置１６００ＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第３音響発生装置１６００Ｃ、第１０音響発生装置１６００ＬＣ、および第１１音響発生装置１６００ＲＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第３音響発生装置１６００Ｃ、または第１０音響発生装置１６００ＬＣ、または第１１音響発生装置１６００ＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第３音響発生装置１６００Ｃ、第１０音響発生装置１６００ＬＣ、および第１１音響発生装置１６００ＲＣ中の一つと、第２ウーファー一体型音響発生装置（Ｗ４）の非対称構造は、これを防止して、原音に近い自然な音響を再生することができる。図２１Ｆおよび図２１Ｇを参照すると、第１−１パッド７１１、第１−３パッド７１３、第２−１パッド８１１、および第２−３パッド８１３中の一つは、第３−１パッド９１１、第３−３パッド９１３、第１０−１パッド７４１、第１０−３パッド７４３、第１１−１パッド８４１、および第１１−３パッド８４３中の一つと非対称に配置することができる。
【０３２２】
第１ウーファー一体型音響発生装置（Ｗ３）、第２ウーファー一体型音響発生装置（Ｗ４）、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、および第１１音響発生装置１６００ＲＣは、６０Ｈｚ〜４０ｋＨｚまたは８０Ｈｚ〜４０ｋＨｚの音響を出力することができる。したがって、表示装置は、１１．１チャンネルの音響を出力することができる。
【０３２３】
図２１Ｆを参照すると、第１パーティション１７２１、第２パーティション１７２２、第３パーティション１７２３、第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第１−３パッド７１３を配置することができる。第１−３パッド７１３と向かい合う辺に、第１−１パッド７１１を配置することができる。例えば、第１パーティション１７２１の少なくとも一つの辺に、第１ウーファー一体型音響発生装置（Ｗ３）を向くように、第１−５パッド７１５を配置することができる。例えば、第２パーティション１７２２の少なくとも一つの辺に、第１ウーファー一体型音響発生装置（Ｗ３）を向くように、第１−６パッド７１６を配置することができる。第１−５パッド７１５は、第１−６パッド７１６と向き合って配置することができる。例えば、第１−５パッド７１５と向かい合う第２パーティション１７２２の辺に、第１−６パッド７１６を配置することができる。
【０３２４】
例えば、第７パーティション１７１２の少なくとも一つの辺に、第２ウーファー一体型音響発生装置（Ｗ４）を向くように、第２−１パッド８１１を配置することができる。第２−１パッド８１１と向かい合う辺に、第２−３パッド８１３を配置することができ、第２−３パッド８１３は、第２ウーファー一体型音響発生装置（Ｗ４）を向くように配置することができる。例えば、第１パーティション１７２１の少なくとも一つの辺に、第２ウーファー一体型音響発生装置（Ｗ４）を向くように、第２−５パッド８１５を配置することができる。例えば、第２パーティション１７２２の少なくとも一つの辺に、第２ウーファー一体型音響発生装置（Ｗ４）を向くように、第２−６パッド８１６を配置することができる。第２−５パッド８１５は、第２−６パッド８１６と向き合って配置することができる。例えば、第２−５パッド８１５と向かい合う辺に、第２−６パッド８１６を配置することができる。
【０３２５】
図２１Ｇを参照すると、パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２１Ｆと同一または類似するので、詳細な説明を省略する。
【０３２６】
図２１Ｈを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１ウーファー一体型音響発生装置（Ｗ３）に向かう第１ベント部７０１を含むことができ、第１０音響発生装置１６００ＬＣに向かう第７ベント部７０７を含むことができる。第１パーティション１７２１は、第２ウーファー一体型音響発生装置（Ｗ４）に向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０３２７】
第２パーティション１７２２は、一つ以上のベント部を含むことができる。例えば、第２パーティション１７２２は、第１ウーファー一体型音響発生装置（Ｗ３）に向かう第４ベント部７０４を含むことができ、第１０音響発生装置１６００ＬＣに向かう第９ベント部７０９を含むことができる。第２パーティション１７２２は、第２ウーファー一体型音響発生装置（Ｗ４）に向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０３２８】
第３パーティション１７２３は、一つ以上のベント部を含むことができる。例えば、第３パーティション１７２３は、第７音響発生装置１６００ＢＬに向かう第１１ベント部８０１を含むことができ、第８音響発生装置１６００ＢＲに向かう第１２ベント部８０２を含むことができる。第３パーティション１７２３は、第９音響発生装置１６００ＢＣに向かう第１３ベント部８０３を含むことができる。第３パーティション１７２３は、第１４ベント部８０４および第１５ベント部８０５を含むことができ、第１４ベント部８０４および第１５ベント部８０５は、ベント形状またはベントしていない形状で構成することができるが、これに限定されるものではない。他の例としては、図１９Ｈに示すように、第３パーティション１７２３は、一つ以上のベント部を含まないことがあり得る。
【０３２９】
図２１Ｉを参照すると、第１パーティション１７２１、第２パーティション１７２２、および第３パーティション１７２３中の一つは、一つ以上のベント部を含み、パーティション１７５０を配置することができる。例えば、パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。他の例としては、図１９Ｉに示すように、第３パーティション１７２３は、一つ以上のベント部を含まないことがあり得る。残りの構成は、図２１Ｈと同一または類似するので、詳細な説明を省略する。
【０３３０】
図２２Ａ〜図２２Ｉは、本明細書の実施例に係る音響発生装置と、パーティションの例を示す図である。
【０３３１】
図２２Ａ〜図２２Ｉを参照すると、第１０領域１０に第１ウーファー一体型音響発生装置（Ｗ３）および第１１領域１１に第２ウーファー一体型音響発生装置（Ｗ４）を配置することができる。図１５Ａ〜図１５Ｉおよび／または図１８Ａ〜図２１Ｉで説明した内容と同一の内容については説明を省略し、または簡単にすることができる。
【０３３２】
図２２Ａ〜図２２Ｉを参照すると、第１ウーファー一体型音響発生装置（Ｗ３）は、第１音響発生装置１６００Ｌ、第２音響発生装置１６００Ｒ、および第３音響発生装置１６００Ｃ中の一つと対称的に配置することができる。第１ウーファー一体型音響発生装置（Ｗ３）は、第１音響発生装置１６００Ｌ、第２音響発生装置１６００Ｒ、および第３音響発生装置１６００Ｃ中の一つと同一線上に配置することができる。第２ウーファー一体型音響発生装置（Ｗ４）は、第１音響発生装置１６００Ｌ、第２音響発生装置１６００Ｒ、および第３音響発生装置１６００Ｃ中の一つと対称的に配置することができる。第２ウーファー一体型音響発生装置（Ｗ４）は、第１音響発生装置１６００Ｌ、第２音響発生装置１６００Ｒ、および第３音響発生装置１６００Ｃ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２２Ｆおよび図２２Ｇを参照すると、第１０−１パッド７４１および第１０−３パッド７４３は、第１−１パッド７１１、第１−３パッド７１３、第２−１パッド８１１、第２−３パッド８１３、第３−１パッド９１１、および第３−３パッド９１３中の一つと対称的に配置することができる。第１１−１パッド８４１および第１１−３パッド８４３は、第１−１パッド７１１、第１−３パッド７１３、第２−１パッド８１１、第２−３パッド８１３、第３−１パッド９１１、および第３−３パッド９１３中の一つと対称的に配置することができる。図２２Ｆ〜図２２Ｉを参照すると、パッドは一つで構成することができ、これに限らず、パッド中の一つは、二つ以上で構成することもできる。
【０３３３】
他の例としては、第１ウーファー一体型音響発生装置（Ｗ３）は、第１音響発生装置１６００Ｌ、第２音響発生装置１６００Ｒ、および第３音響発生装置１６００Ｃ中の一つと非対称に配置することができる。第２ウーファー一体型音響発生装置（Ｗ４）は、第１音響発生装置１６００Ｌ、第２音響発生装置１６００Ｒ、および第３音響発生装置１６００Ｃ中の一つと非対称に配置することができる。このように構成する場合、第１ウーファー一体型音響発生装置（Ｗ３）が発生させる振動および定在波と第１音響発生装置１６００Ｌ、または第２音響発生装置１６００Ｒ、または第３音響発生装置１６００Ｃが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌ、第２音響発生装置１６００Ｒ、および第３音響発生装置１６００Ｃ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第１音響発生装置１６００Ｌ、または第２音響発生装置１６００Ｒ、または第３音響発生装置１６００Ｃが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌ、第２音響発生装置１６００Ｒ、および第３音響発生装置１６００Ｃ中の一つと、第２ウーファー一体型音響発生装置（Ｗ４）の非対称構造は、これを防止して、原音に近い自然な音響を再生することができる。図２２Ｆおよび図２２Ｇを参照すると、第１−５パッド７１５および第１−６パッド７１６は、第４−５パッド７２５、第４−６パッド７２６、第７−５パッド７３５、および第７−６パッド７３６中の一つと非対称に配置することができ、第２−５パッド８１５および第２−６パッド８１６は、第５−５パッド８２５、第５−６パッド８２６、第８−５パッド８３５、および第８−６パッド８３６中の一つと非対称に配置することができる。
【０３３４】
第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１ウーファー一体型音響発生装置（Ｗ３）、および第２ウーファー一体型音響発生装置（Ｗ４）は、６０Ｈｚ〜４０ｋＨｚまたは８０Ｈｚ〜４０ｋＨｚの音響を出力することができる。したがって、表示装置は、１１．１チャンネルの音響を出力することができる。
【０３３５】
図２２Ｆを参照すると、第１パーティション１７２１、第２パーティション１７２２、第３パーティション１７２３、第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第１０−１パッド７４１を配置することができる。例えば、第４パーティション１７１３の少なくとも一つの辺に、第１ウーファー一体型音響発生装置（Ｗ３）を向くように、第１０−３パッド７４３を配置することができる。第１０−１パッド７４１は、第１０−３パッド７４３と向き合って配置することができる。例えば、第１０−１パッド７４１と向かい合う第４パーティション１７１３の辺に、第１０−３パッド７４３を配置することができる。
【０３３６】
例えば、第１パーティション１７２１の少なくとも一つの辺に、第１ウーファー一体型音響発生装置（Ｗ３）を向くように、第１０−５パッド７４５を配置することができる。例えば、第２パーティション１７２２の少なくとも一つの辺に、第１ウーファー一体型音響発生装置（Ｗ３）を向くように、第１０−６パッド７４６を配置することができる。第１０−５パッド７４５は、第１０−６パッド７４６と向き合って配置することができる。例えば、第１０−５パッド７４５と向かい合う第２パーティション１７２２の辺に、第１０−６パッド７４６を配置することができる。
【０３３７】
例えば、第７パーティション１７１２の少なくとも一つの辺に、第２ウーファー一体型音響発生装置（Ｗ４）を向くように、第１１−３パッド８４３を配置することができる。例えば、第５パーティション１７１４の少なくとも一つの辺に、第２ウーファー一体型音響発生装置（Ｗ４）を向くように、第１１−１パッド８４１を配置することができる。第１１−１パッド８４１と向かい合う辺に、第１１−３パッド８４３を配置することができ、第１１−３パッド８４３は、第２ウーファー一体型音響発生装置（Ｗ４）を向くように配置することができる。例えば、第１パーティション１７２１の少なくとも一つの辺に、第２ウーファー一体型音響発生装置（Ｗ４）を向くように、第１１−５パッド８４５を配置することができる。例えば、第２パーティション１７２２の少なくとも一つの辺に、第２ウーファー一体型音響発生装置（Ｗ４）を向くように、第１１−６パッド８４６を配置することができる。第１１−５パッド８４５は、第１１−６パッド８４６と向き合って配置することができる。例えば、第１１−５パッド８４５と向かい合う第２パーティション１７２２の辺に、第１１−６パッド８４６を配置することができる。
【０３３８】
図２２Ｇを参照すると、パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２２Ｆと同一または類似するので、詳細な説明を省略する。
【０３３９】
図２２Ｈを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１ウーファー一体型音響発生装置（Ｗ３）に向かう第７ベント部７０７を含むことができ、第１音響発生装置１６００Ｌに向かう第１ベント部７０１を含むことができる。第１パーティション１７２１は、第２ウーファー一体型音響発生装置（Ｗ４）に向かう第８ベント部７０８を含むことができ、第２音響発生装置１６００Ｒに向かう第２ベント部７０２を含むことができる。第１パーティション１７２１は、第３音響発生装置１６００Ｃに向かう第３ベント部７０３を含むことができる。
【０３４０】
第２パーティション１７２２は、一つ以上のベント部を含むことができる。例えば、第２パーティション１７２２は、第１ウーファー一体型音響発生装置（Ｗ３）に向かう第９ベント部７０９を含むことができ、第１音響発生装置１６００Ｌに向かう第４ベント部７０４を含むことができる。第２パーティション１７２２は、第２ウーファー一体型音響発生装置（Ｗ４）に向かう第１０ベント部７１０を含むことができ、第２音響発生装置１６００Ｒに向かう第５ベント部７０５を含むことができる。第２パーティション１７２２は、第３音響発生装置１６００Ｃに向かう第６ベント部７０６を含むことができる。
【０３４１】
第３パーティション１７２３は、一つ以上のベント部を含むことができる。例えば、第３パーティション１７２３は、第７音響発生装置１６００ＢＬに向かう第１１ベント部８０１を含むことができ、第８音響発生装置１６００ＢＲに向かう第１２ベント部８０２を含むことができる。第３パーティション１７２３は、第９音響発生装置１６００ＢＣに向かう第１３ベント部８０３を含むことができる。第３パーティション１７２３は、第１４ベント部８０４および第１５ベント部８０５を含むことができ、第１４ベント部８０４および第１５ベント部８０５は、ベント形状またはベントしていない形状で構成することができるが、これに限定されるものではない。
【０３４２】
図２２Ｉを参照すると、第１パーティション１７２１、第２パーティション１７２２、および第３パーティション１７２３中の一つは、一つ以上のベント部を含み、パーティション１７５０を配置することができる。例えば、パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。他の例としては、図１９Ｉに示すように、第３パーティション１７２３は、一つ以上のベント部を含まないことがあり得る。残りの構成は、図２２Ｈと同一または類似するので、詳細な説明を省略する。
【０３４３】
図２２Ｈおよび図２２Ｉで第３パーティション１７２３は、ベントしていない形状で構成することができるが、これに限定されるものではない。例えば、第３パーティション１７２３は、第７音響発生装置１６００ＢＬ、第８音響発生装置１６００ＢＲ、および第９音響発生装置１６００ＢＣに向かうベント部を含まないことがあり得る。パーティション１７５０は、ベントしていない形状で構成することができるが、これに限定されるものではない。例えば、パーティション１７５０は、第７音響発生装置１６００ＢＬ、第８音響発生装置１６００ＢＲ、および第９音響発生装置１６００ＢＣに向かうベント部を含まないことがあり得、パーティション１７５０は支持部材３００の周辺に配置することができる。
【０３４４】
図２３Ａ〜図２３Ｉは、本明細書の実施例に係る音響発生装置と、パーティションの例を示す図である。
【０３４５】
以下の実施例では、図２３Ａ〜図２３Ｉを例に挙げて説明し、図２４Ａ〜図２７Ｉの実施例でも同一又は類似に適用することができる。
【０３４６】
図２３Ａ〜図２３Ｉを参照すると、表示パネルの背面には、第１領域１〜第１５領域１５を含むことができる。第１領域１〜第１５領域１５は、同じ面積を有することができるが、これに限定されるものではない。例えば、第１領域１〜第１５領域１５は、同じ間隔または距離を有するように配置することができるが、これに限定されるものではない。例えば、第１領域１、第４領域４、および第７領域７は、表示パネルの背面の左側の領域であり得る。例えば、第２領域２、第５領域５、および第８領域８は、表示パネルの背面の右側の領域であり得る。例えば、第３領域３、第６領域６、および第９領域９は、表示パネルの背面の中央領域であり得る。例えば、第１２領域１２は、第４領域４と第６領域６との間であり得る。例えば、第１３領域１３は、第５領域５と第６領域６との間であり得る。例えば、第１４領域１４は、第７領域７と第９領域９との間であり得る。例えば、第１５領域１５は、第８領域８と第９領域９との間であり得る。例えば、第１０領域１０、第１２領域１２、および第１４領域１４は、第１領域１、第４領域４、および第７領域７と第３領域３、第６領域６、および第９領域９の間であり得る。例えば、第１１領域１１、第１３領域１３、および第１５領域１５は、第２領域２、第５領域５、および第８領域８と第３領域３、第６領域６、および第９領域９の間であり得る。第１領域〜第１５領域で領域を表示する数字１〜１５は、任意に表示したものであり、数字の１〜１５および第１領域〜第１５領域の区分が明細書の内容を限定するものではない。これに対する説明は、図２４Ａ〜図２７Ｉで、同一または類似に適用することができる。
【０３４７】
第１領域１〜第１５領域１５のうち少なくとも一つの領域には、少なくとも一つの音響発生装置を配置することができる。以下の実施例は、音響発生装置を表示パネルの背面に配置することを例に説明し、これに限らず、音響発生装置は、表示パネルと支持部材３００との間に配置することができる。例えば、音響発生装置は、表示パネルの背面と支持部材３００の前面との間に配置することができる。例えば、第１音響発生装置１６００Ｌは、表示パネルの背面の第１領域１に配置することができ、第４音響発生装置１６００ＨＬは、表示パネルの背面の第４領域４に配置することができ、第７音響発生装置１６００ＢＬは、表示パネルの背面の第７領域７に配置することができる。第２音響発生装置１６００Ｒは、表示パネルの背面の第２領域２に配置することができ、第５音響発生装置１６００ＨＲは、表示パネルの背面の第５領域５に配置することができ、第８音響発生装置１６００ＢＲは、表示パネルの背面の第８領域８に配置することができる。第３音響発生装置１６００Ｃは、表示パネルの背面の第３領域３に配置することができ、第６音響発生装置１６００ＨＣは、表示パネルの背面の第６領域６に配置することができ、第９音響発生装置１６００ＢＣは、表示パネルの背面の第９領域９に配置することができる。第１０音響発生装置１６００ＬＣは、表示パネルの背面の第１０領域１０に配置することができ、第１２音響発生装置１６００ＨＬＣは、表示パネルの背面の第１２領域１２に配置することができ、第１４音響発生装置１６００ＢＬＣは、表示パネルの背面の第１４領域１４に配置することができる。第１１音響発生装置１６００ＲＣは、表示パネルの背面の第１１領域１１に配置することができ、第１３音響発生装置１６００ＨＲＣは、表示パネルの背面の第１３領域１３に配置することができ、第１５音響発生装置１６００ＢＲＣは、表示パネルの背面の第１５領域１５に配置することができる。
【０３４８】
第１音響発生装置１６００Ｌは、表示パネルの左側（Ｌｅｆｔ）チャンネルであり、第４音響発生装置１６００ＨＬは、表示パネルの上左側（Ｈｅｉｇｈｔ  ＬｅｆｔまたはＴｏｐ  Ｌｅｆｔ）チャンネルであり、第７音響発生装置１６００ＢＬは、表示パネルの下左側（Ｂｏｔｔｏｍ  Ｌｅｆｔ）チャンネルであり得る。第１０音響発生装置１６００ＬＣは、表示パネルの左側中央（Ｌｅｆｔ  Ｃｅｎｔｅｒ）チャンネルであり、第１２音響発生装置１６００ＨＬＣは、表示パネルの上左側中央（Ｈｅｉｇｈｔ  Ｌｅｆｔ  ＣｅｎｔｅｒまたはＴｏｐ  Ｌｅｆｔ  Ｃｅｎｔｅｒ）チャンネルであり、第１４音響発生装置１６００ＢＬＣは、表示パネルの下左側中央（Ｂｏｔｔｏｍ  Ｌｅｆｔ  Ｃｅｎｔｅｒ）チャンネルであり得る。第２音響発生装置１６００Ｒは、表示パネルの右側（Ｒｉｇｈｔ）チャンネルであり、第５音響発生装置１６００ＨＲは、表示パネルの上右側（Ｈｅｉｇｈｔ  ＲｉｇｈｔまたはＴｏｐ  Ｒｉｇｈｔ）チャンネルであり、第８音響発生装置１６００ＢＲは、表示パネルの下右側（Ｂｏｔｔｏｍ  Ｒｉｇｈｔ）チャンネルであり得る。第１１音響発生装置１６００ＲＣは、表示パネルの右側中央（Ｒｉｇｈｔ  Ｃｅｎｔｅｒ）チャンネルであり、第１３音響発生装置１６００ＨＲＣは、表示パネルの上右側中央（Ｈｅｉｔｈ  Ｒｉｇｈｔ  Ｃｅｎｔｅｒ）チャンネルであり、第１５音響発生装置１６００ＢＲＣは、表示パネルの下左側中央（Ｂｏｔｔｏｍ  Ｒｉｇｈｔ  Ｃｅｎｔｅｒ）チャンネルであり得る。第３音響発生装置１６００Ｃは、表示パネルの中央（ｃｅｎｔｅｒ）チャンネルであり、第６音響発生装置１６００ＨＣは、表示パネルの上側中央（Ｈｅｉｇｈｔ  ＣｅｎｔｅｒまたはＴｏｐ  Ｃｅｎｔｅｒ）チャンネルであり、第９音響発生装置１６００ＢＣは、表示パネルの下側中央（Ｂｏｔｔｏｍ  Ｃｅｎｔｅｒ）チャンネルであり得る。
【０３４９】
例えば、第１音響発生装置１６００Ｌは、第４音響発生装置１６００ＨＬおよび／または第７音響発生装置１６００ＢＬと対称に配置することができるが、これに限定されるものではない。例えば、第１音響発生装置１６００Ｌは、第４音響発生装置１６００ＨＬおよび／または第７音響発生装置１６００ＢＬと同一線上に整列することができるが、これに限定されるものではない。例えば、第２音響発生装置１６００Ｒは、第５音響発生装置１６００ＨＲおよび／または第８音響発生装置１６００ＢＲと対称に配置することができるが、これに限定されるものではない。例えば、第２音響発生装置１６００Ｒは、第５音響発生装置１６００ＨＲおよび／または第８音響発生装置１６００ＢＲと同一線上に整列することができるが、これに限定されるものではない。
【０３５０】
例えば、第３音響発生装置１６００Ｃは、第６音響発生装置１６００ＨＣおよび／または第９音響発生装置１６００ＢＣと対称に配置することができるが、これに限定されるものではない。例えば、第３音響発生装置１６００Ｃは、第６音響発生装置１６００ＨＣおよび／または第９音響発生装置１６００ＢＣと同一線上に整列することができるが、これに限定されるものではない。
【０３５１】
例えば、第１０音響発生装置１６００ＬＣは、第１２音響発生装置１６００ＨＬＣおよび／または第１４音響発生装置１６００ＢＬＣ中の一つと対称的に配置することができるが、これに限定されるものではない。例えば、第１０音響発生装置１６００ＬＣは、第１２音響発生装置１６００ＨＬＣおよび／または第１４音響発生装置１６００ＢＬＣ中の一つと同一線上に整列することができるが、これに限定されるものではない。これに対する説明は、図２４Ａ〜図２７Ｉで同一または類似に適用することができる。
【０３５２】
例えば、第１１音響発生装置１６００ＲＣは、第１３音響発生装置１６００ＨＲＣおよび／または第１５音響発生装置１６００ＢＲＣ中の一つと対称的に配置することができるが、これに限定されるものではない。例えば、第１１音響発生装置１６００ＲＣは、第１３音響発生装置１６００ＨＲＣおよび／または第１５音響発生装置１６００ＢＲＣ中の一つと同一線上に整列することができるが、これに限定されるものではない。これに対する説明は、図２４Ａ〜図２７Ｉで同一または類似に適用することができる。
【０３５３】
例えば、第４音響発生装置１６００ＨＬ、第５音響発生装置１６００ＨＲ、および第６音響発生装置１６００ＨＣ中の一つは、第１２音響発生装置１６００ＨＬＣおよび第１３音響発生装置１６００ＨＲＣ中の一つと対称的に配置することができるが、これに限定されるものではない。例えば、第４音響発生装置１６００ＨＬ、第５音響発生装置１６００ＨＲ、および第６音響発生装置１６００ＨＣ中の一つは、第１２音響発生装置１６００ＨＬＣおよび第１３音響発生装置１６００ＨＲＣ中の一つと同一線上に整列することができるが、これに限定されるものではない。
【０３５４】
例えば、第１音響発生装置１６００Ｌ、第２音響発生装置１６００Ｒ、および第３音響発生装置１６００Ｃ中の一つは、第１０音響発生装置１６００ＬＣおよび第１１音響発生装置１６００ＲＣ中の一つと対称的に配置することができるが、これに限定されるものではない。例えば、第１音響発生装置１６００Ｌ、第２音響発生装置１６００Ｒ、および第３音響発生装置１６００Ｃ中の一つは、第１０音響発生装置１６００ＬＣおよび第１１音響発生装置１６００ＲＣ中の一つと同一線上に整列することができるが、これに限定されるものではない。例えば、第７音響発生装置１６００ＢＬ、第８音響発生装置１６００ＢＲ、および第９音響発生装置１６００ＢＣ中の一つは、第１４音響発生装置１６００ＢＬＣおよび第１５音響発生装置１６００ＢＲＣ中の一つと対称的に配置することができるが、これに限定されるものではない。例えば、第７音響発生装置１６００ＢＬ、第８音響発生装置１６００ＢＲ、および第９音響発生装置１６００ＢＣ中の一つは、第１４音響発生装置１６００ＢＬＣおよび第１５音響発生装置１６００ＢＲＣ中の一つと同一線上に整列することができるが、これに限定されるものではない。これに対する説明は、図２４Ａ〜図２７Ｉで同一または類似に適用することができる。
【０３５５】
図２３Ａ〜図２３Ｉで第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、楕円形の音響発生装置、一対の音響発生装置、円形の音響発生装置、シングルタイプの音響発生装置、２アレイ以上の音響発生装置、およびフィルム型音響発生装置のうちの少なくとも一つ以上を含むことができる。楕円形（ｏｖａｌ  ｓｈａｐｅ）は、楕円形（ｅｌｌｉｐｔｉｃａｌ  ｓｈａｐｅ）、先端が丸い四角形（ｒｅｃｔａｎｇｕｌａｒ  ｓｈａｐｅ  ｗｉｔｈ  ｒｏｕｎｄｅｄ  ｃｏｒｎｅｒｓ）、または幅が高さと異なる非円形の曲線型（ｎｏｎ−ｃｉｒｃｕｌａｒ  ｃｕｒｖｅｄ  ｓｈａｐｅ  ｈａｖｉｎｇ  ａ  ｗｉｄｔｈ  ｄｉｆｆｅｒｅｎｔ  ｆｒｏｍ  ｉｔｓ  ｈｅｉｇｈｔ）を含むことができ、実施例がこれに限定されない。例えば、楕円形のボビンでは、長軸の直径と短軸の直径の比は、１．３：１〜２：１で構成することができる。楕円形のボビンは、円形よりも高音域帯の音響を改善することができ、振動による熱の発生が少ないことがあるので、優れた放熱特性を有することができる。例えば、少なくとも一つの音響発生装置は、表示パネルを直接振動させて音響を発生させることができる。これに対する説明は、図２４Ａ〜図２７Ｉで、同一または類似に適用することができる。
【０３５６】
図２３Ｂを参照すると、音響発生装置の周辺にパーティションをさらに構成することができる。パーティションは、音響発生装置によって表示パネルが振動したときに音を発生するエアギャップ（ａｉｒ  ｇａｐ）または空間（ｓｐａｃｅ）であり得る。音響を発生させ、伝達するエアギャップまたは空間をパーティションとすることができる。パーティションは、音響またはチャンネルを分離することができ、音響の干渉に起因するクリアでない音響の発生を遮断または軽減することができる。パーティションは、エンクロージャ（ｅｎｃｌｏｓｕｒｅ）またはバッフル（ｂａｆｆｌｅ）とすることができ、用語に限定されない。以下の実施例は、パーティションを支持部材に配置することを例に挙げて説明し、これに限らず、表示パネルの背面に配置することができる。音響発生装置およびパーティションを示すために支持部材に配置することを例に挙げて説明する。例えば、パーティションが支持部材に配置される場合には、表示パネルに配置されるパーティションによって表示パネルに及ぼす影響を軽減することができる。
【０３５７】
例えば、パーティションは、表示パネルの第１領域１〜第１５領域１５に対応する表示パネルと、支持部材３００との間に配置することができる。例えば、第４パーティション１７１３は、第１領域１、第４領域４、および第７領域７と、第３領域３、第６領域６、および第９領域９との間に配置することができる。第４パーティション１７１３は、第１音響発生装置１６００Ｌ、第４音響発生装置１６００ＨＬ、および第７音響発生装置１６００ＢＬと、第３音響発生装置１６００Ｃ、第６音響発生装置１６００ＨＣ、および第９音響発生装置１６００ＢＣで発生する音響またはチャンネルを分離することができる。例えば、第５パーティション１７１４は、第２領域２、第５領域５、および第８領域８と、第３領域３、第６領域６、および第９領域９との間に配置することができる。第５パーティション１７１４は、第２音響発生装置１６００Ｒ、第５音響発生装置１６００ＨＲ、および第８音響発生装置１６００ＢＲと、第３音響発生装置１６００Ｃ、第６音響発生装置１６００ＨＣ、および第９音響発生装置１６００ＢＣで発生する音響またはチャンネルを分離することができる。したがって、第４パーティション１７１３および第５パーティション１７１４は、左側音響と右側音響を分離することができる。
【０３５８】
例えば、第１パーティション１７２１は、表示パネルの上側（ＨｅｉｇｈｔまたはＴｏｐ）のチャンネルと表示パネルの下側（Ｂｏｔｔｏｍ）のチャンネルを分離することができる。例えば、第１パーティション１７２１は、第４音響発生装置１６００ＨＬ、第５音響発生装置１６００ＨＲ、第６音響発生装置１６００ＨＣ、第１２音響発生装置１６００ＨＬＣ、第１３音響発生装置１６００ＨＲＣと、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣで発生する音響またはチャンネルを分離することができる。ステレオ音響または立体音響を実現するために、第１０音響発生装置１６００ＬＣおよび第１１音響発生装置１６００ＲＣをさらに構成したが、第１０音響発生装置１６００ＬＣで発生する音響またはチャンネルと、第７音響発生装置１６００ＢＬ、第８音響発生装置１６００ＢＣ、および第９音響発生装置１６００ＢＣで発生する音響またはチャンネルを分離するために、パーティションを実現しなければならないことを認識した。また、第１１音響発生装置１６００ＲＣで発生する音響またはチャンネルと、第７音響発生装置１６００ＢＬ、第８音響発生装置１６００ＢＣ、および第９音響発生装置１６００ＢＣで発生する音響またはチャンネルを分離するために、パーティションを実現しなければならないことを認識した。第４パーティション１７１３および第５パーティション１７１４は、左右の音響またはや左右のチャンネルを分離することができる。ステレオ音響または立体音響を実現するために、第１２音響発生装置１６００ＨＬＣおよび第１４音響発生装置１６００ＢＬＣをさらに構成したが、第１０音響発生装置１６００ＬＣ、第１２音響発生装置１６００ＨＬＣ、および第１４音響発生装置１６００ＢＬＣで発生する音響またはチャンネルと、第１音響発生装置１６００Ｌ、第４音響発生装置１６００ＨＬ、および第７音響発生装置１６００ＢＬで発生する音響またはチャンネルを分離するために、パーティションを実現しなければならないことを認識した。そして、ステレオ音響または立体音響を実現するために、第１３音響発生装置１６００ＨＲＣおよび第１５音響発生装置１６００ＢＲＣをさらに構成したが、第１１音響発生装置１６００ＲＣ、第１３音響発生装置１６００ＨＲＣ、および第１５音響発生装置１６００ＢＲＣで発生する音響またはチャンネルと、第２音響発生装置１６００Ｒ、第５音響発生装置１６００ＨＲ、および第８音響発生装置１６００ＢＲで発生する音響またはチャンネルを分離するために、パーティションを実現しなければならないことを認識した。第１パーティション１７２１を配置する場合には、上下の音響や上下のチャンネルを分離することができるが、上下の音響または上下のチャンネルと、中央音響または中央チャンネルを分離することができないことを認識した。第４パーティション１７１３および第５パーティション１７１４を配置する場合には、左右の音響または左右のチャンネルを分離することができるが、左右の音響または左右のチャンネルと、中央音響または中央チャンネルを分離することができないことを認識した。そこで、本明細書の発明者らは、複数の実験を通じて、パーティションを実現した。これについては、以下で説明する。
【０３５９】
例えば、第６パーティション１７１１は、第１領域１、第４領域４、および第７領域７と、第１０領域１０、第１２領域１２、および第１４領域１４との間に配置することができる。第６パーティション１７１１は、第１音響発生装置１６００Ｌ、第４音響発生装置１６００ＨＬ、および第７音響発生装置１６００ＢＬと、第１０音響発生装置１６００ＬＣ、第１２音響発生装置１６００ＨＬＣ、および第１４音響発生装置１６００ＢＬＣで発生する音響またはチャンネルを分離することができるので、音響出力特性を向上させることができる。例えば、第６パーティション１７１１は、第１音響発生装置１６００Ｌ、第４音響発生装置１６００ＨＬ、および第７音響発生装置１６００ＢＬと、第３音響発生装置１６００Ｃ、第６音響発生装置１６００ＨＣ、および第９音響発生装置１６００ＢＣで発生する音響またはチャンネルを分離することができるので、音響出力特性を向上させることができる。例えば、第６パーティション１７１１は、左側音響または左側チャンネル、左側中央音響または左側中央チャンネル、および中央音響または中央チャンネルを分離することができるので、音響出力特性を向上させることができる。
【０３６０】
例えば、第７パーティション１７１２は、第２領域２、第５領域５、および第８領域８と、第１１領域１１、第１３領域１３、および第１５領域１５との間に配置することができる。例えば、第７パーティション１７１２は、第２音響発生装置１６００Ｒ、第５音響発生装置１６００ＨＲ、および第８音響発生装置１６００ＢＲと、第１１音響発生装置１６００ＲＣ、第１３音響発生装置１６００ＨＲＣ、および第１５音響発生装置１６００ＢＲＣで発生する音響またはチャンネルを分離することができるので、音響出力特性を向上させることができる。例えば、第７パーティション１７１２は、第２音響発生装置１６００Ｒ、第５音響発生装置１６００ＨＲ、および第８音響発生装置１６００ＢＲと、第３音響発生装置１６００Ｃ、第６音響発生装置１６００ＨＣ、および第９音響発生装置１６００ＢＣで発生する音響またはチャンネルを分離することができるので、音響出力特性を向上させることができる。例えば、第７パーティション１７１２は、右側音響または右側チャンネル、右側中央音響または右側中央チャンネル、および中央音響または中央チャンネルを分離することができるので、音響出力特性を向上させることができる。
【０３６１】
例えば、第４パーティション１７１３は、表示パネルの第３領域３、第６領域６、および第９領域９と、第１０領域１０、第１２領域１２、および第１４領域１４との間に配置することができる。第４パーティション１７１３は、第３音響発生装置１６００Ｃ、第６音響発生装置１６００ＨＣ、および第９音響発生装置１６００ＢＣと、第１０音響発生装置１６００ＬＣ、第１２音響発生装置１６００ＨＬＣ、および第１４音響発生装置１６００ＢＬＣで発生する音響またはチャンネルを分離することができるので、音響出力特性を向上させることができる。例えば、第５パーティション１７１４は、表示パネルの第３領域３、第６領域６、および第９領域９と、第１１領域１１、第１３領域１３、および第１５領域１５との間に配置することができる。第５パーティション１７１４は、第３音響発生装置１６００Ｃ、第６音響発生装置１６００ＨＣ、および第９音響発生装置１６００ＢＣと、第１１音響発生装置１６００ＲＣ、第１３音響発生装置１６００ＨＲＣ、および第１５音響発生装置１６００ＢＲＣで発生する音響またはチャンネルを分離することができるので、音響出力特性を向上させることができる。例えば、第４パーティション１７１３は、中央領域の音響またはチャンネルと左側中央領域の音響またはチャンネルを分離することができる。例えば、第５パーティション１７１４は、中央領域の音響またはチャンネルと右側中央領域の音響またはチャンネルを分離することができる。
【０３６２】
第１パーティション１７２１は、表示パネルの上側（ＨｅｉｇｈｔまたはＴｏｐ）のチャンネルと表示パネルの中央のチャンネルを分離することができる。例えば、第１パーティション１７２１は、第４音響発生装置１６００ＨＬ、第５音響発生装置１６００ＨＲ、第６音響発生装置１６００ＨＣ、第１２音響発生装置１６００ＨＬＣ、第１３音響発生装置１６００ＨＲＣと、第１音響発生装置１６００Ｌ、第２音響発生装置１６００Ｒ、第３音響発生装置１６００Ｃ、第１０音響発生装置１６００ＬＣ、および第１１音響発生装置１６００ＲＣで発生する音響またはチャンネルを分離することができる。
【０３６３】
第２パーティション１７２２は、表示パネルの中央のチャンネルと表示パネルの下側（Ｂｏｔｔｏｍ）のチャンネルを分離することができる。例えば、第２パーティション１７２２は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣと、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣで発生する音響またはチャンネルを分離することができる。
【０３６４】
第３パーティション１７２３は、表示パネルの下側（Ｂｏｔｔｏｍ）のチャンネルとウーファーを分離することができる。例えば、第３パーティション１７２３は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣと、第１ウーファー（Ｗ１）および第２ウーファー（Ｗ２）で発生する音響またはチャンネルを分離することができる。
【０３６５】
第１パーティション１７２１、第２パーティション１７２２、第３パーティション１７２３、第４パーティション１７１３、第５パーティション１７１４、第６パーティション１７１１、および第７パーティション１７１２は、支持部材３００の前面に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、支持部材３００の前面に配置することができる。他の例としては、第１パーティション１７２１、第２パーティション１７２２、第３パーティション１７２３、第４パーティション１７１３、第５パーティション１７１４、第６パーティション１７１１、および第７パーティション１７１２は、表示パネル１００の背面に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、表示パネル１００と支持部材３００との間に配置することができる。例えば、第１パーティション１７２１、第２パーティション１７２２、第３パーティション１７２３、第４パーティション１７１３、第５パーティション１７１４、第６パーティション１７１１、および第７パーティション１７１２は、表示パネル１００の背面と支持部材３００の前面との間に配置することができる。
【０３６６】
第１パーティション１７２１、第２パーティション１７２２、第３パーティション１７２３、第４パーティション１７１３、第５パーティション１７１４、第６パーティション１７１１、および第７パーティション１７１２は、両面テープ、両面フォームパッド、片面テープ、片面フォームパッド、接着剤、およびボンド中の一つで構成することができるが、これに限定されるものではない。パーティションを両面テープまたは両面フォームパッドで構成する場合、表示パネルの背面と支持部材３００の前面を付着時に接着力を向上させることができる。例えば、第１パーティション１７２１、第２パーティション１７２２、第３パーティション１７２３、第４パーティション１７１３、第５パーティション１７１４、第６パーティション１７１１、および第７パーティション１７１２は、一定程度圧縮することができる弾性を有する材質で実現することができる。例えば、第１パーティション１７２１、第２パーティション１７２２、第３パーティション１７２３、第４パーティション１７１３、第５パーティション１７１４、第６パーティション１７１１、および第７パーティション１７１２は、ポリウレタン（ｐｏｌｙｕｒｅｔｈａｎｅ）、ポリオレフィン（ｐｏｌｙｏｌｅｆｉｎ）、およびポリエチレン（ｐｏｌｙｅｔｈｙｌｅｎｅ）材質で構成することができるが、これに限定されるものではない。
【０３６７】
第１パーティション１７２１、第２パーティション１７２２、第３パーティション１７２３、第４パーティション１７１３、第５パーティション１７１４、第６パーティション１７１１、および第７パーティション１７１２を配置する際に、第１パーティション１７２１、第２パーティション１７２２、および第３パーティション１７２３を配置した後に、第４パーティション１７１３、第５パーティション１７１４、第６パーティション１７１１、および第７パーティション１７１２を配置することができる。他の例としては、第４パーティション１７１３、第５パーティション１７１４、第６パーティション１７１１、および第７パーティション１７１２を配置した後に、第１パーティション１７２１、第２パーティション１７２２、および第３パーティション１７２３を配置することができ、配置する順序が明細書の内容を限定するものではない。以下の実施例では、第１パーティション１７２１、第２パーティション１７２２、および第３パーティション１７２３を配置した後に、第４パーティション１７１３、第５パーティション１７１４、第６パーティション１７１１、および第７パーティション１７１２を配置することを例に挙げて示すが、これに限定されるものではない。これに対する内容は、以下の実施例でも同一又は類似に適用することができる。
【０３６８】
したがって、第１音響発生装置１６００Ｌ、第４音響発生装置１６００ＨＬ、および第７音響発生装置１６００ＢＬは、表示パネル１００の背面の左側の領域である第１領域１、第４領域４、および第７領域７に配置して表示パネル１００の左側の領域を振動させることができる。第２音響発生装置１６００Ｒ、第５音響発生装置１６００ＨＲ、および第８音響発生装置１６００ＢＲは、表示パネル１００背面の右側の領域である第２領域２、第５領域５、および第８領域８に配置して表示パネル１００の右側の領域を振動させることができる。第３音響発生装置１６００Ｃ、第６音響発生装置１６００ＨＣ、および第９音響発生装置１６００ＢＣは、表示パネルの中央領域である第３領域３、第６領域６、および第９領域９に配置して表示パネルの中央領域を振動させることができる。第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、表示パネルの第１０領域１０、第１１領域１１、第１２領域１２、第１３領域１３、第１４領域１４、および第１５領域１５に配置して表示パネルの左側領域、中央領域、および右側領域を振動させることができる。第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣそれぞれは、異なる振動信号を受信して独立して駆動することができる。例えば、第１音響発生装置１６００Ｌ、第４音響発生装置１６００ＨＬ、および第７音響発生装置１６００ＢＬは、表示パネル１００の背面の左側の領域を振動板として使用することにより、音響を発生させることができる。第２音響発生装置１６００Ｒ、第５音響発生装置１６００ＨＲ、および第８音響発生装置１６００ＢＲは、表示パネル１００の背面の右側の領域を振動板として使用することにより、音響を発生させることができる。第３音響発生装置１６００Ｃ、第６音響発生装置１６００ＨＣ、および第９音響発生装置１６００ＢＣは、表示パネルの中央領域を振動板として使用することにより、音響を発生させることができる。第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、表示パネル１００の背面の左側領域、中央領域、および右領域を振動板として使用することにより、音響を発生させることができる。例えば、第４音響発生装置１６００ＨＬ、第５音響発生装置１６００ＨＲ、第６音響発生装置１６００ＨＣ、第１２音響発生装置１６００ＨＬＣ、および第１３音響発生装置１６００ＨＲＣは、表示パネルの上側にまたは前記表示パネルから上向きに音響を発生させることができるので、表示パネルの上側からの音響を向上させることができる。例えば、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣは、表示パネルの下側にまたは前記表示パネルから下向きに音響を発生させることができるので、表示パネルの下側からの音響を向上させることができる。したがって、表示パネルの上側および下側からの音響が改善された表示装置を提供することができる。
【０３６９】
そして、低音域帯の音響を向上させるためにウーファーを配置することができる。例えば、第１領域１〜第１５領域１５のうち少なくとも一つの下側には、ウーファーをさらに含むことができる。例えば、第１音響発生装置１６００Ｌ〜第１５音響発生装置１６００ＢＲＣのうち少なくとも一つの下側には、ウーファーをさらに含むことができる。例えば、第１ウーファー（Ｗ１）は、表示パネルの第７領域７の下側に配置することができる。例えば、第１ウーファー（Ｗ１）は、第７音響発生装置１６００ＢＬの下側に配置することができる。例えば、第１ウーファー（Ｗ１）は、第７領域７および第１４領域１４との間に配置することができる。例えば、第２ウーファー（Ｗ２）は、表示パネルの第８領域８の下側に配置することができる。例えば、第２ウーファー（Ｗ２）は、第８音響発生装置１６００ＢＲの下側に配置することができる。例えば、第２ウーファー（Ｗ２）は、第８領域８および第１５領域１５との間に配置することができる。したがって、第１ウーファー（Ｗ１）および第２ウーファー（Ｗ２）は、低音域帯の音響を出力することができる。第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、８０Ｈｚ〜４０ｋＨｚの音響を出力することができる。第１ウーファー（Ｗ１）および第２ウーファー（Ｗ２）は、８０Ｈｚ以下の音を出力することができる。したがって、表示装置は、１５．１チャンネルの音響を出力することができる。そして、左右に配置された音響発生装置と比較して、上下に音響発生装置がさらに構成されているので、左右の音響および上下の音響を向上させることができ、使用者に実際の音響と同じ音場感を与えることができる効果がある。例えば、第４音響発生装置１６００ＨＬ、第５音響発生装置１６００ＨＲ、第６音響発生装置１６００ＨＣ、第１２音響発生装置１６００ＨＬＣ、および第１３音響発生装置１６００ＨＲＣをさらに構成ことで、表示パネルの上側からの音響を向上させることができ、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣをさらに構成することで、表示パネルの下側からの音響を向上させることができるので、左右の音響および上下の音響を含む立体的な音響を実現できる表示装置を提供することができる。したがって、左右映像および上下映像に対する左右音響および上下音響を実現することができ、使用者に立体的な左右音響および上下音響を含む実際の音響（例えば、リアル（ｒｅａｌ）サウンド）のリアル立体音響を実現することができるので、仮想（ｖｉｒｔｕａｌ）音響ではなく、リアル（ｒｅａｌ）サウンドを提供することができる。これにより、使用者に立体的な左右音響および上下音響を含む実際の音響（例えば、リアル（ｒｅａｌ）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、リアルＡＶ（Ａｕｄｉｏ  Ｖｉｓｕａｌ）またはドルビー音響システムを感じることができようにすることができる。これに対する説明は、図２４Ｂ〜図２７Ｉにも、同一または類似に適用することができる。そして、図６〜図１１Ｂで説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、表示パネル１００内に配置することができる。したがって、音響発生装置の厚さを減少させることができるので、表示装置の厚さが減少して、使用者に美感を与えることができる表示装置を提供することができる。そして、図１２Ａおよび図１２Ｂで説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、低音域帯が向上した音響発生装置で構成することができるので、低音域帯が向上した左右音響および上下音響を実現することができる表示装置を提供することができる。そして、図１３で説明したように、第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、および第１５音響発生装置１６００ＢＲＣは、フィルム型音響発生装置で構成することができるので、音響発生装置の厚さを減少させることができるので、表示装置の厚さが減少して、使用者に美感を与えることができる表示装置を提供することができる。
【０３７０】
図２３Ｃを参照すると、第１パーティション１７２１、第２パーティション１７２２、第４パーティション１７１３、第５パーティション１７１４、第６パーティション１７１１、および第７パーティション１７１２を構成し、支持部材３００と表示パネルの間にパーティション１７５０を配置することができる。例えば、パーティション１７５０は、支持部材３００の端または縁に配置することができる。例えば、パーティション１７５０は、支持部材３００の前面の端または縁に配置することができる。パーティション１７５０は、支持部材３００の前面の外郭の四辺の全体領域であり得る。他の例としては、パーティション１７５０は、表示パネルの背面の端または縁に配置することができる。パーティション１７５０は、表示パネル１００の背面の外郭の四辺の全体領域であり得る。例えば、パーティション１７５０は、表示パネルの背面または支持部材の前面の外郭の四辺の全体領域であることもできる。パーティション１７５０は、表示パネルのウェーブ現象を防止するために、表示パネルの形状に沿って配置することができる。例えば、パーティション１７５０が、図１Ｂで説明した表示パネル１００と支持部材３００を付着するための接着部材である場合には、図１Ｂで説明した接着部材を省略することができる。これに限らず、表示パネル１００と支持部材３００を付着するための接着部材を表示パネル１００の背面または支持部材３００に構成することもできる。
【０３７１】
第１パーティション１７２１、第２パーティション１７２２、第４パーティション１７１３、第５パーティション１７１４、第６パーティション１７１１、第７パーティション１７１２、およびパーティション１７５０を配置する時、第１パーティション１７２１および第２パーティション１７２２を先に配置し、パーティション１７５０を配置した後に、第４パーティション１７１３、第５パーティション１７１４、第６パーティション１７１１、および第７パーティション１７１２を配置することができる。他の例としては、第４パーティション１７１３、第５パーティション１７１４、第６パーティション１７１１、および第７パーティション１７１２を先に配置し、第１パーティション１７２１および第２パーティション１７２２を配置した後に、パーティション１７５０を配置することができ、配置する順序が明細書の内容を限定するものではない。パーティション１７５０は、支持部材３００の縦方向に最初に配置した後に、横方向に配置することができる。他の例としては、支持部材３００の横方向に最初に配置した後に、縦方向に配置することができ、配置する順序が明細書の内容を限定するものではない。以下の実施例では、第１パーティション１７２１および第２パーティション１７２２を先に配置し、パーティション１７５０を配置した後に、第４パーティション１７１３、第５パーティション１７１４、第６パーティション１７１１、および第７パーティション１７１２を配置することを例に挙げて示すが、これに限定されるものではない。これに対する内容は、以下の実施例でも同一又は類似に適用することができる。
【０３７２】
図２３Ｄおよび図２３Ｅを参照すると、第１パーティション１７２１、第２パーティション１７２２、および第３パーティション１７２３の形状を異なって構成することができる。第１パーティション１７２１、第２パーティション１７２２、および第３パーティション１７２３は、表示パネルの形状と異なる形状に構成することができる。例えば、第１パーティション１７２１、第２パーティション１７２２、および第３パーティション１７２３は、平らでない形状、または線形状ではないことができる。例えば、第１パーティション１７２１、第２パーティション１７２２、および第３パーティション１７２３は、鋸歯形状、三角形形状、および先端が丸い三角形形状を有することができる。例えば、第１パーティション１７２１、第２パーティション１７２２、および第３パーティション１７２３の鋸歯が位置する方向は、音響発生装置を向くように配置することができる。例えば、第１パーティション１７２１、第２パーティション１７２２、および第３パーティション１７２３が三角形形状である場合には、三角形の先端が位置する方向は、音響発生装置を向くように配置することができる。例えば、第１パーティション１７２１、第２パーティション１７２２、および第３パーティション１７２３が先端の丸い三角形形状である場合には、先端が丸い三角形の先端が位置する方向は、音響発生装置を向くするように配置することができる。例えば、図２３Ｄを参照すると、第１パーティション１７２１が先端の丸い三角形形状である場合には、先端が丸い三角形の先端は、第４音響発生装置１６００ＨＬ、第５音響発生装置１６００ＨＲ、第６音響発生装置１６００ＨＣ、第１２音響発生装置１６００ＨＬＣ、および第１３音響発生装置１６００ＨＲＣの一つ以上を向くように構成することができる。例えば、第２パーティション１７２２が先端の丸い三角形形状である場合には、先端が丸い三角形の先端は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くように構成することができる。例えば、第３パーティション１７２３が先端の丸い三角形形状である場合には、先端が丸い三角形の先端は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣの一つ以上を向くように構成することができる。したがって、パーティションの形状が少なくとも一つ以上の音響発生装置を向くように構成することにより、音響発生装置の定在波によるピークやディップ現象を制御することができ、表示パネルのウェーブ現象を減らすことができる。そして、パーティションの形状を変更することにより、音響発生装置の乱反射などの音響干渉を解決することができる。
【０３７３】
パーティションが平らでない形状、または線形状でない場合、定在波を分散させることができる。例えば、鋸歯形状、三角形形状、および先端が丸い三角形形状に実現する場合には、鋸歯形状、三角形形状、および先端が丸い三角形形状により定在波が複数の方向に分散され得るので、音響出力特性をさらに向上させることができる。
【０３７４】
図２３Ｅを参照すると、第１パーティション１７２１および第２パーティション１７２２は、二つのパーティションで構成することができる。これに限らず、第１パーティション１７２１および第２パーティション１７２２中の一つ以上を、二つのパーティションで構成することができる。例えば、第１パーティション１７２１は、第１−１パーティション１７２１ａおよび第１−２パーティション１７２１ｂを含むことができ、三角形または先端が丸い三角形形状で構成することができる。第１−１パーティション１７２１ａの三角形または先端が丸い三角形形状の先端は、第４音響発生装置１６００ＨＬ、第５音響発生装置１６００ＨＲ、第６音響発生装置１６００ＨＣ、第１２音響発生装置１６００ＨＬＣ、および第１３音響発生装置１６００ＨＲＣの一つ以上を向くように構成することができる。第１−２パーティション１７２１ｂの三角形または先端が丸い三角形形状の先端は、第１音響発生装置１６００Ｌ、第２音響発生装置１６００Ｒ、第３音響発生装置１６００Ｃ、第１０音響発生装置１６００ＬＣ、および第１１音響発生装置１６００Ｒの一つ以上Ｃを向くように構成することができる。例えば、第２パーティション１７２２は、第２−１パーティション１７２２ａおよび第２−２パーティション１７２２ｂを含むことができ、三角形または先端が丸い三角形形状で構成することができる。第２−１パーティション１７２２ａの三角形または先端が丸い三角形形状の先端は、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くように構成することができる。第２−２パーティション１７２２ｂの三角形または先端が丸い三角形形状の先端は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣの一つ以上を向くように構成することができる。第３パーティション１７２３の三角形または先端が丸い三角形形状の先端は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣの一つ以上を向くように構成することができる。これにより、音響発生装置の定在波によるピークやディップ現象を制御することができ、表示パネルのウェーブ現象を減らすことができる
【０３７５】
図２３Ｆを参照すると、第６パーティション１７１１の少なくとも一つの辺に、第１音響発生装置１６００Ｌ、第４音響発生装置１６００ＨＬ、および第７音響発生装置１６００ＢＬの一つ以上を向くようにパッドを配置することができる。例えば、第６パーティション１７１１の少なくとも一つの辺に、第１音響発生装置１６００Ｌを向くように、第１−３パッド７１３を配置することができる。第１−３パッド７１３と向かい合う辺に、第１−１パッド７１１を配置することができる。第１−１パッド７１１および第１−３パッド７１３は、一つで構成することができ、これに限らず、第１−１パッド７１１および第１−３パッド７１３中の一つ以上は、二つ以上で構成することもできる。例えば、第６パーティション１７１１の少なくとも一つの辺に、第４音響発生装置１６００ＨＬを向くように、第４−３パッド７２３を配置することができる。第４−３パッド７２３と向かい合う辺に、第４−１パッド７２１を配置することができる。第４−１パッド７２１および第４−３パッド７２３は、一つで構成することができ、これに限らず、第４−１パッド７２１および第４−３パッド７２３中の一つ以上は、二つ以上で構成することもできる。例えば、第６パーティション１７１１の少なくとも一つの辺に、第７音響発生装置１６００ＢＬを向くように、第７−３パッド７３３を配置することができる。第７−３パッド７３３と向かい合う辺に、第７−１パッド７３１を配置することができる。第７−１パッド７３１および第７−３パッド７３３は、一つで構成することができ、これに限らず、第７−１パッド７３１および第７−３パッド７３３中の一つ以上は、二つ以上で構成することもできる。
【０３７６】
第６パーティション１７１１の少なくとも一つの他の辺に、第１０音響発生装置１６００ＬＣを向くようにパッドを配置することができる。例えば、第６パーティション１７１１の少なくとも一つの他の辺に、第１０音響発生装置１６００ＬＣを向くように、第１０−１パッド７４１を配置することができる。第１０−１パッド７４１は、一つで構成することができ、これに限らず、二つ以上で構成することもできる。
【０３７７】
第６パーティション１７１１の少なくとも一つの他の辺に、第１２音響発生装置１６００ＨＬＣを向くようにパッドを配置することができる。例えば、第６パーティション１７１１の少なくとも一つの他の辺に、第１２音響発生装置１６００ＨＬＣを向くように、第１２−１パッド７５１を配置することができる。第１２−１パッド７５１は、一つで構成することができ、これに限らず、二つ以上で構成することもできる。
【０３７８】
第６パーティション１７１１の少なくとも一つの他の辺に、第１４音響発生装置１６００ＢＬＣを向くようにパッドを配置することができる。例えば、第４パーティション１７１３の少なくとも一つの他の辺に、第１４音響発生装置１６００ＢＬＣを向くように、第１４−１パッド７６１を配置することができる。第１４−１パッド７６１は、一つで構成することができ、これに限らず、二つ以上で構成することもできる。
【０３７９】
第７パーティション１７１２の少なくとも一つの辺に、第２音響発生装置１６００Ｒ、第５音響発生装置１６００ＨＲ、および第８音響発生装置１６００ＢＲの一つ以上を向くようにパッドを配置することができる。例えば、第７パーティション１７１２の少なくとも一つの辺に、第２音響発生装置１６００Ｒを向くように、第２−１パッド８１１を配置することができる。第２−１パッド８１１と向かい合う辺に、第２−３パッド８１３を配置することができる。第２−１パッド８１１および第２−３パッド８１３は、一つで構成することができ、これに限らず、第２−１パッド８１１および第２−３パッド８１３中の一つ以上は、二つ以上で構成することもできる。例えば、第７パーティション１７１２の少なくとも一つの辺に、第５音響発生装置１６００ＨＲを向くように、第５−１パッド８２１を配置することができる。第５−１パッド８２１と向かい合う辺に、第５−３パッド８２３を配置することができる。第５−１パッド８２１および第５−３パッド８２３は、一つで構成することができ、これに限らず、第５−１パッド８２１および第５−３パッド８２３中の一つ以上は、二つ以上で構成することもできる。例えば、第７パーティション１７１２の少なくとも一つの辺に、第８音響発生装置１６００ＢＲを向くように、第８−１パッド８３１を配置することができる。第８−１パッド８３１と向かい合う辺に、第８−３パッド８３３を配置することができる。第８−１パッド８３１および第８−３パッド８３３は、一つで構成することができ、これに限らず、第８−１パッド８３１および第８−３パッド８３３中の一つ以上は、二つ以上で構成することもできる。
【０３８０】
第７パーティション１７１２の少なくとも一つの他の辺に、第１１音響発生装置１６００ＲＣを向くようにパッドを配置することができる。例えば、第７パーティション１７１２の少なくとも一つの他の辺に、第１１音響発生装置１６００ＲＣを向くように、第１１−３パッド８４３を配置することができる。第１１−３パッド８４３は、一つで構成することができ、これに限らず、二つ以上で構成することもできる。第７パーティション１７１２の少なくとも一つの他の辺に、第１３音響発生装置１６００ＨＲＣを向くようにパッドを配置することができる。例えば、第７パーティション１７１２の少なくとも一つの他の辺に、第１３音響発生装置１６００ＨＲＣを向くように、第１３−３パッド８５３を配置することができる。第１３−３パッド８５３は、一つで構成することができ、これに限らず、二つ以上で構成することもできる。第７パーティション１７１２の少なくとも一つの他の辺に、第１５音響発生装置１６００ＢＲＣを向くようにパッドを配置することができる。例えば、第７パーティション１７１２の少なくとも一つの他の辺に、第１５音響発生装置１６００ＢＲＣを向くように、第１５−３パッド８６３を配置することができる。第１５−３パッド８６３は、一つで構成することができ、これに限らず、二つ以上で構成することもできる。
【０３８１】
第４パーティション１７１３の少なくとも一つの辺および第５パーティション１７１４の少なくとも一つの辺に、第３音響発生装置１６００Ｃ、第６音響発生装置１６００ＨＣ、および第９音響発生装置１６００ＢＣの一つ以上を向くようにパッドを配置することができる。例えば、第４パーティション１７１３の少なくとも一つの辺に、第３音響発生装置１６００Ｃを向くように、第３−１パッド９１１を配置することができる。例えば、第５パーティション１７１４の少なくとも一つの辺に、第３音響発生装置１６００Ｃを向くように、第３−３パッド９１３を配置することができる。第３−１パッド９１１は、第３−３パッド９１３と向き合って配置することができる。例えば、第３−１パッド９１１と向かい合う第５パーティション１７１４の辺に、第３−３パッド９１３を配置することができる。第３−１パッド９１１および第３−３パッド９１３は、一つで構成することができ、これに限らず、第３−１パッド９１１および第３−３パッド９１３中の一つ以上は、二つ以上で構成することもできる。例えば、第４パーティション１７１３の少なくとも一つの辺に、第６音響発生装置１６００ＨＣを向くように、第６−１パッド９２１を配置することができる。例えば、第５パーティション１７１４の少なくとも一つの辺に、第６音響発生装置１６００ＨＣを向くように、第６−３パッド９２３を配置することができる。第６−１パッド９２１は、第６−３パッド９２３と向き合って配置することができる。例えば、第６−１パッド９２１と向かい合う第５パーティション１７１４の辺に、第６−３パッド９２３を配置することができる。第６−１パッド９２１および第６−３パッド９２３は、一つで構成することができ、これに限らず、第６−１パッド９２１および第６−３パッド９２３中の一つ以上は、二つ以上で構成することもできる。例えば、第４パーティション１７１３の少なくとも一つの辺に、第９音響発生装置１６００ＢＣを向くように、第９−１パッド９３１を配置することができる。例えば、第５パーティション１７１４の少なくとも一つの辺に、第９音響発生装置１６００ＢＣを向くように、第９−３パッド９３３を配置することができる。第９−１パッド９３１は、第９−３パッド９３３と向き合って配置することができる。例えば、第９−１パッド９３１と向かい合う第５パーティション１７１４の辺に、第９−３パッド９３３を配置することができる。第９−１パッド９３１および第９−３パッド９３３は、一つで構成することができ、これに限らず、第９−１パッド９３１および第９−３パッド９３３中の一つ以上は、二つ以上で構成することもできる。
【０３８２】
例えば、第４パーティション１７１３の少なくとも一つの他の辺に、第１０音響発生装置１６００ＬＣを向くように、第１０−３パッド７４３を配置することができる。例えば、第４パーティション１７１３の少なくとも一つの他の辺に、第１２音響発生装置１６００ＨＬＣを向くように、第１２−３パッド７５３を配置することができる。例えば、第４パーティション１７１３の少なくとも一つの他の辺に、第１４音響発生装置１６００ＢＬＣを向くように、第１４−３パッド７６３を配置することができる。第１０−３パッド７４３、第１２−３パッド７５３、および第１４−３パッド７６３は、一つで構成することができ、これに限らず、第１０−３パッド７４３、第１２−３パッド７５３、および第１４−３パッド７６３中の一つ以上は、二つ以上で構成することもできる。
【０３８３】
例えば、第５パーティション１７１４の少なくとも一つの他の辺に、第１１音響発生装置１６００ＲＣを向くように、第１１−１パッド８４１を配置することができる。例えば、第５パーティション１７１４の少なくとも一つの他の辺に、第１３音響発生装置１６００ＨＲＣを向くように、第１３−１パッド８５１を配置することができる。例えば、第５パーティション１７１４の少なくとも一つの他の辺に、第１５音響発生装置１６００ＢＲＣを向くように、第１５−１パッド８６１を配置することができる。第１１−１パッド８４１、第１３−１パッド８５１、および第１５−１パッド８６１は、一つで構成することができ、これに限らず、第１１−１パッド８４１、第１３−１パッド８５１、および第１５−１パッド８６１中の一つ以上は、二つ以上で構成することもできる。
【０３８４】
例えば、第１パーティション１７２１の少なくとも一つの辺に、第４音響発生装置１６００ＨＬ、第５音響発生装置１６００ＨＲ、第６音響発生装置１６００ＨＣ、第１２音響発生装置１６００ＨＬＣ、および第１３音響発生装置１６００ＨＲＣの一つ以上を向くようにパッドを配置することができる。例えば、第１パーティション１７２１の少なくとも一つの辺に、第４音響発生装置１６００ＨＬを向くように、第４−６パッド７２６を配置することができる。第４−６パッド７２６と向かい合う辺に、第４−５パッド７２５を配置することができ、第４−５パッド７２５は、第４音響発生装置１６００ＨＬを向くように配置することができる。第４−５パッド７２５および第４−６パッド７２６は、一つで構成することができ、これに限らず、第４−５パッド７２５および第４−６パッド７２６中の一つ以上は、二つ以上で構成することもできる。
【０３８５】
例えば、第１パーティション１７２１の少なくとも一つの辺に、第５音響発生装置１６００ＨＲを向くように、第５−６パッド８２６を配置することができる。第５−６パッド８２６と向かい合う辺に、第５−５パッド８２５を配置することができ、第５−５パッド８２５は、第５音響発生装置１６００ＨＲを向くように配置することができる。第５−５パッド８２５および第５−６パッド８２６は、一つで構成することができ、これに限らず、第５−５パッド８２５および第５−６パッド８２６中の一つ以上は、二つ以上で構成することもできる。
【０３８６】
例えば、第１パーティション１７２１の少なくとも一つの辺に、第６音響発生装置１６００ＨＣを向くように、第６−６パッド９２６を配置することができる。第６−６パッド９２６と向かい合う辺に、第６−５パッド９２５を配置することができ、第６−５パッド９２５は、第６音響発生装置１６００ＨＣを向くように配置することができる。第６−５パッド９２５および第６−６パッド９２６は、一つで構成することができ、これに限らず、第６−５パッド９２５および第６−６パッド９２６中の一つ以上は、二つ以上で構成することもできる。
【０３８７】
例えば、第１パーティション１７２１の少なくとも一つの辺に、第１２音響発生装置１６００ＨＬＣを向くように、第１２−６パッド７５６を配置することができる。第１２−６パッド７５６と向かい合う辺に、第１２−５パッド７５５を配置することができ、第１２−５パッド７５５は、第１２音響発生装置１６００ＨＬＣを向くように配置することができる。第１２−５パッド７５５および第１２−６パッド７５６は、一つで構成することができ、これに限らず、第１２−５パッド７５５および第１２−６パッド７５６中の一つ以上は、二つ以上で構成することもできる。
【０３８８】
例えば、第１パーティション１７２１の少なくとも一つの辺に、第１３音響発生装置１６００ＨＲＣを向くように、第１３−６パッド８５６を配置することができる。第１３−６パッド８５６と向かい合う辺に、第１３−５パッド８５５を配置することができ、第１３−５パッド８５５は、第１３音響発生装置１６００ＨＲＣを向くように配置することができる。第１３−５パッド８５５および第１３−６パッド８５６は、一つで構成することができ、これに限らず、第１３−５パッド８５５および第１３−６パッド８５６中の一つ以上は、二つ以上で構成することもできる。
【０３８９】
例えば、第１パーティション１７２１の少なくとも一つの他の辺に、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くようにパッドを配置することができる。例えば、第１パーティション１７２１の少なくとも一つの他の辺に、第１音響発生装置１６００Ｌを向くように、第１−５パッド７１５を配置することができる。例えば、第１パーティション１７２１の少なくとも一つの他の辺に、第２音響発生装置１６００Ｒを向くように、第２−５パッド８１５を配置することができる。例えば、第１パーティション１７２１の少なくとも一つの他の辺に、第３音響発生装置１６００Ｃを向くように、第３−５パッド９１５を配置することができる。例えば、第１パーティション１７２１の少なくとも一つの他の辺に、第１０音響発生装置１６００ＬＣを向くように、第１０−５パッド７４５を配置することができる。例えば、第１パーティション１７２１の少なくとも一つの辺に、第１１音響発生装置１６００ＲＣを向くように、第１１−５パッド８４５を配置することができる。第１−５パッド７１５、第２−５パッド８１５、第３−５パッド９１５、第１０−５パッド７４５、および第１１−５パッド８４５は、一つで構成することができ、これに限らず、第１−５パッド７１５、第２−５パッド８１５、第３−５パッド９１５、第１０−５パッド７４５、および第１１−５パッド８４５中の一つ以上は、二つ以上で構成することもできる。
【０３９０】
例えば、第２パーティション１７２２の少なくとも一つの辺に、第１音響発生装置１６００Ｌ、第２音響発生装置１６００Ｒ、第３音響発生装置１６００Ｃ、第１０音響発生装置１６００ＬＣ、および第１１音響発生装置１６００ＲＣの一つ以上を向くようにパッドを配置することができる。例えば、第２パーティション１７２２の少なくとも一つの辺に、第１音響発生装置１６００Ｌを向くように、第１−６パッド７１６を配置することができる。例えば、第２パーティション１７２２の少なくとも一つの辺に、第２音響発生装置１６００Ｒを向くように、第２−６パッド８１６を配置することができる。例えば、第２パーティション１７２２の少なくとも一つの辺に、第３音響発生装置１６００Ｃを向くように、第３−６パッド９１６を配置することができる。例えば、第２パーティション１７２２の少なくとも一つの辺に、第１０音響発生装置１６００ＬＣを向くように、第１０−６パッド７４６を配置することができる。例えば、第２パーティション１７２２の少なくとも一つの辺に、第１１音響発生装置１６００ＲＣを向くように、第１１−６パッド８４６を配置することができる。第１−６パッド７１６、第２−６パッド８１６、第３−６パッド９１６、第１０−６パッド７４６、および第１１−６パッド８４６は、一つで構成することができ、これに限らず、第１−６パッド７１６、第２−６パッド８１６、第３−６パッド９１６、第１０−６パッド７４６、および第１１−６パッド８４６中の一つ以上は、二つ以上で構成することもできる。
【０３９１】
第１−５パッド７１５は、第１−６パッド７１６と向き合って配置することができる。例えば、第１−５パッド７１５と向かい合う第２パーティション１７２２の辺に、第１−６パッド７１６を配置することができる。第２−５パッド８１５は、第２−６パッド８１６と向き合って配置することができる。例えば、第２−５パッド８１５と向かい合う第２パーティション１７２２の辺に、第２−６パッド８１６を配置することができる。第３−５パッド９１５は、第３−６パッド９１６と向き合って配置することができる。例えば、第３−５パッド９１５と向かい合う第２パーティション１７２２の辺に、第３−６パッド９１６を配置することができる。第１０−５パッド７４５は、第１０−６パッド７４６と向き合って配置することができる。例えば、第１０−５パッド７４５と向かい合う第２パーティション１７２２の辺に、第１０−６パッド７４６を配置することができる。第１１−５パッド７１５は、第１１−６パッド７１６と向き合って配置することができる。例えば、第１１−５パッド７１５と向かい合う第２パーティション１７２２の辺に、第１１−６パッド７１６を配置することができる。
【０３９２】
例えば、第２パーティション１７２２の少なくとも一つの他の辺に、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣの一つ以上を向くようにパッドを配置することができる。例えば、第２パーティション１７２２の少なくとも一つの他の辺に、第７音響発生装置１６００ＢＬを向くように、第７−５パッド７３５を配置することができる。例えば、第２パーティション１７２２の少なくとも一つの他の辺に、第８音響発生装置１６００ＢＲを向くように、第８−５パッド８３５を配置することができる。例えば、第２パーティション１７２２の少なくとも一つの他の辺に、第９音響発生装置１６００ＢＣを向くように、第９−５パッド９３５を配置することができる。例えば、第２パーティション１７２２の少なくとも一つの他の辺に、第１４音響発生装置１６００ＢＬＣを向くように、第１４−５パッド７６５を配置することができる。例えば、第２パーティション１７２２の少なくとも一つの他の辺に、第１５音響発生装置１６００ＢＲＣを向くように、第１５−５パッド８６５を配置することができる。第７−５パッド７３５、第８−５パッド８３５、第９−５パッド９３５、第１４−５パッド７６５、および第１５−５パッド８６５は、一つで構成することができ、これに限らず、第７−５パッド７３５、第８−５パッド８３５、第９−５パッド９３５、第１４−５パッド７６５、および第１５−５パッド８６５中の一つ以上は、二つ以上で構成することもできる。
【０３９３】
例えば、第３パーティション１７２３の少なくとも一つの辺に、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣを向くようにパッドを配置することができる。例えば、第３パーティション１７２３の少なくとも一つの辺に、第７音響発生装置１６００ＢＬを向くように、第７−６パッド７３６を配置することができる。例えば、第３パーティション１７２３の少なくとも一つの辺に、第８音響発生装置１６００ＢＲを向くように、第８−６パッド８３６を配置することができる。例えば、第３パーティション１７２３の少なくとも一つの辺に、第９音響発生装置１６００ＢＣを向くように、第９−６パッド９３６を配置することができる。例えば、第３パーティション１７２３の少なくとも一つの辺に、第１４音響発生装置１６００ＢＬＣを向くように、第１４−６パッド７６６を配置することができる。例えば、第３パーティション１７２３の少なくとも一つの辺に、第１５音響発生装置１６００ＢＲＣを向くように、第１５−６パッド８６６を配置することができる。第７−６パッド７３６、第８−６パッド８３６、第９−６パッド９３６、第１４−６パッド７６６、および第１５−６パッド８６６は、一つで構成することができ、これに限らず、第７−６パッド７３６、第８−６パッド８３６、第９−６パッド９３６、第１４−６パッド７６６、および第１５−６パッド８６６中の一つ以上は、二つ以上で構成することもできる。実施例では、第１−１パッド７１１および第１−３パッド７１３の大きさが第１−５パッド７１５および第１−６パッド７１６のそれぞれの大きさよりも大きく示されているが、パッドの大きさが、本明細書の内容を限定するものではない。例えば、第１−１パッド７１１および第１−３パッド７１３の大きさが第１−５パッド７１５および第１−６パッド７１６のそれぞれの大きさよりも小さいか同じことができる。他のパッドの大きさも同じに、または類似に適用することができる。図２３Ｆで支持部材３００の周辺には、パーティションを配置しないことがあり得る。支持部材３００の周辺には、図１Ｂで説明した接着部材によって支持部材３００と表示パネル１００を接着することができる。
【０３９４】
図２３Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０の一つの辺には、第１２音響発生装置１６００ＨＬＣを向くように、第１２−５パッド７５５を配置することができ、第１３音響発生装置１６００ＨＲＣを向くように、第１３−５パッド８５５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０のもう一つの辺には、第１４音響発生装置１６００ＢＬＣを向くように、第１４−６パッド７６６を配置することができ、第１５音響発生装置１６００ＢＲＣを向くように、第１５−６パッド８６６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２３Ｆを参照して説明した内容と同一または類似するので、詳細な説明を省略する。
【０３９５】
図２３Ｈを参照すると、第１パーティション１７２１および第２パーティション１７２２は、ベント部を含むことができる。残りの構成は、図２３Ｆと同一または類似するので、詳細な説明を省略する。第１パーティション１７２１は、一つ以上のベント部を含むことができる。例えば、第１パーティション１７２１は、第１音響発生装置１６００Ｌに向かう第１ベント部７０１を含むことができ、第１０音響発生装置１６００ＬＣに向かう第７ベント部７０７を含むことができる。第１パーティション１７２１は、第２音響発生装置１６００Ｒに向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０３９６】
第２パーティション１７２２は、一つ以上のベント部を含むことができる。例えば、第２パーティション１７２２は、第１音響発生装置１６００Ｌに向かう第４ベント部７０４を含むことができ、第１０音響発生装置１６００ＬＣに向かう第９ベント部７０９を含むことができる。第２パーティション１７２２は、第２音響発生装置１６００Ｒに向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０３９７】
第３パーティション１７２３は、ベント部を含むことができるが、これに限定されるものではない。例えば、第３パーティション１７２３は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣに向かうベント部を含むことができる。
【０３９８】
ベント部は、音響発生装置の中心部で開いた構造を有することができ、これに限定されず、「Ｖ」字型の塞がった構造を有することができる。ベント部が、音響発生装置の中心部で開いた構造を有する場合には、塞がった構造を有する場合よりも材料費を削減することができる利点がある。音響特性の実験によると、ベント部は、音響発生装置の中心部で開いた構造を有する場合と塞がった構造を有する場合に、発明者らは音響特性の違いが微々またはないことを確認した。したがって、第１パーティション１７２１、第２パーティション１７２２、および第３パーティション１７２３中の一つは、一つ以上のベント部を含むことにより、音響発生装置の定在波による音圧の減少現象を減らすことができる。
【０３９９】
図２３Ｉを参照すると、第１パーティション１７２１および第２パーティション１７２２は、一つ以上のベント部を含み、パーティション１７５０を配置することができる。これに限らず、第１パーティション１７２１、第２パーティション１７２２、および第３パーティション１７２３は、一つ以上のベント部を含み、パーティション１７５０を配置することができる。例えば、図２４Ｉのように構成することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２３Ｇおよび図２３Ｈと同一または類似するので、詳細な説明を省略する。
【０４００】
図２４Ａ〜図２４Ｉは、本明細書の実施例に係る音響発生装置と、パーティションの例を示す図である。
【０４０１】
図２４Ａ〜図２４Ｉを参照すると、第７領域７に第１ウーファー一体型音響発生装置（Ｗ３）および第８領域８に第２ウーファー一体型音響発生装置（Ｗ４）を配置することができる。図１５Ａ〜図１５Ｉ、図１８Ａ〜図２０Ｉ、および／または図２３Ａ〜図２３Ｉで説明した内容と同一の内容については説明を省略し、または簡単にすることができる。
【０４０２】
図２４Ａ〜図２４Ｉを参照すると、第１ウーファー一体型音響発生装置（Ｗ３）は、第１音響発生装置１６００Ｌおよび第４音響発生装置１６００ＨＬ中の一つと対称的に配置することができる。例えば、第１ウーファー一体型音響発生装置（Ｗ３）は、第１音響発生装置１６００Ｌおよび第４音響発生装置１６００ＨＬ中の一つと同一線上に配置することができる。第２ウーファー一体型音響発生装置（Ｗ４）は、第２音響発生装置１６００Ｒおよび第５音響発生装置１６００ＨＲ中の一つと対称的に配置することができる。例えば、第２ウーファー一体型音響発生装置（Ｗ４）は、第２音響発生装置１６００Ｒおよび第５音響発生装置１６００ＨＲ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２４Ｆおよび図２４Ｇを参照すると、第７−５パッド７３５および第７−６パッド７３６は、第１−５パッド７１５、第１−６パッド７１６、第４−５パッド７２５、および第４−６パッド７２６中の一つと対称的に配置することができる。第８−５パッド８３５および第８−６パッド８３６は、第２−５パッド８１５、第２−６パッド８１６、第５−５パッド８２５、および第５−６パッド８２６中の一つと対称的に配置することができる。図２４Ｈおよび図２４Ｉを参照すると、第１１ベント部８０１は、第１ベント部７０１および第４ベント部７０４中の一つと対称的に配置することができ、第１２ベント部８０２は、第２ベント部７０２および第５ベント部７０５中の一つと対称的に配置することができる。
【０４０３】
他の例としては、第１ウーファー一体型音響発生装置（Ｗ３）は、第１音響発生装置１６００Ｌおよび第４音響発生装置１６００ＨＬ中の一つと非対称に配置することができる。第２ウーファー一体型音響発生装置（Ｗ４）は、第２音響発生装置１６００Ｒおよび第５音響発生装置１６００ＨＲ中の一つと非対称に配置することができる。このように構成する場合、第１ウーファー一体型音響発生装置（Ｗ３）が発生させる振動および定在波と第１音響発生装置１６００Ｌまたは第４音響発生装置１６００ＨＬが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌおよび第４音響発生装置１６００ＨＬ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第２音響発生装置１６００Ｒまたは第５音響発生装置１６００ＨＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第２音響発生装置１６００Ｒおよび第５音響発生装置１６００ＨＲ中の一つと第２ウーファー一体型音響発生装置（Ｗ４）の非対称構造は、これを防止して、原音に近い自然な音響を再生することができる。図２４Ｆおよび図２４Ｇを参照すると、第７−５パッド７３５および第７−６パッド７３６は、第１−５パッド７１５、第１−６パッド７１６、第４−５パッド７２５、および第４−６パッド７２６中の一つと非対称に配置することができる。第８−５パッド８３５および第８−６パッド８３６は、第２−５パッド８１５、第２−６パッド８１６、第５−５パッド８２５、および第５−６パッド８２６中の一つと非対称に配置することができる。図２４Ｈおよび図２４Ｉを参照すると、第１１ベント部８０１は、第１ベント部７０１および第４ベント部７０４中の一つと非対称に配置することができ、第１２ベント部８０２は、第２ベント部７０２および第５ベント部７０５中の一つと非対称に配置することができる。図２４Ｆ〜図２４Ｉを参照すると、パッドは一つで構成することができ、これに限らず、パッド中の一つは、二つ以上で構成することもできる。
【０４０４】
図２４Ａ〜図２４Ｉを参照すると、第１ウーファー一体型音響発生装置（Ｗ３）は、第９音響発生装置１６００ＢＣ、第１４音響発生装置１６００ＢＬＣ、および第１５音響発生装置１６００ＢＲＣ中の一つと対称的に配置することができる。例えば、第１ウーファー一体型音響発生装置（Ｗ３）は、第９音響発生装置１６００ＢＣ、第１４音響発生装置１６００ＢＬＣ、および第１５音響発生装置１６００ＢＲＣ中の一つと同一線上に配置することができる。第２ウーファー一体型音響発生装置（Ｗ４）は、第９音響発生装置１６００ＢＣ、第１４音響発生装置１６００ＢＬＣ、および第１５音響発生装置１６００ＢＲＣ中の一つと対称的に配置することができる。例えば、第２ウーファー一体型音響発生装置（Ｗ４）は、第９音響発生装置１６００ＢＣ、第１４音響発生装置１６００ＢＬＣ、および第１５音響発生装置１６００ＢＲＣ中の一つと同一線上に配置することができる。このように構成する場合には、音の再生位置を同一線上に整列することができるので、非対称構成に比べて、同一位置で音が再生されるような効果を与えることができる。これにより、音の位置に対する認知感を向上することができるので、音響の定位感を向上することができる。図２４Ｆおよび図２４Ｇを参照すると、第７−１パッド７３１および第７−３パッド７３３は、第９−１パッド９３１、第９−３パッド９３３、第１４−１パッド７６１、第１４−３パッド７６３、第１５−１パッド８６１、および第１５−３パッド８６３中の一つと対称的に配置することができる。第８−１パッド８３１および第８−３パッド８３３は、第９−１パッド９３１、第９−３パッド９３３、第１４−１パッド７６１、第１４−３パッド７６３、第１５−１パッド８６１、および第１５−３パッド８６３中の一つと対称的に配置することができる。
【０４０５】
他の例としては、第１ウーファー一体型音響発生装置（Ｗ３）は、第９音響発生装置１６００ＢＣ、第１４音響発生装置１６００ＢＬＣ、および第１５音響発生装置１６００ＢＲＣ中の一つと非対称に配置することができる。第２ウーファー一体型音響発生装置（Ｗ４）は、第９音響発生装置１６００ＢＣ、第１４音響発生装置１６００ＢＬＣ、および第１５音響発生装置１６００ＢＲＣ中の一つと非対称に配置することができる。このように構成する場合、第１ウーファー一体型音響発生装置（Ｗ３）が発生させる振動および定在波と第９音響発生装置１６００ＢＣ、または第１４音響発生装置１６００ＢＬＣ、または第１５音響発生装置１６００ＢＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第９音響発生装置１６００ＢＣ、第１４音響発生装置１６００ＢＬＣ、および第１５音響発生装置１６００ＢＲＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第９音響発生装置１６００ＢＣ、または第１４音響発生装置１６００ＢＬＣ、または第１５音響発生装置１６００ＢＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第９音響発生装置１６００ＢＣ、第１４音響発生装置１６００ＢＬＣ、および第１５音響発生装置１６００ＢＲＣ中の一つと、第２ウーファー一体型音響発生装置（Ｗ４）の非対称構造は、これを防止して、原音に近い自然な音響を再生することができる。図２４Ｆおよび図２４Ｇを参照すると、第７−１パッド７３１および第７−３パッド７３３は、第９−１パッド９３１、第９−３パッド９３３、第１４−１パッド７６１、第１４−３パッド７６３、第１５−１パッド８６１、および第１５−３パッド８６３中の一つと非対称に配置することができる。第８−１パッド８３１および第８−３パッド８３３は、第９−１パッド９３１、第９−３パッド９３３、第１４−１パッド７６１、第１４−３パッド７６３、第１５−１パッド８６１、および第１５−３パッド８６３中の一つと非対称に配置することができる。
【０４０６】
第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、第１５音響発生装置１６００ＢＲＣ、第１ウーファー一体型音響発生装置（Ｗ３）、および第２ウーファー一体型音響発生装置（Ｗ４）は、約６０Ｈｚ〜４０ｋＨｚまたは約８０Ｈｚ〜４０ｋＨｚの音響を出力することができる。したがって、表示装置は、１５．１チャンネルの音響を出力することができる。
【０４０７】
図２４Ｆを参照すると、第１パーティション１７２１、第２パーティション１７２２、第３パーティション１７２３、第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第７−３パッド７３３を配置することができる。第７−３パッド７３３と向かい合う辺に、第７−１パッド７３１を配置することができる。例えば、第２パーティション１７２２の少なくとも一つの辺に、第１ウーファー一体型音響発生装置（Ｗ３）を向くように、第７−５パッド７３５を配置することができる。例えば、第３パーティション１７２３の少なくとも一つの辺に、第１ウーファー一体型音響発生装置（Ｗ３）を向くように、第７−６パッド７３６を配置することができる。第７−５パッド７３５は、第７−６パッド７３６と向き合って配置することができる。例えば、第７−５パッド７３５と向かい合う第３パーティション１７２３の辺に、第７−６パッド７３６を配置することができる。
【０４０８】
例えば、第７パーティション１７１２の少なくとも一つの辺に、第２ウーファー一体型音響発生装置（Ｗ４）を向くように、第８−１パッド８３１を配置することができる。第８−１パッド８３１と向かい合う辺に、第８−３パッド８３３を配置することができ、第８−３パッド８３３は、第２ウーファー一体型音響発生装置（Ｗ４）を向くように配置することができる。例えば、第２パーティション１７２２の少なくとも一つの辺に、第２ウーファー一体型音響発生装置（Ｗ４）を向くように、第８−５パッド８３５を配置することができる。例えば、第３パーティション１７２３の少なくとも一つの辺に、第２ウーファー一体型音響発生装置（Ｗ４）を向くように、第８−６パッド８３６を配置することができる。第８−５パッド８３５は、第８−６パッド８３６と向き合って配置することができる。例えば、第８−５パッド８３５と向かい合う第３パーティション１７２３の辺に、第８−６パッド８３６を配置することができる。
【０４０９】
図２４Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０の一つの辺には、第１２音響発生装置１６００ＨＬＣを向くように、第１２−５パッド７５５を配置することができ、第１３音響発生装置１６００ＨＲＣを向くように、第１３−５パッド８５５を配置することができる。パーティション１７５０のもう一つの辺には、第１ウーファー一体型音響発生装置（Ｗ３）を向くように、第７−６パッド７３６を配置することができ、第２ウーファー一体型音響発生装置（Ｗ４）を向くように第８−６パッド８３６を配置することができ、第９音響発生装置１６００ＢＣを向くように、第９−６パッド９３６を配置することができる。パーティション１７５０のもう一つの辺には、第１４音響発生装置１６００ＢＬＣを向くように、第１４−６パッド７６６を配置することができ、第１５音響発生装置１６００ＢＲＣを向くように、第１５−６パッド８６６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２４Ｆを参照して説明した内容と同一または類似するので、詳細な説明を省略する。
【０４１０】
図２４Ｈと図２４Ｉを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１音響発生装置１６００Ｌに向かう第１ベント部７０１を含むことができ、第１０音響発生装置１６００ＬＣに向かう第７ベント部７０７を含むことができる。第１パーティション１７２１は、第２音響発生装置１６００Ｒに向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０４１１】
第２パーティション１７２２は、一つ以上のベント部を含むことができる。例えば、第２パーティション１７２２は、第１音響発生装置１６００Ｌを向くように第４ベント部７０４を含むことができ、第１０音響発生装置１６００ＬＣを向くように、第９ベント部７０９を含むことができる。第２パーティション１７２２は、第２音響発生装置１６００Ｒを向くように第５ベント部７０５を含むことができ、第１１音響発生装置１６００ＲＣを向くように、第１０ベント部７１０を含むことができる。第２パーティション１７２２は、第３音響発生装置１６００Ｃを向くように、第６ベント部７０６を含むことができる。
【０４１２】
第３パーティション１７２３は、一つ以上のベント部を含むことができる。例えば、第３パーティション１７２３は、第１ウーファー一体型音響発生装置（Ｗ３）に向かう第１１ベント部８０１を含むことができ、第２ウーファー一体型音響発生装置（Ｗ４）に向かう第１２ベント部８０２を含むことができる。第３パーティション１７２３は、第１４音響発生装置１６００ＢＬＣに向かう第１４ベント部８０４を含むことができ、第１５音響発生装置１６００ＢＲＣに向かう第１５ベント部８０５を含むことができる。第３パーティション１７２３は、第９音響発生装置１６００ＢＣを向くように第１３ベント部８０３を含むことができる。第３パーティション１７２３は、ベントしていない形状で構成することができるが、これに限定されるものではない。例えば、図２３Ｈのように、第３パーティション１７２３は、ベントしていない形状で構成することができるが、これに限定されるものではない。
【０４１３】
図２４Ｉを参照すると、第１パーティション１７２１、第２パーティション１７２２、および第３パーティション１７２３中の一つは、一つ以上のベント部を含み、パーティション１７５０を配置することができる。第３パーティション１７２３は、ベントしていない形状で構成することができるが、これに限定されるものではない。例えば、図２３Ｉのように、第３パーティション１７２３は、ベントしていない形状で構成することができるが、これに限定されるものではない。パーティション１７５０は、支持部材３００の周辺に配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２４Ｇおよび図２４Ｈと同一または類似するので、詳細な説明を省略する。
【０４１４】
図２５Ａ〜図２５Ｉは、本明細書の実施例に係る音響発生装置と、パーティションの例を示す図である。
【０４１５】
図２５Ａ〜図２５Ｉを参照すると、第１４領域１４に第１ウーファー一体型音響発生装置（Ｗ３）および第１５領域１５に第２ウーファー一体型音響発生装置（Ｗ４）を配置することができる。図１５Ａ〜図１５Ｉ、図１８Ａ〜図２０Ｉ、および／または図２３Ａ〜図２４Ｉで説明した内容と同一の内容については説明を省略し、または簡単にすることができる。
【０４１６】
図２５Ａ〜図２５Ｉを参照すると、第１ウーファー一体型音響発生装置（Ｗ３）は、第１０音響発生装置１６００ＬＣおよび第１２音響発生装置１６００ＨＬＣ中の一つと対称的に配置することができる。例えば、第１ウーファー一体型音響発生装置（Ｗ３）は、第１０音響発生装置１６００ＬＣおよび第１２音響発生装置１６００ＨＬＣ中の一つと同一線上に配置することができる。第２ウーファー一体型音響発生装置（Ｗ４）は、第１１音響発生装置１６００ＲＣおよび第１３音響発生装置１６００ＨＲＣ中の一つと対称的に配置することができる。例えば、第２ウーファー一体型音響発生装置（Ｗ４）は、第１１音響発生装置１６００ＲＣおよび第１３音響発生装置１６００ＨＲＣ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２５Ｆおよび図２５Ｇを参照すると、第１４−５パッド７６５および第１４−６パッド７６６は、第１０−５パッド７４５、第１０−６パッド７４６、第１２−５パッド７５５、および第１２−６パッド７５６中の一つと対称的に配置することができる。第１５−５パッド８６５および第１５−６パッド８６６は、第１１−５パッド８４５、第１１−６パッド８４６、第１３−５パッド８５５、および第１３−６パッド８５６中の一つと対称的に配置することができる。図２５Ｈおよび図２５Ｉを参照すると、第１４ベント部８０４は、第７ベント部７０７および第９ベント部７０９中の一つと対称的に配置することができ、第１５ベント部８０５は、第８ベント部７０８および第１０ベント部７１０中の一つと対称的に配置することができる。
【０４１７】
他の例としては、第１ウーファー一体型音響発生装置（Ｗ３）は、第１０音響発生装置１６００ＬＣおよび第１２音響発生装置１６００ＨＬＣ中の一つと非対称に配置することができる。第２ウーファー一体型音響発生装置（Ｗ４）は、第１１音響発生装置１６００ＲＣおよび第１３音響発生装置１６００ＨＲＣ中の一つと非対称に配置することができる。このように構成する場合、第１ウーファー一体型音響発生装置（Ｗ３）が発生させる振動および定在波と、第１０音響発生装置１６００ＬＣまたは第１２音響発生装置１６００ＨＬＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１０音響発生装置１６００ＬＣおよび第１２音響発生装置１６００ＨＬＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と、第１１音響発生装置１６００ＲＣ又は第１３音響発生装置１６００ＨＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１１音響発生装置１６００ＲＣおよび第１３音響発生装置１６００ＨＲＣ中の一つと第２ウーファー一体型音響発生装置（Ｗ４）の非対称構造は、これを防止して、原音に近い自然な音響を再生することができる。図２５Ｆおよび図２５Ｇを参照すると、第１４−５パッド７６５および第１４−６パッド７６６は、第１０−５パッド７４５、第１０−６パッド７４６、第１２−５パッド７５５、および第１２−６パッド７５６中の一つと非対称に配置することができる。第１５−５パッド８６５および第１５−６パッド８６６は、第１１−５パッド８４５、第１１−６パッド８４６、第１３−５パッド８５５、および第１３−６パッド８５６中の一つと非対称に配置することができる。図２５Ｈおよび図２５Ｉを参照すると、第１４ベント部８０４は、第７ベント部７０７および第９ベント部７０９中の一つと非対称に配置することができ、第１５ベント部８０５は、第８ベント部７０８および第１０ベント部７１０中の一つと非対称に配置することができる。図２５Ｆ〜図２５Ｉを参照すると、パッドは一つで構成することができ、これに限らず、パッド中の一つは、二つ以上で構成することもできる。
【０４１８】
図２５Ａ〜図２５Ｉを参照すると、第１ウーファー一体型音響発生装置（Ｗ３）は、第７音響発生装置１６００ＢＬ、第８音響発生装置１６００ＢＲ、および第９音響発生装置１６００ＢＣ中の一つと対称的に配置することができる。例えば、第１ウーファー一体型音響発生装置（Ｗ３）は、第７音響発生装置１６００ＢＬ、第８音響発生装置１６００ＢＲ、および第９音響発生装置１６００ＢＣ中の一つと同一線上に配置することができる。第２ウーファー一体型音響発生装置（Ｗ４）は、第７音響発生装置１６００ＢＬ、第８音響発生装置１６００ＢＲ、および第９音響発生装置１６００ＢＣ中の一つと対称的に配置することができる。例えば、第２ウーファー一体型音響発生装置（Ｗ４）は、第７音響発生装置１６００ＢＬ、第８音響発生装置１６００ＢＲ、および第９音響発生装置１６００ＢＣ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２５Ｆおよび図２５Ｇを参照すると、第１４−１パッド７６１および第１４−３パッド７６３は、第７−１パッド７３１、第７−３パッド７３３、第８−１パッド８３１、第８−３パッド８３３、第９−１パッド９３１、および第９−３パッド９３３中の一つと対称的に配置することができる。第１５−１パッド８６１および第１５−３パッド８６３は、第７−１パッド７３１、第７−３パッド７３３、第８−１パッド８３１、第８−３パッド８３３、第９−１パッド９３１、および第９−３パッド９３３中の一つと対称的に配置することができる。
【０４１９】
他の例としては、第１ウーファー一体型音響発生装置（Ｗ３）は、第７音響発生装置１６００ＢＬ、第８音響発生装置１６００ＢＲ、および第９音響発生装置１６００ＢＣ中の一つと非対称に配置することができる。第２ウーファー一体型音響発生装置（Ｗ４）は、第７音響発生装置１６００ＢＬ、第８音響発生装置１６００ＢＲ、および第９音響発生装置１６００ＢＣ中の一つと非対称に配置することができる。このように構成する場合、第１ウーファー一体型音響発生装置（Ｗ３）が発生させる振動および定在波と、第７音響発生装置１６００ＢＬ、または第８音響発生装置１６００ＢＲ、または第９音響発生装置１６００ＢＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第７音響発生装置１６００ＢＬ、第８音響発生装置１６００ＢＲ、および第９音響発生装置１６００ＢＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第７音響発生装置１６００ＢＬ、または第８音響発生装置１６００ＢＲ、または第９音響発生装置１６００ＢＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第７音響発生装置１６００ＢＬ、第８音響発生装置１６００ＢＲ、および第９音響発生装置１６００ＢＣ中の一つと、第２ウーファー一体型音響発生装置（Ｗ４）の非対称構造は、これを防止して、原音に近い自然な音響を再生することができる。図２５Ｆおよび図２５Ｇを参照すると、第１４−１パッド７６１および第１４−３パッド７６３は、第７−１パッド７３１、第７−３パッド７３３、第８−１パッド８３１、第８−３パッド８３３、第９−１パッド９３１、および第９−３パッド９３３中の一つと非対称に配置することができる。第１５−１パッド８６１および第１５−３パッド８６３は、第７−１パッド７３１、第７−３パッド７３３、第８−１パッド８３１、第８−３パッド８３３、第９−１パッド９３１、および第９−３パッド９３３中の一つと非対称に配置することができる。
【０４２０】
第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、および第１３音響発生装置１６００ＨＲＣは、８０Ｈｚ〜４０ｋＨｚの音響を出力することができ、第１ウーファー一体型音響発生装置（Ｗ３）および第２ウーファー一体型音響発生装置（Ｗ４）は、６０Ｈｚ〜４０ｋＨｚの音響を出力することができる。したがって、表示装置は、１５．１チャンネルの音響を出力することができる。
【０４２１】
図２５Ｆを参照すると、第１パーティション１７２１、第２パーティション１７２２、第３パーティション１７２３第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第１４−１パッド７６１を配置することができる。例えば、第４パーティション１７１３の少なくとも一つの辺に、第１ウーファー一体型音響発生装置（Ｗ３）を向くように、第１４−３パッド７６３を配置することができる。第１４−１パッド７６１は、第１４−３パッド７６３と向き合って配置することができる。例えば、第１４−１パッド７６１と向かい合う第４パーティション１７１３の辺に、第１４−３パッド７６３を配置することができる。
【０４２２】
例えば、第２パーティション１７２２の少なくとも一つの辺に、第１ウーファー一体型音響発生装置（Ｗ３）を向くように、第１４−５パッド７６５を配置することができる。例えば、第３パーティション１７２３の少なくとも一つの辺に、第１ウーファー一体型音響発生装置（Ｗ３）を向くように、第１４−６パッド７６６を配置することができる。第１４−５パッド７６５は、第１４−６パッド７６６と向き合って配置することができる。例えば、第１４−５パッド７６５と向かい合う第３パーティション１７２３の辺に、第１４−６パッド７６６を配置することができる。
【０４２３】
例えば、第５パーティション１７１４の少なくとも一つの辺に、第２ウーファー一体型音響発生装置（Ｗ４）を向くように、第１５−１パッド８６１を配置することができる。第１５−１パッド８６１と向かい合う辺に、第１５−３パッド８６３を配置することができ、第１５−３パッド８６３は、第２ウーファー一体型音響発生装置（Ｗ４）を向くように配置することができる。例えば、第２パーティション１７２２の少なくとも一つの辺に、第２ウーファー一体型音響発生装置（Ｗ４）を向くように、第１５−５パッド８６５を配置することができる。例えば、第３パーティション１７２３の少なくとも一つの辺に、第２ウーファー一体型音響発生装置（Ｗ４）を向くように、第１５−６パッド８６６を配置することができる。第１５−５パッド８６５は、第１５−６パッド８６６と向き合って配置することができる。例えば、第１５−５パッド８６５と向かい合う第３パーティション１７２３の辺に、第１５−６パッド８６６を配置することができる。
【０４２４】
図２５Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０の一つの辺には、第１２音響発生装置１６００ＨＬＣを向くように、第１２−５パッド７５５を配置することができ、第１３音響発生装置１６００ＨＲＣを向くように、第１３−５パッド８５５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０のもう一つの辺には、第１ウーファー一体型音響発生装置（Ｗ３）を向くように、第１４−６パッド７６６を配置することができ、第２ウーファー一体型音響発生装置（Ｗ４）を向くように第１５−６パッド８６６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２５Ｆを参照して説明した内容と同一または類似するので、詳細な説明を省略する。
【０４２５】
図２５Ｈと図２５Ｉを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１音響発生装置１６００Ｌに向かう第１ベント部７０１を含むことができ、第１０音響発生装置１６００ＬＣに向かう第７ベント部７０７を含むことができる。第１パーティション１７２１は、第２音響発生装置１６００Ｒに向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０４２６】
第２パーティション１７２２は、一つ以上のベント部を含むことができる。例えば、第２パーティション１７２２は、第１音響発生装置１６００Ｌに向かう第４ベント部７０４を含むことができ、第１０音響発生装置１６００ＬＣに向かう第９ベント部７０９を含むことができる。第２パーティション１７２２は、第２音響発生装置１６００Ｒに向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０４２７】
第３パーティション１７２３は、一つ以上のベント部を含むことができる。例えば、第３パーティション１７２３は、第７音響発生装置１６００ＢＬに向かう第１１ベント部８０１を含むことができ、第１ウーファー一体型音響発生装置（Ｗ３）に向かう第１４ベント部８０４を含むことができる。第３パーティション１７２３は、第８音響発生装置１６００ＢＲに向かう第１２ベント部８０２を含むことができ、第２ウーファー一体型音響発生装置（Ｗ４）に向かう第１５ベント部８０５を含むことができる。第３パーティション１７２３は、第９音響発生装置１６００ＢＣに向かう第１３ベント部８０３を含むことができる。第３パーティション１７２３は、ベントしていない形状で構成することができるが、これに限定されるものではない。例えば、第３パーティション１７２３は、第７音響発生装置１６００ＢＬ、第１ウーファー一体型音響発生装置（Ｗ３）、第２ウーファー一体型音響発生装置（Ｗ４）、第８音響発生装置１６００ＢＲ、および第９音響発生装置１６００ＢＣに向かうベント部を含まないことができる。例えば、図２３Ｈのように、第３パーティション１７２３は、ベントしていない形状で構成することができるが、これに限定されるものではない。
【０４２８】
図２５Ｉを参照すると、第１パーティション１７２１、第２パーティション１７２２、および第３パーティション１７２３中の一つは、一つ以上のベント部を含み、パーティション１７５０を配置することができる。第３パーティション１７２３は、ベントしていない形状で構成することができるが、これに限定されるものではない。例えば、第３パーティション１７２３は、第７音響発生装置１６００ＢＬ、第１ウーファー一体型音響発生装置（Ｗ３）、第２ウーファー一体型音響発生装置（Ｗ４）、第８音響発生装置１６００ＢＲ、および第９音響発生装置１６００ＢＣを向くようにベント部を含まないことがあり得る。例えば、図２３Ｉのように、第３パーティション１７２３は、ベントしていない形状で構成することができるが、これに限定されるものではない。パーティション１７５０は、支持部材３００の周辺に配置することができる。
【０４２９】
図２６Ａ〜図２６Ｉは、本明細書の実施例に係る音響発生装置と、パーティションの例を示す図である。
【０４３０】
図２６Ａ〜図２６Ｉを参照すると、第１領域１に第１ウーファー一体型音響発生装置（Ｗ３）および第２領域２に第２ウーファー一体型音響発生装置（Ｗ４）を配置することができる。図１５Ａ〜図１５Ｉ、図１８Ａ〜図２０ｉ、および／または図２３Ａ〜図２５Ｉで説明した内容と同一の内容については説明を省略し、または簡単にすることができる。
【０４３１】
図２６Ａ〜図２６Ｉを参照すると、第１ウーファー一体型音響発生装置（Ｗ３）は、第４音響発生装置１６００ＨＬおよび第７音響発生装置１６００ＢＬ中の一つと対称的に配置することができる。例えば、第１ウーファー一体型音響発生装置（Ｗ３）は、第４音響発生装置１６００ＨＬおよび第７音響発生装置１６００ＢＬ中の一つと同一線上に配置することができる。第２ウーファー一体型音響発生装置（Ｗ４）は、第５音響発生装置１６００ＨＲおよび第８音響発生装置１６００ＢＲ中の一つと対称的に配置することができる。例えば、第２ウーファー一体型音響発生装置（Ｗ４）は、第５音響発生装置１６００ＨＲおよび第８音響発生装置１６００ＢＲ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２６Ｆおよび図２６Ｇを参照すると、第１−５パッド７１５および第１−６パッド７１６は、第４−５パッド７２５、第４−６パッド７２６、第７−５パッド７３５、および第７−６パッド７３６中の一つと対称的に配置することができる。第２−５パッド８１５および第２−６パッド８１６は、第５−５パッド８２５、第５−６パッド８２６、第８−５パッド８３５、および第８−６パッド８３６中の一つと対称的に配置することができる。図２６Ｈと図２６Ｉを参照すると、第１ベント部７０１は、第４ベント部７０４および第１１ベント部８０１中の一つと対称的に配置することができ、第２ベント部７０２は、第５ベント部７０５および第１２ベント部８０２中の一つと対称的に配置することができる。
【０４３２】
他の例としては、第１ウーファー一体型音響発生装置（Ｗ３）は、第４音響発生装置１６００ＨＬおよび第７音響発生装置１６００ＢＬ中の一つと非対称に配置することができる。第２ウーファー一体型音響発生装置（Ｗ４）は、第５音響発生装置１６００ＨＲおよび第８音響発生装置１６００ＢＲ中の一つと非対称に配置することができる。このように構成する場合、第１ウーファー一体型音響発生装置（Ｗ３）が発生させる振動および定在波と、第４音響発生装置１６００ＨＬ、または第７音響発生装置１６００ＢＬが発生させる振動および定在波間の振動干渉による音響補強または相殺を減らすことができる。再生する音源による振動の他に、外部の干渉による不要な音響補強または相殺干渉は音の歪みを発生させて音質劣化の原因となり得るが、第４音響発生装置１６００ＨＬおよび第７音響発生装置１６００ＢＬ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と、第５音響発生装置１６００ＨＲ、または第８音響発生装置１６００ＢＲが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第５音響発生装置１６００ＨＲおよび第８音響発生装置１６００ＢＲ中の一つと第２ウーファー一体型音響発生装置（Ｗ４）の非対称構造は、これを防止して、原音に近い自然な音響を再生することができる。図２６Ｆおよび図２６Ｇを参照すると、第１−５パッド７１５および第１−６パッド７１６は、第４−５パッド７２５、第４−６パッド７２６、第７−５パッド７３５、および第７−６パッド７３６中の一つと非対称に配置することができる。第２−５パッド８１５および第２−６パッド８１６は、第５−５パッド８２５、第５−６パッド８２６、第８−５パッド８３５、および第８−６パッド８３６中の一つと非対称に配置することができる。図２６Ｈおよび図２６Ｉを参照すると、第１ベント部７０１は、第４ベント部７０４および第１１ベント部８０１中の一つと非対称に配置することができ、第２ベント部７０２は、第５ベント部７０５および第１２ベント部８０２中の一つと非対称に配置することができる。図２６Ｆ〜図２６Ｉを参照すると、パッドは一つで構成することができ、これに限らず、パッド中の一つは、二つ以上で構成することもできる。
【０４３３】
図２６Ａ〜図２６Ｉを参照すると、第１ウーファー一体型音響発生装置（Ｗ３）は、第３音響発生装置１６００Ｃ、第１０音響発生装置１６００ＬＣ、および第１１音響発生装置１６００ＲＣ中の一つと対称的に配置することができる。例えば、第１ウーファー一体型音響発生装置（Ｗ３）は、第３音響発生装置１６００Ｃ、第１０音響発生装置１６００ＬＣ、および第１１音響発生装置１６００ＲＣ中の一つと同一線上に配置することができる。第２ウーファー一体型音響発生装置（Ｗ４）は、第３音響発生装置１６００Ｃ、第１０音響発生装置１６００ＬＣ、および第１１音響発生装置１６００ＲＣ中の一つと対称的に配置することができる。例えば、第２ウーファー一体型音響発生装置（Ｗ４）は、第３音響発生装置１６００Ｃ、第１０音響発生装置１６００ＬＣ、および第１１音響発生装置１６００ＲＣ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２６Ｆおよび図２６Ｇを参照すると、第１−１パッド７１１および第１−３パッド７１３は、第３−１パッド９１１、第３−３パッド９１３、第１０−１パッド７４１、第１０−３パッド７４３、第１１−１パッド８４１、および第１１−３パッド８４３中の一つと対称的に配置することができる。第２−１パッド８１１および第２−３パッド８１３は、第３−１パッド９１１、第３−３パッド９１３、第１０−１パッド７４１、第１０−３パッド７４３、第１１−１パッド８４１、および第１１−３パッド８４３中の一つと対称的に配置することができる。
【０４３４】
他の例としては、第１ウーファー一体型音響発生装置（Ｗ３）は、第３音響発生装置１６００Ｃ、第１０音響発生装置１６００ＬＣ、および第１１音響発生装置１６００ＲＣ中の一つと非対称に配置することができる。第２ウーファー一体型音響発生装置（Ｗ４）は、第３音響発生装置１６００Ｃ、第１０音響発生装置１６００ＬＣ、および第１１音響発生装置１６００ＲＣ中の一つと非対称に配置することができる。このように構成する場合、第１ウーファー一体型音響発生装置（Ｗ３）が発生させる振動および定在波と、第３音響発生装置１６００Ｃ、または第１０音響発生装置１６００ＬＣ、または第１１音響発生装置１６００ＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第３音響発生装置１６００Ｃ、第１０音響発生装置１６００ＬＣ、および第１１音響発生装置１６００ＲＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第３音響発生装置１６００Ｃ、または第１０音響発生装置１６００ＬＣ、または第１１音響発生装置１６００ＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第３音響発生装置１６００Ｃ、第１０音響発生装置１６００ＬＣ、および第１１音響発生装置１６００ＲＣ中の一つと、第２ウーファー一体型音響発生装置（Ｗ４）の非対称構造は、これを防止して、原音に近い自然な音響を再生することができる。図２６Ｆおよび図２６Ｇを参照すると、第１−１パッド７１１および第１−３パッド７１３は、第３−１パッド９１１、第３−３パッド９１３、第１０−１パッド７４１、第１０−３パッド７４３、第１１−１パッド８４１、および第１１−３パッド８４３中の一つと非対称に配置することができる。第２−１パッド８１１および第２−３パッド８１３は、第３−１パッド９１１、第３−３パッド９１３、第１０−１パッド７４１、第１０−３パッド７４３、第１１−１パッド８４１、および第１１−３パッド８４３中の一つと非対称に配置することができる。
【０４３５】
第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１０音響発生装置１６００ＬＣ、第１１音響発生装置１６００ＲＣ、第１２音響発生装置１６００ＨＬＣ、第１３音響発生装置１６００ＨＲＣ、第１４音響発生装置１６００ＢＬＣ、第１５音響発生装置１６００ＢＲＣ、第１ウーファー一体型音響発生装置（Ｗ３）、および第２ウーファ一体型音響発生装置（Ｗ４）は、約６０Ｈｚ〜４０ｋＨｚまたは約８０Ｈｚ〜４０ｋＨｚの音響を出力することができる。したがって、表示装置は、１５．１チャンネルの音響を出力することができる。
【０４３６】
図２６Ｆを参照すると、第１パーティション１７２１、第２パーティション１７２２、第３パーティション１７２３第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第１−３パッド７１３を配置することができる。第１−１パッド７１１と向かい合う第６パーティション１７１１の辺に、第１−３パッド７１３を配置することができ、第１−３パッド７１３は、第１ウーファー一体型音響発生装置（Ｗ３）を向くように配置することができる。例えば、第１−１パッド７１１は、第１−３パッド７１３と向き合って配置することができる。
【０４３７】
例えば、第１パーティション１７２１の少なくとも一つの辺に、第１ウーファー一体型音響発生装置（Ｗ３）を向くように、第１−５パッド７１５を配置することができる。例えば、第２パーティション１７２２の少なくとも一つの辺に、第１ウーファー一体型音響発生装置（Ｗ３）を向くように、第１−６パッド７１６を配置することができる。第１−５パッド７１５は、第１−６パッド７１６と向き合って配置することができる。例えば、第１−５パッド７１５と向かい合う第２パーティション１７２２の辺に、第１−６パッド７１６を配置することができる。
【０４３８】
例えば、第７パーティション１７１２の少なくとも一つの辺に、第２ウーファー一体型音響発生装置（Ｗ４）を向くように、第２−１パッド８１１を配置することができる。第２−１パッド８１１と向かい合う辺に、第２−３パッド８１３を配置することができ、第２−３パッド８１３は、第２ウーファー一体型音響発生装置（Ｗ４）を向くように配置することができる。例えば、第１パーティション１７２１の少なくとも一つの辺に、第２ウーファー一体型音響発生装置（Ｗ４）を向くように、第２−５パッド８１５を配置することができる。例えば、第２パーティション１７２２の少なくとも一つの辺に、第２ウーファー一体型音響発生装置（Ｗ４）を向くように、第２−６パッド８１６を配置することができる。第２−５パッド８１５は、第２−６パッド８１６と向き合って配置することができる。例えば、第２−５パッド８１５と向かい合う第２パーティション１７２２の辺に、第２−６パッド８１６を配置することができる。
【０４３９】
図２６Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０の一つの辺には、第１２音響発生装置１６００ＨＬＣを向くように、第１２−５パッド７５５を配置することができ、第１３音響発生装置１６００ＨＲＣを向くように、第１３−５パッド８５５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０のもう一つの辺には、第１４音響発生装置１６００ＢＬＣを向くように、第１４−６パッド７６６を配置することができ、第１５音響発生装置１６００ＢＲＣを向くように、第１５−６パッド８６６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２６Ｆを参照して説明した内容と同一または類似するので、詳細な説明を省略する。
【０４４０】
図２６Ｈおよび図２６Ｉを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１パーティション１７２１は、第１ウーファー一体型音響発生装置（Ｗ３）に向かう第１ベント部７０１を含むことができ、第１０音響発生装置１６００ＬＣに向かう第７ベント部７０７を含むことができる。第１パーティション１７２１は、第２ウーファー一体型音響発生装置（Ｗ４）に向かう第２ベント部７０２を含むことができ、第１１音響発生装置１６００ＲＣに向かう第８ベント部７０８を含むことができる。第１パーティション１７２１は、第３音響発生装置１６００Ｃに向かう第３ベント部７０３を含むことができる。
【０４４１】
第２パーティション１７２２は、一つ以上のベント部を含むことができる。例えば、第２パーティション１７２２は、第１ウーファー一体型音響発生装置（Ｗ３）に向かう第４ベント部７０４を含むことができ、第１０音響発生装置１６００ＬＣに向かう第９ベント部７０９を含むことができる。第２パーティション１７２２は、第２ウーファー一体型音響発生装置（Ｗ４）に向かう第５ベント部７０５を含むことができ、第１１音響発生装置１６００ＲＣに向かう第１０ベント部７１０を含むことができる。第２パーティション１７２２は、第３音響発生装置１６００Ｃに向かう第６ベント部７０６を含むことができる。
【０４４２】
第３パーティション１７２３は、一つ以上のベント部を含むことができる。例えば、第３パーティション１７２３は、第７音響発生装置１６００ＢＬに向かう第１１ベント部８０１を含むことができ、第１４音響発生装置１６００ＢＬＣに向かう第１４ベント部８０４を含むことができる。第３パーティション１７２３は、第８音響発生装置１６００ＢＲに向かう第１２ベント部８０２を含むことができ、第１５音響発生装置１６００ＢＲＣに向かう第１５ベント部８０５を含むことができる。第３パーティション１７２３は、第９音響発生装置１６００ＢＣに向かう第１３ベント部８０３を含むことができる。第３パーティション１７２３は、ベントしていない形状で構成することができるが、これに限定されるものではない。例えば、第３パーティション１７２３は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣに向かうベント部を含まないことができる。例えば、図２３Ｈのように、第３パーティション１７２３は、ベントしていない形状で構成することができるが、これに限定されるものではない。
【０４４３】
図２６Ｉを参照すると、第１パーティション１７２１、第２パーティション１７２２、および第３パーティション１７２３中の一つは、一つ以上のベント部を含み、パーティション１７５０を配置することができる。パーティション１７５０は、ベントしていない形状で構成することができるが、これに限定されるものではない。例えば、パーティション１７５０は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣに向かうベント部を含まないことができる。例えば、図２３Ｉのように、第３パーティション１７２３は、ベントしていない形状で構成することができるが、これに限定されるものではない。パーティション１７５０は、支持部材３００の周辺に配置することができる。
【０４４４】
図２７Ａ〜図２７Ｉは、本明細書の実施例に係る音響発生装置と、パーティションの例を示す図である。
【０４４５】
図２７Ａ〜図２７Ｉを参照すると、第１０領域１０に第１ウーファー一体型音響発生装置（Ｗ３）および第１１領域１１に第２ウーファー一体型音響発生装置（Ｗ４）を配置することができる。図１５Ａ〜図１５Ｉ、図１８Ａ〜図２０Ｉ、および／または図２３Ａ〜図２６Ｉで説明した内容と同一の内容については説明を省略し、または簡単にすることができる。
【０４４６】
図２７Ａ〜図２７Ｉを参照すると、第１ウーファー一体型音響発生装置（Ｗ３）は、第１２音響発生装置１６００ＨＬＣおよび第１４音響発生装置１６００ＢＬＣ中の一つと対称的に配置することができる。例えば、第１ウーファー一体型音響発生装置（Ｗ３）は、第１２音響発生装置１６００ＨＬＣおよび第１４音響発生装置１６００ＢＬＣ中の一つと同一線上に配置することができる。第２ウーファー一体型音響発生装置（Ｗ４）は、第１３音響発生装置１６００ＨＲＣおよび第１５音響発生装置１６００ＢＲＣ中の一つと対称的に配置することができる。例えば、第２ウーファー一体型音響発生装置（Ｗ４）は、第１３音響発生装置１６００ＨＲＣおよび第１５音響発生装置１６００ＢＲＣ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２７Ｆおよび図２７Ｇを参照すると、第１０−５パッド７４５および第１０−６パッド７４６は、第１２−５パッド７５５、第１２−６パッド７５６、第１４−５パッド７６５、および第１４−６パッド７６６中の一つと対称的に配置することができる。第１１−５パッド８４５および第１１−６パッド８４６は、第１３−５パッド８５５、第１３−６パッド８５６、第１５−５パッド８６５、および第１５−６パッド８６６中の一つと対称的に配置することができる。図２７Ｈおよび図２７Ｉを参照すると、第７ベント部７０７は、第９ベント部７０９および第１４ベント部８０４中の一つと対称的に配置することができ、第８ベント部７０８は、第１０ベント部７１０および第１５ベント部８０５中の一つと対称的に配置することができる。
【０４４７】
他の例としては、第１ウーファー一体型音響発生装置（Ｗ３）は、第１２音響発生装置１６００ＨＬＣおよび第１４音響発生装置１６００ＢＬＣ中の一つと非対称に配置することができる。第２ウーファー一体型音響発生装置（Ｗ４）は、第１３音響発生装置１６００ＨＲＣおよび第１５音響発生装置１６００ＢＲＣ中の一つと非対称に配置することができる。このように構成する場合、第１ウーファー一体型音響発生装置（Ｗ３）が発生させる振動および定在波と第１２音響発生装置１６００ＨＬＣ、または第１４音響発生装置１６００ＢＬＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１２音響発生装置１６００ＨＬＣおよび第１４音響発生装置１６００ＢＬＣ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第１３音響発生装置１６００ＨＲＣ、または第１５音響発生装置１６００ＢＲＣが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１３音響発生装置１６００ＨＲＣおよび第１５音響発生装置１６００ＢＲＣ中の一つと第２ウーファー一体型音響発生装置（Ｗ４）の非対称構造は、これを防止して、原音に近い自然な音響を再生することができる。図２７Ｆおよび図２７Ｇを参照すると、第１０−５パッド７４５および第１０−６パッド７４６は、第１２−５パッド７５５、第１２−６パッド７５６、第１４−５パッド７６５、および第１４−６パッド７６６中の一つと非対称に配置することができる。第１１−５パッド８４５および第１１−６パッド８４６は、第１３−５パッド８５５、第１３−６パッド８５６、第１５−５パッド８６５、および第１５−６パッド８６６中の一つと非対称に配置することができる。図２７Ｈおよび図２７Ｉを参照すると、第７ベント部７０７は、第９ベント部７０９および第１４ベント部８０４中の一つと非対称に配置することができ、第８ベント部７０８は、第１０ベント部７１０および第１５ベント部８０５中の一つと非対称的に配置することができる。図２７Ｆ〜図２７Ｉを参照すると、パッドは一つで構成することができ、これに限らず、パッド中の一つは、二つ以上で構成することもできる。
【０４４８】
図２７Ａ〜図２７Ｉを参照すると、第１ウーファー一体型音響発生装置（Ｗ３）は、第１音響発生装置１６００Ｌ、第２音響発生装置１６００Ｒ、および第３音響発生装置１６００Ｃ中の一つと対称的に配置することができる。例えば、第１ウーファー一体型音響発生装置（Ｗ３）は、第１音響発生装置１６００Ｌ、第２音響発生装置１６００Ｒ、および第３音響発生装置１６００Ｃ中の一つと同一線上に配置することができる。第２ウーファー一体型音響発生装置（Ｗ４）は、第１音響発生装置１６００Ｌ、第２音響発生装置１６００Ｒ、および第３音響発生装置１６００Ｃ中の一つと対称的に配置することができる。例えば、第２ウーファー一体型音響発生装置（Ｗ４）は、第１音響発生装置１６００Ｌ、第２音響発生装置１６００Ｒ、および第３音響発生装置１６００Ｃ中の一つと同一線上に配置することができる。このように構成する場合、音の再生位置を同一線上に整列することができるので、非対称構成に比べて、同一位置で音が再生されるような効果を与えることができる。これにより、音の位置に対する認知感を向上することができるので、音響の定位感を向上することができる。図２７Ｆおよび図２７Ｇを参照すると、第１０−１パッド７４１および第１０−３パッド７４３は、第１−１パッド７１１、第１−３パッド７１３、第２−１パッド８１１、第２−３パッド８１３、第３−１パッド９１１、および第３−３パッド９１３中の一つと対称的に配置することができる。第１１−１パッド８４１および第１１−３パッド８４３は、第１−１パッド７１１、第１−３パッド７１３、第２−１パッド８１１、第２−３パッド８１３、第３−１パッド９１１、および第３−３パッド９１３中の一つと対称的に配置することができる。
【０４４９】
他の例としては、第１ウーファー一体型音響発生装置（Ｗ３）は、第１音響発生装置１６００Ｌ、第２音響発生装置１６００Ｒ、および第３音響発生装置１６００Ｃ中の一つと非対称に配置することができる。第２ウーファー一体型音響発生装置（Ｗ４）は、第１音響発生装置１６００Ｌ、第２音響発生装置１６００Ｒ、および第３音響発生装置１６００Ｃ中の一つと非対称に配置することができる。このように構成する場合、第１ウーファー一体型音響発生装置（Ｗ３）が発生させる振動および定在波と第１音響発生装置１６００Ｌ、または第２音響発生装置１６００Ｒ、または第３音響発生装置１６００Ｃが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌ、第２音響発生装置１６００Ｒ、および第３音響発生装置１６００Ｃ中の一つと第１ウーファー一体型音響発生装置（Ｗ３）の非対称構造は、これを防止して、原音に近い自然な音響を再生することができる。第２ウーファー一体型音響発生装置（Ｗ４）が発生させる振動および定在波と第１音響発生装置１６００Ｌ、または第２音響発生装置１６００Ｒ、または第３音響発生装置１６００Ｃが発生させる振動および定在波間の振動の干渉による音響補強または相殺を減らすことができる。再生する音源による振動の他に、外部の干渉による不要な音響補強または相殺干渉は音の歪みを発生させて音質劣化の原因となり得るが、第１音響発生装置１６００Ｌ、第２音響発生装置１６００Ｒ、および第３音響発生装置１６００Ｃ中の一つと、第２ウーファー一体型音響発生装置（Ｗ４）の非対称構造は、これを防止して、原音に近い自然な音響を再生することができる。図２７Ｆおよび図２７Ｇを参照すると、第１０−１パッド７４１および第１０−３パッド７４３は、第１−１パッド７１１、第１−３パッド７１３、第２−１パッド８１１、第２−３パッド８１３、第３−１パッド９１１、および第３−３パッド９１３中の一つと非対称に配置することができる。第１１−１パッド８４１および第１１−３パッド８４３は、第１−１パッド７１１、第１−３パッド７１３、第２−１パッド８１１、第２−３パッド８１３、第３−１パッド９１１、および第３−３パッド９１３中の一つと非対称に配置することができる。
【０４５０】
第１音響発生装置１６００Ｌ、第２音響発生装置１６００Ｒ、第３音響発生装置１６００Ｃ、第４音響発生装置１６００ＨＬ、第５音響発生装置１６００ＨＲ、第６音響発生装置１６００ＨＣ、第７音響発生装置１６００ＢＬ、第８音響発生装置１６００ＢＲ、第９音響発生装置１６００ＢＣ、第１２音響発生装置１６００ＨＬＣ、第１３音響発生装置１６００ＨＲＣ、第１４音響発生装置１６００ＢＬＣ、第１５音響発生装置１６００ＢＲＣ、第１ウーファー一体型音響発生装置（Ｗ３）、および第２ウーファー一体型音響発生装置（Ｗ４）は、約６０Ｈｚ〜４０ｋＨｚまたは約８０Ｈｚ〜４０ｋＨｚの音響を出力することができる。したがって、表示装置は、１５．１チャンネルの音響を出力することができる。
【０４５１】
図２７Ｆを参照すると、第１パーティション１７２１、第２パーティション１７２２、第３パーティション１７２３、第４パーティション１７１３、第５パーティション１７１４、第６パーティション１７１１、および第７パーティション１７１２中の一つは、少なくとも一つの辺に音響発生装置を向くようにパッドを配置することができる。例えば、第６パーティション１７１１の少なくとも一つの辺に、第１ウーファー一体型音響発生装置（Ｗ３）を向くように、第１０−１パッド７４１を配置することができる。例えば、第４パーティション１７１３の少なくとも一つの辺に、第１ウーファー一体型音響発生装置（Ｗ３）を向くように、第１０−３パッド７４３を配置することができる。第１０−１パッド７４１は、第１０−３パッド７４３と向き合って配置することができる。例えば、第１０−１パッド７４１と向かい合う第４パーティション１７１３の辺に、第１０−３パッド７４３を配置することができる。
【０４５２】
例えば、第１パーティション１７２１の少なくとも一つの辺に、第１ウーファー一体型音響発生装置（Ｗ３）を向くように、第１０−５パッド７４５を配置することができる。例えば、第２パーティション１７２２の少なくとも一つの辺に、第１ウーファー一体型音響発生装置（Ｗ３）を向くように、第１０−６パッド７４６を配置することができる。第１０−５パッド７４５は、第１０−６パッド７４６と向き合って配置することができる。例えば、第１０−５パッド７４５と向かい合う第２パーティション１７２２の辺に、第１０−６パッド７４６を配置することができる。
【０４５３】
例えば、第５パーティション１７１４の少なくとも一つの辺に、第２ウーファー一体型音響発生装置（Ｗ４）を向くように、第１１−１パッド８４１を配置することができる。例えば、第７パーティション１７１２の少なくとも一つの辺に、第２ウーファー一体型音響発生装置（Ｗ３）を向くように、第１１−３パッド８４３を配置することができる。第１１−１パッド８４１は、第１１−３パッド８４３と向き合って配置することができる。例えば、第１１−１パッド８４１と向かい合う第７パーティション１７１２の辺に、第１１−３パッド８４３を配置することができる。
【０４５４】
例えば、第１パーティション１７２１の少なくとも一つの辺に、第２ウーファー一体型音響発生装置（Ｗ４）を向くように、第１１−５パッド８４５を配置することができる。例えば、第２パーティション１７２２の少なくとも一つの辺に、第２ウーファー一体型音響発生装置（Ｗ４）を向くように、第１１−６パッド８４６を配置することができる。第１１−５パッド８４５は、第１１−６パッド８４６と向き合って配置することができる。例えば、第１１−５パッド８４５と向かい合う第２パーティション１７２２の辺に、第１１−６パッド８４６を配置することができる。
【０４５５】
図２７Ｇを参照すると、第１パーティション１７２１、第２パーティション１７２２、第４パーティション１７１３、第５パーティション１７１４、第６パーティション１７１１、第７パーティション１７１２、およびパーティション１７５０を含むことができる。パーティション１７５０の辺には、一つ以上のパッドを含むことができる。パーティション１７５０の一つの辺には、第４音響発生装置１６００ＨＬを向くように、第４−５パッド７２５を配置することができ、第５音響発生装置１６００ＨＲを向くように、第５−５パッド８２５を配置することができ、第６音響発生装置１６００ＨＣを向くように、第６−５パッド９２５を配置することができる。パーティション１７５０の一つの辺には、第１２音響発生装置１６００ＨＬＣを向くように、第１２−５パッド７５５を配置することができ、第１３音響発生装置１６００ＨＲＣを向くように、第１３−５パッド８５５を配置することができる。パーティション１７５０のもう一つの辺には、第７音響発生装置１６００ＢＬを向くように、第７−６パッド７３６を配置することができ、第８音響発生装置１６００ＢＲを向くように、第８−６パッド８３６を配置することができ、第９音響発生装置１６００ＢＣを向くように、第９−６パッド９３６を配置することができる。パーティション１７５０のもう一つの辺には、第１４音響発生装置１６００ＢＬＣを向くように、第１４−６パッド７６６を配置することができ、第１５音響発生装置１６００ＢＲＣを向くように、第１５−６パッド８６６を配置することができる。パーティション１７５０を構成することにより、表示パネルの背面に配置する音響発生装置の固定力を向上させることができ、表示パネルの端または縁からの音響の漏れを減少させることができるので、音響出力特性を向上させることができる。パーティション１７５０を構成することにより、表示パネルの背面に配置する音響発生装置の固定力を向上させることができ、表示パネルの端または縁からの音響の漏れを減少させることができるので、音響出力特性を向上させることができる。残りの構成は、図２７Ｆを参照して説明した内容と同一または類似するので、詳細な説明を省略する。
【０４５６】
図２７Ｈと図２７Ｉを参照すると、第１パーティション１７２１、第２パーティション１７２２、および第３パーティション１７２３中の一つは、一つ以上のベント部を含むことができる。第１パーティション１７２１は、一つ以上のベント部を含むことができる。例えば、第１ウーファー一体型音響発生装置（Ｗ３）に向かう第７ベント部７０７を含むことができ、第１音響発生装置１６００Ｌに向かう第１ベント部７０１を含むことができる。第１パーティション１７２１は、第２ウーファー一体型音響発生装置（Ｗ４）に向かう第８ベント部７０８を含むことができ、第２音響発生装置１６００Ｒに向かう第２ベント部７０２を含むことができる。第１パーティション１７２１は、第３音響発生装置１６００Ｃに向かう第３ベント部７０３を含むことができる。
【０４５７】
第２パーティション１７２２は、一つ以上のベント部を含むことができる。例えば、第２パーティション１７２２は、第１ウーファー一体型音響発生装置（Ｗ３）に向かう第９ベント部７０９を含むことができ、第１音響発生装置１６００Ｌに向かう第４ベント部７０４を含むことができる。第２パーティション１７２２は、第２ウーファー一体型音響発生装置（Ｗ４）に向かう第１０ベント部７１０を含むことができ、第２音響発生装置１６００Ｒに向かう第５ベント部７０５を含むことができる。第２パーティション１７２２は、第３音響発生装置１６００Ｃに向かう第６ベント部７０６を含むことができる。
【０４５８】
第３パーティション１７２３は、一つ以上のベント部を含むことができる。例えば、第３パーティション１７２３は、第７音響発生装置１６００ＢＬに向かう第１１ベント部８０１を含むことができ、第１４音響発生装置１６００ＢＬＣに向かう第１４ベント部８０４を含むことができる。第３パーティション１７２３は、第８音響発生装置１６００ＢＲに向かう第１２ベント部８０２を含むことができ、第１５音響発生装置１６００ＢＲＣに向かう第１５ベント部８０５を含むことができる。第３パーティション１７２３は、第９音響発生装置１６００ＢＣに向かう第１３ベント部８０３を含むことができる。第３パーティション１７２３は、ベントしていない形状で構成することができるが、これに限定されるものではない。例えば、第３パーティション１７２３は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣに向かうベント部を含まないことができる。例えば、図２３Ｈのように、第３パーティション１７２３は、ベントしていない形状で構成することができるが、これに限定されるものではない。
【０４５９】
図２７Ｉを参照すると、第１パーティション１７２１、第２パーティション１７２２、および第３パーティション１７２３中の一つは、一つ以上のベント部を含み、パーティション１７５０を配置することができる。例えば、パーティション１７５０は、第７音響発生装置１６００ＢＬ、第８音響発生装置１６００ＢＲ、第９音響発生装置１６００ＢＣ、第１４音響発生装置１６００ＢＬＣ、および第１５音響発生装置１６００ＢＲＣに向かうベント部を含まないことができる。例えば、図２３Ｉのように、第３パーティション１７２３は、ベントしていない形状で構成することができるが、これに限定されるものではない。パーティション１７５０は、支持部材３００の周辺に配置することができる。
【０４６０】
図２８は、本明細書の実施例に係る音響発生装置の音響出力システムを示す図である。
【０４６１】
図２８を参照すると、音響出力システムは、入力部１１０、プロセッサ１３０、増幅器１５０、および出力部１７０を含むことができる。
【０４６２】
入力部１１０は、マルチチャンネル入力部１１０ａおよびステレオ入力部１１０ｂを含むことができる。マルチチャンネル入力部１１０ａを介して出力される音源（またはオーディオ信号）は、プロセッサ１３０を介して増幅器１５０に伝達され、出力部１７０によって音響として出力され得る。例えば、マルチチャンネル入力部１１０ａから出力される音源は、プロセッサ１３０でマルチチャンネル信号１３２に変換されて増幅器１５０に伝達することができる。ステレオ入力部１１０ｂを介して出力されるステレオ音源は、プロセッサ１３０でマルチチャンネルアルゴリズム１３５を介してマルチチャンネル信号１３２に変換することができる。例えば、ステレオ入力部１１０ｂは、二つのチャンネルであり得るが、これに限定されるものではない。増幅器１５０は、プロセッサ１３０から出力された音響を増幅させることができ、音響発生装置１６００の数と同じように配置することができる。例えば、増幅器１５０は、音響発生装置１６００に対応して配置することができる。
【０４６３】
プロセッサ１３０は、デジタル・シグナル・プロセッサ（ｄｉｇｉｔａｌ  ｓｉｇｎａｌ  ｐｒｏｃｅｓｓｏｒ（ＤＳＰ））、中央処理装置（ｃｅｎｔｒａｌ  ｐｒｏｃｅｓｓｉｎｇ  ｕｎｉｔ（ＣＰＵ））、コントローラ（ｃｏｎｔｒｏｌｌｅｒ）、アプリケーションプロセッサ（ａｐｐｌｉｃａｔｉｏｎ  ｐｒｏｃｅｓｓｏｒ（ＡＰ））、または通信プロセッサ（ｃｏｍｍｕｎｉｃａｔｉｏｎ  ｐｒｏｃｅｓｓｏｒ（ＣＰ））、ＡＲＭプロセッサ中の一つ以上を含むことができる。デジタル・シグナル・プロセッサは、デジタルフィルタ、エフェクト、音場感など、さまざまな機能を追加することができ、サンプルレートコンバータ（ＳＲＣ）を介してアナログとデジタルの変換時の音質劣化を防止するオーバーサンプリング（ｏｖｅｒ  ｓａｍｐｌｉｎｇ）技術も適用することができる。プロセッサ１３０は、頭部伝達関数（ｈｅａｄ−ｒｅｌａｔｅｄ  ｔｒａｎｓｆｅｒ  ｆｕｎｃｔｉｏｎ；ＨＲＴＦ）、頭部伝達関数（ｈｅａｄ−ｒｅｌａｔｅｄ  ｔｒａｎｓｆｅｒ  ｆｕｎｃｔｉｏｎ；ＨＲＴＦ）の補間方法、ヘッドインパルス応答（ｈｅａｄ−ｒｅｌａｔｅｄ  ｉｍｐｕｌｓｅ  ｒｅｓｐｏｎｓｅｓ（ＨＲＩＲ）、バイノーラル室内インパルス応答（ｂｉｎａｕｒａｌ  ｒｏｏｍ  ｉｍｐｕｌｓｅ  ｒｅｓｐｏｎｓｅｓ；ＢＲＩＲ）、デコーディング（ｄｅｃｏｄｉｎｇ）、およびサンプリングなどを使用することができるが、これに限定されるものではない。音響の立体感または臨場感を強調するために頭部伝達関数を適用することができる。頭部伝達関数は、同じ音を全方位から発生させ方向による周波数を測定して、関数にまとめたものである。頭部伝達関数および頭部伝達関数の補間方法は、仮想現実、映画、およびゲームなどのリアルタイム動く映像および音響に対する使用者の没入感を向上させることができる。したがって、表示装置の各映像の位置に対するオーディオ情報が映像信号と共に入力すると、オーディオ情報に合うようにデコーディング等を介して、オーディオ信号を分離し、それぞれの信号を、増幅器を介して音響発生装置に伝達することができる。これにより、それぞれのチャンネルごとに独立した音響発生装置になり、各映像の位置から音響が出力され得るので、左右音響および上下音響を含むリアル立体音響またはサラウンド音響を出力することができる表示装置を提供することができる。
【０４６４】
本明細書の実施例に係る音響発生装置は、表示装置に配置される音響発生装置に適用することが可能である。本明細書の実施例に係る表示装置は、モバイルデバイス、映像電話、スマートウォッチ（ｓｍａｒｔ  ｗａｔｃｈ）、ウォッチフォン（ｗａｔｃｈ  ｐｈｏｎｅ）、ウェアラブル機器（ｗｅａｒａｂｌｅ  ａｐｐａｒａｔｕｓ）、フォルダブル機器（ｆｏｌｄａｂｌｅ  ａｐｐａｒａｔｕｓ）、ローラーブル機器（ｒｏｌｌａｂｌｅ  ａｐｐａｒａｔｕｓ）、ベンダブル機器（ｂｅｎｄａｂｌｅ  ａｐｐａｒａｔｕｓ）、フレキシブルデバイス（ｆｌｅｘｉｂｌｅ  ａｐｐａｒａｔｕｓ）、カーブド・機器（ｃｕｒｖｅｄ  ａｐｐａｒａｔｕｓ）、電子手帳、電子ブック、ＰＭＰ（ｐｏｒｔａｂｌｅ  ｍｕｌｔｉｍｅｄｉａ  ｐｌａｙｅｒ）、ＰＤＡ（ｐｅｒｓｏｎａｌ  ｄｉｇｉｔａｌ  ａｓｓｉｓｔａｎｔ）、ＭＰ３プレーヤー、モバイル医療機器、デスクトップＰＣ（ｄｅｓｋｔｏｐ  ＰＣ）、ラップトップＰＣ（ｌａｐｔｏｐ  ＰＣ）、ネットブックコンピュータ（ｎｅｔｂｏｏｋ  ｃｏｍｐｕｔｅｒ）、ワークステーション、（ｗｏｒｋｓｔａｔｉｏｎ）、ナビゲーション、車両用ナビゲーション、車両用表示装置、車両用装置、テレビ、ウォールペーパー（ｗａｌｌｐａｐｅｒ）機器、サイネージ（ｓｉｇｎａｇｅ）機器、ゲーム機器、ノートパソコン、モニター、カメラ、ビデオカメラ、および家電機器などに適用することができる。また、本明細書の音響発生装置は、有機発光照明装置または無機発光照明装置に適用することができる。音響発生装置が照明装置に適用される場は、音響発生装置は、照明およびスピーカーの役割をすることができる。また、本明細書の音響発生装置がモバイル装置に適用される場合、音響発生装置は、スピーカーまたはレシーバーの役割をすることができるが、これに限定されるものではない。
【０４６５】
本明細書の実施例に係る表示装置は、以下のように説明することができる。表示装置に関連して提供されるすべての方向は、表示装置の動作方向における方向を指す。特に、表示パネルの背面は、表示領域を含む表示パネルの面（また前面）とは反対の面、例えば、画像を表示するための、ディスプレイの面（また前面）とは反対の面を指す。したがって、順方向（ａ  ｆｏｒｗａｒｄ  ｄｉｒｅｃｔｉｏｎ）は、表示パネルの前に位置するユーザに向かって指している前面に垂直な方向、例えば、表示パネルから遠ざかる方向で前面を指している方向を指し得る。表示パネルの上部（または下部）に向かう方向は、表示パネルの前面または背面に平行な方向を指し、または重力の方向に交差する方向を指し得る。表示パネルの垂直中心線は、重力方向において表示パネルの中心と交差する線を指すことができる。
【０４６６】
本明細書の実施例に係る表示装置は、映像を表示し、第１領域、第２領域、第３領域、第４領域、および第５領域を含む表示パネル、表示パネルの背面の左側領域に配置され、第１領域および第４領域に配置される少なくとも一つの第１音響発生装置および少なくとも一つの第４音響発生装置、表示パネルの背面の右側領域に配置され、第２領域および第５領域に配置された少なくとも一つの第２音響発生装置および少なくとも一つの第５音響発生装置、および表示パネルの背面の中央領域に配置され、第３領域に配置される少なくとも一つの第３音響発生装置を含み、少なくとも一つの第１音響発生装置、少なくとも一つの第２音響発生装置、および少なくとも一つの第３音響発生装置は、表示パネルを振動させて音響を発生させ、少なくとも一つの第４音響発生装置および少なくとも一つの第５音響発生装置は、表示パネルを振動させて表示パネルの上側にまたは前記表示パネルから上向きに音響を発生させる。上部は、表示パネルの上端に隣接することができる。右側の領域は、表示パネルの第１の側端に隣接する領域を指すことができ、左の領域は、表示パネルの第２の側端に隣接する領域を指すことができ、第２の側端は第２の側端は、第１の側端と反対および／または平行にすることができる。
【０４６７】
本明細書のいくつかの実施例によると、少なくとも一つの第１音響発生装置および少なくとも一つの第４音響発生装置は、表示パネルの中央領域を基準に、少なくとも一つの第２音響発生装置および少なくとも一つの第５音響発生装置と対称的に配置することができる。少なくとも一つの第１音響発生装置および少なくとも一つの第４音響発生装置は、表示パネルの垂直線に沿って配置することができる。少なくとも一つの第１音響発生装置および少なくとも一つの第４音響発生装置は、垂直線に沿って配置することができる。同様に、少なくとも一つの第２の音響発生装置および少なくとも一つの第５音響発生装置は、表示パネルの垂直線に沿って配置することができる。少なくとも一つの第２の音響発生装置および少なくとも一つの第５音響発生装置は、垂直線に沿って配置することができる。少なくとも一つの第１音響発生装置および少なくとも一つの第２音響発生装置は、表示パネルの水平線に沿って配置することができる。少なくとも一つの第１音響発生装置および少なくとも一つの第２音響発生装置は、水平線に沿って配置することができる。少なくとも一つの第４音響発生装置および少なくとも一つの第５音響発生装置は、水平線に沿って配置することができる。少なくとも一つの第４音響発生装置および少なくとも一つの第５音響発生装置は、表示パネルの水平線に沿って配置することができる。少なくとも一つの第４音響発生装置および少なくとも一つの第５音響発生装置は、表示パネルの垂直中心線に対して互いに対称に配置することができる。少なくとも一つの第４音響発生装置および少なくとも一つの第５音響発生装置は、垂直中心線に対して互いに対称に配置することができる。少なくとも一つの第３音響発生装置は、表示パネルの垂直中心線上に配置することができる。  少なくとも一つの第４音響発生装置および少なくとも一つの第５音響発生装置は、表示パネルの垂直中心線に対して互いに対称に配置することができる。少なくとも一つの第３音響発生装置は、垂直中心線上に配置することができる。
【０４６８】
本明細書のいくつかの実施例によると、少なくとも一つの第１音響発生装置および少なくとも一つの第２音響発生装置は、少なくとも一つの第３音響発生装置と非対称に配置することができる。少なくとも一つの第１音響発生装置および少なくとも一つの第２音響発生装置は、少なくとも一つの第３音響発生装置とは異なる線上に配置することができる。少なくとも一つの第１音響発生装置および少なくとも一つの第２音響発生装置は、表示パネルの垂直中心線に対して互いに対称に配置することができる。少なくとも一つの第１音響発生装置および少なくとも一つの第２音響発生装置は、垂直中心線に対して互いに対称に配置することができる。
【０４６９】
本明細書のいくつかの実施例によると、少なくとも一つの第１音響発生装置および少なくとも一つの第２音響発生装置の一つ以上の下側に配置された少なくとも一つのウーファーをさらに含むことができる。
【０４７０】
本明細書のいくつかの実施例によると、少なくとも一つの第１音響発生装置および少なくとも一つの第２音響発生装置中の一つ以上は、ウーファーを含む音響発生装置であり得る。少なくとも一つの第１音響発生装置および少なくとも一つの第２音響発生装置は、少なくとも一つの第３音響発生装置とは異なる線上に配置することができる。少なくとも一つの第１音響発生装置および少なくとも一つの第２音響発生装置は、表示パネルの垂直中心線に対して互いに対称に配置することができる。少なくとも一つの第１音響発生装置および少なくとも一つの第２音響発生装置は、垂直中心線に対して互いに対称に配置することができる。
【０４７１】
本明細書のいくつかの実施例によると、少なくとも一つの第１音響発生装置および少なくとも一つの第２音響発生装置は、少なくとも一つの第３音響発生装置と非対称に配置することができる。
【０４７２】
本明細書のいくつかの実施例によると、表示パネルの背面に配置される封止基板、および封止基板の背面に配置される放熱部材をさらに含むことができる。
【０４７３】
本明細書のいくつかの実施例によると、第４領域と第５領域との間にある第６領域に配置される少なくとも一つの第６音響発生装置、第１領域の下側にある第７領域に配置される少なくとも一つの第７音響発生装置、第２領域の下側にある第８領域に配置される少なくとも一つの第８音響発生装置、第７領域と第８領域の間にある第９領域に配置される少なくとも一つの第９音響発生装置、第１領域と第３領域との間にある第１０領域に配置される少なくとも一つの第１０音響発生装置、および第２領域と第３領域との間にある第１１領域に配置される少なくとも一つの第１１音響発生装置をさらに含むことができる。
【０４７４】
本明細書のいくつかの実施例によると、少なくとも一つの第６音響発生装置は、表示パネルを振動させて表示パネルの上側にまたは前記表示パネルから上向きに音響を発生させ、少なくとも一つの第７音響発生装置、少なくとも一つの第８音響発生装置、および少なくとも一つの第９音響発生装置は、表示パネルを振動させて表示パネルの下側にまたは前記表示パネルから下向きに音響を発生させることができる。
【０４７５】
本明細書のいくつかの実施例によると、少なくとも一つの第７音響発生装置および少なくとも一つの第８音響発生装置の一つ以上の下側に配置された少なくとも一つのウーファーをさらに含むことができる。
【０４７６】
本明細書のいくつかの実施例によると、少なくとも一つの第７音響発生装置および少なくとも一つの第８音響発生装置中の一つ以上は、ウーファーを含む音響発生装置であり得る。
【０４７７】
本明細書のいくつかの実施例によると、少なくとも一つの第１音響発生装置および少なくとも一つの第２音響発生装置中の一つ以上は、ウーファーを含む音響発生装置であり得る。
【０４７８】
本明細書のいくつかの実施例によると、少なくとも一つの第１０音響発生装置および少なくとも一つの第１１音響発生装置中の一つ以上は、ウーファーを含む音響発生装置であり得る。
【０４７９】
本明細書のいくつかの実施例によると、第４領域と第６領域との間の第１２領域に配置される少なくとも一つの第１２音響発生装置、第５領域と第６領域との間にある第１３領域に配置される少なくとも一つの第１３音響発生装置、第７領域と第９領域の間にある第１４領域に配置される少なくとも一つの第１４音響発生装置、および第８領域と第９領域の間にある第１５領域に配置される少なくとも一つの第１５音響発生装置をさらに含むことができる。
【０４８０】
本明細書のいくつかの実施例によると、少なくとも一つの第１２音響発生装置および少なくとも一つの第１３音響発生装置は、表示パネルを振動させて表示パネルの上側にまたは前記表示パネルから上向きに音響を発生させ、少なくとも一つの第１４音響発生装置および少なくとも一つの第１５音響発生装置は、表示パネルを振動させて表示パネルの上側にまたは前記表示パネルから上向きに音響を発生させることができる。少なくとも一つの第１２音響発生装置および少なくとも一つの第１３音響発生装置は、表示パネルの上端に配置することができる。少なくとも一つの第１４音響発生装置および少なくとも一つの第１５音響発生装置は、表示パネルの下端に配置することができる。
【０４８１】
本明細書のいくつかの実施例によると、少なくとも一つの第７音響発生装置および少なくとも一つの第８音響発生装置の一つ以上の下側に配置された少なくとも一つのウーファーをさらに含むことができる。
【０４８２】
本明細書のいくつかの実施例によると、少なくとも一つの第７音響発生装置および少なくとも一つの第８音響発生装置中の一つ以上は、ウーファーを含む音響発生装置であり得る。
【０４８３】
本明細書のいくつかの実施例によると、少なくとも一つの第１４音響発生装置および少なくとも一つの第１５音響発生装置中の一つ以上は、ウーファーを含む音響発生装置であり得る。
【０４８４】
本明細書のいくつかの実施例によると、少なくとも一つの第１音響発生装置および少なくとも一つの第２音響発生装置中の一つ以上は、ウーファーを含む音響発生装置であり得る。
【０４８５】
本明細書のいくつかの実施例によると、少なくとも一つの第１０音響発生装置および少なくとも一つの第１１音響発生装置中の一つ以上は、ウーファーを含む音響発生装置であり得る。
【０４８６】
本明細書のいくつかの実施例によると、少なくとも一つの第１音響発生装置〜少なくとも一つの第１５音響発生装置中の一つ以上は、ヨーク上に配置されるマグネット、マグネットの周囲にあるボビン、ボビンの周囲にあるコイル、ヨークの外側にあるフレーム、およびフレームとボビンとの間にあるダンパーを含むことができる。ダンパーは、ボビンとヨークの間、またはボビンとヨークの外側のフレームの間にあることができる。
【０４８７】
本明細書のいくつかの実施例によると、ダンパーは、少なくとも一つの第１音響発生装置〜少なくとも一つの第１５音響発生装置の一つ以上に音響信号を印加する配線であり得る。
【０４８８】
本明細書のいくつかの実施例によると、少なくとも一つの第１音響発生装置〜少なくとも一つの第１５音響発生装置中の一つ以上がヨークの延長部に配置される結合部材をさらに含み、少なくとも一つの第１音響発生装置〜少なくとも一つの第１５音響発生装置中の一つ以上は、結合部材によって表示パネル内に配置することができる。
【０４８９】
本明細書のいくつかの実施例によると、少なくとも一つの第１音響発生装置〜少なくとも一つの第１５音響発生装置中の一つ以上がフレームの延長部に配置される結合部材をさらに含み、少なくとも一つの第１音響発生装置〜少なくとも一つの第１５音響発生装置中の一つ以上は、結合部材によって表示パネル内に配置することができる。
【０４９０】
本明細書のいくつかの実施例によると、少なくとも一つの第１音響発生装置〜少なくとも一つの第１５音響発生装置中の一つ以上がフレームまたはヨークに連結される連結部をさらに含むことができる。連結部は、ヨークを支持しながらヨークに弾性を提供することができる。
【０４９１】
本明細書のいくつかの実施例によると、少なくとも一つの第１音響発生装置〜少なくとも一つの第１５音響発生装置中の一つ以上は、ヨーク上に配置されるマグネット、マグネットの周囲にあるボビン、およびボビンの周囲にあるコイルおよびダンパーを含むことができる。
【０４９２】
本明細書のいくつかの実施例によると、少なくとも一つの第１音響発生装置〜少なくとも一つの第１５音響発生装置中の一つ以上は、一対の音響発生装置、楕円形の音響発生装置、円形の音響発生装置、シングルタイプ音響発生装置、および２アレイ以上の音響発生装置中の一つ以上を含むことができる。
【０４９３】
本明細書のいくつかの実施例によると、少なくとも一つの第１音響発生装置〜少なくとも一つの第１５音響発生装置中の一つ以上は、フィルム型音響発生装置を含み、フィルム型音響発生装置は、圧電特性を有する第１部分および前記第１部分間に配置され、フレキシビリティを有する第２部分を含むことができる。
【０４９４】
本明細書の実施例に係る表示装置は、映像を表示し、第１領域、第２領域、第３領域、第４領域、および第５領域を含む表示パネル、表示パネルの背面の左側領域に配置され、第１領域および第４領域に配置される少なくとも一つの第１音響発生装置および少なくとも一つの第４音響発生装置、表示パネルの背面の右側領域に配置され、第２領域および第５領域に配置される少なくとも一つの第２音響発生装置および少なくとも一つの第５音響発生装置、表示パネルの背面の中央領域に配置され、第３領域に配置される少なくとも一つの第３音響発生装置、および少なくとも一つの第１音響発生装置、少なくとも一つの第２音響発生装置、および少なくとも一つの第３音響発生装置と、少なくとも一つの第４音響発生装置および少なくとも一つの第５音響発生装置の音響を分離する第１パーティションを含む。
【０４９５】
本明細書のいくつかの実施例によると、表示装置は、隣接する領域を互いに分離する複数のパーティションをさらに含み、パーティションは、表示パネルの第１の端から第２の端に延長されているパーティションを含み、パーティションは、表示パネルの上端から直線的に下方に延長されることができる。
【０４９６】
本明細書のいくつかの実施例によると、表示装置は、少なくとも一つの第１音響発生装置、少なくとも一つの第２音響発生装置および少なくとも一つの第３音響発生装置の音を少なくとも一つの第４音響発生装置および少なくとも一つの第５音響発生装置の音から分離するために、表示パネルの第１の側端から第２の側端に延長されている少なくとも一つの第１パーティション、第１、第２、第３の領域の下方にで、表示パネルの第１の側端から第２の側端に延長されている少なくとも一つの第２パーティション、表示パネルの第１の側端に平行して近接した第３の領域の側面に対応する第３領域の第１の側に沿って直線で上端から下方に延長されている少なくとも一つの第４パーティション、および表示パネルの第２の側端に平行して近接した第３の領域の側面に対応する第３領域の第２の側に沿って直線で上端から下方に延長されている少なくとも一つの第５パーティションを含んでいる少なくとも一つのパーティションをさらに含むことができる。
【０４９７】
本明細書のいくつかの実施例によると、表示装置は、少なくとも一つの第１音響発生装置、第７、第８、第９の領域の下方に、表示パネルの第１の側端から第２の側端に延長されている少なくとも一つの第３パーティション、表示パネルの第１の側端に平行して反対される第１、第４および第７の領域の側面に沿って直線で上端から下方に延長されている少なくとも一つの第６パーティション、および表示パネルの第２の側端に平行して反対される第２、第５および第８の領域の側面に沿って直線で上端から下方に延長されている少なくとも一つの第７パーティションを含んでいる少なくとも一つのパーティションをさらに含むことができる。
【０４９８】
本明細書のいくつかの実施例によると、前記少なくとも一つの第６音響発生装置は、表示パネルから上方向に音を生成するように構成することができ、および／または、前記少なくとも一つの第７音響発生装置、少なくとも一つの第８音響発生装置、および少なくとも一つの第９音響発生装置は、表示パネルから下方向に音を生成するように構成することができ、および／または、前記少なくとも一つの第１２音響発生装置および少なくとも一つの第１３音響発生装置は、表示パネルから上方向に音を生成するように構成することができ、および／または、前記少なくとも一つの第１４音響発生装置および少なくとも一つの第１５音響発生装置は、表示パネルから下方向に音を生成するように構成することができる。
【０４９９】
本明細書のいくつかの実施例によると、表示装置は、少なくとも一つの第１音響発生装置の下部、および／または、少なくとも一つの第２音響発生装置の下部、および／または、少なくとも一つの第７音響発生装置の下部、および／または、少なくとも一つの第８音響発生装置の下部に配置された少なくとも一つのウーファーをさらに含むことができ、および／または、少なくとも一つの第１音響発生装置、および／または、少なくとも一つの第２音響発生装置、および／または、少なくとも一つの第７音響発生装置、および／または、少なくとも一つの第８音響発生装置、および／または、少なくとも一つの第１０音響発生装置、および／または、少なくとも一つの第１１音響発生装置、および／または、少なくとも一つの第１４音響発生装置、および／または、少なくとも一つの第１５音響発生装置は、ウーファーを有する音響発生装置を含むことができる。
【０５００】
本明細書のいくつかの実施例によると、少なくとも一つの領域は、前記領域内に配置された一つ以上の音響発生装置に向かって延長されている少なくとも一つのパッドと、前記領域に沿って通るパーティションの少なくとも一側に形成された少なくとも一つのベント部と、を含むことができ、前記ベント部は、前記領域内に配置された一つ以上の音響発生装置に向かって曲がることがある。
【０５０１】
本明細書のいくつかの実施例によると、第１パーティションの少なくとも一つの辺に配置され、少なくとも一つの第１音響発生装置、少なくとも一つの第２音響発生装置、少なくとも一つの第３音響発生装置、少なくとも一つの第４音響発生装置、および少なくとも一つの第５音響発生装置の一つ以上に向かう少なくとも一つのパッドおよび、少なくとも一つのベント部中の一つをさらに含むことができる。
【０５０２】
本明細書のいくつかの実施例によると、少なくとも一つの第１音響発生装置、少なくとも一つの第２音響発生装置、および少なくとも一つの第３音響発生装置の下側に配置される第２パーティション、および第２パーティションの少なくとも一つの辺に配置され、少なくとも一つの第１音響発生装置、少なくとも一つの第２音響発生装置、少なくとも一つの第３音響発生装置の一つ以上に向かう少なくとも一つのパッドおよび、少なくとも一つのベント部中の一つをさらに含むことができる。
【０５０３】
本明細書のいくつかの実施例によると、表示パネルの背面に配置される支持部材、支持部材の端に配置されるパーティション、およびパーティションの少なくとも一つの辺に配置され、少なくとも一つの第１音響発生装置、少なくとも一つの第２音響発生装置、少なくとも一つの第３音響発生装置、少なくとも一つの第４音響発生装置、および少なくとも一つの第５音響発生装置の一つ以上に向かう少なくとも一つのパッドおよび、少なくとも一つのベント部中の一つをさらに含むことができる。
【０５０４】
本明細書のいくつかの実施例によると、第１領域および第４領域と、第３領域の間にある第４パーティション、第２領域および第５領域と、第３領域の間にある第５パーティション、および第４パーティションおよび第５パーティション中の一つの少なくとも一つの辺に配置され、少なくとも一つの第１音響発生装置、少なくとも一つの第２音響発生装置、少なくとも一つの第３音響発生装置、少なくとも一つの第４音響発生装置、および少なくとも一つの第５音響発生装置の一つ以上に向かう少なくとも一つのパッドをさらに含むことができる。
【０５０５】
本明細書のいくつかの実施例によると、第４領域と第５領域との間にある第６領域に配置される少なくとも一つの第６音響発生装置、第１領域の下側にある第７領域に配置される少なくとも一つの第７音響発生装置、第２領域の下側にある第８領域に配置される少なくとも一つの第８音響発生装置、第７領域および第８領域の間にある第９領域に配置される少なくとも一つの第９音響発生装置、第１領域と第３領域との間にある第１０領域に配置される少なくとも一つの第１０音響発生装置、第２領域と第３領域との間にある第１１領域に配置される少なくとも一つの第１１音響発生装置、および少なくとも一つの第１音響発生装置、少なくとも一つの第２音響発生装置、少なくとも一つの第３音響発生装置、少なくとも一つの第１０音響発生装置、および少なくとも一つの第１１音響発生装置と、少なくとも一つの第７音響生装置、少なくとも一つの第８音響発生装置、および少なくとも一つの第９音響発生装置の音響を分離する第２パーティションをさらに含むことができる。
【０５０６】
本明細書のいくつかの実施例によると、第２パーティションの少なくとも一つの辺に配置され、少なくとも一つの第１音響発生装置、少なくとも一つの第２音響発生装置、少なくとも一つの第３音響発生装置、少なくとも一つの第７音響発生装置、少なくとも一つの第８音響発生装置、少なくとも一つの第９音響発生装置、少なくとも一つの第１０音響発生装置、および少なくとも一つの第１１音響発生装置の一つ以上に向かう少なくとも一つのパッドおよび少なくとも一つのベント部中の一つをさらに含むことができる。
【０５０７】
本明細書のいくつかの実施例によると、少なくとも一つの第７音響発生装置、少なくとも一つの第８音響発生装置、および少なくとも一つの第９音響発生装置の下側に配置される第３パーティション、および第３パーティションの少なくとも一つの辺に配置され、少なくとも一つの第７音響発生装置、少なくとも一つの第８音響発生装置、少なくとも一つの第９音響発生装置の一つ以上に向かう少なくとも一つのパッドおよび少なくとも一つのベント部中の一つをさらに含むことができる。
【０５０８】
本明細書のいくつかの実施例によると、表示パネルの背面に配置される支持部材、支持部材および表示パネルとの間に配置されるパーティション、およびパーティションの少なくとも一つの辺に配置され、少なくとも一つの第４音響発生装置、少なくとも一つの第５音響発生装置、少なくとも一つの第６音響発生装置、少なくとも一つの第７音響発生装置、少なくとも一つの第８音響発生装置、および少なくとも一つの第９音響発生装置の一つ以上に向かう少なくとも一つのパッドおよび少なくとも一つのベント部中の一つをさらに含むことができる。
【０５０９】
本明細書のいくつかの実施例によると、第３領域、第６領域、および第９領域と、第１０領域との間にある第４パーティション、第３領域、第６領域、および第９領域と、第１１領域の間にある第５パーティション、第１領域、第４領域、および第７領域と、第１０領域との間にある第６パーティション；第２領域、前記第５領域、および前記第８領域と、前記第１１領域との間にある第７パーティション、および第４パーティション〜第７パーティション中の一つの少なくとも一つの辺に配置され、少なくとも一つの第１音響発生装置〜少なくとも一つの第１１音響発生装置に向かう少なくとも一つのパッドをさらに含むことができる。
【０５１０】
本明細書のいくつかの実施例によると、第４領域と第６領域との間にある第１２領域に配置される少なくとも一つの第１２音響発生装置、第５領域と第６領域との間にある第１３領域に配置される少なくとも一つの第１３音響発生装置、第７領域と第９領域の間にある第１４領域に配置される少なくとも一つの第１４音響発生装置、および第８領域と第９領域の間にある第１５領域に配置される少なくとも一つの第１５音響発生装置、少なくとも一つの第１音響発生装置、少なくとも一つの第２音響発生装置、少なくとも一つの第３音響発生装置をさらに含む、第２パーティションは少なくとも一つの第１０音響発生装置、および少なくとも一つの第１１音響発生装置と、少なくとも一つの第７音響発生装置、少なくとも一つの第８音響発生装置、少なくとも一つの第９音響発生装置、少なくとも一つの第１４音響発生装置、および少なくとも一つの第１５音響発生装置の音響を分離することができる。
【０５１１】
本明細書のいくつかの実施例によると、第２パーティションの少なくとも一つの辺に配置され、少なくとも一つの第１音響発生装置、少なくとも一つの第２音響発生装置、少なくとも一つの第３音響発生装置、少なくとも一つの第７音響発生装置、少なくとも一つの第８音響発生装置、少なくとも一つの第９音響発生装置、少なくとも一つの第１０音響発生装置、少なくとも一つの第１１音響発生装置、少なくとも一つの第１４音響発生装置、および少なくとも一つの第１５音響発生装置の一つ以上に向かう少なくとも一つのパッドおよび少なくとも一つのベント部中の一つをさらに含むことができる。
【０５１２】
本明細書のいくつかの実施例によると、少なくとも一つの第７音響発生装置、少なくとも一つの第８音響発生装置、少なくとも一つの第９音響発生装置、少なくとも一つの第１４音響発生装置、および少なくとも一つの第１５音響発生装置の下側に配置される第３パーティション、および第３パーティションの少なくとも一つの辺に配置され、少なくとも一つの第７音響発生装置、少なくとも一つの第８音響発生装置、少なくとも一つの第９音響発生装置、少なくとも一つの第１４音響発生装置、および少なくとも一つの第１５音響発生装置の一つ以上に向かう少なくとも一つのパッドおよび少なくとも一つのベント部中の一つをさらに含むことができる。
【０５１３】
本明細書のいくつかの実施例によると、表示パネルの背面に配置される支持部材、支持部材および表示パネルとの間に配置されるパーティション、およびパーティションの少なくとも一つの辺に配置され、少なくとも一つの第４音響発生装置、少なくとも一つの第５音響発生装置、少なくとも一つの第６音響発生装置、少なくとも一つの第７音響発生装置、少なくとも一つの第８音響発生装置、少なくとも一つの第９音響発生装置、少なくとも一つの第１２音響発生装置、少なくとも一つの第１３音響発生装置、少なくとも一つの第１４音響発生装置、および少なくとも一つの第１５音響発生装置の一つ以上に向かう少なくとも一つのパッドおよび少なくとも一つのベント部中の一つをさらに含むことができる。
【０５１４】
本明細書のいくつかの実施例によると、第３領域、第６領域、および第９領域と、第１０領域、第１２領域、および第１４領域との間にある第４パーティション、第３領域、第６領域、および第９領域と、第１１領域、第１３領域、および第１５領域との間にある第５パーティション、第１領域、第４領域、および第７領域と、第１０領域、第１２領域、および第１４領域との間にある第６パーティション、第２領域、第５領域、および第８領域と、第１１領域、第１３領域、および第１５領域との間にある第７パーティション、および第４パーティション〜第７パーティション中の一つ以上の少なくとも一つの辺に配置され、少なくとも一つの第１音響発生装置〜少なくとも一つの第１５音響発生装置の一つ以上に向かう少なくとも一つのパッドをさらに含むことができる。
【０５１５】
本明細書のいくつかの実施例によると、少なくとも一つの第１音響発生装置〜少なくとも一つの第１５音響発生装置は、８０Ｈｚ〜４０ｋＨｚの音響を出力することができる。
【０５１６】
本明細書のいくつかの実施例によると、少なくとも一つの第１音響発生装置〜少なくとも一つの第１５音響発生装置中の少なくとも一つは、ウーファーを含む音響発生装置であり得る。
【０５１７】
本明細書のいくつかの実施例によると、ウーファーを含む一つ以上の音響発生装置は、６０Ｈｚ〜４０ｋＨｚの音響を出力することができる。
【０５１８】
本明細書のいくつかの実施例によると、少なくとも一つの第７音響発生装置、前記少なくとも一つの第８音響発生装置、前記少なくとも一つの第９音響発生装置、前記少なくとも一つの第１４音響発生装置、および少なくとも一つの第１５音響発生装置中の少なくとも一つ以上の下側に配置されるウーファーをさらに含むことができる。
【０５１９】
本明細書のいくつかの実施例によると、ウーファーは８０Ｈｚ以下の音響を出力することができる。
【０５２０】
以上、添付された図を参照して、本明細書の実施例をさらに詳細に説明したが、本明細書は、必ずしもこのような実施例に限定されるものではなく、本明細書の技術思想を逸脱しない範囲内で多様に変形実施することができる。したがって、本明細書に開示された実施例は、本明細書の技術思想を限定するためのものではなく説明するためのものであり、このような実施例により、本明細書の技術思想の範囲が限定されるものではない。従って、以上で記述した実施例は、すべての面で例示的なものであり限定的ではないと理解されなければならない。本明細書の保護範囲は、特許請求の範囲によって解釈されるべきであり、その同等の範囲内にあるすべての技術思想は、本明細書の権利範囲に含まれるものと解釈されなければならない。
【符号の説明】
【０５２１】
１０、２０、３０、４０、５０、６０、７０：表示装置
１００：表示パネル
２００、２００’、１６００、１８００、１９００、２０００、２０２０：音響発生装置
３００：支持部材
４００、４０２：接着部材
７１１、７１２、７１３、７１４、７１５、７１６、７２１、７２２、７２３、７２４、７３１、７３２、７３３、７３４、７３５、７３６、７４１、７４３、７４５、７４６、７５１、７５３、７５５、７５６、７６１、７６３、７６５、７６６、８１１、８１２、８１３、８１４、８１５、８１６、８２１、８２３、８２５、８２６、８３１、８３２、８３３、８３４、８３５、８３６、９１１、９１３、９１５、９１６、９２１、９２３、９２５、９２６、９３１、９３３、９３５、９３６：パッド
７０１、７０２、７０３、７０４、７０５、７０６、７０７、７０８、７０９、７１０、８０１、８０２、８０３、８０４、８０５：ベント部
７００、１７０１、１７０２、１７１１、１７１２、１７１３、１７１４、１７２１、１７２２、１７２３、１７５０：パーティション
【図１Ａ】
2020171013.tif 000004
【図１Ｂ】
2020171013.tif 000005
【図２Ａ】
2020171013.tif 000006
【図２Ｂ】
2020171013.tif 000007
【図３Ａ】
2020171013.tif 000008
【図３Ｂ】
2020171013.tif 000009
【図４Ａ】
2020171013.tif 000010
【図４Ｂ】
2020171013.tif 000011
【図５】
2020171013.tif 000012
【図６】
2020171013.tif 000013
【図７】
2020171013.tif 000014
【図８】
2020171013.tif 000015
【図９】
2020171013.tif 000016
【図１０Ａ】
2020171013.tif 000017
【図１０Ｂ】
2020171013.tif 000018
【図１０Ｃ】
2020171013.tif 000019
【図１０Ｄ】
2020171013.tif 000020
【図１１Ａ】
2020171013.tif 000021
【図１１Ｂ】
2020171013.tif 000022
【図１２Ａ】
2020171013.tif 000023
【図１２Ｂ】
2020171013.tif 000024
【図１３】
2020171013.tif 000025
【図１４Ａ】
2020171013.tif 000026
【図１４Ｂ】
2020171013.tif 000027
【図１５Ａ】
2020171013.tif 000028
【図１５Ｂ】
2020171013.tif 000029
【図１５Ｃ】
2020171013.tif 000030
【図１５Ｄ】
2020171013.tif 000031
【図１５Ｅ】
2020171013.tif 000032
【図１５Ｆ】
2020171013.tif 000033
【図１５Ｇ】
2020171013.tif 000034
【図１５Ｈ】
2020171013.tif 000035
【図１５Ｉ】
2020171013.tif 000036
【図１６Ａ】
2020171013.tif 000037
【図１６Ｂ】
2020171013.tif 000038
【図１６Ｃ】
2020171013.tif 000039
【図１６Ｄ】
2020171013.tif 000040
【図１６Ｅ】
2020171013.tif 000041
【図１６Ｆ】
2020171013.tif 000042
【図１６Ｇ】
2020171013.tif 000043
【図１６Ｈ】
2020171013.tif 000044
【図１６Ｉ】
2020171013.tif 000045
【図１７Ａ】
2020171013.tif 000046
【図１７Ｂ】
2020171013.tif 000047
【図１７Ｃ】
2020171013.tif 000048
【図１７Ｄ】
2020171013.tif 000049
【図１７Ｅ】
2020171013.tif 000050
【図１７Ｆ】
2020171013.tif 000051
【図１７Ｇ】
2020171013.tif 000052
【図１７Ｈ】
2020171013.tif 000053
【図１７Ｉ】
2020171013.tif 000054
【図１８Ａ】
2020171013.tif 000055
【図１８Ｂ】
2020171013.tif 000056
【図１８Ｃ】
2020171013.tif 000057
【図１８Ｄ】
2020171013.tif 000058
【図１８Ｅ】
2020171013.tif 000059
【図１８Ｆ】
2020171013.tif 000060
【図１８Ｇ】
2020171013.tif 000061
【図１８Ｈ】
2020171013.tif 000062
【図１８Ｉ】
2020171013.tif 000063
【図１９Ａ】
2020171013.tif 000064
【図１９Ｂ】
2020171013.tif 000065
【図１９Ｃ】
2020171013.tif 000066
【図１９Ｄ】
2020171013.tif 000067
【図１９Ｅ】
2020171013.tif 000068
【図１９Ｆ】
2020171013.tif 000069
【図１９Ｇ】
2020171013.tif 000070
【図１９Ｈ】
2020171013.tif 000071
【図１９Ｉ】
2020171013.tif 000072
【図２０Ａ】
2020171013.tif 000073
【図２０Ｂ】
2020171013.tif 000074
【図２０Ｃ】
2020171013.tif 000075
【図２０Ｄ】
2020171013.tif 000076
【図２０Ｅ】
2020171013.tif 000077
【図２０Ｆ】
2020171013.tif 000078
【図２０Ｇ】
2020171013.tif 000079
【図２０Ｈ】
2020171013.tif 000080
【図２０Ｉ】
2020171013.tif 000081
【図２１Ａ】
2020171013.tif 000082
【図２１Ｂ】
2020171013.tif 000083
【図２１Ｃ】
2020171013.tif 000084
【図２１Ｄ】
2020171013.tif 000085
【図２１Ｅ】
2020171013.tif 000086
【図２１Ｆ】
2020171013.tif 000087
【図２１Ｇ】
2020171013.tif 000088
【図２１Ｈ】
2020171013.tif 000089
【図２１Ｉ】
2020171013.tif 000090
【図２２Ａ】
2020171013.tif 000091
【図２２Ｂ】
2020171013.tif 000092
【図２２Ｃ】
2020171013.tif 000093
【図２２Ｄ】
2020171013.tif 000094
【図２２Ｅ】
2020171013.tif 000095
【図２２Ｆ】
2020171013.tif 000096
【図２２Ｇ】
2020171013.tif 000097
【図２２Ｈ】
2020171013.tif 000098
【図２２Ｉ】
2020171013.tif 000099
【図２３Ａ】
2020171013.tif 000100
【図２３Ｂ】
2020171013.tif 000101
【図２３Ｃ】
2020171013.tif 000102
【図２３Ｄ】
2020171013.tif 000103
【図２３Ｅ】
2020171013.tif 000104
【図２３Ｆ】
2020171013.tif 000105
【図２３Ｇ】
2020171013.tif 000106
【図２３Ｈ】
2020171013.tif 000107
【図２３Ｉ】
2020171013.tif 000108
【図２４Ａ】
2020171013.tif 000109
【図２４Ｂ】
2020171013.tif 000110
【図２４Ｃ】
2020171013.tif 000111
【図２４Ｄ】
2020171013.tif 000112
【図２４Ｅ】
2020171013.tif 000113
【図２４Ｆ】
2020171013.tif 000114
【図２４Ｇ】
2020171013.tif 000115
【図２４Ｈ】
2020171013.tif 000116
【図２４Ｉ】
2020171013.tif 000117
【図２５Ａ】
2020171013.tif 000118
【図２５Ｂ】
2020171013.tif 000119
【図２５Ｃ】
2020171013.tif 000120
【図２５Ｄ】
2020171013.tif 000121
【図２５Ｅ】
2020171013.tif 000122
【図２５Ｆ】
2020171013.tif 000123
【図２５Ｇ】
2020171013.tif 000124
【図２５Ｈ】
2020171013.tif 000125
【図２５Ｉ】
2020171013.tif 000126
【図２６Ａ】
2020171013.tif 000127
【図２６Ｂ】
2020171013.tif 000128
【図２６Ｃ】
2020171013.tif 000129
【図２６Ｄ】
2020171013.tif 000130
【図２６Ｅ】
2020171013.tif 000131
【図２６Ｆ】
2020171013.tif 000132
【図２６Ｇ】
2020171013.tif 000133
【図２６Ｈ】
2020171013.tif 000134
【図２６Ｉ】
2020171013.tif 000135
【図２７Ａ】
2020171013.tif 000136
【図２７Ｂ】
2020171013.tif 000137
【図２７Ｃ】
2020171013.tif 000138
【図２７Ｄ】
2020171013.tif 000139
【図２７Ｅ】
2020171013.tif 000140
【図２７Ｆ】
2020171013.tif 000141
【図２７Ｇ】
2020171013.tif 000142
【図２７Ｈ】
2020171013.tif 000143
【図２７Ｉ】
2020171013.tif 000144
【図２８】
2020171013.tif 000145